(57)【特許請求の範囲】
【請求項１】
それぞれが、特異的結合物質を含む複数の吸着性領域が、互いに離間して、形成された複数の生化学解析用ユニットがセットされた生化学解析用ユニットキャリアを保持可能なキャリア保持部と、前記キャリア保持部に保持された前記生化学解析用ユニットキャリアの前記複数の生化学解析用ユニットに対応する位置に設けられ、同時に、前記キャリア保持部に保持された前記生化学解析用ユニットキャリアの前記複数の生化学解析用ユニットの前記吸着性領域を横切るように、標識物質を含む溶液を供給して、前記生化学解析用ユニットキャリアにセットされた前記複数の生化学解析用ユニットの前記複数の吸着性領域を、前記標識物質によって、選択的に標識可能な複数の溶液供給流路を有する反応装置を備えたことを特徴とする生化学解析システム。
【請求項２】
前記生化学解析用ユニットが、複数の貫通孔が、互いに離間して形成された基板を備え、前記複数の吸着性領域が、前記基板に形成された前記複数の貫通孔に、吸着性材料が充填されて形成されていることを特徴とする請求項１に記載の生化学解析システム。
【請求項３】
前記反応装置が、前記生化学解析用ユニットキャリアにセットされた前記複数の生化学解析用ユニットの前記複数の吸着性領域を横切って、標識物質を含む溶液を循環させるように構成されたことを特徴とする請求項１または２に記載の生化学解析システム。
【請求項４】
前記反応装置が、前記生化学解析用ユニットキャリアにセットされた前記複数の生化学解析用ユニットの前記複数の吸着性領域に、放射性標識物質によって標識された溶液を供給し、前記生化学解析用ユニットキャリアにセットされた前記複数の生化学解析用ユニットの前記複数の吸着性領域を、前記放射性標識物質によって、選択的に標識して、前記生化学解析用ユニットキャリアにセットされた前記複数の生化学解析用ユニットの前記複数の吸着性領域に、放射線データを記録可能に構成され、さらに、前記生化学解析用ユニットキャリアにセットされた前記複数の生化学解析用ユニットに対応する位置に、輝尽性蛍光体層が形成された複数の蓄積性蛍光体シートが固定された蓄積性蛍光体シートキャリアを、前記生化学解析用ユニットキャリアに重ね合わせて、前記生化学解析用ユニットキャリアと前記蓄積性蛍光体シートキャリアのキャリア集積体を形成するキャリア集積部と、前記キャリア集積部によって形成された前記生化学解析用ユニットキャリアと前記蓄積性蛍光体シートキャリアの前記キャリア集積体を保持するスタッカを有する露光装置と、前記生化学解析用ユニットキャリアを、前記反応装置から、前記露光装置に搬送する生化学解析用ユニット搬送手段を備え、前記スタッカが、複数の前記キャリア集積体を、重畳状態で、保持可能に構成されたことを特徴とする請求項１ないし３のいずれか１項に記載の生化学解析システム。
【請求項５】
前記生化学解析用ユニットキャリアに、少なくとも２つの位置合わせ用貫通孔が形成され、前記蓄積性蛍光体シートキャリアに、前記生化学解析用ユニットに形成された前記少なくとも２つの位置合わせ用貫通孔に対応して、少なくとも２つの位置合わせ用ピンが形成されていることを特徴とする請求項４に記載の生化学解析システム。
【請求項６】
さらに、前記スタッカに保持された前記生化学解析用ユニットキャリアと前記蓄積性蛍光体シートキャリアの前記キャリア集積体を受け、前記蓄積性蛍光体シートキャリアを、前記生化学解析用ユニットキャリアから剥離するキャリア剥離部と、複数のスキャナを備えたスキャナ装置と、前記キャリア剥離部において、前記生化学解析用ユニットキャリアから剥離された前記蓄積性蛍光体シートキャリアを、前記スキャナ装置に搬送するキャリア搬送手段を備え、前記複数のスキャナがそれぞれ、励起光を発する少なくとも１つの励起光源と、光検出器とを備え、前記スキャナ装置が、前記蓄積性蛍光体シートキャリアを載置する単一のサンプルステージと、前記サンプルステージと前記複数のスキャナとを、主走査方向および前記主走査方向に直交する副走査方向に、相対的に移動させる単一の走査機構を備えたことを特徴とする請求項４または５に記載の生化学解析システム。
【請求項７】
前記スキャナ装置が、前記蓄積性蛍光体シートキャリアに固定されている前記複数の蓄積性蛍光体シートの枚数に等しい数のスキャナを備え、前記複数のスキャナが、前記サンプルステージにセットされるべき前記蓄積性蛍光体シートキャリアに固定されている前記複数の蓄積性蛍光体シートに対向する位置に配置されていることを特徴とする請求項６に記載の生化学解析システム。
【請求項８】
前記生化学解析用ユニットキャリアが、前記複数の生化学解析用ユニットを、マトリックス状のパターンで、規則的にセット可能に構成され、前記蓄積性蛍光体シートキャリアに、前記生化学解析用ユニットキャリアにセットされるべき前記複数の生化学解析用ユニットと同一のマトリックス状のパターンで、前記複数の蓄積性蛍光体シートが、規則的に固定されており、前記スキャナ装置が、前記蓄積性蛍光体シートキャリアに、マトリックス状に固定されている前記複数の蓄積性蛍光体シートの行または列の数に等しい数の複数のスキャナを備え、前記複数のスキャナが、前記サンプルステージにセットされるべき前記蓄積性蛍光体シートキャリアに、マトリックス状に固定されている前記複数の蓄積性蛍光体シートのうち、１行または１列の前記蓄積性蛍光体シートに対向する位置に配置され、前記走査機構によって、前記サンプルステージと前記複数のスキャナとが、副走査方向に移動されることによって、前記複数のスキャナが、前記蓄積性蛍光体シートキャリアに、マトリックス状に固定されている隣り合う行または列の前記蓄積性蛍光体シートに対向可能に構成されていることを特徴とする請求項７に記載の生化学解析システム。
【請求項９】
さらに、複数のスキャナを備えた第２のスキャナ装置を備えており、前記複数のスキャナが、それぞれ、励起光を発する少なくとも１つの励起光源と、光検出器とを備え、前記第２のスキャナ装置が、前記生化学解析用ユニットキャリアを載置する単一のサンプルステージと、前記サンプルステージと前記複数のスキャナとを、主走査方向および前記主走査方向に直交する副走査方向に、相対的に移動させる単一の走査機構を備え、さらに、生化学解析用ユニットキャリアを、前記第２のスキャナの前記サンプルステージに載置する第２のキャリア搬送手段を備えたことを特徴とする請求項６ないし８のいずれか１項に記載の生化学解析システム。
【請求項１０】
さらに、前記生化学解析用ユニットキャリアが載置される単一のサンプルステージと、前記サンプルステージに、前記生化学解析用ユニットキャリアがセットされたときに、前記生化学解析用ユニットキャリアにセットされるべき複数の生化学解析用ユニットに対向する位置に配置された複数のＣＣＤカメラとを備えたデータ生成装置と、前記生化学解析用ユニットキャリアを、前記サンプルステージにセットする第３のキャリア搬送手段を備えたことを特徴とする請求項６ないし９のいずれか１項に記載の生化学解析システム。
【請求項１１】
さらに、生化学解析用ユニットキャリアを回収する生化学解析用ユニットキャリア回収ボックスを備え、前記第２のキャリア搬送手段および第３のキャリア搬送手段が、前記生化学解析用ユニットキャリアを、前記第２のスキャナ装置および前記データ生成装置の前記サンプルステージから、前記生化学解析用ユニットキャリア回収ボックスに搬送可能に構成されていることを特徴とする請求項９または１０に記載の生化学解析システム。
【請求項１２】
それぞれが、特異的結合物質を含む複数の吸着性領域が、互いに離間して、形成された複数の生化学解析用ユニットを、生化学解析用ユニットキャリアにセットし、前記複数の生化学解析用ユニットがセットされた前記生化学解析用ユニットキャリアを反応装置にセットし、前記生化学解析用ユニットキャリアにセットされた前記複数の生化学解析用ユニットの前記複数の吸着性領域に、標識物質を含む溶液を、前記複数の吸着性領域を横切るように、同時に供給して、前記生化学解析用ユニットキャリアにセットされた前記複数の生化学解析用ユニットの前記複数の吸着性領域を、前記標識物質によって、選択的に標識することを特徴とする生化学解析方法。
【請求項１３】
前記生化学解析用ユニットが、複数の貫通孔が、互いに離間して形成された基板を備え、前記複数の吸着性領域が、前記基板に形成された前記複数の貫通孔に、吸着性材料が充填されて形成されていることを特徴とする請求項１２に記載の生化学解析方法。
【請求項１４】
前記生化学解析用ユニットに、それぞれ、少なくとも２つの位置合わせ用貫通孔が形成され、前記生化学解析用ユニットキャリアの前記複数の生化学解析用ユニットをセットすべき部分に、それぞれ、前記生化学解析用ユニットに形成された前記少なくとも２つの位置合わせ用貫通孔に対応して、少なくとも２つの位置合わせ用ピンが形成されていることを特徴とする請求項１２または１３に記載の生化学解析方法。
【請求項１５】
前記反応装置が、前記生化学解析用ユニットキャリアにセットされた前記複数の生化学解析用ユニットの前記複数の吸着性領域を横切って、標識物質を含む溶液を循環させるように構成されたことを特徴とする請求項１２ないし１４のいずれか１項に記載の生化学解析方法。
【請求項１６】
前記反応装置によって、前記生化学解析用ユニットキャリアにセットされた前記複数の生化学解析用ユニットの前記複数の吸着性領域に、放射性標識物質によって標識された溶液を供給し、前記生化学解析用ユニットキャリアにセットされた前記複数の生化学解析用ユニットの前記複数の吸着性領域を、前記放射性標識物質によって、選択的に標識して、前記生化学解析用ユニットキャリアにセットされた前記複数の生化学解析用ユニットの前記複数の吸着性領域に、放射線データを記録し、さらに、前記生化学解析用ユニットキャリアを、生化学解析用ユニット搬送手段によって、前記反応装置から、キャリア集積部に送って、前記生化学解析用ユニットキャリアにセットされた前記複数の生化学解析用ユニットに対応する位置に、輝尽性蛍光体層が形成された複数の蓄積性蛍光体シートが固定された蓄積性蛍光体シートキャリアを、前記生化学解析用ユニットキャリアに重ね合わせて、前記生化学解析用ユニットキャリアと前記蓄積性蛍光体シートキャリアのキャリア集積体を形成し、前記生化学解析用ユニット搬送手段によって、前記生化学解析用ユニットキャリアと前記蓄積性蛍光体シートキャリアの前記キャリア集積体を、スタッカに送って、前記スタッカ内で、それぞれが、前記生化学解析用ユニットキャリアと前記蓄積性蛍光体シートキャリアよりなる複数の前記キャリア集積体を、重畳状態で保持して、前記生化学解析用ユニットキャリアにセットされた前記複数の生化学解析用ユニットの前記複数の吸着性領域に選択的に含まれている放射性標識物質によって、前記蓄積性蛍光体シートキャリアに固定された前記複数の蓄積性蛍光体シートの前記輝尽性蛍光体層を露光することを特徴とする請求項１２ないし１５のいずれか１項に記載の生化学解析方法。
【請求項１７】
前記生化学解析用ユニットキャリアに、少なくとも２つの位置合わせ用貫通孔が形成され、前記蓄積性蛍光体シートキャリアに、前記生化学解析用ユニットに形成された前記少なくとも２つの位置合わせ用貫通孔に対応して、少なくとも２つの位置合わせ用ピンが形成されていることを特徴とする請求項１６に記載の生化学解析方法。
【請求項１８】
さらに、前記生化学解析用ユニットキャリアと前記蓄積性蛍光体シートキャリアの前記キャリア集積体を、キャリア剥離部に送って、前記生化学解析用ユニットキャリアと前記蓄積性蛍光体シートキャリアの前記キャリア集積体から、前記蓄積性蛍光体シートキャリアを剥離し、キャリア搬送手段によって、前記生化学解析用ユニットキャリアと前記蓄積性蛍光体シートキャリアの前記キャリア集積体から剥離した前記蓄積性蛍光体シートキャリアを、それぞれが、励起光を発する少なくとも１つの励起光源と、光検出器とを備えた少なくとも２つのスキャナと前記蓄積性蛍光体シートキャリアを載置する単一のサンプルステージを備えたスキャナ装置に搬送して、前記スキャナ装置の前記サンプルステージにセットし、前記スキャナ装置のサンプルステージと前記少なくとも２つのスキャナとを、主走査方向および前記主走査方向に直交する副走査方向に、相対的に移動させて、前記少なくとも２つのスキャナの前記少なくとも１つの励起光源から発せられた励起光によって、前記蓄積性蛍光体シートキャリアに固定された前記複数の蓄積性蛍光体シートのうち、少なくとも２つの蓄積性蛍光体シートの前記輝尽性蛍光体層を、同時に走査して、前記少なくとも２つの蓄積性蛍光体シートの前記輝尽性蛍光体層に含まれている輝尽性蛍光体を励起し、前記少なくとも２つの蓄積性蛍光体シートの前記輝尽性蛍光体層から放出された輝尽光を、前記少なくとも２つのスキャナの前記光検出器によって、光電的に検出して、前記少なくとも２つの蓄積性蛍光体シートの前記輝尽性蛍光体層に記録されている放射線データを読み取り、生化学解析用データを生成するように構成されたことを特徴とする請求項１６または１７に記載の生化学解析方法。
【請求項１９】
前記スキャナ装置が、前記蓄積性蛍光体シートキャリアに固定されている前記複数の蓄積性蛍光体シートの枚数に等しい数のスキャナを備え、前記複数のスキャナが、前記サンプルステージにセットされるべき前記蓄積性蛍光体シートキャリアに固定されている前記複数の蓄積性蛍光体シートに対向する位置に配置されていることを特徴とする請求項１８に記載の生化学解析方法。
【請求項２０】
前記生化学解析用ユニットキャリアが、前記複数の生化学解析用ユニットを、マトリックス状のパターンで、規則的にセット可能に構成され、前記蓄積性蛍光体シートキャリアに、前記生化学解析用ユニットキャリアにセットされるべき前記複数の生化学解析用ユニットと同一のマトリックス状のパターンで、前記複数の蓄積性蛍光体シートが、規則的に固定されており、前記スキャナ装置が、前記蓄積性蛍光体シートキャリアに、マトリックス状に固定されている前記複数の蓄積性蛍光体シートの行または列の数に等しい数の複数のスキャナを備え、前記複数のスキャナが、前記サンプルステージにセットされるべき前記蓄積性蛍光体シートキャリアに、マトリックス状に固定されている前記複数の蓄積性蛍光体シートのうち、１行または１列の前記蓄積性蛍光体シートに対向する位置に配置され、前記走査機構によって、前記サンプルステージと前記複数のスキャナとが、副走査方向に移動されることによって、前記複数のスキャナが、前記蓄積性蛍光体シートキャリアに、マトリックス状に固定されている隣り合う行または列の前記蓄積性蛍光体シートに対向可能に構成されていることを特徴とする請求項１９に記載の生化学解析方法。
【請求項２１】
さらに、前記反応装置によって、前記生化学解析用ユニットキャリアにセットされた前記複数の生化学解析用ユニットの前記複数の吸着性領域に、蛍光物質によって標識された溶液を供給し、前記生化学解析用ユニットキャリアにセットされた前記複数の生化学解析用ユニットの前記複数の吸着性領域を、前記蛍光物質によって、選択的に標識して、前記生化学解析用ユニットキャリアにセットされた前記複数の生化学解析用ユニットの前記複数の吸着性領域に、蛍光データを記録し、前記生化学解析用ユニットキャリアを、第２のキャリア搬送手段によって、それぞれが、励起光を発する少なくとも１つの励起光源と、光検出器とを備えた少なくとも２つのスキャナと前記生化学解析用ユニットキャリアを載置する単一のサンプルステージを備えた第２のスキャナ装置に搬送して、前記第２のスキャナ装置の前記サンプルステージにセットし、前記第２のスキャナ装置のサンプルステージと前記少なくとも２つのスキャナとを、主走査方向および前記主走査方向に直交する副走査方向に、相対的に移動させて、前記第２のスキャナ装置の前記少なくとも２つのスキャナの前記少なくとも１つの励起光源から発せられた励起光によって、前記生化学解析用ユニットキャリアにセットされた前記複数の生化学解析用ユニットのうち、少なくとも２つの生化学解析用ユニットの前記複数の吸着性領域を、同時に走査して、前記少なくとも２つの生化学解析用ユニットの前記複数の吸着性領域に含まれている蛍光物質を励起し、前記少なくとも２つの生化学解析用ユニットの前記複数の吸着性領域から放出された蛍光を、前記第２のスキャナ装置の前記少なくとも２つのスキャナの前記光検出器によって、光電的に検出して、前記少なくとも２つの生化学解析用ユニットの前記複数の吸着性領域に記録されている蛍光データを読み取り、生化学解析用データを生成するように構成されたことを特徴とする請求項１８ないし２０のいずれか１項に記載の生化学解析方法。
【請求項２２】
さらに、前記反応装置によって、前記生化学解析用ユニットキャリアにセットされた前記複数の生化学解析用ユニットの前記複数の吸着性領域に、化学発光基質と接触させることによって化学発光を生じさせる標識物質によって標識された溶液を供給し、前記生化学解析用ユニットキャリアにセットされた前記複数の生化学解析用ユニットの前記複数の吸着性領域を、前記化学発光基質と接触させることによって化学発光を生じさせる標識物質によって、選択的に標識して、前記生化学解析用ユニットキャリアにセットされた前記複数の生化学解析用ユニットの前記複数の吸着性領域に、化学発光データを記録し、第３のキャリア搬送手段によって、前記生化学解析用ユニットキャリアが載置される単一のサンプルステージと、前記サンプルステージに、前記生化学解析用ユニットキャリアがセットされたときに、前記生化学解析用ユニットキャリアにセットされるべき複数の生化学解析用ユニットに対向する位置に配置された複数のＣＣＤカメラとを備えたデータ読み取り装置に搬送して、前記サンプルステージにセットし、前記サンプルステージにセットされている前記生化学解析用ユニットキャリアにセットされた前記複数の生化学解析用ユニットの前記複数の吸着性領域に、化学発光基質を接触させ、前記複数の生化学解析用ユニットの前記複数の吸着性領域から放出された化学発光を、それぞれ、対向する前記ＣＣＤカメラによって、同時に、光電的に検出して、前記複数の生化学解析用ユニットの前記複数の吸着性領域に記録されている化学発光データを読み取り、生化学解析用データを生成するように構成されたことを特徴とする請求項１８ないし２１のいずれか１項に記載の生化学解析方法。
【請求項２３】
さらに、生化学解析用ユニットキャリアを回収する生化学解析用ユニットキャリア回収ボックスが設けられ、前記第２のキャリア搬送手段および第３のキャリア搬送手段が、前記生化学解析用ユニットキャリアを、第２のスキャナ装置および前記データ生成装置の前記サンプルステージから、前記生化学解析用ユニットキャリア回収ボックスに搬送可能に構成されていることを特徴とする請求項２１または２２に記載の生化学解析方法。
【発明の詳細な説明】
【０００１】
本発明は、生化学解析システムおよび生化学解析方法に関するものであり、さらに詳細には、きわめて効率的に、かつ、再現性よく、生化学解析用ユニットに、放射線データや、蛍光データあるいは化学発光データを記録し、生化学解析用ユニットに記録された放射線データを、蓄積性蛍光体シートの輝尽性蛍光体層に転写し、生化学解析用ユニットに記録された蛍光データあるいは化学発光データを読み取って、生化学解析用データを生成し、蓄積性蛍光体シートの輝尽性蛍光体層に記録された放射線データを読み取って、生化学解析用データを生成することができる生化学解析システムおよび生化学解析方法に関するものである。
【０００２】
【従来の技術】
放射線が照射されると、放射線のエネルギーを吸収して、蓄積、記録し、その後に、特定の波長域の電磁波を用いて励起すると、照射された放射線のエネルギーの量に応じた光量の輝尽光を発する特性を有する輝尽性蛍光体を、放射線の検出材料として用い、放射性標識を付与した物質を、生物体に投与した後、その生物体あるいはその生物体の組織の一部を試料とし、この試料を、輝尽性蛍光体層が設けられた蓄積性蛍光体シートと一定時間重ね合わせることにより、放射線エネルギーを輝尽性蛍光体に、蓄積、記録し、しかる後に、電磁波によって、輝尽性蛍光体層を走査して、輝尽性蛍光体を励起し、輝尽性蛍光体から放出された輝尽光を光電的に検出して、ディジタル画像信号を生成し、画像処理を施して、ＣＲＴなどの表示手段上あるいは写真フイルムなどの記録材料上に、画像を再生するように構成されたオートラジオグラフィ解析システムが知られている（たとえば、特公平１−７０８８４号公報、特公平１−７０８８２号公報、特公平４−３９６２号公報など）。
【０００３】
また、光が照射されると、光のエネルギーを吸収して、蓄積、記録し、その後に、特定の波長域の電磁波を用いて励起すると、照射された光のエネルギーの量に応じた光量の輝尽光を発する特性を有する輝尽性蛍光体を、光の検出材料として用い、蛋白質、遺伝子配列などの固定された高分子を、化学発光物質と接触して、化学発光を生じさせる標識物質により、選択的に標識し、標識物質によって選択的に標識された高分子と、化学発光物質とを接触させて、化学発光物質と標識物質との接触によって生ずる可視光波長域の化学発光を、蓄積性蛍光体シートに形成された輝尽性蛍光体層に含まれている輝尽性蛍光体に蓄積、記録し、しかる後に、電磁波によって、輝尽性蛍光体層を走査して、輝尽性蛍光体を励起し、輝尽性蛍光体から放出された輝尽光を光電的に検出して、ディジタル信号を生成し、データ処理を施して、ＣＲＴなどの表示手段上あるいは写真フイルムなどの記録材料上に、データを再生するように構成された化学発光解析システムが知られている（たとえば、米国特許第５，０２８，７９３号、英国特許出願公開ＧＢ第２，２４６，１９７Ａなど。）。
【０００４】
蓄積性蛍光体シートを放射線の検出材料として使用するこれらのシステムは、写真フイルムを用いる場合とは異なり、現像処理という化学的処理が不必要であるだけでなく、得られたディジタルデータにデータ処理を施すことにより、所望のように、解析用データを再生し、あるいは、コンピュータによる定量解析が可能になるという利点を有している。
【０００５】
他方、オートラジオグラフィ解析システムにおける放射性標識物質に代えて、蛍光色素などの蛍光物質を標識物質として使用した蛍光（fluorescence)解析システムが知られている。この蛍光解析システムによれば、蛍光物質から放出された蛍光を検出することによって、遺伝子配列、遺伝子の発現レベル、実験用マウスにおける投与物質の代謝、吸収、排泄の経路、状態、蛋白質の分離、同定、あるいは、分子量、特性の評価などをおこなうことができ、たとえば、電気泳動されるべき複数種の蛋白質分子を含む溶液を、ゲル支持体上で、電気泳動させた後に、ゲル支持体を蛍光色素を含んだ溶液に浸すなどして、電気泳動された蛋白質を染色し、励起光によって、蛍光色素を励起して、生じた蛍光を検出することによって、画像を生成し、ゲル支持体上の蛋白質分子の位置および量的分布を検出したりすることができる。あるいは、ウェスタン・ブロッティング法により、ニトロセルロースなどの転写支持体上に、電気泳動された蛋白質分子の少なくとも一部を転写し、目的とする蛋白質に特異的に反応する抗体を蛍光色素で標識して調製したプローブと蛋白質分子とを会合させ、特異的に反応する抗体にのみ結合する蛋白質分子を選択的に標識し、励起光によって、蛍光色素を励起して、生じた蛍光を検出することにより、画像を生成し、転写支持体上の蛋白質分子の位置および量的分布を検出したりすることができる。また、電気泳動させるべき複数のＤＮＡ断片を含む溶液中に、蛍光色素を加えた後に、複数のＤＮＡ断片をゲル支持体上で電気泳動させ、あるいは、蛍光色素を含有させたゲル支持体上で、複数のＤＮＡ断片を電気泳動させ、あるいは、複数のＤＮＡ断片を、ゲル支持体上で、電気泳動させた後に、ゲル支持体を、蛍光色素を含んだ溶液に浸すなどして、電気泳動されたＤＮＡ断片を標識し、励起光により、蛍光色素を励起して、生じた蛍光を検出することにより、画像を生成し、ゲル支持体上のＤＮＡを分布を検出したり、あるいは、複数のＤＮＡ断片を、ゲル支持体上で、電気泳動させた後に、ＤＮＡを変性（denaturation)し、次いで、サザン・ブロッティング法により、ニトロセルロースなどの転写支持体上に、変性ＤＮＡ断片の少なくとも一部を転写し、目的とするＤＮＡと相補的なＤＮＡもしくはＲＮＡを蛍光色素で標識して調製したプローブと変性ＤＮＡ断片とをハイブリダイズさせ、プローブＤＮＡもしくはプローブＲＮＡと相補的なＤＮＡ断片のみを選択的に標識し、励起光によって、蛍光色素を励起して、生じた蛍光を検出することにより、画像を生成し、転写支持体上の目的とするＤＮＡの分布を検出したりすることができる。さらに、標識物質によって標識した目的とする遺伝子を含むＤＮＡと相補的なＤＮＡプローブを調製して、転写支持体上のＤＮＡとハイブリダイズさせ、酵素を、標識物質により標識された相補的なＤＮＡと結合させた後、蛍光基質と接触させて、蛍光基質を蛍光を発する蛍光物質に変化させ、励起光によって、生成された蛍光物質を励起して、生じた蛍光を検出することにより、画像を生成し、転写支持体上の目的とするＤＮＡの分布を検出したりすることもできる。この蛍光解析システムは、放射性物質を使用することなく、簡易に、遺伝子配列などを検出するこ���ができるという利点がある。
【０００６】
また、同様に、蛋白質や核酸などの特異的結合物質をメンブレンフィルタなどの生化学解析用ユニットに固定し、化学発光基質と接触させることによって化学発光を生じさせる標識物質によって標識された生体由来の物質を、特異的結合物質に特異的に結合させて、選択的に標識し、標識物質によって選択的に標識された特異的結合物質と生体由来の物質の結合体と化学発光基質とを接触させて、化学発光基質と標識物質との接触によって生ずる可視光波長域の化学発光を、光電的に検出して、ディジタル信号を生成し、画像処理を施して、ＣＲＴなどの表示手段あるいは写真フィルムなどの記録材料上に、化学発光画像を表示して、遺伝子情報などの生体由来の物質に関する情報を得るようにした化学発光解析システムも知られている。
【０００７】
さらに、近年、スライドガラス板やメンブレンフィルタなどの担体表面上の異なる位置に、細胞、ウィルス、ホルモン類、腫瘍マーカー、酵素、抗体、抗原、アブザイム、その他のタンパク質、核酸、ｃＤＮＡ、ＤＮＡ、ＲＮＡなど、生体由来の物質と特異的に結合可能で、かつ、塩基配列や塩基の長さ、組成などが既知の特異的結合物質を、スポッター装置を用いて、滴下して、多数の独立したスポットを形成し、次いで、細胞、ウィルス、ホルモン類、腫瘍マーカー、酵素、抗体、抗原、アブザイム、その他のタンパク質、核酸、ｃＤＮＡ、ＤＮＡ、ｍＲＮＡなど、抽出、単離などによって、生体から採取され、あるいは、さらに、化学的処理、化学修飾などの処理が施された生体由来の物質であって、蛍光物質、色素などの標識物質によって標識された物質を、ハイブリダイゼーションなどによって、特異的結合物質に、特異的に結合させたマイクロアレイに、励起光を照射して、蛍光物質、色素などの標識物質から発せられた蛍光などの光を光電的に検出して、生体由来の物質を解析するマイクロアレイ解析システムが開発されている。このマイクロアレイ解析システムによれば、スライドガラス板やメンブレンフィルタなどの担体表面上の異なる位置に、数多くの特異的結合物質のスポットを高密度に形成して、標識物質によって標識された生体由来の物質をハイブリダイズさせることによって、短時間に、生体由来の物質を解析することが可能になるという利点がある。
【０００８】
また、メンブレンフィルタなどの担体表面上の異なる位置に、細胞、ウィルス、ホルモン類、腫瘍マーカー、酵素、抗体、抗原、アブザイム、その他のタンパク質、核酸、ｃＤＮＡ、ＤＮＡ、ＲＮＡなど、生体由来の物質と特異的に結合可能で、かつ、塩基配列や塩基の長さ、組成などが既知の特異的結合物質を、スポッター装置を用いて、滴下して、多数の独立したスポットを形成し、次いで、細胞、ウィルス、ホルモン類、腫瘍マーカー、酵素、抗体、抗原、アブザイム、その他のタンパク質、核酸、ｃＤＮＡ、ＤＮＡ、ｍＲＮＡなど、抽出、単離などによって、生体から採取され、あるいは、さらに、化学的処理、化学修飾などの処理が施された生体由来の物質であって、放射性標識物質によって標識された物質を、ハイブリダイゼーションなどによって、特異的結合物質に、特異的に結合させたマクロアレイを、輝尽性蛍光体を含む輝尽性蛍光体層が形成された蓄積性蛍光体シートと密着させて、輝尽性蛍光体層を露光し、しかる後に、輝尽性蛍光体層に励起光を照射し、輝尽性蛍光体層から発せられた輝尽光を光電的に検出して、生化学解析用データを生成し、生体由来の物質を解析する放射性標識物質を用いたマクロアレイ解析システムも開発されている。
【０００９】
【発明が解決しようとする課題】
マイクロアレイ解析システムやマクロアレイ解析システムにおいては、メンブレンフィルタなどの生化学解析用ユニットの表面の異なる位置に、特異的結合物質を含む溶液を滴下して、多数のスポット状領域を形成し、放射性標識物質、蛍光物質、化学発光基質と接触させることによって化学発光を生じさせる標識物質などによって標識された生体由来の物質を、スポット状領域に含まれている特異的結合物質にハイブリダイズさせて、特異的結合物質を選択的に標識し、多数のスポット状領域に選択的に含まれている放射性標識物質によって、蓄積性蛍光体シートの輝尽性蛍光体層を露光し、露光された輝尽性蛍光体層を、励起光によって走査して、輝尽性蛍光体層に含まれている輝尽性蛍光体を励起し、輝尽性蛍光体から放出された輝尽光を光電的に検出して、生化学解析用データを生成し、あるいは、多数のスポット状領域を、励起光によって走査して、多数のスポット状領域に選択的に含まれている蛍光物質を励起し、蛍光物質から放出された蛍光を光電的に検出して、生化学解析用データを生成し、あるいは、多数のスポット状領域に選択的に含まれている標識物質を化学発光基質と接触させ、標識物質から放出される化学発光を光電的に検出して、生化学解析用データを生成することが要求されている。
【００１０】
特異的結合物質と生体由来の物質をハイブリダイズさせる場合、従来は、ユーザーが、手作業で、特異的結合物質を含む多数のスポット状領域が形成されたメンブレンフィルタなどの生化学解析用ユニットを、ハイブリダイゼーションバッグ内に入れ、ハイブリダイゼーションバッグ内に、放射性標識物質、蛍光物質、化学発光基質と接触させることによって化学発光を生じさせる標識物質などによって標識された生体由来の物質を含むハイブリダイゼーション反応溶液を加え、ハイブリダイゼーションバッグに振動を加えて、生体由来の物質を、対流あるいは拡散によって移動させて、特異的結合物質と生体由来の物質をハイブリダイズさせ、生化学解析用ユニットをハイブリダイゼーションバッグから取り出して、洗浄溶液が満たされた容器内に入れ、洗浄するのが一般であった。
【００１１】
しかしながら、ユーザーが、手作業で、生化学解析用ユニットを、ハイブリダイゼーションバッグ内に入れて、ハイブリダイゼーション反応溶液を加え、ハイブリダイゼーションバッグに振動を加えて、特異的結合物質と生体由来の物質をハイブリダイズさせる場合には、ハイブリダイゼーション反応溶液を、特異的結合物質を含む多数のスポット状領域に、均一に接触させることは困難であり、したがって、効率的に、特異的結合物質と生体由来の物質をハイブリダイズさせることができないという問題があった。
【００１２】
さらに、ユーザーが、手作業で、生化学解析用ユニットを、ハイブリダイゼーションバッグ内に入れて、ハイブリダイゼーション反応溶液を加え、ハイブリダイゼーションバッグに振動を加えて、特異的結合物質と生体由来の物質をハイブリダイズさせ、生化学解析用ユニットをハイブリダイゼーションバッグから取り出して、洗浄溶液が満たされた容器内に入れ、洗浄する場合には、ユーザーによって、ハイブリダイゼーションの結果がばらつき、再現性が低下することは避けられず、また、同じユーザーであっても、再現性が低下するおそれがあるという問題があった。
【００１３】
メンブレンフィルタなどの生化学解析用ユニットに、抗原あるいは抗体を固定し、抗原抗体反応によって、固定された抗原あるいは抗体に、抗体あるいは抗原を結合させる場合のように、リガンドとリセプターを会合反応させる場合には、同様の問題があり、さらに、メンブレンフィルタなどの生化学解析用ユニットに固定されたターゲットＤＮＡに、ジゴキシゲニンなどのハプテンによって標識されたプローブＤＮＡをハイブリダイズさせ、さらに、化学発光基質と接触させることによって化学発光を生じさせる酵素によって標識されたジゴキシゲニンなどのハプテンに対する抗体や、蛍光基質と接触することによって、蛍光物質を生じさせる性質を有する酵素によって標識されたジゴキシゲニンなどのハプテンに対する抗体を、抗原抗体反応によって、プローブＤＮＡを標識しているハプテンに結合させて、ターゲットＤＮＡを標識する場合にも、同様の問題があった。
【００１４】
また、ハイブリダイゼーション反応には、数時間ないし十数時間を要し、メンブレンフィルタなどの生化学解析用ユニットの多数のスポット状領域に含まれている特異的結合物質に、放射性標識物質によって標識された生体由来の物質をハイブリダイズさせて、特異的結合物質を選択的に標識して得た生化学解析用ユニットを、蓄積性蛍光体シートの輝尽性蛍光体層に密着させて、生化学解析用ユニットの多数のスポット状領域に選択的に含まれている放射性標識物質によって、蓄積性蛍光体シートの輝尽性蛍光体層を露光する場合にも、露光操作に、数時間ないし十数時間を要するため、生化学解析用ユニットに、放射線データや、蛍光データあるいは化学発光データを記録し、生化学解析用ユニットに記録された放射線データを、蓄積性蛍光体シートの輝尽性蛍光体層に転写し、生化学解析用ユニットに記録された蛍光データあるいは化学発光データを読み取って、生化学解析用データを生成し、蓄積性蛍光体シートの輝尽性蛍光体層に記録された放射線データを読み取って、生化学解析用データを生成するまでに、膨大な時間を要し、したがって、ユーザーが、ハイブリダイゼーション反応や、露光操作、放射線データや、蛍光データあるいは化学発光データの読み取り操作を管理することはきわめて煩雑であり、非効率であった。
【００１５】
したがって、本発明は、きわめて効率的に、かつ、再現性よく、生化学解析用ユニットに、放射線データや、蛍光データあるいは化学発光データを記録し、生化学解析用ユニットに記録された放射線データを、蓄積性蛍光体シートの輝尽性蛍光体層に転写し、生化学解析用ユニットに記録された蛍光データあるいは化学発光データを読み取って、生化学解析用データを生成し、蓄積性蛍光体シートの輝尽性蛍光体層に記録された放射線データを読み取って、生化学解析用データを生成することができる生化学解析システムおよび生化学解析方法を提供することを目的とするものである。
【００１６】
【課題を解決するための手段】
本発明のかかる目的は、それぞれが、特異的結合物質を含む複数の吸着性領域が、互いに離間して、形成された複数の生化学解析用ユニットがセットされた生化学解析用ユニットキャリアを保持可能なキャリア保持部と、前記キャリア保持部に保持された前記生化学解析用ユニットキャリアの前記複数の生化学解析用ユニットに対応する位置に設けられ、同時に、前記キャリア保持部に保持された前記生化学解析用ユニットキャリアの前記複数の生化学解析用ユニットの前記吸着性領域を横切るように、標識物質を含む溶液を供給して、前記生化学解析用ユニットキャリアにセットされた前記複数の生化学解析用ユニットの前記複数の吸着性領域を、前記標識物質によって、選択的に標識可能な複数の溶液供給流路を有する反応装置を備えたことを特徴とする生化学解析システムによって達成される。
【００１７】
本発明によれば、生化学解析システムは、それぞれが、特異的結合物質を含む複数の吸着性領域が、互いに離間して、形成された複数の生化学解析用ユニットがセットされた生化学解析用ユニットキャリアを受け入れ、生化学解析用ユニットキャリアにセットされた複数の生化学解析用ユニットの複数の吸着性領域を横切るように、標識物質を含む溶液を供給し、複数の生化学解析用ユニットの複数の吸着性領域を、標識物質によって、選択的に標識する反応装置を備えているから、きわめて効率的に、かつ、再現性よく、生化学解析用ユニットに、放射線データや、蛍光データあるいは化学発光データを記録することが可能になる。
さらに、本発明によれば、前記反応装置が、前記生化学解析用ユニットキャリアにセットされた前記複数の生化学解析用ユニットの前記複数の吸着性領域を横切るように、標識物質を含む溶液を、同時に、供給するように構成されているから、生化学解析用ユニットの吸着性領域内における標識物質の移動速度を大幅に増大させることができ、したがって、ハイブリダイゼーション反応などのリガンド・リセプター反応の反応速度を大幅に向上させることが可能になり、さらには、標識物質が、生化学解析用ユニットの吸着性領域の深い部分に含まれている特異的結合物質と出会う確率を大幅に増大させることができるから、所望のように、生化学解析用ユニットの複数の吸着性領域を、標識物質によって、標識することが可能になる。
【００１８】
また、本発明によれば、生化学解析用ユニットキャリアに、複数の生化学解析用ユニットがセットされ、反応装置によって、生化学解析用ユニットキャリアにセットされた複数の生化学解析用ユニットの複数の吸着性領域に、同時に、標識物質を含む溶液が供給され、生化学解析用ユニットキャリアにセットされた複数の生化学解析用ユニットの複数の吸着性領域が、標識物質によって、選択的に標識されるから、きわめて効率的に、生化学解析用ユニットに、放射線データや、蛍光データあるいは化学発光データを記録することが可能になる。
【００１９】
本発明において、標識物質を含む溶液とは、放射性標識物質によって標識された生体由来の物質を含む溶液、蛍光色素などの蛍光物質によって標識された生体由来の物質を含む溶液、化学発光基質と接触させることによって化学発光を生じさせる標識物質によって標識された生体由来の物質を含む溶液、放射性標識物質によって標識された生体由来の物質、蛍光色素などの蛍光物質によって標識された生体由来の物質、化学発光基質と接触させることによって化学発光を生じさせる標識物質によって標識された生体由来の物質およびハプテンによって標識された生体由来の物質のうち、２以上の生体由来の物質を含む溶液、ハプテンによって標識された生体由来の物質を含む溶液、酵素によって標識されたハプテンに対する抗体を含む溶液ならびに化学発光基質を含む溶液を包含するものである。
【００２０】
本発明において、ハプテン／抗体の組合わせの例としては  ジゴキシゲニン/抗ジゴキシゲニン抗体、テオフィリン／抗テオフィリン抗体、フルオロセイン/抗フルオロセイン抗体などをあげることができる。また、ハプテン／抗体ではなく、ビオチン／アヴィジンや抗原/抗体などの組合わせを利用することも可能である。
【００２１】
本発明の好ましい実施態様においては、前記生化学解析用ユニットが、複数の貫通孔が、互いに離間して形成された基板を備え、前記複数の吸着性領域が、前記基板に形成された前記複数の貫通孔に、吸着性材料が充填されて形成されている。
本発明の好ましい実施態様によれば、生化学解析用ユニットが、複数の貫通孔が、互いに離間して形成された基板を備え、複数の吸着性領域が、基板に形成された複数の貫通孔に、吸着性材料が充填されて、形成されているから、反応溶液を、生化学解析用ユニットの複数の吸着性領域のみを横切って、選択的に供給することができ、したがって、生化学解析用ユニットの吸着性領域内における標識物質の移動速度を大幅に増大させることができるから、ハイブリダイゼーション反応などのリガンド・リセプター反応の反応速度を大幅に向上させることが可能になり、さらには、標識物質が、生化学解析用ユニットの吸着性領域の深い部分に含まれている特異的結合物質と出会う確率を大幅に増大させることができるから、所望のように、生化学解析用ユニットの複数の吸着性領域を、標識物質によって、標識することが可能になる。
また、本発明の好ましい実施態様においては、前記反応装置が、前記生化学解析用ユニットキャリアにセットされた前記複数の生化学解析用ユニットの前記複数の吸着性領域に、放射性標識物質によって標識された溶液を供給し、前記生化学解析用ユニットキャリアにセットされた前記複数の生化学解析用ユニットの前記複数の吸着性領域を、前記放射性標識物質によって、選択的に標識して、前記生化学解析用ユニットキャリアにセットされた前記複数の生化学解析用ユニットの前記複数の吸着性領域に、放射線データを記録可能に構成され、生化学解析システムが、さらに、前記生化学解析用ユニットキャリアにセットされた前記複数の生化学解析用ユニットに対応する位置に、輝尽性蛍光体層が形成された複数の蓄積性蛍光体シートが固定された蓄積性蛍光体シートキャリアを、前記生化学解析用ユニットキャリアに重ね合わせて、前記生化学解析用ユニットキャリアと前記蓄積性蛍光体シートキャリアのキャリア集積体を形成するキャリア集積部と、前記キャリア集積部によって形成された前記生化学解析用ユニットキャリアと前記蓄積性蛍光体シートキャリアの前記キャリア集積体を保持するスタッカを有する露光装置と、前記生化学解析用ユニットキャリアを、前記反応装置から、前記露光装置に搬送する生化学解析用ユニット搬送手段を備え、前記スタッカが、複数の前記キャリア集積体を、重畳状態で、保持可能に構成されている。
【００２２】
本発明の好ましい実施態様によれば、反応装置が、生化学解析用ユニットキャリアにセットされた複数の生化学解析用ユニットの複数の吸着性領域に、放射性標識物質によって標識された溶液を供給し、生化学解析用ユニットキャリアにセットされた複数の生化学解析用ユニットの複数の吸着性領域を、放射性標識物質によって、選択的に標識して、生化学解析用ユニットキャリアにセットされた複数の生化学解析用ユニットの複数の吸着性領域に、放射線データを記録可能に構成され、生化学解析システムが、さらに、生化学解析用ユニットキャリアにセットされた複数の生化学解析用ユニットに対応する位置に、輝尽性蛍光体層が形成された複数の蓄積性蛍光体シートが固定された蓄積性蛍光体シートキャリアを、生化学解析用ユニットキャリアに重ね合わせて、生化学解析用ユニットキャリアと蓄積性蛍光体シートキャリアのキャリア集積体を形成するキャリア集積部と、キャリア集積部によって形成された生化学解析用ユニットキャリアと蓄積性蛍光体シートキャリアのキャリア集積体を保持するスタッカを有する露光装置と、生化学解析用ユニットキャリアを、反応装置から、露光装置に搬送する生化学解析用ユニット搬送手段を備えているから、生化学解析用ユニットキャリアにセットされた複数の生化学解析用ユニットの複数の吸着性領域を、放射性標識物質によって、選択的に標識して、生化学解析用ユニットキャリアにセットされた複数の生化学解析用ユニットの複数の吸着性領域に、放射線データを記録し、生化学解析用ユニット搬送手段によって、生化学解析用ユニットキャリアを、反応装置から、露光装置のキャリア集積部に搬送して、生化学解析用ユニットキャリアにセットされた複数の生化学解析用ユニットに対応する位置に、輝尽性蛍光体層が形成された複数の蓄積性蛍光体シートが固定された蓄積性蛍光体シートキャリアを、生化学解析用ユニットキャリアに重ね合わせて、生化学解析用ユニットキャリアと蓄積性蛍光体シートキャリアのキャリア集積体を形成し、生化学解析用ユニットキャリアにセットされた複数の生化学解析用ユニットの複数の吸着性領域と、蓄積性蛍光体シートキャリアに固定された対応する蓄積性蛍光体シートの輝尽性蛍光体層とが密着された状態で、スタッカ内で、保持することにより、生化学解析用ユニットキャリアにセットされた複数の生化学解析用ユニットの複数の吸着性領域に、選択的に含まれている放射性標識物質によって、自動的に、蓄積性蛍光体シートキャリアに固定された対応する蓄積性蛍光体シートの輝尽性蛍光体層に含まれている輝尽性蛍光体を露光して、生化学解析用ユニットキャリアにセットされた複数の生化学解析用ユニットの複数の吸着性領域に記録されている放射線データを、蓄積性蛍光体シートキャリアに固定された対応する蓄積性蛍光体シートの輝尽性蛍光体層に転写することができ、ハイブリダイゼーション反応や、露光操作を、ユーザーが管理することが必要なくなり、生化学解析を大幅に効率化することが可能になる。
【００２３】
さらに、本発明の好ましい実施態様によれば、露光装置のスタッカが、複数のキャリア集積体を、重畳状態で、保持可能に構成されているから、複数の蓄積性蛍光体シートキャリアに固定されている複数の蓄積性蛍光体シートの輝尽性蛍光体層を、平行して、複数の生化学解析用ユニットキャリアにセットされている対応する生化学解析用ユニットの複数の吸着性領域に選択的に含まれている放射性標識物質によって、露光して、複数の蓄積性蛍光体シートキャリアに固定されている複数の蓄積性蛍光体シートの輝尽性蛍光体層に、放射線データを記録することが可能になり、したがって、ハイブリダイゼーション反応などの反応効率を向上させることによって、生化学解析に要する時間を、全体として、短縮化することができるから、生化学解析の効率を向上させることが可能になる。
【００２４】
本発明の別の好ましい実施態様においては、前記反応装置が、前記生化学解析用ユニットキャリアにセットされた前記複数の生化学解析用ユニットの前記複数の吸着性領域に、化学発光基質と接触させることによって化学発光を生じさせる標識物質によって標識された溶液を供給し、前記生化学解析用ユニットキャリアにセットされた前記複数の生化学解析用ユニットの前記複数の吸着性領域を、前記化学発光基質と接触させることによって化学発光を生じさせる標識物質によって、選択的に標識して、前記生化学解析用ユニットキャリアにセットされた前記複数の生化学解析用ユニットの前記複数の吸着性領域に、化学発光データを記録し、前記生化学解析用ユニットキャリアにセットされた前記複数の生化学解析用ユニットの化学発光データが記録された前記複数の吸着性領域に、化学発光基質を含む溶液を供給可能に構成され、生化学解析システムが、さらに、前記生化学解析用ユニットキャリアにセットされた前記複数の生化学解析用ユニットに対応する位置に、輝尽性蛍光体層が形成された複数の蓄積性蛍光体シートが固定された蓄積性蛍光体シートキャリアを、前記生化学解析用ユニットキャリアに重ね合わせて、前記生化学解析用ユニットキャリアと前記蓄積性蛍光体シートキャリアのキャリア集積体を形成するキャリア集積部と、前記キャリア集積部によって形成された前記生化学解析用ユニットキャリアと前記蓄積性蛍光体シートキャリアの前記キャリア集積体を保持するスタッカを有する露光装置と、前記生化学解析用ユニットキャリアを、前記反応装置から、前記露光装置に搬送する生化学解析用ユニット搬送手段を備え、前記スタッカが、複数の前記積層体を、重畳状態で、保持可能に構成されている。
【００２５】
本発明の別の好ましい実施態様によれば、反応装置が、生化学解析用ユニットキャリアにセットされた複数の生化学解析用ユニットの複数の吸着性領域に、化学発光基質と接触させることによって化学発光を生じさせる標識物質によって標識された溶液を供給し、生化学解析用ユニットキャリアにセットされた複数の生化学解析用ユニットの複数の吸着性領域を、化学発光基質と接触させることによって化学発光を生じさせる標識物質によって、選択的に標識して、生化学解析用ユニットキャリアにセットされた複数の生化学解析用ユニットの複数の吸着性領域に、化学発光データを記録し、生化学解析用ユニットキャリアにセットされた複数の生化学解析用ユニットの化学発光データが記録された複数の吸着性領域に、化学発光基質を含む溶液を供給可能に構成され、生化学解析システムが、さらに、生化学解析用ユニットキャリアにセットされた複数の生化学解析用ユニットに対応する位置に、輝尽性蛍光体層が形成された複数の蓄積性蛍光体シートが固定された蓄積性蛍光体シートキャリアを、生化学解析用ユニットキャリアに重ね合わせて、生化学解析用ユニットキャリアと蓄積性蛍光体シートキャリアのキャリア集積体を形成するキャリア集積部と、キャリア集積部によって形成された生化学解析用ユニットキャリアと蓄積性蛍光体シートキャリアのキャリア集積体を保持するスタッカを有する露光装置と、生化学解析用ユニットキャリアを、反応装置から、露光装置に搬送する生化学解析用ユニット搬送手段を備え、スタッカが、複数の積層体を、重畳状態で、保持可能に構成されているから、生化学解析用ユニットキャリアにセットされた複数の生化学解析用ユニットの複数の吸着性領域を、化学発光基質と接触させることによって化学発光を生じさせる標識物質によって、選択的に標識して、生化学解析用ユニットキャリアにセットされた複数の生化学解析用ユニットの複数の吸着性領域に、化学発光データを記録し、さらに、生化学解析用ユニットキャリアにセットされた複数の生化学解析用ユニットの化学発光データが記録された複数の吸着性領域に、化学発光基質を含む溶液を供給して、生化学解析用ユニットキャリアにセットされた複数の生化学解析用ユニットの複数の吸着性領域から、選択的に、化学発光を放出させ、生化学解析用ユニット搬送手段によって、生化学解析用ユニットキャリアを、反応装置から、露光装置のキャリア集積部に搬送して、生化学解析用ユニットキャリアにセットされた複数の生化学解析用ユニットに対応する位置に、輝尽性蛍光体層が形成された複数の蓄積性蛍光体シートが固定された蓄積性蛍光体シートキャリアを、生化学解析用ユニットキャリアに重ね合わせて、生化学解析用ユニットキャリアと蓄積性蛍光体シートキャリアのキャリア集積体を形成し、生化学解析用ユニットキャリアにセットされた複数の生化学解析用ユニットの複数の吸着性領域と、蓄積性蛍光体シートキャリアに固定された対応する蓄積性蛍光体シートの輝尽性蛍光体層とが密着された状態で、スタッカ内で、保持することにより、生化学解析用ユニットキャリアにセットされた複数の生化学解析用ユニットの複数の吸着性領域から、選択的に、放出されている化学発光によって、自動的に、蓄積性蛍光体シートキャリアに固定された対応する蓄積性蛍光体シートの輝尽性蛍光体層に含まれている輝尽性蛍光体を露光して、生化学解析用ユニットキャリアにセットされた複数の生化学解析用ユニットの複数の吸着性領域に記録されている化学発光データを、蓄積性蛍光体シートキャリアに固定された対応する蓄積性蛍光体シートの輝尽性蛍光体層に転写することができ、ハイブリダイゼーション反応や、露光操作を、ユーザーが管理することが必要がなくなり、生化学解析を大幅に効率化することが可能になる。
【００２６】
さらに、本発明の別の好ましい実施態様によれば、露光装置のスタッカが、複数のキャリア集積体を、重畳状態で、保持可能に構成されているから、複数の蓄積性蛍光体シートキャリアに固定されている複数の蓄積性蛍光体シートの輝尽性蛍光体層を、平行して、複数の生化学解析用ユニットキャリアにセットされている対応する生化学解析用ユニットの複数の吸着性領域から、選択的に、放出されている化学発光によって、露光して、複数の蓄積性蛍光体シートキャリアに固定されている複数の蓄積性蛍光体シートの輝尽性蛍光体層に、化学発光データを記録し、あるいは、複数の蓄積性蛍光体シートキャリアに固定されている複数の蓄積性蛍光体シートの輝尽性蛍光体層を、平行して、複数の生化学解析用ユニットキャリアにセットされている対応する生化学解析用ユニットの複数の吸着性領域に選択的に含まれている放射性標識物質によって、露光して、複数の蓄積性蛍光体シートキャリアに固定されている複数の蓄積性蛍光体シートの輝尽性蛍光体層に、放射線データを記録することが可能になり、したがって、ハイブリダイゼーション反応などの反応効率を向上させることによって、生化学解析に要する時間を、全体として、短縮化することができるから、生化学解析の効率を向上させることが可能になる。
【００２７】
本発明のさらに好ましい実施態様においては、生化学解析システムが、さらに、前記スタッカに保持された前記生化学解析用ユニットキャリアと前記蓄積性蛍光体シートキャリアの前記キャリア集積体を受け、前記蓄積性蛍光体シートキャリアを、前記生化学解析用ユニットキャリアから剥離するキャリア剥離部と、複数のスキャナを備えたスキャナ装置と、前記キャリア剥離部において、前記生化学解析用ユニットキャリアから剥離された前記蓄積性蛍光体シートキャリアを、前記スキャナ装置に搬送するキャリア搬送手段を備え、前記複数のスキャナがそれぞれ、励起光を発する少なくとも１つの励起光源と、光検出器とを備え、前記スキャナ装置が、前記蓄積性蛍光体シートキャリアを載置する単一のサンプルステージと、前記サンプルステージと前記複数のスキャナとを、主走査方向および前記主走査方向に直交する副走査方向に、相対的に移動させる単一の走査機構を備えている。
【００２８】
本発明のさらに好ましい実施態様によれば、生化学解析システムが、さらに、スタッカに保持された生化学解析用ユニットキャリアと蓄積性蛍光体シートキャリアのキャリア集積体を受け、蓄積性蛍光体シートキャリアを、生化学解析用ユニットキャリアから剥離するキャリア剥離部と、複数のスキャナを備えたスキャナ装置と、キャリア剥離部において、生化学解析用ユニットキャリアから剥離された蓄積性蛍光体シートキャリアを、スキャナ装置に搬送するキャリア搬送手段を備えているから、露光装置によって、生化学解析用ユニットキャリアにセットされた複数の生化学解析用ユニットの複数の吸着性領域に記録された放射線データあるいは化学発光データが、蓄積性蛍光体シートキャリアに固定されている複数の蓄積性蛍光体シートの輝尽性蛍光体層に転写されて、記録された放射線データあるいは化学発光データを、スキャナ装置によって、自動的に読み取って、生化学解析用データを生成することができ、生化学解析を大幅に効率化することが可能になる。
【００２９】
さらに、本発明のさらに好ましい実施態様によれば、スキャナ装置の複数のスキャナがそれぞれ、励起光を発する少なくとも１つの励起光源と、光検出器とを備え、スキャナ装置が、蓄積性蛍光体シートキャリアを載置する単一のサンプルステージと、サンプルステージと複数のスキャナとを、主走査方向および主走査方向に直交する副走査方向に、相対的に移動させる単一の走査機構を備えているから、吸着性領域が高密度に形成された複数の生化学解析用ユニットを、生化学解析用ユニットキャリアにセットして、反応装置によって、生化学解析用ユニットキャリアにセットされた複数の生化学解析用ユニットの複数の吸着性領域に放射線データあるいは化学発光データを記録し、生化学解析用ユニットキャリアにセットされた複数の生化学解析用ユニットの複数の吸着性領域に記録された放射線データあるいは化学発光データを、蓄積性蛍光体シートキャリアに固定されている複数の蓄積性蛍光体シートの輝尽性蛍光体層に転写した場合にも、励起光によって、蓄積性蛍光体シートキャリアに固定されている複数の蓄積性蛍光体シートの輝尽性蛍光体層を走査する時間を大幅に短縮することができ、したがって、きわめて効率的に、放射線データあるいは化学発光データを読み取って、生化学解析用データを生成することが可能になるから、生化学解析を大幅に効率化することが可能になる。
【００３０】
本発明の好ましい実施態様においては、生化学解析システムは、さらに、複数のスキャナを備えた第２のスキャナ装置を備えており、前記複数のスキャナが、それぞれ、励起光を発する少なくとも１つの励起光源と、光検出器とを備え、前記第２のスキャナ装置が、前記生化学解析用ユニットキャリアを載置する単一のサンプルステージと、前記サンプルステージと前記複数のスキャナとを、主走査方向および前記主走査方向に直交する副走査方向に、相対的に移動させる単一の走査機構を備え、さらに、生化学解析用ユニットキャリアを、前記第２のスキャナの前記サンプルステージに載置するキャリア搬送手段を備えている。
【００３１】
本発明の好ましい実施態様によれば、生化学解析システムは、さらに、複数のスキャナを備えた第２のスキャナ装置を備えているから、反応装置によって、生化学解析用ユニットキャリアにセットされた複数の生化学解析用ユニットの複数の吸着性領域に記録された標識物質のデータを、自動的に読み取って、生化学解析用データを生成することができ、したがって、生化学解析を大幅に効率化することが可能になる。
【００３２】
また、本発明の好ましい実施態様によれば、第２のスキャナ装置の複数のスキャナが、それぞれ、励起光を発する少なくとも１つの励起光源と、光検出器とを備え、第２のスキャナ装置が、生化学解析用ユニットキャリアを載置する単一のサンプルステージと、サンプルステージと複数のスキャナとを、主走査方向および主走査方向に直交する副走査方向に、相対的に移動させる単一の走査機構を備え、さらに、生化学解析用ユニットキャリアを、第２のスキャナのサンプルステージに載置するキャリア搬送手段を備えているから、吸着性領域が高密度に形成された複数の生化学解析用ユニットを、生化学解析用ユニットキャリアにセットして、生化学解析用ユニットキャリアにセットされた複数の生化学解析用ユニットの複数の吸着性領域を、蛍光物質などの標識物質によって、選択的に標識して、生化学解析用ユニットキャリアにセットされた複数の生化学解析用ユニットの複数の吸着性領域に、蛍光物質などの標識物質のデータを記録した場合にも、励起光によって、生化学解析用ユニットキャリアにセットされている複数の生化学解析用ユニットの吸着性領域を走査する時間を大幅に短縮することができ、したがって、きわめて効率的に、蛍光物質などの標識物質のデータを読み取って、生化学解析用データを生成することが可能になるから、生化学解析を大幅に効率化することが可能になる。
【００３３】
本発明の好ましい実施態様においては、生化学解析システムは、さらに、前記生化学解析用ユニットキャリアが載置される単一のサンプルステージと、前記サンプルステージに、前記生化学解析用ユニットキャリアがセットされたときに、前記生化学解析用ユニットキャリアにセットされるべき複数の生化学解析用ユニットに対向する位置に配置された複数のＣＣＤカメラとを備えたデータ読み取り装置と、前記生化学解析用ユニットキャリアを、前記サンプルステージにセットするキャリア搬送手段を備えている。
【００３４】
本発明の好ましい実施態様によれば、生化学解析システムは、さらに、生化学解析用ユニットキャリアが載置されるサンプルステージと、サンプルステージに、生化学解析用ユニットキャリアがセットされたときに、生化学解析用ユニットキャリアにセットされるべき複数の生化学解析用ユニットに対向する位置に配置された複数のＣＣＤカメラとを備えたデータ読み取り装置と、生化学解析用ユニットキャリアを、サンプルステージにセットするキャリア搬送手段を備えているから、反応装置によって、生化学解析用ユニットキャリアにセットされた複数の生化学解析用ユニットの複数の吸着性領域を、標識物質によって、選択的に標識した後に、キャリア搬送手段によって、生化学解析用ユニットキャリアを、データ読み取り装置のサンプルステージにセットし、サンプルステージにセットされている生化学解析用ユニットキャリアにセットされた複数の生化学解析用ユニットの複数の吸着性領域に、励起光を照射して、蛍光物質を励起し、各生化学解析用ユニットの複数の吸着性領域から放出された蛍光を、対向するＣＣＤカメラによって光電的に検出し、あるいは、サンプルステージにセットされている生化学解析用ユニットキャリアにセットされた複数の生化学解析用ユニットの複数の吸着性領域に、化学発光基質を接触させ、各生化学解析用ユニットの複数の吸着性領域から放出された化学発光を、対向するＣＣＤカメラによって光電的に検出して、生化学解析用データを生成することができ、したがって、生化学解析を大幅に効率化することが可能になる。
【００３５】
本発明の前記目的はまた、それぞれが、特異的結合物質を含む複数の吸着性領域が、互いに離間して、形成された複数の生化学解析用ユニットを、生化学解析用ユニットキャリアにセットし、前記複数の生化学解析用ユニットがセットされた前記生化学解析用ユニットキャリアを反応装置にセットし、前記生化学解析用ユニットキャリアにセットされた前記複数の生化学解析用ユニットの前記複数の吸着性領域に、標識物質を含む溶液を、前記複数の吸着性領域を横切るように、同時に供給して、前記生化学解析用ユニットキャリアにセットされた前記複数の生化学解析用ユニットの前記複数の吸着性領域を、前記標識物質によって、選択的に標識することを特徴とする生化学解析方法によって達成される。
本発明によれば、それぞれが、特異的結合物質を含む複数の吸着性領域が、互いに離間して、形成された複数の生化学解析用ユニットを、生化学解析用ユニットキャリアにセットし、複数の生化学解析用ユニットがセットされた生化学解析用ユニットキャリアを反応装置にセットして、生化学解析用ユニットキャリアにセットされた複数の生化学解析用ユニットの複数の吸着性領域を横切るように、同時に、標識物質を含む溶液を供給して、生化学解析用ユニットキャリアにセットされた複数の生化学解析用ユニットの複数の吸着性領域を、標識物質によって、選択的に標識するように構成されているから、きわめて効率的に、かつ、再現性よく、生化学解析用ユニットに、放射線データや、蛍光データあるいは化学発光データを記録することが可能になる。
さらに、本発明によれば、前記生化学解析用ユニットキャリアにセットされた前記複数の生化学解析用ユニットの前記複数の吸着性領域を横切るように、標識物質を含む溶液を、同時に、供給するように構成されているから、生化学解析用ユニットの吸着性領域内における標識物質の移動速度を大幅に増大させることができ、したがって、ハイブリダイゼーション反応などのリガンド・リセプター反応の反応速度を大幅に向上させることが可能になり、さらには、標識物質が、生化学解析用ユニットの吸着性領域の深い部分に含まれている特異的結合物質と出会う確率を大幅に増大させることができるから、所望のように、生化学解析用ユニットの複数の吸着性領域を、標識物質によって、標識することが可能になる。
また、本発明によれば、生化学解析用ユニットキャリアに、複数の生化学解析用ユニットがセットされ、生化学解析用ユニットキャリアにセットされた複数の生化学解析用ユニットの複数の吸着性領域を横切るように、同時に、標識物質を含む溶液が供給され、生化学解析用ユニットキャリアにセットされた複数の生化学解析用ユニットの複数の吸着性領域が、標識物質によって、選択的に標識されるから、きわめて効率的に、生化学解析用ユニットに、放射線データや、蛍光データあるいは化学発光データを記録することが可能になる。
本発明の好ましい実施態様においては、前記生化学解析用ユニットが、複数の貫通孔が、互いに離間して形成された基板を備え、前記複数の吸着性領域が、前記基板に形成された前記複数の貫通孔に、吸着性材料が充填されて形成されている。
本発明の好ましい実施態様によれば、生化学解析用ユニットが、複数の貫通孔が、互いに離間して形成された基板を備え、複数の吸着性領域が、基板に形成された複数の貫通孔に、吸着性材料が充填されて、形成されているから、反応溶液を、生化学解析用ユニットの複数の吸着性領域のみを横切って、選択的に供給することができ、したがって、生化学解析用ユニットの吸着性領域内における標識物質の移動速度を大幅に増大させることができるから、ハイブリダイゼーション反応などのリガンド・リセプター反応の反応速度を大幅に向上させることが可能になり、さらには、標識物質が、生化学解析用ユニットの吸着性領域の深い部分に含まれている特異的結合物質と出会う確率を大幅に増大させることができるから、所望のように、生化学解析用ユニットの複数の吸着性領域を、標識物質によって、標識することが可能になる
本発明の好ましい実施態様においては、前記反応装置によって、前記生化学解析用ユニットキャリアにセットされた前記複数の生化学解析用ユニットの前記複数の吸着性領域に、放射性標識物質によって標識された溶液を供給し、前記生化学解析用ユニットキャリアにセットされた前記複数の生化学解析用ユニットの前記複数の吸着性領域を、前記放射性標識物質によって、選択的に標識して、前記生化学解析用ユニットキャリアにセットされた前記複数の生化学解析用ユニットの前記複数の吸着性領域に、放射線データを記録し、さらに、前記生化学解析用ユニットキャリアを、生化学解析用ユニット搬送手段によって、前記反応装置から、キャリア集積部に送って、前記生化学解析用ユニットキャリアにセットされた前記複数の生化学解析用ユニットに対応する位置に、輝尽性蛍光体層が形成された複数の蓄積性蛍光体シートが固定された蓄積性蛍光体シートキャリアを、前記生化学解析用ユニットキャリアに重ね合わせて、前記生化学解析用ユニットキャリアと前記蓄積性蛍光体シートキャリアのキャリア集積体を形成し、前記生化学解析用ユニット搬送手段によって、前記生化学解析用ユニットキャリアと前記蓄積性蛍光体シートキャリアの前記キャリア集積体を、スタッカに送って、前記スタッカ内で、それぞれが、前記生化学解析用ユニットキャリアと前記蓄積性蛍光体シートキャリアよりなる複数の前記キャリア集積体を、重畳状態で保持して、前記生化学解析用ユニットキャリアにセットされた前記複数の生化学解析用ユニットの前記複数の吸着性領域に選択的に含まれている放射性標識物質によって、前記蓄積性蛍光体シートキャリアに固定された前記複数の蓄積性蛍光体シートの前記輝尽性蛍光体層を露光するように構成されている。
本発明の好ましい実施態様によれば、反応装置によって、生化学解析用ユニットキャリアにセットされた複数の生化学解析用ユニットの複数の吸着性領域に、放射性標識物質によって標識された溶液を供給し、生化学解析用ユニットキャリアにセットされた複数の生化学解析用ユニットの複数の吸着性領域を、放射性標識物質によって、選択的に標識して、生化学解析用ユニットキャリアにセットされた複数の生化学解析用ユニットの複数の吸着性領域に、放射線データを記録し、さらに、生化学解析用ユニットキャリアを、生化学解析用ユニット搬送手段によって、反応装置から、キャリア集積部に送って、生化学解析用ユニットキャリアにセットされた複数の生化学解析用ユニットに対応する位置に、輝尽性蛍光体層が形成された複数の蓄積性蛍光体シートが固定された蓄積性蛍光体シートキャリアを、生化学解析用ユニットキャリアに重ね合わせて、生化学解析用ユニットキャリアと蓄積性蛍光体シートキャリアのキャリア集積体を形成し、生化学解析用ユニット搬送手段によって、生化学解析用ユニットキャリアと蓄積性蛍光体シートキャリアのキャリア集積体を、スタッカに送って、スタッカ内で、それぞれが、生化学解析用ユニットキャリアと蓄積性蛍光体シートキャリアよりなる複数のキャリア集積体を、重畳状態で保持して、生化学解析用ユニットキャリアにセットされた複数の生化学解析用ユニットの複数の吸着性領域に選択的に含まれている放射性標識物質によって、蓄積性蛍光体シートキャリアに固定された複数の蓄積性蛍光体シートの輝尽性蛍光体層を露光するように構成されているから、生化学解析用ユニットキャリアにセットされた複数の生化学解析用ユニットの複数の吸着性領域を、放射性標識物質によって、選択的に標識して、生化学解析用ユニットキャリアにセットされた複数の生化学解析用ユニットの複数の吸着性領域に、放射線データを記録し、生化学解析用ユニットキャリアにセットされた複数の生化学解析用ユニットに対応する位置に、輝尽性蛍光体層が形成された複数の蓄積性蛍光体シートが固定された蓄積性蛍光体シートキャリアを、生化学解析用ユニットキャリアに重ね合わせて、生化学解析用ユニットキャリアと蓄積性蛍光体シートキャリアのキャリア集積体を形成し、生化学解析用ユニットキャリアにセットされた複数の生化学解析用ユニットの複数の吸着性領域と、蓄積性蛍光体シートキャリアに固定された対応する蓄積性蛍光体シートの輝尽性蛍光体層とが密着された状態で、保持することにより、生化学解析用ユニットキャリアにセットされた複数の生化学解析用ユニットの複数の吸着性領域に、選択的に含まれている放射性標識物質によって、自動的に、蓄積性蛍光体シートキャリアに固定された対応する蓄積性蛍光体シートの輝尽性蛍光体層に含まれている輝尽性蛍光体を露光して、生化学解析用ユニットキャリアにセットされた複数の生化学解析用ユニットの複数の吸着性領域に記録されている放射線データを、蓄積性蛍光体シートキャリアに固定された対応する蓄積性蛍光体シートの輝尽性蛍光体層に転写することができ、ハイブリダイゼーション反応や、露光操作を、ユーザーが管理することが必要なくなり、生化学解析を大幅に効率化することが可能になる。
さらに、本発明の好ましい実施態様によれば、それぞれが、生化学解析用ユニットキャリアと蓄積性蛍光体シートキャリアよりなる複数のキャリア集積体を、スタッカ内で、重畳状態で保持して、生化学解析用ユニットキャリアにセットされた複数の生化学解析用ユニットの複数の吸着性領域に選択的に含まれている放射性標識物質によって、蓄積性蛍光体シートキャリアに固定された複数の蓄積性蛍光体シートの輝尽性蛍光体層を露光するように構成されているから、複数の蓄積性蛍光体シートキャリアに固定されている複数の蓄積性蛍光体シートの輝尽性蛍光体層を、平行して、複数の生化学解析用ユニットキャリアにセットされている対応する生化学解析用ユニットの複数の吸着性領域に選択的に含まれている放射性標識物質によって、露光して、複数の蓄積性蛍光体シートキャリアに固定されている複数の蓄積性蛍光体シートの輝尽性蛍光体層に、放射線データを記録することが可能になり、したがって、ハイブリダイゼーション反応などの反応効率を向上させることによって、生化学解析に要する時間を、全体として、短縮化することができるから、生化学解析の効率を向上させることが可能になる。
本発明の別の好ましい実施態様においては、前記反応装置によって、前記生化学解析用ユニットキャリアにセットされた前記複数の生化学解析用ユニットの前記複数の吸着性領域に、化学発光基質と接触させることによって化学発光を生じさせる標識物質によって標識された溶液を供給し、前記生化学解析用ユニットキャリアにセットされた前記複数の生化学解析用ユニットの前記複数の吸着性領域を、前記化学発光基質と接触させることによって化学発光を生じさせる標識物質によって、選択的に標識して、前記生化学解析用ユニットキャリアにセットされた前記複数の生化学解析用ユニットの前記複数の吸着性領域に、化学発光データを記録し、さらに、前記生化学解析用ユニットキャリアにセットされた前記複数の生化学解析用ユニットの化学発光データが記録された前記複数の吸着性領域に、化学発光基質を含む溶液を供給して、前記生化学解析用ユニットキャリアにセットされた前記複数の生化学解析用ユニットの前記複数の吸着性領域から、選択的に、化学発光を放出させ、前記生化学解析用ユニットキャリアを、生化学解析用ユニット搬送手段によって、前記反応装置から、キャリア集積部に送って、前記生化学解析用ユニットキャリアにセットされた前記複数の生化学解析用ユニットに対応する位置に、輝尽性蛍光体層が形成された複数の蓄積性蛍光体シートが固定された蓄積性蛍光体シートキャリアを、前記生化学解析用ユニットキャリアに重ね合わせて、前記生化学解析用ユニットキャリアと前記蓄積性蛍光体シートキャリアのキャリア集積体を形成し、前記生化学解析用ユニット搬送手段によって、前記生化学解析用ユニットキャリアと前記蓄積性蛍光体シートキャリアの前記キャリア集積体を、スタッカに送って、前記スタッカ内で、それぞれが、前記生化学解析用ユニットキャリアと前記蓄積性蛍光体シートキャリアよりなる複数の前記キャリア集積体を、重畳状態で保持して、前記生化学解析用ユニットキャリアにセットされた前記複数の生化学解析用ユニットの前記複数の吸着性領域から、選択的に、放出された化学発光によって、前記蓄積性蛍光体シートキャリアに固定された前記複数の蓄積性蛍光体シートの前記輝尽性蛍光体層を露光するように構成されている。
本発明の別の好ましい実施態様によれば、反応装置によって、生化学解析用ユニットキャリアにセットされた複数の生化学解析用ユニットの複数の吸着性領域に、化学発光基質と接触させることによって化学発光を生じさせる標識物質によって標識された溶液を供給し、生化学解析用ユニットキャリアにセットされた複数の生化学解析用ユニットの複数の吸着性領域を、化学発光基質と接触させることによって化学発光を生じさせる標識物質によって、選択的に標識して、生化学解析用ユニットキャリアにセットされた複数の生化学解析用ユニットの複数の吸着性領域に、化学発光データを記録し、さらに、生化学解析用ユニットキャリアにセットされた複数の生化学解析用ユニットの化学発光データが記録された複数の吸着性領域に、化学発光基質を含む溶液を供給して、生化学解析用ユニットキャリアにセットされた複数の生化学解析用ユニットの複数の吸着性領域から、選択的に、化学発光を放出させ、生化学解析用ユニットキャリアを、生化学解析用ユニット搬送手段によって、反応装置から、キャリア集積部に送って、生化学解析用ユニットキャリアにセットされた複数の生化学解析用ユニットに対応する位置に、輝尽性蛍光体層が形成された複数の蓄積性蛍光体シートが固定された蓄積性蛍光体シートキャリアを、生化学解析用ユニットキャリアに重ね合わせて、生化学解析用ユニットキャリアと蓄積性蛍光体シートキャリアのキャリア集積体を形成し、生化学解析用ユニット搬送手段によって、生化学解析用ユニットキャリアと蓄積性蛍光体シートキャリアのキャリア集積体を、スタッカに送って、スタッカ内で、それぞれが、生化学解析用ユニットキャリアと蓄積性蛍光体シートキャリアよりなる複数のキャリア集積体を、重畳状態で保持して、生化学解析用ユニットキャリアにセットされた複数の生化学解析用ユニットの複数の吸着性領域から、選択的に、放出された化学発光によって、蓄積性蛍光体シートキャリアに固定された複数の蓄積性蛍光体シートの輝尽性蛍光体層を露光するように構成されているから、生化学解析用ユニットキャリアにセットされた複数の生化学解析用ユニットの複数の吸着性領域を、化学発光基質と接触させることによって化学発光を生じさせる標識物質によって、選択的に標識して、生化学解析用ユニットキャリアにセットされた複数の生化学解析用ユニットの複数の吸着性領域に、化学発光データを記録し、さらに、生化学解析用ユニットキャリアにセットされた複数の生化学解析用ユニットの化学発光データが記録された複数の吸着性領域に、化学発光基質を含む溶液を供給して、生化学解析用ユニットキャリアにセットされた複数の生化学解析用ユニットの複数の吸着性領域から、選択的に、化学発光を放出させ、生化学解析用ユニット搬送手段によって、生化学解析用ユニットキャリアを、反応装置から、キャリア集積部に搬送して、生化学解析用ユニットキャリアにセットされた複数の生化学解析用ユニットに対応する位置に、輝尽性蛍光体層が形成された複数の蓄積性蛍光体シートが固定された蓄積性蛍光体シートキャリアを、生化学解析用ユニットキャリアに重ね合わせて、生化学解析用ユニットキャリアと蓄積性蛍光体シートキャリアのキャリア集積体を形成し、生化学解析用ユニットキャリアにセットされた複数の生化学解析用ユニットの複数の吸着性領域と、蓄積性蛍光体シートキャリアに固定された対応する蓄積性蛍光体シートの輝尽性蛍光体層とが密着された状態で、スタッカ内で、保持することにより、生化学解析用ユニットキャリアにセットされた複数の生化学解析用ユニットの複数の吸着性領域から、選択的に、放出されている化学発光によって、自動的に、蓄積性蛍光体シートキャリアに固定された対応する蓄積性蛍光体シートの輝尽性蛍光体層に含まれている輝尽性蛍光体を露光して、生化学解析用ユニットキャリアにセットされた複数の生化学解析用ユニットの複数の吸着性領域に記録されている化学発光データを、蓄積性蛍光体シートキャリアに固定された対応する蓄積性蛍光体シートの輝尽性蛍光体層に転写することができ、ハイブリダイゼーション反応や、露光操作を、ユーザーが管理することが必要がなくなり、生化学解析を大幅に効率化することが可能になる。
さらに、本発明の別の好ましい実施態様によれば、それぞれが、生化学解析用ユニットキャリアと蓄積性蛍光体シートキャリアよりなる複数のキャリア集積体を、スタッカ内で、重畳状態で保持して、生化学解析用ユニットキャリアにセットされた複数の生化学解析用ユニットの複数の吸着性領域から、選択的に、放出される化学発光によって、蓄積性蛍光体シートキャリアに固定された複数の蓄積性蛍光体シートの輝尽性蛍光体層を露光するように構成されているから、複数の蓄積性蛍光体シートキャリアに固定されている複数の蓄積性蛍光体シートの輝尽性蛍光体層を、平行して、複数の生化学解析用ユニットキャリアにセットされている対応する生化学解析用ユニットの複数の吸着性領域から、選択的に、放出されている化学発光によって、露光して、複数の蓄積性蛍光体シートキャリアに固定されている複数の蓄積性蛍光体シートの輝尽性蛍光体層に、化学発光データを記録し、あるいは、複数の蓄積性蛍光体シートキャリアに固定されている複数の蓄積性蛍光体シートの輝尽性蛍光体層を、平行して、複数の生化学解析用ユニットキャリアにセットされている対応する生化学解析用ユニットの複数の吸着性領域に選択的に含まれている放射性標識物質によって、露光して、複数の蓄積性蛍光体シートキャリアに固定されている複数の蓄積性蛍光体シートの輝尽性蛍光体層に、放射線データを記録することが可能になり、したがって、ハイブリダイゼーション反応などの反応効率を向上させることによって、生化学解析に要する時間を、全体として、短縮化することができるから、生化学解析の効率を向上させることが可能になる。
本発明のさらに好ましい実施態様においては、さらに、前記生化学解析用ユニットキャリアと前記蓄積性蛍光体シートキャリアの前記キャリア集積体を、キャリア剥離部に送って、前記生化学解析用ユニットキャリアと前記蓄積性蛍光体シートキャリアの前記キャリア集積体から、前記蓄積性蛍光体シートキャリアを剥離し、キャリア搬送手段によって、前記生化学解析用ユニットキャリアと前記蓄積性蛍光体シートキャリアの前記キャリア集積体から剥離した前記蓄積性蛍光体シートキャリアを、前記キャリア剥離部から、それぞれが、励起光を発する少なくとも１つの励起光源と、光検出器とを備えた少なくとも２つのスキャナと前記蓄積性蛍光体シートキャリアを載置する単一のサンプルステージを備えたスキャナ装置に搬送して、前記スキャナ装置の前記サンプルステージにセットし、前記スキャナ装置のサンプルステージと前記少なくとも２つのスキャナとを、主走査方向および前記主走査方向に直交する副走査方向に、相対的に移動させて、前記少なくとも２つのスキャナの前記少なくとも１つの励起光源から発せられた励起光によって、前記蓄積性蛍光体シートキャリアに固定された前記複数の蓄積性蛍光体シートのうち、少なくとも２つの蓄積性蛍光体シートの前記輝尽性蛍光体層を、同時に走査して、前記少なくとも２つの蓄積性蛍光体シートの前記輝尽性蛍光体層に含まれている輝尽性蛍光体を励起し、前記少なくとも２つの蓄積性蛍光体シートの前記輝尽性蛍光体層から放出された輝尽光を、前記少なくとも２つのスキャナの前記光検出器によって、光電的に検出して、前記少なくとも２つの蓄積性蛍光体シートの前記輝尽性蛍光体層に記録されている放射線データあるいは化学発光データを読み取り、生化学解析用データを生成するように構成されている。
本発明のさらに好ましい実施態様によれば、さらに、生化学解析用ユニットキャリアと蓄積性蛍光体シートキャリアのキャリア集積体を、キャリア剥離部に送って、生化学解析用ユニットキャリアと蓄積性蛍光体シートキャリアのキャリア集積体から、蓄積性蛍光体シートキャリアを剥離し、キャリア搬送手段によって、生化学解析用ユニットキャリアと蓄積性蛍光体シートキャリアのキャリア集積体から剥離した蓄積性蛍光体シートキャリアを、キャリア剥離部から、それぞれが、励起光を発する少なくとも１つの励起光源と、光検出器とを備えた少なくとも２つのスキャナと蓄積性蛍光体シートキャリアを載置する単一のサンプルステージを備えたスキャナ装置に搬送して、スキャナ装置のサンプルステージにセットし、スキャナ装置のサンプルステージと少なくとも２つのスキャナとを、主走査方向および主走査方向に直交する副走査方向に、相対的に移動させて、少なくとも２つのスキャナの少なくとも１つの励起光源から発せられた励起光によって、蓄積性蛍光体シートキャリアに固定された複数の蓄積性蛍光体シートのうち、少なくとも２つの蓄積性蛍光体シートの輝尽性蛍光体層を、同時に走査して、少なくとも２つの蓄積性蛍光体シートの輝尽性蛍光体層に含まれている輝尽性蛍光体を励起し、少なくとも２つの蓄積性蛍光体シートの輝尽性蛍光体層から放出された輝尽光を、少なくとも２つのスキャナの光検出器によって、光電的に検出して、少なくとも２つの蓄積性蛍光体シートの輝尽性蛍光体層に記録されている放射線データあるいは化学発光データを読み取り、生化学解析用データを生成するように構成されているから、スタッカ内で、生化学解析用ユニットキャリアにセットされた複数の生化学解析用ユニットの複数の吸着性領域に記録された放射線データあるいは化学発光データが、蓄積性蛍光体シートキャリアに固定されている複数の蓄積性蛍光体シートの輝尽性蛍光体層に転写されて、記録された放射線データあるいは化学発光データを、スキャナ装置によって、自動的に読み取って、生化学解析用データを生成することができ、生化学解析を大幅に効率化することが可能になる。
さらに、本発明のさらに好ましい実施態様によれば、スキャナ装置の少なくとも２つのスキャナがそれぞれ、励起光を発する少なくとも１つの励起光源と、光検出器とを備え、スキャナ装置が、蓄積性蛍光体シートキャリアを載置する単一のサンプルステージと、サンプルステージと少なくとも２つのスキャナとを、主走査方向および主走査方向に直交する副走査方向に、相対的に移動させて、少なくとも２つのスキャナの少なくとも１つの励起光源から発せられた励起光によって、蓄積性蛍光体シートキャリアに固定された複数の蓄積性蛍光体シートのうち、少なくとも２つの蓄積性蛍光体シートの輝尽性蛍光体層を、同時に走査して、少なくとも２つの蓄積性蛍光体シートの輝尽性蛍光体層に含まれている輝尽性蛍光体を励起し、少なくとも２つの蓄積性蛍光体シートの輝尽性蛍光体層から放出された輝尽光を、少なくとも２つのスキャナの光検出器によって、光電的に検出して、少なくとも２つの蓄積性蛍光体シートの輝尽性蛍光体層に記録されている放射線データあるいは化学発光データを読み取り、生化学解析用データを生成するように構成されているから、吸着性領域が高密度に形成された複数の生化学解析用ユニットを、生化学解析用ユニットキャリアにセットして、反応装置によって、生化学解析用ユニットキャリアにセットされた複数の生化学解析用ユニットの複数の吸着性領域に放射線データあるいは化学発光データを記録し、生化学解析用ユニットキャリアにセットされた複数の生化学解析用ユニットの複数の吸着性領域に記録された放射線データあるいは化学発光データを、蓄積性蛍光体シートキャリアに固定されている複数の蓄積性蛍光体シートの輝尽性蛍光体層に転写した場合にも、励起光によって、蓄積性蛍光体シートキャリアに固定されている複数の蓄積性蛍光体シートの輝尽性蛍光体層を走査する時間を大幅に短縮することができ、したがって、きわめて効率的に、放射線データあるいは化学発光データを読み取って、生化学解析用データを生成することが可能になるから、生化学解析を大幅に効率化することが可能になる。
本発明の好ましい実施態様においては、さらに、前記反応装置によって、前記生化学解析用ユニットキャリアにセットされた前記複数の生化学解析用ユニットの前記複数の吸着性領域に、蛍光物質によって標識された溶液を供給し、前記生化学解析用ユニットキャリアにセットされた前記複数の生化学解析用ユニットの前記複数の吸着性領域を、前記蛍光物質によって、選択的に標識して、前記生化学解析用ユニットキャリアにセットされた前記複数の生化学解析用ユニットの前記複数の吸着性領域に、蛍光データを記録し、前記生化学解析用ユニットキャリアを、第２のキャリア搬送手段によって、それぞれが、励起光を発する少なくとも１つの励起光源と、光検出器とを備えた少なくとも２つのスキャナと前記生化学解析用ユニットキャリアを載置する単一のサンプルステージを備えた第２のスキャナ装置に搬送して、前記第２のスキャナ装置の前記サンプルステージにセットし、前記第２のスキャナ装置のサンプルステージと前記少なくとも２つのスキャナとを、主走査方向および前記主走査方向に直交する副走査方向に、相対的に移動させて、前記第２のスキャナ装置の前記少なくとも２つのスキャナの前記少なくとも１つの励起光源から発せられた励起光によって、前記生化学解析用ユニットキャリアにセットされた前記複数の生化学解析用ユニットのうち、少なくとも２つの生化学解析用ユニットの前記複数の吸着性領域を、同時に走査して、前記少なくとも２つの生化学解析用ユニットの前記複数の吸着性領域に含まれている蛍光物質を励起し、前記少なくとも２つの生化学解析用ユニットの前記複数の吸着性領域から放出された蛍光を、前記第２のスキャナ装置の前記少なくとも２つのスキャナの前記光検出器によって、光電的に検出して、前記少なくとも２つの生化学解析用ユニットの前記複数の吸着性領域に記録されている蛍光データを読み取り、生化学解析用データを生成するように構成されている。
本発明の好ましい実施態様によれば、さらに、反応装置によって、生化学解析用ユニットキャリアにセットされた複数の生化学解析用ユニットの複数の吸着性領域に、蛍光物質によって標識された溶液を供給し、生化学解析用ユニットキャリアにセットされた複数の生化学解析用ユニットの複数の吸着性領域を、蛍光物質によって、選択的に標識して、生化学解析用ユニットキャリアにセットされた複数の生化学解析用ユニットの複数の吸着性領域に、蛍光データを記録し、生化学解析用ユニットキャリアを、第２のキャリア搬送手段によって、それぞれが、励起光を発する少なくとも１つの励起光源と、光検出器とを備えた少なくとも２つのスキャナと生化学解析用ユニットキャリアを載置する単一のサンプルステージを備えた第２のスキャナ装置に搬送して、第２のスキャナ装置のサンプルステージにセットし、第２のスキャナ装置のサンプルステージと少なくとも２つのスキャナとを、主走査方向および主走査方向に直交する副走査方向に、相対的に移動させて、第２のスキャナ装置の少なくとも２つのスキャナの少なくとも１つの励起光源から発せられた励起光によって、生化学解析用ユニットキャリアにセットされた複数の生化学解析用ユニットのうち、少なくとも２つの生化学解析用ユニットの複数の吸着性領域を、同時に走査して、少なくとも２つの生化学解析用ユニットの複数の吸着性領域に含まれている蛍光物質を励起し、少なくとも２つの生化学解析用ユニットの複数の吸着性領域から放出された蛍光を、第２のスキャナ装置の少なくとも２つのスキャナの光検出器によって、光電的に検出して、少なくとも２つの生化学解析用ユニットの複数の吸着性領域に記録されている蛍光データを読み取り、生化学解析用データを生成するように構成されているから、反応装置によって、生化学解析用ユニットキャリアにセットされた複数の生化学解析用ユニットの複数の吸着性領域に記録された蛍光物質の蛍光データを、自動的に読み取って、生化学解析用データを生成することができ、したがって、生化学解析を大幅に効率化することが可能になる。
また、本発明の好ましい実施態様によれば、複数の生化学解析用ユニットがセットされた生化学解析用ユニットキャリアを、それぞれが、励起光を発する少なくとも１つの励起光源と、光検出器とを備えた少なくとも２つのスキャナと生化学解析用ユニットキャリアを載置する単一のサンプルステージを備えた第２のスキャナ装置に搬送して、第２のスキャナ装置のサンプルステージにセットし、第２のスキャナ装置のサンプルステージと少なくとも２つのスキャナとを、主走査方向および主走査方向に直交する副走査方向に、相対的に移動させて、第２のスキャナ装置の少なくとも２つのスキャナの少なくとも１つの励起光源から発せられた励起光によって、生化学解析用ユニットキャリアにセットされた複数の生化学解析用ユニットのうち、少なくとも２つの生化学解析用ユニットの複数の吸着性領域を、同時に走査して、少なくとも２つの生化学解析用ユニットの複数の吸着性領域に含まれている蛍光物質を励起し、少なくとも２つの生化学解析用ユニットの複数の吸着性領域から放出された蛍光を、第２のスキャナ装置の少なくとも２つのスキャナの光検出器によって、光電的に検出して、少なくとも２つの生化学解析用ユニットの複数の吸着性領域に記録されている蛍光データを読み取り、生化学解析用データを生成するように構成されているから、吸着性領域が高密度に形成された複数の生化学解析用ユニットを、生化学解析用ユニットキャリアにセットして、生化学解析用ユニットキャリアにセットされた複数の生化学解析用ユニットの複数の吸着性領域を、蛍光物質によって、選択的に標識して、生化学解析用ユニットキャリアにセットされた複数の生化学解析用ユニットの複数の吸着性領域に、蛍光データを記録した場合にも、励起光によって、生化学解析用ユニットキャリアにセットされている複数の生化学解析用ユニットの吸着性領域を走査する時間を大幅に短縮することができ、したがって、きわめて効率的に、蛍光物質などの標識物質のデータを読み取って、生化学解析用データを生成することが可能になるから、生化学解析を大幅に効率化することが可能になる。
本発明の好ましい実施態様においては、さらに、前記反応装置によって、前記生化学解析用ユニットキャリアにセットされた前記複数の生化学解析用ユニットの前記複数の吸着性領域に、化学発光基質と接触させることによって化学発光を生じさせる標識物質によって標識された溶液を供給し、前記生化学解析用ユニットキャリアにセットされた前記複数の生化学解析用ユニットの前記複数の吸着性領域を、前記化学発光基質と接触させることによって化学発光を生じさせる標識物質によって、選択的に標識して、前記生化学解析用ユニットキャリアにセットされた前記複数の生化学解析用ユニットの前記複数の吸着性領域に、化学発光データを記録し、第３のキャリア搬送手段によって、前記生化学解析用ユニットキャリアが載置される単一のサンプルステージと、前記サンプルステージに、前記生化学解析用ユニットキャリアがセットされたときに、前記生化学解析用ユニットキャリアにセットされるべき複数の生化学解析用ユニットに対向する位置に配置された複数のＣＣＤカメラとを備えたデータ読み取り装置に搬送して、前記サンプルステージにセットし、前記サンプルステージにセットされている前記生化学解析用ユニットキャリアにセットされた前記複数の生化学解析用ユニットの前記複数の吸着性領域に、化学発光基質を接触させ、前記複数の生化学解析用ユニットの前記複数の吸着性領域から放出された化学発光を、それぞれ、対向する前記ＣＣＤカメラによって、同時に、光電的に検出して、前記複数の生化学解析用ユニットの前記複数の吸着性領域に記録されている化学発光データを読み取り、生化学解析用データを生成するように構成されている。
本発明の好ましい実施態様によれば、さらに、反応装置によって、生化学解析用ユニットキャリアにセットされた複数の生化学解析用ユニットの複数の吸着性領域に、化学発光基質と接触させることによって化学発光を生じさせる標識物質によって標識された溶液を供給し、生化学解析用ユニットキャリアにセットされた複数の生化学解析用ユニットの複数の吸着性領域を、化学発光基質と接触させることによって化学発光を生じさせる標識物質によって、選択的に標識して、生化学解析用ユニットキャリアにセットされた複数の生化学解析用ユニットの複数の吸着性領域に、化学発光データを記録し、第３のキャリア搬送手段によって、生化学解析用ユニットキャリアが載置される単一のサンプルステージと、サンプルステージに、生化学解析用ユニットキャリアがセットされたときに、生化学解析用ユニットキャリアにセットされるべき複数の生化学解析用ユニットに対向する位置に配置された複数のＣＣＤカメラとを備えたデータ読み取り装置に搬送して、サンプルステージにセットし、サンプルステージにセットされている生化学解析用ユニットキャリアにセットされた複数の生化学解析用ユニットの複数の吸着性領域に、化学発光基質を接触させ、複数の生化学解析用ユニットの複数の吸着性領域から放出された化学発光を、それぞれ、対向するＣＣＤカメラによって、同時に、光電的に検出して、複数の生化学解析用ユニットの複数の吸着性領域に記録されている化学発光データを読み取り、生化学解析用データを生成するように構成されているから、生化学解析を大幅に効率化することが可能になる。
本発明において、好ましくは、前記生化学解析用ユニットキャリアが、前記複数の生化学解析用ユニットを、マトリックス状のパターンで、規則的にセット可能に構成され、前記蓄積性蛍光体シートキャリアに、前記生化学解析用ユニットキャリアにセットされるべき前記複数の生化学解析用ユニットと同一のマトリックス状のパターンで、前記複数の蓄積性蛍光体シートが、規則的に固定されている。
【００３６】
本発明において、好ましくは、前記生化学解析用ユニットに、それぞれ、少なくとも２つの位置合わせ用貫通孔が形成され、前記生化学解析用ユニットキャリアの前記複数の生化学解析用ユニットをセットすべき部分に、それぞれ、前記生化学解析用ユニットに形成された前記少なくとも２つの位置合わせ用貫通孔に対応して、少なくとも２つの位置合わせ用ピンが形成されている。
【００３７】
本発明において、好ましくは、前記生化学解析用ユニット前記複数の生化学解析用ユニットをセットすべき部分に、それぞれ、前記生化学解析用ユニットキャリアに、前記生化学解析用ユニットがセットされたときに、前記生化学解析用ユニットによって覆われる貫通孔が形成されている。
【００４０】
本発明において、好ましくは、前記反応装置が、前記生化学解析用ユニットキャリアにセットされた前記複数の生化学解析用ユニットの前記複数の吸着性領域を横切って、標識物質を含む溶液を循環させるように構成されている。
【００４１】
反応装置をこのように構成した場合には、標識物質が、生化学解析用ユニットの吸着性領域の深い部分に含まれている特異的結合物質と出会う確率を大幅に増大させることができるから、所望のように、生化学解析用ユニットの複数の吸着性領域を、標識物質によって、標識することが可能になる。
【００４２】
本発明において、好ましくは、前記反応装置が、ハウジングと、前記ハウジングに形成された一対の開口部内に設けられ、前記ハウジングの上面から、距離を隔てて、配置され、前記生化学解析用ユニットキャリアの両縁部を支持して、搬送可能な一対の搬送ベルトとを備え、前記一対の搬送ベルトの間の前記ハウジングに、それぞれ、前記生化学解析用ユニットキャリアに形成された前記複数の貫通孔よりもサイズが小さい貫通孔が形成され、前記生化学解析用ユニットキャリアに形成された前記貫通孔内に挿入可能な複数の枠状部材が、前記生化学解析用ユニットキャリアに形成された前記複数の貫通孔と同一のパターンで形成され、さらに、前記生化学解析用ユニットキャリアに形成された前記複数の貫通孔と、前記ハウジングに形成された前記複数の貫通孔とが対向する位置に、前記生化学解析用ユニットキャリアが位置しているときに、前記生化学解析用ユニットキャリアに当接可能で、前記生化学解析用ユニットキャリアにセットされている前記複数の生化学解析用ユニットを収容可能な複数の凹部を有し、前記複数の凹部内に、前記生化学解析用ユニットキャリアにセットされている前記複数の生化学解析用ユニットが収容されたときに、前記生化学解析用ユニットキャリアに形成された前記複数の貫通孔と連通する貫通孔が、それぞれ、前記複数の凹部内に形成された可動の生化学解析用ユニット収容部材を備え、前記生化学解析用ユニット収容部材に形成された前記複数の貫通孔に、それぞれ、溶液供給管路が接続されるとともに、前記ハウジングに形成された前記複数の貫通孔に、それぞれ、溶液排出管路が接続され、前記溶液供給管路、前記生化学解析用ユニット収容部材に形成された前記複数の貫通孔、前記生化学解析用ユニットキャリアに形成された前記複数の貫通孔、前記ハウジングに形成された前記複数の貫通孔および前記溶液排出管路によって、それぞれ、溶液循環管路を形成可能に構成されている。
【００４３】
反応装置をこのように構成した場合には、標識物質を含む溶液を、生化学解析用ユニットキャリアにセットされた複数の生化学解析用ユニットの複数の吸着性領域を横切って、溶液供給管路、生化学解析用ユニット収容部材に形成された複数の貫通孔、生化学解析用ユニットキャリアに形成された複数の貫通孔、ハウジングに形成された複数の貫通孔および溶液排出管路によって形成された溶液循環管路内を、強制的に循環させることができ、したがって、標識物質が、生化学解析用ユニットの吸着性領域の深い部分に含まれている特異的結合物質と出会う確率を大幅に増大させることができるから、所望のように、生化学解析用ユニットの複数の吸着性領域を、標識物質によって、標識することが可能になる。
【００４４】
本発明において、好ましくは、前記一対の搬送ベルトが、前記ハウジングの上面から、前記複数の枠状部材の高さよりも大きい距離を隔てて、配置され、前記複数の枠状部材の頂部に、それぞれ、前記生化学解析用ユニット収容部材の前記複数の凹部内に、前記生化学解析用ユニットキャリアにセットされている前記複数の生化学解析用ユニットが収容されたときに、前記生化学解析用ユニットキャリアにセットされている前記生化学解析用ユニットに当接可能なシール部材が形成されている。
【００４５】
本発明において、好ましくは、前記反応装置が、ハウジングと、前記ハウジングに形成された一対の開口部内に設けられ、前記ハウジングの上面から、距離を隔てて、配置され、前記生化学解析用ユニットキャリアの両縁部を支持して、搬送可能な一対の搬送ベルトとを備え、前記一対の搬送ベルトの間の前記ハウジングに、それぞれ、前記生化学解析用ユニットキャリアに形成された前記複数の貫通孔よりもサイズが小さい貫通孔が形成され、前記生化学解析用ユニットキャリアに形成された前記貫通孔内に挿入可能な複数の枠状部材が、前記生化学解析用ユニットキャリアに形成された前記複数の貫通孔と同一のパターンで形成され、さらに、前記生化学解析用ユニットキャリアに形成された前記複数の貫通孔と、前記ハウジングに形成された前記複数の貫通孔とが対向する位置に、前記生化学解析用ユニットキャリアが位置しているときに、前記生化学解析用ユニットキャリアに当接可能で、前記生化学解析用ユニットキャリアにセットされている前記複数の生化学解析用ユニットを収容可能な複数の凹部が形成された可動の生化学解析用ユニット収容部材を備え、前記生化学解析用ユニット収容部材の前記複数の凹部内に、それぞれ、前記凹部内に収容された前記生化学解析用ユニットの複数の吸着性領域が形成された部分に対向する溶液循環用凹部が形成されるとともに、前記複数の枠状部材が、それぞれ、前記枠状部材に形成された対応する貫通孔を、溶液供給用貫通孔部と、溶液排出用貫通孔部とに分割し、前記ハウジングから、前記生化学解析用ユニットキャリアに形成された前記複数の貫通孔の深さに等しい距離だけ、上方に突出する仕切壁を備え、前記ハウジングに設けられた前記複数の溶液供給用貫通孔部に、それぞれ、溶液供給管路が接続されるとともに、前記ハウジングに形成された前記複数の溶液排出用貫通孔部に、それぞれ、溶液排出管路が接続され、前記溶液供給管路、前記ハウジングに形成された前記複数の溶液供給用貫通孔部、前記生化学解析用ユニット収容部材に形成された前記複数の溶液循環用凹部、前記ハウジングに形成された前記複数の溶液排出用貫通孔部および前記溶液排出管路によって、それぞれ、溶液循環管路を形成可能に構成されている。
【００４６】
反応装置をこのように構成した場合には、標識物質を含む溶液を、生化学解析用ユニットキャリアにセットされた複数の生化学解析用ユニットの複数の吸着性領域を横切って、溶液供給管路、ハウジングに形成された複数の溶液供給用貫通孔部、生化学解析用ユニット収容部材に形成された複数の溶液循環用凹部、ハウジングに形成された複数の溶液排出用貫通孔部および溶液排出管路によって形成された溶液循環管路内を、強制的に循環させることができ、したがって、標識物質が、生化学解析用ユニットの吸着性領域の深い部分に含まれている特異的結合物質と出会う確率を大幅に増大させることができるから、所望のように、生化学解析用ユニットの複数の吸着性領域を、標識物質によって、標識することが可能になる。
【００４７】
本発明において、好ましくは、前記一対の搬送ベルトが、前記ハウジングの上面から、前記複数の枠状部材の高さよりも大きい距離を隔てて、配置され、前記複数の枠状部材および前記仕切壁の頂部に、それぞれ、前記生化学解析用ユニット収容部材の前記複数の凹部内に、前記生化学解析用ユニットキャリアにセットされている前記複数の生化学解析用ユニットが収容されたときに、前記生化学解析用ユニットキャリアにセットされている前記生化学解析用ユニットに当接可能なシール部材が形成されている。
【００４８】
本発明において、好ましくは、前記露光装置が、前記反応装置から、前記生化学解析用ユニットキャリアを受け取り、搬送する搬送ベルトと、複数の前記蓄積性蛍光体シートキャリアを保持可能な蓄積性蛍光体シートキャリア保持部と、前記蓄積性蛍光体シートキャリア保持部に保持された前記蓄積性蛍光体シートキャリアを把持して、前記キャリア集積部において、前記搬送ベルトによって支持された前記生化学解析用ユニットキャリア上に、重ね合わせて、前記生化学解析用ユニットキャリアと前記蓄積性蛍光体シートキャリアのキャリア集積体を形成する蓄積性蛍光体シートキャリア把持部材を備え、前記搬送ベルトが、前記キャリア集積体を、前記スタッカ内に送り込むように構成されている。
【００４９】
本発明において、好ましくは、前記生化学解析用ユニットキャリアに、少なくとも２つの位置合わせ用貫通孔が形成され、前記蓄積性蛍光体シートキャリアに、前記生化学解析用ユニットに形成された前記少なくとも２つの位置合わせ用貫通孔に対応して、少なくとも２つの位置合わせ用ピンが形成されている。
【００５０】
本発明において、好ましくは、前記露光装置が、前記キャリア集積体を、その上面で支持可能で、昇降可能な昇降板を備え、さらに、前記スタッカに形成された対向する一対の開口部の一方を介して、前記スタッカ内に進退し、前記スタッカ内に保持された最下の前記キャリア集積体を、前記スタッカに形成された前記一対の開口部の他方を介して、キャリア剥離部に送り出すキャリア排出部材を備えている。
【００５１】
本発明において、好ましくは、前記露光装置の前記スタッカが、前記キャリア集積体を、その上面で支持可能で、昇降可能な昇降板を備えている。
【００５２】
本発明において、好ましくは、前記スキャナ装置が、前記蓄積性蛍光体シートキャリアに固定されている前記複数の蓄積性蛍光体シートの枚数に等しい数のスキャナを備え前記複数のスキャナが、前記サンプルステージにセットされるべき前記蓄積性蛍光体シートキャリアに固定されている前記複数の蓄積性蛍光体シートに対向する位置に配置されている。
【００５３】
本発明において、好ましくは、前記スキャナ装置が、前記蓄積性蛍光体シートキャリアに、マトリックス状に固定されている前記複数の蓄積性蛍光体シートの行数に等しい数の複数のスキャナを備え、前記複数のスキャナが、前記サンプルステージにセットされるべき前記蓄積性蛍光体シートキャリアに、マトリックス状に固定されている前記複数の蓄積性蛍光体シートのうち、１行の前記蓄積性蛍光体シートに対向する位置に配置され、前記走査機構によって、前記サンプルステージと前記複数のスキャナとが、副走査方向に移動されることによって、前記複数のスキャナが、前記蓄積性蛍光体シートキャリアに、マトリックス状に固定されている隣り合う行の前記蓄積性蛍光体シートに対向可能に構成されている。
【００５４】
本発明において、好ましくは、前記スキャナ装置が、前記蓄積性蛍光体シートキャリアに、マトリックス状に固定されている前記複数の蓄積性蛍光体シートの列数に等しい数の複数のスキャナを備え、前記複数のスキャナが、前記サンプルステージにセットされるべき前記蓄積性蛍光体シートキャリアに、マトリックス状に固定されている前記複数の蓄積性蛍光体シートのうち、１列の前記蓄積性蛍光体シートに対向する位置に配置され、前記走査機構によって、前記サンプルステージと前記複数のスキャナとが、副走査方向に移動されることによって、前記複数のスキャナが、前記蓄積性蛍光体シートキャリアに、マトリックス状に固定されている隣り合う列の前記蓄積性蛍光体シートに対向可能に構成されている。
【００５５】
本発明において、好ましくは、前記スキャナ装置の前記サンプルステージに、前記蓄積性蛍光体シートキャリアに形成された前記少なくとも２つの位置合わせ用ピンに対応して、少なくとも２つの位置合わせ用貫通孔が形成されている。
【００５６】
本発明において、好ましくは、前記第２のスキャナ装置が、前記生化学解析用ユニットキャリアにセットされている前記複数の生化学解析用ユニットの枚数に等しい数のスキャナを備え前記複数のスキャナが、前記サンプルステージにセットされるべき前記生化学解析用ユニットキャリアにセットされている前記複数の生化学解析用ユニットに対向する位置に配置されている。
【００５７】
本発明において、好ましくは、前記第２のスキャナ装置が、前記生化学解析用ユニットキャリアに、マトリックス状にセットされている前記複数の生化学解析用ユニットの行数に等しい数の複数のスキャナを備え、前記複数のスキャナが、前記サンプルステージにセットされるべき前記生化学解析用ユニットキャリアに、マトリックス状にセットされている前記複数の生化学解析用ユニットのうち、１行の前記生化学解析用ユニットに対向する位置に配置され、前記走査機構によって、前記サンプルステージと前記複数のスキャナとが、副走査方向に移動されることによって、前記複数のスキャナが、前記生化学解析用ユニットキャリアに、マトリックス状にセットされている隣り合う行の前記生化学解析用ユニットに対向可能に構成されている。
【００５８】
本発明において、好ましくは、前記第２のスキャナ装置が、前記生化学解析用ユニットキャリアに、マトリックス状にセットされている前記複数の生化学解析用ユニットの列数に等しい数の複数のスキャナを備え、前記複数のスキャナが、前記サンプルステージにセットされるべき前記生化学解析用ユニットキャリアに、マトリックス状にセットされている前記複数の生化学解析用ユニットのうち、１列の前記生化学解析用ユニットに対向する位置に配置され、前記走査機構によって、前記サンプルステージと前記複数のスキャナとが、副走査方向に移動されることによって、前記複数のスキャナが、前記生化学解析用ユニットキャリアに、マトリックス状にセットされている隣り合う列の前記生化学解析用ユニットに対向可能に構成されている。
【００５９】
本発明において、好ましくは、前記第２のスキャナ装置の前記サンプルステージに、前記生化学解析用ユニットキャリアに形成された前記少なくとも２つの位置合わせ用貫通孔に対応して、少なくとも２つの位置合わせ用ピンが形成されている。
【００６０】
本発明において、好ましくは、前記データ読み取り装置が、前記サンプルステージにセットされた前記生化学解析用ユニットキャリアにセットされている前記複数の生化学解析用ユニットの前記複数の吸着性領域に、化学発光基質を含む溶液を供給する化学発光基質供給手段を備えている。
【００６１】
化学発光は、生化学解析用ユニットの複数の吸着性領域に含まれている特異的結合物質に結合された生体由来の物質を標識している標識物質に、化学発光基質が接触されて、生化学解析用ユニットの複数の吸着性領域から放出されるものであるため、経時的に、化学発光基質が消費され、特異的結合物質に、多量の生体由来の物質が結合されている吸着性領域においては、化学発光の放出にあたって、多量の化学発光基質が消費されて、化学発光基質を補給しないときは、経時的に、化学発光基質が枯渇し、放出される化学発光の強度が急激に低下し、化学発光を光電的に検出して、生成された生化学解析用データの定量性が著しく悪化するが、データ読み取り装置をこのように構成した場合には、データ読み取り装置のサンプルステージにセットされた生化学解析用ユニットキャリアにセットされている前記複数の生化学解析用ユニットの複数の吸着性領域に、化学発光基質を含む溶液を供給する化学発光基質供給手段を備えているから、特異的結合物質に、多量の生体由来の物質が結合されている吸着性領域において、経時的に、化学発光基質が枯渇することが確実に防止され、したがって、生化学解析用ユニットの多数の吸着性領域から放出される化学発光を光電的に検出することによって、定量性に優れた生化学解析用データを生成することが可能になる。
【００６２】
本発明において、好ましくは、前記データ読み取り装置の前記サンプルステージに、前記生化学解析用ユニットキャリアに形成された前記少なくとも２つの位置合わせ用貫通孔に対応して、少なくとも２つの位置合わせ用ピンが形成されている。
【００６３】
本発明において、好ましくは、前記第２のスキャナ装置の前記キャリア搬送手段が、前記生化学解析用ユニットキャリアを、前記キャリア剥離部から、前記第２のスキャナ装置の前記サンプルステージに搬送可能に構成されている。
【００６４】
本発明において、好ましくは、前記データ読み取り装置の前記キャリア搬送手段が、前記生化学解析用ユニットキャリアを、前記キャリア剥離部から、前記データ読み取り装置の前記サンプルステージに搬送可能に構成されている。
【００６５】
本発明において、好ましくは、生化学解析システムは、さらに、生化学解析用ユニットキャリアを回収する生化学解析用ユニットキャリア回収ボックスを備え、前記第２のスキャナ装置の前記キャリア搬送手段が、前記生化学解析用ユニットキャリアを、前記第２のスキャナ装置の前記サンプルステージから、前記生化学解析用ユニットキャリアに搬送可能に構成されている。
【００６６】
本発明において、好ましくは、生化学解析システムは、さらに、生化学解析用ユニットキャリアを回収する生化学解析用ユニットキャリア回収ボックスを備え、前記データ読み取り装置の前記キャリア搬送手段が、前記生化学解析用ユニットキャリアを、前記データ読み取り装置の前記サンプルステージから、前記生化学解析用ユニットキャリアに搬送可能に構成されている。
【００６７】
本発明において、好ましくは、生化学解析システムは、さらに、前記蓄積性蛍光体シートキャリアを回収する蓄積性蛍光体シートキャリア回収ボックスを備え、前記スキャナ装置の前記キャリア搬送手段が、前記蓄積性蛍光体シートキャリアを、前記スキャナ装置の前記サンプルステージから、前記前記蓄積性蛍光体シートキャリアに搬送可能に構成されている。
【００７０】
本発明のさらに好ましい実施態様によれば、生化学解析用ユニットが、複数の貫通孔が、互いに離間して形成された基板を備え、複数の吸着性領域が、基板に形成された複数の貫通孔に、吸着性材料が充填されて、形成されているから、反応溶液を、生化学解析用ユニットの複数の吸着性領域のみを横切って、選択的に供給することができ、したがって、生化学解析用ユニットの吸着性領域内における標識物質の移動速度を大幅に増大させることができるから、ハイブリダイゼーション反応などのリガンド・リセプター反応の反応速度を大幅に向上させることが可能になり、さらには、標識物質が、生化学解析用ユニットの吸着性領域の深い部分に含まれている特異的結合物質と出会う確率を大幅に増大させることができるから、所望のように、生化学解析用ユニットの複数の吸着性領域を、標識物質によって、標識することが可能になる。
【００７１】
本発明のさらに好ましい実施態様においては、前記生化学解析用ユニットが、複数の貫通孔が、互いに離間して形成された基板を備え、前記複数の吸着性領域が、前記基板に形成された前記複数の貫通孔に、吸着性材料が埋め込まれて、形成されている。
【００７２】
本発明のさらに好ましい実施態様によれば、生化学解析用ユニットが、複数の貫通孔が、互いに離間して形成された基板を備え、複数の吸着性領域が、基板に形成された複数の貫通孔に、吸着性材料が埋め込まれて、形成されているから、反応溶液を、生化学解析用ユニットの複数の吸着性領域のみを横切って、選択的に供給することができ、したがって、生化学解析用ユニットの吸着性領域内における標識物質の移動速度を大幅に増大させることができるから、ハイブリダイゼーション反応などのリガンド・リセプター反応の反応速度を大幅に向上させることが可能になり、さらには、標識物質が、生化学解析用ユニットの吸着性領域の深い部分に含まれている特異的結合物質と出会う確率を大幅に増大させることができるから、所望のように、生化学解析用ユニットの複数の吸着性領域を、標識物質によって、標識することが可能になる。
【００７３】
本発明のさらに好ましい実施態様においては、前記生化学解析用ユニットが、複数の貫通孔が、互いに離間して形成された基板を備え、前記複数の吸着性領域が、前記基板に形成された前記複数の貫通孔に、吸着性材料を含む吸着性膜が圧入まれて、形成されている。
【００７４】
本発明のさらに好ましい実施態様によれば、生化学解析用ユニットが、複数の貫通孔が、互いに離間して形成された基板を備え、複数の吸着性領域が、基板に形成された複数の貫通孔に、吸着性材料を含む吸着性膜が圧入まれて、形成されているから、反応溶液を、生化学解析用ユニットの複数の吸着性領域のみを横切って、選択的に供給することができ、したがって、生化学解析用ユニットの吸着性領域内における標識物質の移動速度を大幅に増大させることができるから、ハイブリダイゼーション反応などのリガンド・リセプター反応の反応速度を大幅に向上させることが可能になり、さらには、標識物質が、生化学解析用ユニットの吸着性領域の深い部分に含まれている特異的結合物質と出会う確率を大幅に増大させることができるから、所望のように、生化学解析用ユニットの複数の吸着性領域を、標識物質によって、標識することが可能になる。
【００７５】
本発明の別の好ましい実施態様においては、前記生化学解析用ユニットが、複数の凹部が、互いに離間して形成された基板を備え、前記複数の吸着性領域が、前記凹部に形成された前記複数の貫通孔に、吸着性材料が埋め込まれて、形成されている。
【００７６】
本発明の好ましい実施態様においては、前記生化学解析用ユニットに、１０以上の吸着性領域が形成されている。
【００７７】
本発明のさらに好ましい実施態様においては、前記生化学解析用ユニットに、５０以上の吸着性領域が形成されている。
【００７８】
本発明のさらに好ましい実施態様においては、前記生化学解析用ユニットに、１００以上の吸着性領域が形成されている。
【００７９】
本発明のさらに好ましい実施態様においては、前記生化学解析用ユニットに、５００以上の吸着性領域が形成されている。
【００８０】
本発明のさらに好ましい実施態様においては、前記生化学解析用ユニットに、１０００以上の吸着性領域が形成されている。
【００８１】
本発明のさらに好ましい実施態様においては、前記生化学解析用ユニットに、５０００以上の吸着性領域が形成されている。
【００８２】
本発明のさらに好ましい実施態様においては、前記生化学解析用ユニットに、１００００以上の吸着性領域が形成されている。
【００８３】
本発明のさらに好ましい実施態様においては、前記生化学解析用ユニットに、５００００以上の吸着性領域が形成されている。
【００８４】
本発明のさらに好ましい実施態様においては、前記生化学解析用ユニットに、１０００００以上の吸着性領域が形成されている。
【００８５】
本発明の好ましい実施態様においては、前記生化学解析用ユニットの前記複数の吸着性領域が、それぞれ、５平方ミリメートル未満のサイズを有している。
【００８６】
本発明のさらに好ましい実施態様においては、前記生化学解析用ユニットの前記複数の吸着性領域が、それぞれ、１平方ミリメートル未満のサイズを有している。
【００８７】
本発明のさらに好ましい実施態様においては、前記生化学解析用ユニットの前記複数の吸着性領域が、それぞれ、０．５平方ミリメートル未満のサイズを有している。
【００８８】
本発明のさらに好ましい実施態様においては、前記生化学解析用ユニットの前記複数の吸着性領域が、それぞれ、０．１平方ミリメートル未満のサイズを有している。
【００８９】
本発明のさらに好ましい実施態様においては、前記生化学解析用ユニットの前記複数の吸着性領域が、それぞれ、０．０５平方ミリメートル未満のサイズを有している。
【００９０】
本発明のさらに好ましい実施態様においては、前記生化学解析用ユニットの前記複数の吸着性領域が、それぞれ、０．０１平方ミリメートル未満のサイズを有している。
【００９１】
本発明の好ましい実施態様においては、前記生化学解析用ユニットに、前記複数の吸着性領域が、１０個／平方センチメートル以上の密度で形成されている。
【００９２】
本発明のさらに好ましい実施態様においては、前記生化学解析用ユニットに、前記複数の吸着性領域が、５０個／平方センチメートル以上の密度で形成されている。
【００９３】
本発明のさらに好ましい実施態様においては、前記生化学解析用ユニットに、前記複数の吸着性領域が、１００個／平方センチメートル以上の密度で形成されている。
【００９４】
本発明のさらに好ましい実施態様においては、前記生化学解析用ユニットに、前記複数の吸着性領域が、５００個／平方センチメートル以上の密度で形成されている。
【００９５】
本発明のさらに好ましい実施態様においては、前記生化学解析用ユニットに、前記複数の吸着性領域が、１０００個／平方センチメートル以上の密度で形成されている。
【００９６】
本発明のさらに好ましい実施態様においては、前記生化学解析用ユニットに、前記複数の吸着性領域が、５０００個／平方センチメートル以上の密度で形成されている。
【００９７】
本発明のさらに好ましい実施態様においては、前記生化学解析用ユニットに、前記複数の吸着性領域が、１００００個／平方センチメートル以上の密度で形成されている。
【００９８】
本発明のさらに好ましい実施態様においては、前記生化学解析用ユニットに、前記複数の吸着性領域が、５００００個／平方センチメートル以上の密度で形成されている。
【００９９】
本発明のさらに好ましい実施態様においては、前記生化学解析用ユニットに、前記複数の吸着性領域が、１０００００個／平方センチメートル以上の密度で形成されている。
【０１００】
本発明の好ましい実施態様においては、前記生化学解析用ユニットに、前記複数の吸着性領域が、規則的なパターンで形成されている。
【０１０１】
本発明の好ましい実施態様においては、前記生化学解析用ユニットの前記基板に、前記複数の貫通孔が、それぞれ、略円形に形成されている。
【０１０２】
本発明において、生化学解析用ユニットの複数の吸着性領域が、基板に形成された複数の孔に、吸着性材料が充填されて、形成されている場合には、好ましくは、前記生化学解析用ユニットの前記基板が、放射線エネルギーを減衰させる性質を有している。
【０１０３】
本発明の好ましい実施態様によれば、生化学解析用ユニットの基板が、放射線を減衰させる性質を有しているから、生化学解析用ユニットに、吸着性領域を高密度に形成し、生化学解析用ユニットの複数の吸着性領域に含まれた特異的結合物質に、放射性標識物質によって標識された生体由来の物質を、ハイブリダイズさせて、選択的に標識し、生化学解析用ユニットと輝尽性蛍光体層が形成された蓄積性蛍光体シートとを重ね合わせて、複数の吸着性領域に選択的に含まれた放射性標識物質によって、蓄積性蛍光体シートの支持体に形成された輝尽性蛍光体層を露光し、蓄積性蛍光体シートの輝尽性蛍光体層に放射線データを記録する場合にも、各吸着性領域に含まれている放射性標識物質から放出された電子線（β線）が、生化学解析用ユニットの基板内で散乱することを効果的に防止することができ、したがって、各吸着性領域に含まれている放射性標識物質から放出された電子線（β線）を、対応する輝尽性蛍光体層の領域に、選択的に入射させて、対応する輝尽性蛍光体層の領域のみを露光することが可能になるから、放射性標識物質によって露光された輝尽性蛍光体層を、励起光によって走査し、輝尽性蛍光体層から放出された輝尽光を光電的に検出することによって、高い分解能で、定量性に優れた生化学解析用のデータを生成することが可能になる。
【０１０４】
本発明の好ましい実施態様においては、前記生化学解析用ユニットの前記基板が、隣り合う前記吸着性領域の間の距離に等しい距離だけ、放射線が前記基板中を透過したときに、放射線のエネルギーを、１／５以下に減衰させる性質を有している。
【０１０５】
本発明のさらに好ましい実施態様においては、前記生化学解析用ユニットの前記基板が、隣り合う前記吸着性領域の間の距離に等しい距離だけ、放射線が前記基板中を透過したときに、放射線のエネルギーを、１／１０以下に減衰させる性質を有している。
【０１０６】
本発明のさらに好ましい実施態様においては、前記生化学解析用ユニットの前記基板が、隣り合う前記吸着性領域の間の距離に等しい距離だけ、放射線が前記基板中を透過したときに、放射線のエネルギーを、１／５０以下に減衰させる性質を有している。
【０１０７】
本発明のさらに好ましい実施態様においては、前記生化学解析用ユニットの前記基板が、隣り合う前記吸着性領域の間の距離に等しい距離だけ、放射線が前記基板中を透過したときに、放射線のエネルギーを、１／１００以下に減衰させる性質を有している。
【０１０８】
本発明のさらに好ましい実施態様においては、前記生化学解析用ユニットの前記基板が、隣り合う前記吸着性領域の間の距離に等しい距離だけ、放射線が前記基板中を透過したときに、放射線のエネルギーを、１／５００以下に減衰させる性質を有している。
【０１０９】
本発明のさらに好ましい実施態様においては、前記生化学解析用ユニットの前記基板が、隣り合う前記吸着性領域の間の距離に等しい距離だけ、放射線が前記基板中を透過したときに、放射線のエネルギーを、１／１０００以下に減衰させる性質を有している。
【０１１０】
本発明において、生化学解析用ユニットの複数の吸着性領域が、基板に形成された複数の孔に、吸着性材料が充填されて、形成されている場合には、好ましくは、前記生化学解析用ユニットの前記基板が、光エネルギーを減衰させる性質を有している。
【０１１１】
本発明の好ましい実施態様によれば、生化学解析用ユニットの基板が、光エネルギーを減衰させる性質を有しているから、生化学解析用ユニットの基板に、吸着性領域を高密度に形成し、複数の吸着性領域に含まれた特異的結合物質に、蛍光物質や化学発光基質と接触させることによって化学発光を生じさせる標識物質などによって標識された生体由来の物質を、選択的に、結合させた場合にも、多数の吸着性領域から放出される蛍光や化学発光が、基板内で散乱して、隣り合う吸着性領域から放出された蛍光や化学発光と混ざり合うことを効果的に防止することが可能になり、したがって、蛍光や化学発光を光電的に検出して、定量性に優れた生化学解析用データを生成することが可能になる。
【０１１２】
本発明の好ましい実施態様においては、前記生化学解析用ユニットの前記基板が、隣り合う前記吸着性領域の間の距離に等しい距離だけ、光が前記基板中を透過したときに、光のエネルギーを、１／５以下に減衰させる性質を有している。
【０１１３】
本発明のさらに好ましい実施態様においては、前記生化学解析用ユニットの前記基板が、隣り合う前記吸着性領域の間の距離に等しい距離だけ、光が前記基板中を透過したときに、光のエネルギーを、１／１０以下に減衰させる性質を有している。
【０１１４】
本発明のさらに好ましい実施態様においては、前記生化学解析用ユニットの前記基板が、隣り合う前記吸着性領域の間の距離に等しい距離だけ、光が前記基板中を透過したときに、光のエネルギーを、１／５０以下に減衰させる性質を有している。
【０１１５】
本発明のさらに好ましい実施態様においては、前記生化学解析用ユニットの前記基板が、隣り合う前記吸着性領域の間の距離に等しい距離だけ、光が前記基板中を透過したときに、光のエネルギーを、１／１００以下に減衰させる性質を有している。
【０１１６】
本発明のさらに好ましい実施態様においては、前記生化学解析用ユニットの前記基板が、隣り合う前記吸着性領域の間の距離に等しい距離だけ、光が前記基板中を透過したときに、光のエネルギーを、１／５００以下に減衰させる性質を有している。
【０１１７】
本発明のさらに好ましい実施態様においては、前記生化学解析用ユニットの前記基板が、隣り合う前記吸着性領域の間の距離に等しい距離だけ、光が前記基板中を透過したときに、光のエネルギーを、１／１０００以下に減衰させる性質を有している。
【０１１８】
本発明において、生化学解析用ユニットの複数の吸着性領域が、基板に形成された複数の孔に、吸着性材料が充填されて、形成されている場合には、生化学解析用ユニットの基板を形成するための材料は、放射線および／または光を減衰させる性質を有していることが好ましいが、とくに限定されるものではなく、無機化合物材料、有機化合物材料のいずれをも使用することができ、金属材料、セラミック材料またはプラスチック材料が、好ましく使用される。
【０１１９】
本発明において、生化学解析用ユニットの複数の吸着性領域が、基板に形成された複数の孔に、吸着性材料が充填されて、形成されている場合に、生化学解析用ユニットの基板を形成するために好ましく使用することのできる無機化合物材料としては、たとえば、金、銀、銅、亜鉛、アルミニウム、チタン、タンタル、クロム、鉄、ニッケル、コバルト、鉛、錫、セレンなどの金属；真鍮、ステンレス、青銅などの合金；シリコン、アモルファスシリコン、ガラス、石英、炭化ケイ素、窒化ケイ素などの珪素材料；酸化アルミニウム、酸化マグネシウム、酸化ジルコニウムなどの金属酸化物；タングステンカーバイト、炭酸カルシウム、硫酸カルシウム、ヒドロキシアパタイト、砒化ガリウムなどの無機塩を挙げることができる。これらは、単結晶、アモルファス、セラミックのような多結晶焼結体にいずれの構造を有していてもよい。
【０１２０】
本発明において、生化学解析用ユニットの複数の吸着性領域が、基板に形成された複数の孔に、吸着性材料が充填されて、形成されている場合に、生化学解析用ユニットの基板を形成するために使用可能な有機化合物材料としては、高分子化合物が好ましく用いられ、好ましく使用することのできる高分子化合物としては、たとえば、ポリエチレンやポリプロピレンなどのポリオレフィン；ポリメチルメタクリレート、ブチルアクリレート／メチルメタクリレート共重合体などのアクリル樹脂；ポリアクリロニトリル；ポリ塩化ビニル；ポリ塩化ビニリデン；ポリフッ化ビニリデン；ポリテトラフルオロエチレン；ポリクロロトリフルオロエチレン；ポリカーボネート；ポリエチレンナフタレートやポリエチレンテレフタレートなどのポリエステル；ナイロン６、ナイロン６，６、ナイロン４，１０などのナイロン；ポリイミド；ポリスルホン；ポリフェニレンサルファイド；ポリジフェニルシロキサンなどのケイ素樹脂；ノボラックなどのフェノール樹脂；エポキシ樹脂；ポリウレタン；ポリスチレン；ブタジエン−スチレン共重合体；セルロース、酢酸セルロース、ニトロセルロース、でん粉、アルギン酸カルシウム、ヒドロキシプロピルメチルセルロースなどの多糖類；キチン；キトサン；ウルシ；ゼラチン、コラーゲン、ケラチンなどのポリアミドおよびこれら高分子化合物の共重合体などを挙げることができる。これらは、複合材料でもよく、必要に応じて、金属酸化物粒子やガラス繊維などを充填することもでき、また、有機化合物材料をブレンドして、使用することもできる。
【０１２１】
一般に、比重が大きいほど、放射線の減衰能が高くなるので、生化学解析用ユニットの複数の吸着性領域が、基板に形成された複数の孔に、吸着性材料が充填されて、形成されている場合には、生化学解析用ユニットの基板は、比重１．０ｇ／ｃｍ３以上の化合物材料または複合材料によって形成されることが好ましく、比重が１．５ｇ／ｃｍ３以上、２３ｇ／ｃｍ３以下の化合物材料または複合材料によって形成されることが、とくに好ましい。
【０１２２】
また、一般に、光の散乱および／または吸収が大きいほど、光の減衰能が高くなるので、生化学解析用ユニットの複数の吸着性領域が、基板に形成された複数の孔に、吸着性材料が充填されて、形成されている場合には、生化学解析用ユニットの基板は、厚さ１ｃｍあたりの吸光度が０．３以上であることが好ましく、厚さ１ｃｍあたりの吸光度が１以上であれば、さらに好ましい。ここに、吸光度は、厚さＴｃｍの板状体の直後に、積分球を置き、計測に利用するプローブ光またはエミッション光の波長における透過光量Ａを分光光度計によって測定し、Ａ／Ｔを算出することによって、求められる。光減衰能を向上させるために、光散乱体や光吸収体を、生化学解析用ユニットの基板に含有させることもできる。光散乱体としては、生化学解析用ユニットの基板を形成している材料と異なる材料の微粒子が用いられ、光吸収体としては、顔料または染料が用いられる。
【０１２３】
本発明の別の好ましい実施態様においては、前記生化学解析用ユニットが、吸着性基板を備え、前記複数の吸着性領域が、前記吸着性基板の互いに離間した位置に、特異的結合物質を含有させて、形成されている。
【０１２４】
本発明において、生化学解析用ユニットの吸着性領域あるいは吸着性基板を形成するための吸着性材料としては、多孔質材料あるいは繊維材料が好ましく使用される。多孔質材料と繊維材料とを併用して、吸着性領域あるいは吸着性基板を形成することもできる。
【０１２５】
本発明において、生化学解析用ユニットの吸着性領域あるいは吸着性基板を形成するために使用される多孔質材料は、有機材料、無機材料のいずれでもよく、有機／無機複合体でもよい。
【０１２６】
本発明において、生化学解析用ユニットの吸着性領域あるいは吸着性基板を形成するために使用される有機多孔質材料は、とくに限定されるものではないが、活性炭などの炭素材料あるいはメンブレンフィルタを形成可能な材料が、好ましく用いられる。具体的には、ナイロン６、ナイロン６，６、ナイロン４，１０などのナイロン類；ニトロセルロース、酢酸セルロース、酪酸酢酸セルロースなどのセルロース誘導体；コラーゲン；アルギン酸、アルギン酸カルシウム、アルギン酸／ポリリシンポリイオンコンプレックスなどのアルギン酸類；ポリエチレン、ポリプロピレンなどのポリオレフィン類；ポリ塩化ビニル；ポリ塩化ビニリデン；ポリフッ化ビニリデン、ポリテトラフルオライドなどのポリフルオライドや、これらの共重合体または複合体が挙げられる。
【０１２７】
本発明において、生化学解析用ユニットの吸着性領域あるいは吸着性基板を形成するために使用される無機多孔質材料は、とくに限定されるものではないが、好ましくは、たとえば、白金、金、鉄、銀、ニッケル、アルミニウムなどの金属；アルミナ、シリカ、チタニア、ゼオライトなどの金属酸化物；ヒドロキシアパタイト、硫酸カルシウムなどの金属塩やこれらの複合体などが挙げられる。
【０１２８】
本発明において、生化学解析用ユニットの吸着性領域あるいは吸着性基板を形成するために使用される繊維材料は、とくに限定されるものではないが、好ましくは、たとえば、ナイロン６、ナイロン６，６、ナイロン４，１０などのナイロン類、ニトロセルロース、酢酸セルロース、酪酸酢酸セルロースなどのセルロース誘導体などが挙げられる。
【０１２９】
本発明において、生化学解析用ユニットの吸着性領域は、電解処理、プラズマ処理、アーク放電などの酸化処理；シランカップリング剤、チタンカップリング剤などを用いたプライマー処理；界面活性剤処理などの表面処理によって形成することもできる。
【０１３０】
本発明の好ましい実施態様においては、蓄積性蛍光体シートの輝尽性蛍光体層が、互いに離間して、支持体に形成された複数の輝尽性蛍光体層領域によって、構成され、前記複数の輝尽性蛍光体層領域が、前記生化学解析用ユニットの前記複数の吸着性領域と同一のパターンによって、形成されている。
【０１３１】
本発明の好ましい実施態様によれば、蓄積性蛍光体シートの輝尽性蛍光体層が、互いに離間して、支持体に形成された複数の輝尽性蛍光体層領域によって、構成され、複数の輝尽性蛍光体層領域が、生化学解析用ユニットの複数の吸着性領域と同一のパターンによって、形成されているから、生化学解析用ユニットの複数の吸着性領域と、蓄積性蛍光体シートの複数の輝尽性蛍光体層領域とが対向するように、生化学解析用ユニットと蓄積性蛍光体シートとを密着させて、生化学解析用ユニットの複数の吸着性領域に選択的に含まれている放射性標識物質によって、蓄積性蛍光体シートの複数の輝尽性蛍光体層領域に含まれている輝尽性蛍光体を、選択的に露光することが可能になり、したがって、蓄積性蛍光体シートの複数の輝尽性蛍光体層領域を、励起光によって、走査して、蓄積性蛍光体シートの複数の輝尽性蛍光体層領域から放出された輝尽光を検出して得た生化学解析用データ中に、ノイズが生成されることを効果的に防止することができ、定量性に優れた生化学解析用データを生成することが可能になる。
【０１３２】
本発明の好ましい実施態様においては、蓄積性蛍光体シートの複数の輝尽性蛍光体層領域が、支持体に形成された複数の孔内に、輝尽性蛍光体が充填されて、形成されている。
【０１３３】
本発明のさらに好ましい実施態様においては、蓄積性蛍光体シートの複数の輝尽性蛍光体層領域が、支持体に形成された複数の貫通孔内に、輝尽性蛍光体が充填されて、形成されている。
【０１３４】
本発明のさらに好ましい実施態様においては、蓄積性蛍光体シートの複数の輝尽性蛍光体層領域が、支持体に形成された複数の貫通孔内に、輝尽性蛍光体が埋め込まれて、形成されている。
【０１３５】
本発明のさらに好ましい実施態様においては、蓄積性蛍光体シートの複数の輝尽性蛍光体層領域が、支持体に形成された複数の貫通孔内に、輝尽性蛍光体を含む輝尽性蛍光体膜が圧入されて、形成されている。
【０１３６】
本発明の別の好ましい実施態様においては、蓄積性蛍光体シートの複数の輝尽性蛍光体層領域が、支持体に形成された複数の凹部内に、輝尽性蛍光体が充填されて、形成されている。
【０１３７】
本発明のさらに好ましい実施態様においては、蓄積性蛍光体シートの複数の輝尽性蛍光体層領域が、支持体に形成された複数の凹部内に、輝尽性蛍光体が埋め込まれて、形成されている。
【０１３８】
本発明の好ましい実施態様においては、前記蓄積性蛍光体シートに、１０以上の輝尽性蛍光体層領域が形成されている。
【０１３９】
本発明のさらに好ましい実施態様においては、前記蓄積性蛍光体シートに、５０以上の輝尽性蛍光体層領域が形成されている。
【０１４０】
本発明のさらに好ましい実施態様においては、前記蓄積性蛍光体シートに、１００以上の輝尽性蛍光体層領域が形成されている。
【０１４１】
本発明のさらに好ましい実施態様においては、前記蓄積性蛍光体シートに、５００以上の輝尽性蛍光体層領域が形成されている。
【０１４２】
本発明のさらに好ましい実施態様においては、前記蓄積性蛍光体シートに、１０００以上の輝尽性蛍光体層領域が形成されている。
【０１４３】
本発明のさらに好ましい実施態様においては、前記蓄積性蛍光体シートに、５０００以上の輝尽性蛍光体層領域が形成されている。
【０１４４】
本発明のさらに好ましい実施態様においては、前記蓄積性蛍光体シートに、１００００以上の輝尽性蛍光体層領域が形成されている。
【０１４５】
本発明のさらに好ましい実施態様においては、前記蓄積性蛍光体シートに、５００００以上の輝尽性蛍光体層領域が形成されている。
【０１４６】
本発明のさらに好ましい実施態様においては、前記蓄積性蛍光体シートに、１０００００以上の輝尽性蛍光体層領域が形成されている。
【０１４７】
本発明の好ましい実施態様においては、前記蓄積性蛍光体シートの前記複数の輝尽性蛍光体層領域が、それぞれ、５平方ミリメートル未満のサイズを有している。
【０１４８】
本発明のさらに好ましい実施態様においては、前記蓄積性蛍光体シートの前記複数の輝尽性蛍光体層領域が、それぞれ、１平方ミリメートル未満のサイズを有している。
【０１４９】
本発明のさらに好ましい実施態様においては、前記蓄積性蛍光体シートの前記複数の輝尽性蛍光体層領域が、それぞれ、０．５平方ミリメートル未満のサイズを有している。
【０１５０】
本発明のさらに好ましい実施態様においては、前記蓄積性蛍光体シートの前記複数の輝尽性蛍光体層領域が、それぞれ、０．１平方ミリメートル未満のサイズを有している。
【０１５１】
本発明のさらに好ましい実施態様においては、前記蓄積性蛍光体シートの前記複数の輝尽性蛍光体層領域が、それぞれ、０．０５平方ミリメートル未満のサイズを有している。
【０１５２】
本発明のさらに好ましい実施態様においては、前記蓄積性蛍光体シートの前記複数の輝尽性蛍光体層領域が、それぞれ、０．０１平方ミリメートル未満のサイズを有している。
【０１５３】
本発明の好ましい実施態様においては、前記蓄積性蛍光体シートに、前記複数の輝尽性蛍光体層領域が、１０個／平方センチメートル以上の密度で形成されている。
【０１５４】
本発明のさらに好ましい実施態様においては、前記蓄積性蛍光体シートに、前記複数の輝尽性蛍光体層領域が、５０個／平方センチメートル以上の密度で形成されている。
【０１５５】
本発明のさらに好ましい実施態様においては、前記蓄積性蛍光体シートに、前記複数の輝尽性蛍光体層領域が、１００個／平方センチメートル以上の密度で形成されている。
【０１５６】
本発明のさらに好ましい実施態様においては、前記蓄積性蛍光体シートに、前記複数の輝尽性蛍光体層領域が、５００個／平方センチメートル以上の密度で形成されている。
【０１５７】
本発明のさらに好ましい実施態様においては、前記蓄積性蛍光体シートに、前記複数の輝尽性蛍光体層領域が、１０００個／平方センチメートル以上の密度で形成されている。
【０１５８】
本発明のさらに好ましい実施態様においては、前記蓄積性蛍光体シートに、前記複数の輝尽性蛍光体層領域が、５０００個／平方センチメートル以上の密度で形成されている。
【０１５９】
本発明のさらに好ましい実施態様においては、前記蓄積性蛍光体シートに、前記複数の輝尽性蛍光体層領域が、１００００個／平方センチメートル以上の密度で形成されている。
【０１６０】
本発明のさらに好ましい実施態様においては、前記蓄積性蛍光体シートに、前記複数の輝尽性蛍光体層領域が、５００００個／平方センチメートル以上の密度で形成されている。
【０１６１】
本発明のさらに好ましい実施態様においては、前記蓄積性蛍光体シートに、前記複数の輝尽性蛍光体層領域が、１０００００個／平方センチメートル以上の密度で形成されている。
【０１６２】
本発明の好ましい実施態様においては、前記蓄積性蛍光体シートに、前記複数の輝尽性蛍光体層領域が、規則的なパターンで形成されている。
【０１６３】
本発明の好ましい実施態様においては、前記蓄積性蛍光体シートの前記基板に、前記複数の貫通孔が、それぞれ、略円形に形成されている。
【０１６４】
本発明の好ましい実施態様においては、蓄積性蛍光体シートに、複数の輝尽性蛍光体層領域が形成されている場合には、蓄積性蛍光体シートの支持体が、放射線エネルギーを減衰させる性質を有している。
【０１６５】
本発明の好ましい実施態様によれば、生化学解析用ユニットに、互いに離間して、形成された複数の吸着性領域に、放射線データを記録し、生化学解析用ユニットと、蓄積性蛍光体シートの複数の輝尽性蛍光体層領域を密着させて、生化学解析用ユニットの複数の吸着性領域に選択的に含まれている放射性標識物質によって、蓄積性蛍光体シートの複数の輝尽性蛍光体層領域に含まれている輝尽性蛍光体を露光する場合、生化学解析用ユニットの複数の吸着性領域と同じパターンで、蓄積性蛍光体シートに複数の輝尽性蛍光体層領域を形成し、生化学解析用ユニットの複数の吸着性領域と、蓄積性蛍光体シートの対応する輝尽性蛍光体層領域とが対向するように、生化学解析用ユニットと蓄積性蛍光体シートとを密着させて、生化学解析用ユニットの複数の吸着性領域に選択的に含まれている放射性標識物質によって、蓄積性蛍光体シートの複数の輝尽性蛍光体層領域に含まれている輝尽性蛍光体を露光することによって、生化学解析用ユニットの吸着性領域に選択的に含まれている放射性標識物質から放出された電子線（β線）が、その吸着性領域に対向する輝尽性蛍光体層領域以外の輝尽性蛍光体層領域に入射することを効果的に防止することができ、生化学解析用ユニットの吸着性領域に選択的に含まれている放射性標識物質から放出された電子線（β線）によって、その吸着性領域に対向する輝尽性蛍光体層領域に含まれている輝尽性蛍光体を選択的に露光することが可能になり、したがって、蓄積性蛍光体シートの露光された複数の輝尽性蛍光体層領域を励起光によって走査し、複数の輝尽性蛍光体層領域から放出された輝尽光を光電的に検出することによって、高い分解能で、定量性に優れた生化学解析用のデータを生成することが可能になる。
【０１６６】
本発明の好ましい実施態様においては、蓄積性蛍光体シートに、複数の輝尽性蛍光体層領域が形成されている場合には、蓄積性蛍光体シートの支持体が、隣り合う輝尽性蛍光体層領域の間の距離に等しい距離だけ、放射線が前記支持体中を透過したときに、放射線のエネルギーを、１／５以下に減衰させる性質を有する材料によって形成されている。
【０１６７】
本発明のさらに好ましい実施態様においては、蓄積性蛍光体シートに、複数の輝尽性蛍光体層領域が形成されている場合には、蓄積性蛍光体シートの支持体が、隣り合う輝尽性蛍光体層領域の間の距離に等しい距離だけ、放射線が前記支持体中を透過したときに、放射線のエネルギーを、１／１０以下に減衰させる性質を有する材料によって形成されている。
【０１６８】
本発明のさらに好ましい実施態様においては、蓄積性蛍光体シートに、複数の輝尽性蛍光体層領域が形成されている場合には、蓄積性蛍光体シートの支持体が、隣り合う輝尽性蛍光体層領域の間の距離に等しい距離だけ、放射線が前記支持体中を透過したときに、放射線のエネルギーを、１／５０以下に減衰させ性質を有する材料によって形成されている。
【０１６９】
本発明のさらに好ましい実施態様においては、蓄積性蛍光体シートに、複数の輝尽性蛍光体層領域が形成されている場合には、蓄積性蛍光体シートの支持体が、隣り合う輝尽性蛍光体層領域の間の距離に等しい距離だけ、放射線が前記支持体中を透過したときに、放射線のエネルギーを、１／１００以下に減衰させる性質を有する材料によって形成されている。
【０１７０】
本発明のさらに好ましい実施態様においては、蓄積性蛍光体シートに、複数の輝尽性蛍光体層領域が形成されている場合には、蓄積性蛍光体シートの支持体が、隣り合う輝尽性蛍光体層領域の間の距離に等しい距離だけ、放射線が前記支持体中を透過したときに、放射線のエネルギーを、１／５００以下に減衰させる性質を有する材料によって形成されている。
【０１７１】
本発明のさらに好ましい実施態様においては、蓄積性蛍光体シートに、複数の輝尽性蛍光体層領域が形成されている場合には、蓄積性蛍光体シートの支持体が、隣り合う輝尽性蛍光体層領域の間の距離に等しい距離だけ、放射線が前記支持体中を透過したときに、放射線のエネルギーを、１／１０００以下に減衰させる性質を有する材料によって形成されている。
【０１７２】
本発明の好ましい実施態様においては、蓄積性蛍光体シートに、複数の輝尽性蛍光体層領域が形成されている場合には、蓄積性蛍光体シートの支持体が、光エネルギーを減衰させる性質を有している。
【０１７３】
本発明の好ましい実施態様によれば、生化学解析用ユニットに、互いに離間して、形成された複数の吸着性領域に、化学発光データを記録し、さらに、生化学解析用ユニットの複数の吸着性領域に、化学発光基質を含む溶液を供給して、選択的に、化学発光を放出させ、複数の吸着性領域から化学発光が放出されている生化学解析用ユニットと、蓄積性蛍光体シートの複数の輝尽性蛍光体層領域を密着させて、生化学解析用ユニットの複数の吸着性領域から、選択的に、放出された化学発光によって、蓄積性蛍光体シートの複数の輝尽性蛍光体層領域に含まれている輝尽性蛍光体を露光する場合、生化学解析用ユニットの複数の吸着性領域と同じパターンで、蓄積性蛍光体シートに複数の輝尽性蛍光体層領域を形成し、生化学解析用ユニットの複数の吸着性領域と、蓄積性蛍光体シートの対応する輝尽性蛍光体層領域とが対向するように、生化学解析用ユニットと蓄積性蛍光体シートとを密着させて、生化学解析用ユニットの複数の吸着性領域から、選択的に、放出される化学発光によって、蓄積性蛍光体シートの複数の輝尽性蛍光体層領域に含まれている輝尽性蛍光体を露光することによって、生化学解析用ユニットの吸着性領域から、選択的に、放出される化学発光が、その吸着性領域に対向する輝尽性蛍光体層領域以外の輝尽性蛍光体層領域に入射することを効果的に防止することができ、生化学解析用ユニットの吸着性領域から、選択的に、放出される化学発光によって、その吸着性領域に対向する輝尽性蛍光体層領域に含まれている輝尽性蛍光体を選択的に露光することが可能になり、したがって、蓄積性蛍光体シートの露光された複数の輝尽性蛍光体層領域を励起光によって走査し、複数の輝尽性蛍光体層領域から放出された輝尽光を光電的に検出することによって、高い分解能で、定量性に優れた生化学解析用のデータを生成することが可能になる。
【０１７４】
本発明の好ましい実施態様においては、蓄積性蛍光体シートに、複数の輝尽性蛍光体層領域が形成されている場合には、蓄積性蛍光体シートの支持体が、隣り合う輝尽性蛍光体層領域の間の距離に等しい距離だけ、光が前記支持体中を透過したときに、光のエネルギーを、１／５以下に減衰させる性質を有する材料によって形成されている。
【０１７５】
本発明のさらに好ましい実施態様においては、蓄積性蛍光体シートに、複数の輝尽性蛍光体層領域が形成されている場合には、蓄積性蛍光体シートの支持体が、隣り合う輝尽性蛍光体層領域の間の距離に等しい距離だけ、光が前記支持体中を透過したときに、光のエネルギーを、１／１０以下に減衰させる性質を有する材料によって形成されている。
【０１７６】
本発明のさらに好ましい実施態様においては、蓄積性蛍光体シートに、複数の輝尽性蛍光体層領域が形成されている場合には、蓄積性蛍光体シートの支持体が、隣り合う輝尽性蛍光体層領域の間の距離に等しい距離だけ、光が前記支持体中を透過したときに、光のエネルギーを、１／５０以下に減衰させ性質を有する材料によって形成されている。
【０１７７】
本発明のさらに好ましい実施態様においては、蓄積性蛍光体シートに、複数の輝尽性蛍光体層領域が形成されている場合には、蓄積性蛍光体シートの支持体が、隣り合う輝尽性蛍光体層領域の間の距離に等しい距離だけ、光が前記支持体中を透過したときに、光のエネルギーを、１／１００以下に減衰させる性質を有する材料によって形成されている。
【０１７８】
本発明のさらに好ましい実施態様においては、蓄積性蛍光体シートに、複数の輝尽性蛍光体層領域が形成されている場合には、蓄積性蛍光体シートの支持体が、隣り合う輝尽性蛍光体層領域の間の距離に等しい距離だけ、光が前記支持体中を透過したときに、光のエネルギーを、１／５００以下に減衰させる性質を有する材料によって形成されている。
【０１７９】
本発明のさらに好ましい実施態様においては、蓄積性蛍光体シートに、複数の輝尽性蛍光体層領域が形成されている場合には、蓄積性蛍光体シートの支持体が、隣り合う輝尽性蛍光体層領域の間の距離に等しい距離だけ、光が前記支持体中を透過したときに、光のエネルギーを、１／１０００以下に減衰させる性質を有する材料によって形成されている。
【０１８０】
本発明において、蓄積性蛍光体シートに、複数の輝尽性蛍光体層領域を形成する場合には、蓄積性蛍光体シートの支持体は、放射線および／または光を減衰させる性質を有していることが好ましく、蓄積性蛍光体シートの支持体を形成するための材料としては、放射線および／または光を減衰させる性質を有するものであれば、とくに限定されるものではなく、無機化合物材料、有機化合物材料のいずれをも使用することができるが、金属材料、セラミック材料またはプラスチック材料が、とくに好ましい。
【０１８１】
本発明において、蓄積性蛍光体シートに、複数の輝尽性蛍光体層領域が形成されている場合に、蓄積性蛍光体シートの支持体を形成するために好ましく使用することのできる無機化合物材料としては、たとえば、金、銀、銅、亜鉛、アルミニウム、チタン、タンタル、クロム、鉄、ニッケル、コバルト、鉛、錫、セレンなどの金属；真鍮、ステンレス、青銅などの合金；シリコン、アモルファスシリコン、ガラス、石英、炭化ケイ素、窒化ケイ素などの珪素材料；酸化アルミニウム、酸化マグネシウム、酸化ジルコニウムなどの金属酸化物；タングステンカーバイト、炭酸カルシウム、硫酸カルシウム、ヒドロキシアパタイト、砒化ガリウムなどの無機塩を挙げることができる。これらは、単結晶、アモルファス、セラミックのような多結晶焼結体にいずれの構造を有していてもよい。
【０１８２】
本発明において、蓄積性蛍光体シートに、複数の輝尽性蛍光体層領域が形成されている場合に、蓄積性蛍光体シートの支持体を形成するために好ましく使用することのできる有機化合物材料としては、高分子化合物が好ましく用いられ、たとえば、ポリエチレンやポリプロピレンなどのポリオレフィン；ポリメチルメタクリレート、ブチルアクリレート／メチルメタクリレート共重合体などのアクリル樹脂；ポリアクリロニトリル；ポリ塩化ビニル；ポリ塩化ビニリデン；ポリフッ化ビニリデン；ポリテトラフルオロエチレン；ポリクロロトリフルオロエチレン；ポリカーボネート；ポリエチレンナフタレートやポリエチレンテレフタレートなどのポリエステル；ナイロン６、ナイロン６，６、ナイロン４，１０などのナイロン；ポリイミド；ポリスルホン；ポリフェニレンサルファイド；ポリジフェニルシロキサンなどのケイ素樹脂；ノボラックなどのフェノール樹脂；エポキシ樹脂；ポリウレタン；ポリスチレン；ブタジエン−スチレン共重合体；セルロース、酢酸セルロース、ニトロセルロース、でん粉、アルギン酸カルシウム、ヒドロキシプロピルメチルセルロースなどの多糖類；キチン；キトサン；ウルシ；ゼラチン、コラーゲン、ケラチンなどのポリアミドおよびこれら高分子化合物の共重合体などを挙げることができる。これらは、複合材料でもよく、必要に応じて、金属酸化物粒子やガラス繊維などを充填することもでき、また、有機化合物材料をブレンドして、使用することもできる。
【０１８３】
一般に、比重が大きいほど、放射線の減衰能が高くなるので、蓄積性蛍光体シートに、複数の輝尽性蛍光体層領域が形成されている場合には、蓄積性蛍光体シートの支持体は、比重１．０ｇ／ｃｍ３以上の化合物材料または複合材料によって形成されることが好ましく、比重が１．５ｇ／ｃｍ３以上、２３ｇ／ｃｍ３以下の化合物材料または複合材料によって形成されることが、とくに好ましい。
【０１８４】
また、一般に、光の散乱および／または吸収が大きいほど、光の減衰能が高くなるので、蓄積性蛍光体シートに、複数の輝尽性蛍光体層領域が形成されている場合には、蓄積性蛍光体シートの支持体は、厚さ１ｃｍあたりの吸光度が０．３以上であることが好ましく、厚さ１ｃｍあたりの吸光度が１以上であれば、さらに好ましい。ここに、吸光度は、厚さＴｃｍの板状体の直後に、積分球を置き、計測に利用するプローブ光またはエミッション光の波長における透過光量Ａを分光光度計によって測定し、Ａ／Ｔを算出することによって、求められる。光減衰能を向上させるために、光散乱体や光吸収体を、蓄積性蛍光体シートの支持体に含有させることもできる。光散乱体としては、蓄積性蛍光体シートの支持体を形成している材料と異なる材料の微粒子が用いられ、光吸収体としては、顔料または染料が用いられる。
【０１８５】
本発明において、放射線データを記録するために使用される輝尽性蛍光体としては、放射線のエネルギーを蓄積可能で、電磁波によって励起され、蓄積している放射線のエネルギーを光の形で放出可能なものであればよく、とくに限定されるものではないが、可視光波長域の光により励起可能であるものが好ましい。具体的には、たとえば、米国特許第４，２３９，９６８号に開示されたアルカリ土類金属弗化ハロゲン化物系蛍光体（Ｂａ１−ｘＭ２＋ｘ）ＦＸ：ｙＡ（ここに、Ｍ２＋はＭｇ、Ｃａ、Ｓｒ、ＺｎおよびＣｄからなる群より選ばれる少なくとも一種のアルカリ土類金属元素、ＸはＣｌ、ＢｒおよびＩからなる群より選ばれる少なくとも一種のハロゲン、ＡはＥｕ、Ｔｂ、Ｃｅ、Ｔｍ、Ｄｙ、Ｐｒ、Ｈｏ、Ｎｄ、ＹｂおよびＥｒからなる群より選ばれる少なくとも一種の３価金属元素、ｘは０≦ｘ≦０．６、ｙは０≦ｙ≦０．２である。）、特開平２−２７６９９７号公報に開示されたアルカリ土類金属弗化ハロゲン化物系蛍光体ＳｒＦＸ：Ｚ（ここに、ＸはＣｌ、ＢｒおよびＩからなる群より選ばれる少なくとも一種のハロゲン、ＺはＥｕまたはＣｅである。）、特開昭５９−５６４７９号公報に開示されたユーロピウム付活複合ハロゲン物系蛍光体ＢａＦＸ・ｘＮａＸ’：ａＥｕ２＋（ここに、ＸおよびＸ’はいずれも、Ｃｌ、ＢｒおよびＩからなる群より選ばれる少なくとも一種のハロゲンであり、ｘは０＜ｘ≦２、ａは０＜ａ≦０．２である。）、特開昭５８−６９２８１号公報に開示されたセリウム付活三価金属オキシハロゲン物系蛍光体であるＭＯＸ：ｘＣｅ（ここに、ＭはＰｒ、Ｎｄ、Ｐｍ、Ｓｍ、Ｅｕ、Ｔｂ、Ｄｙ、Ｈｏ、Ｅｒ、Ｔｍ、ＹｂおよびＢｉからなる群より選ばれる少なくとも一種の三価金属元素、ＸはＢｒおよびＩのうちの一方あるいは双方、ｘは、０＜ｘ＜０．１である。）、米国特許第４，５３９，１３７号に開示されたセリウム付活希土類オキシハロゲン物系蛍光体であるＬｎＯＸ：ｘＣｅ（ここに、ＬｎはＹ、Ｌａ、ＧｄおよびＬｕからなる群より選ばれる少なくとも一種の希土類元素、ＸはＣｌ、ＢｒおよびＩからなる群より選ばれる少なくとも一種のハロゲン、ｘは、０＜ｘ≦０．１である。）および米国特許第４，９６２，０４７号に開示されたユーロピウム付活複合ハロゲン物系蛍光体ＭIIＦＸ・ａＭＩＸ’・ｂＭ’IIＸ''２・ｃＭIII Ｘ'''3 ・ｘＡ：ｙＥｕ２＋（ここに、ＭIIはＢａ、ＳｒおよびＣａからなる群より選ばれる少なくとも一種のアルカリ土類金属元素、ＭＩ はＬｉ、Ｎａ、Ｋ、ＲｂおよびＣｓからなる群より選ばれる少なくとも一種のアルカリ金属元素、Ｍ' IIはＢｅおよびＭｇからなる群より選ばれる少なくとも一種の二価金属元素、ＭIIIはＡｌ、Ｇａ、ＩｎおよびＴｌからなる群より選ばれる少なくとも一種の三価金属元素、Ａは少なくとも一種の金属酸化物、ＸはＣｌ、ＢｒおよびＩからなる群より選ばれる少なくとも一種のハロゲン、Ｘ’、Ｘ''およびＸ''' はＦ、Ｃｌ、ＢｒおよびＩからなる群より選ばれる少なくとも一種のハロゲンであり、ａは、０≦ａ≦２、ｂは、０≦ｂ≦１０−２、ｃは、０≦ｃ≦１０−２で、かつ、ａ＋ｂ＋ｃ≧１０−２であり、ｘは、０＜ｘ≦０．５で、ｙは、０＜ｙ≦０．２である。）が、好ましく使用し得る。
【０１８６】
また、本発明において、化学発光データを記録するために使用される輝尽性蛍光体は、可視光波長域の光のエネルギーを蓄積可能で、電磁波によって励起され、蓄積している光のエネルギーを、光の形で放出可能なものであればよく、とくに限定されるものではないが、可視光波長域の光により励起可能であるものが好ましい。具体的には、たとえば、金属ハロリン酸塩系蛍光体、希土類元素付活硫化物系蛍光体、アルミン酸塩系蛍光体、珪酸塩系蛍光体、フッ化物系蛍光体およびこれらの二または三以上の混合物からなる群より選ばれたものが、好ましく使用される。これらの中では、希土類元素付活硫化物系蛍光体が好ましく、とくに、米国特許第５，０２９，２５３号明細書、同第４，９８３，８３４号明細書に開示された希土類元素付活アルカリ土類金属硫化物系蛍光体、また、その他にも、特開２００１−１３１５４５号公報に開示されたＺｎ２ＧｅＯ４：Ｍｎ，ＶおよびＺｎ２ＧｅＯ４：Ｍｎなどのゲルマン酸亜鉛蛍光体、特開２００１−１２３１６２号公報に開示されたＳｒ４Ａｌ１４Ｏ２５：Ｌｎ（Ｌｎは希土類）などのアルミン酸アルカリ土類蛍光体、Ｙ０．８Ｌｕ１．２ＳｉＯ５：Ｃｅ，Ｚｒ、特公平６−３１９０４号公報に開示されたＧｄＯＣｌ：Ｃｅなどが好ましく使用される。
【０１８７】
【発明の実施の形態】
以下、添付図面に基づいて、本発明の好ましい実施態様につき、詳細に説明を加える。
【０１８８】
図１は、本発明の好ましい実施態様にかかる生化学解析システムに用いられる生化学解析用ユニットの略斜視図である。
【０１８９】
図１に示されるように、本実施態様にかかる生化学解析用ユニット１は、ステンレス鋼によって形成され、多数の略円形状の貫通孔３が高密度に形成された基板２を備えており、多数の貫通孔３の内部には、ナイロン６が充填されて、多数の吸着性領域４が、ドット状に形成されている。
【０１９０】
図１には正確に示されていないが、本実施態様においては、約０．０７平方ミリメートルのサイズを有する略円形の貫通孔３が、１２０列×１６０行のマトリックス状に、規則的に、基板２に形成されており、したがって、合計１９２００の吸着性領域４が形成されている。吸着性領域４は、その表面が、基板２の表面と同じ高さに位置するように、多数の貫通孔３内に、ナイロン６が充填されて、形成されている。
【０１９１】
図１に示されるように、生化学解析用ユニット１の基板２には、さらに、２つの略円形の位置合わせ用貫通孔５、５が形成され、その生化学解析用ユニット１に固有のバーコード５ａが印刷されている。
【０１９２】
図２は、生化学解析用ユニット１をセットする生化学解析用ユニットキャリアの略斜視図である。
【０１９３】
生化学解析用ユニットキャリア６は、ステンレス鋼によって形成され、図２に示されるように、生化学解析用ユニットキャリア６には、生化学解析用ユニット１をセットすべき所定の位置に、合計１０個の略矩形状の貫通孔７が、２列×５行のマトリックス状に形成されており、各貫通孔７は、生化学解析用ユニット１を生化学解析用ユニットキャリア６にセットしたときに、生化学解析用ユニット１によって、各貫通孔７が覆われるようなサイズおよび位置に形成されている。したがって、生化学解析用ユニットキャリア６には、最大で、１０枚の生化学解析用ユニット１を、２列×５行のマトリックス状にセットすることができる。
【０１９４】
図２に示されるように、生化学解析用ユニットキャリア６には、２つの位置合わせ用貫通孔６ａ、６ａが形成されている。
【０１９５】
各貫通孔７の一辺の近傍には、生化学解析用ユニット１の２つの位置合わせ用貫通孔５、５に対応する所定の位置に、２つの位置合わせ用ピン８、８が立設されており、各貫通孔７は、各貫通孔７の一辺の近傍に立設された２つの位置合わせ用ピン８、８が、生化学解析用ユニット１の基板２の形成された２つの位置合わせ用貫通孔５、５内に挿通されるように、生化学解析用ユニット１を、生化学解析用ユニットキャリア６にセットしたときに、生化学解析用ユニット１の基板２に形成されたすべての吸着性領域４が、各貫通孔７に対向し、かつ、生化学解析用ユニット１の基板２の四辺の周縁部が、生化学解析用ユニットキャリア６によって支持されるように、そのサイズおよび位置が選択されている。
【０１９６】
図３は、１０枚の生化学解析用ユニット１がセットされた生化学解析用ユニットキャリア６の略斜視図である。
【０１９７】
生化学解析にあたっては、生化学解析用ユニットキャリア６にセットされている生化学解析用ユニット１のそれぞれに規則的に形成された多数の吸着性領域４内に、たとえば、特異的結合物質として、塩基配列が既知の互いに異なった複数のｃＤＮＡが、スポッティング装置を使用して、滴下され、吸着性領域４内に固定される。
【０１９８】
図４は、スポッティング装置の略平面図である。
【０１９９】
図４に示されるように、スポッティング装置は、特異的結合物質の溶液を、生化学解析用ユニット１に向けて、噴射するインジェクタを備えたスポッティングヘッド９を備え、スポッティングヘッド９は、駆動機構により、図４において、矢印Ｘで示される主走査方向および矢印Ｙで示される副走査方向に移動可能に構成されている。
【０２００】
スポッティング装置の駆動機構は、特異的結合物質の溶液を滴下すべき生化学解析用ユニット１がセットされている生化学解析用ユニットキャリア６が載置される基板１０に固定されたフレーム１１に取り付けられている。
【０２０１】
図４に示されるように、フレーム１１上には、副走査パルスモータ１２と一対のレール１３、１３とが固定され、フレーム１１上には、さらに、一対のレール１３、１３に沿って、図２において、矢印Ｙで示された副走査方向に、移動可能な基板１４が設けられている。
【０２０２】
移動可能な基板１４には、ねじが切られた穴（図示せず）が形成されており、この穴内には、副走査パルスモータ１２によって回転されるねじが切られたロッド１５が係合している。
【０２０３】
移動可能な基板１４上には、主走査パルスモータ１６が設けられ、主走査パルスモータ１６は、エンドレスベルト１７を、所定のピッチで、間欠的に駆動可能に構成されている。
【０２０４】
スポッティング装置のスポッティングヘッド９は、エンドレスベルト１７に固定されており、主走査パルスモータ１６により、エンドレスベルト１７が駆動されると、図４において、矢印Ｘで示された主走査方向に移動されるように構成されている。
【０２０５】
図４において、１８は、スポッティングヘッド９の主走査方向における位置を検出するリニアエンコーダであり、１９は、リニアエンコーダ１８のスリットである。
【０２０６】
図４に示されるように、スポッティング装置の基板１０には、生化学解析用ユニットキャリア６に形成された２つの位置決め用の貫通孔６ａ、６ａに対応する位置に、２つの位置決めピン２０ａ、２０ｂが立設されており、スポッティング装置の基板１０に形成された２つの位置決めピン２０ａ、２０ｂが、対応する位置決め用貫通孔６ａ、６ａ内に挿通されるように、生化学解析用ユニットキャリア６を、スポッティング装置の基板１０上に載置することによって、つねに、生化学解析用ユニットキャリア６が、したがって、生化学解析用ユニットキャリア６にセットされている１０枚の生化学解析用ユニット１が、スポッティング装置の基板１０上のほぼ同じ位置に載置されるように保証されている。
【０２０７】
図５は、スポッティング装置の制御系、入力系、駆動系および検出系を示すブロックダイアグラムである。
【０２０８】
図５に示されるように、スポッティング装置の制御系は、スポッティング装置全体の動作を制御するコントロールユニット３０を備え、スポッティング装置の入力系は、キーボード３１を備えている。
【０２０９】
また、スポッティング装置の駆動系は、主走査パルスモータ１６および副走査パルスモータ１２を備え、スポッティング装置の検出系は、スポッティングヘッド９の主走査方向における位置を検出するリニアエンコーダ１８と、ロッド１５の回転量を検出するロータリーエンコーダ２１を備えている。
【０２１０】
以上のように構成されたスポッティング装置によって、以下のようにして、生化学解析用ユニットキャリア６にセットされている各生化学解析用ユニット１の基板２に形成された多数の吸着性領域４に、ｃＤＮＡなどの特異的結合物質の溶液が滴下される。
【０２１１】
まず、１０枚の生化学解析用ユニット１がセットされている生化学解析用ユニットキャリア６が、スポッティング装置の基板１０に形成された２つの位置決めピン２０ａ、２０ｂが、それぞれ、生化学解析用ユニット１の対応する２つの位置決め用の貫通孔６ａ、６ａ内に挿通されるように、スポッティング装置の基板１０上に載置される。
【０２１２】
次いで、生化学解析用ユニットキャリア６にセットされている１０枚の生化学解析用ユニット１の基板２に形成された吸着性領域４の位置に関する位置データが、キーボード３１に入力される。
【０２１３】
本実施態様においては、合計１０枚の生化学解析用ユニット１が生化学解析用ユニットキャリア６にセットされ、各生化学解析用ユニット１の基板２には、１９２００の約０．０７平方ミリメートルのサイズを有する吸着性領域が、約５０００個／平方センチメートルの密度で、形成されており、特異的結合物質の溶液は、各生化学解析用ユニット１の基板２に形成されたすべての吸着性領域４に、滴下されるように構成されているから、生化学解析用ユニットキャリア６にセットされた１０枚の生化学解析用ユニット１の基板２に形成されたすべての吸着性領域４の位置データが、キーボード３１に入力される。
【０２１４】
ここに、各生化学解析用ユニット１は、生化学解析用ユニットキャリア６に形成された対応する２つの位置合わせ用ピン８が、基板２に形成された２つの位置合わせ用貫通孔５、５内に挿通されるように、生化学解析用ユニットキャリア６にセットされ、位置合わせ用ピン８は、それぞれ、生化学解析用ユニットキャリア６の所定の位置に立設されており、さらに、生化学解析用ユニットキャリア６は、スポッティング装置の基板１０に形成された２つの位置決めピン２０ａ、２０ｂが、それぞれ、生化学解析用ユニット１の対応する２つの位置決め用の貫通孔５、５内に挿通されるように、スポッティング装置の基板１０上に載置されるように構成されているから、各生化学解析用ユニット１の基板２に形成された吸着性領域４の数、パターンが一定であれば、つねに、同一の位置データを用いることができる。
【０２１５】
キーボード３１に入力された位置データは、コントロールユニット３０に入力され、コントロールユニット３０は、位置データを受けると、各生化学解析用ユニット１の基板２に形成された吸着性領域４のそれぞれの位置に、スポッティングヘッド９を移動させるために、主走査パルスモータ１６および副走査パルスモータ１２に与えるべき駆動パルスを算出し、駆動パルスデータを、メモリ（図示せず）に記憶する。
【０２１６】
特異的結合物質の溶液を滴下すべき吸着性領域４のそれぞれの位置に、スポッティングヘッド９を移動させるために、主走査パルスモータ１６および副走査パルスモータ１２に与えるべき駆動パルスが算出され、駆動パルスデータがメモリに記憶されると、コントロールユニット３０は、メモリに記憶された駆動パルスデータに基づき、主走査パルスモータ１６および副走査パルスモータ１２に所定の駆動パルスを与えて、スポッティングヘッド９を間欠的に移動させ、スポッティングヘッド９が、特異的結合物質の溶液を滴下すべき吸着性領域４の位置に達した時点で、主走査パルスモータ１６および副走査パルスモータ１２に駆動停止信号を出力して、スポッティングヘッド９を停止させ、スポッティングヘッド９に滴下信号を出力して、スポッティングヘッド９のインジェクタから、特異的結合物質の溶液を噴射させる。
【０２１７】
こうして、各生化学解析用ユニット１の多数の吸着性領域４に、特異的結合物質の溶液が滴下されると、生化学解析用ユニットキャリア６は、ユーザーによって、スポッティング装置から取り出される。
【０２１８】
次いで、こうして、生化学解析用ユニットキャリア６にセットされている生化学解析用ユニット１の基板２に形成された多数の吸着性領域４に固定されたｃＤＮＡなどの特異的結合物質に、標識物質によって標識された生体由来の物質が、選択的に、ハイブリダイズされる。
【０２１９】
図６は、本発明の好ましい実施態様にかかる生化学解析システムの略平面図である。
【０２２０】
図６に示されるように、本実施態様にかかる生化学解析システムは、生化学解析用ユニットキャリア６にセットされている１０枚の生化学解析用ユニット１の多数の吸着性領域４に固定された特異的結合物質に、標識物質によって標識された生体由来の物質を、選択的に、ハイブリダイズさせるハイブリダイゼーション反応装置３５と、生化学解析用ユニットキャリア６にセットされている１０枚の生化学解析用ユニット１の多数の吸着性領域４に選択的に含まれている放射性標識物質によって、後述する蓄積性蛍光体シートキャリアにセットされた１０枚の蓄積性蛍光体シートの多数の輝尽性蛍光体層領域に含まれている輝尽性蛍光体を露光する露光装置３６と、蓄積性蛍光体シートキャリアにセットされた１０枚の蓄積性蛍光体シートの多数の輝尽性蛍光体層領域に記録された放射線データを読み取って、生化学解析用データを生成する第１のスキャナ装置３７と、生化学解析用ユニットキャリア６にセットされている１０枚の生化学解析用ユニット１の多数の吸着性領域４に記録されている蛍光データを読み取って、生化学解析用データを生成する第２のスキャナ装置３８と、生化学解析用ユニットキャリア６にセットされている１０枚の生化学解析用ユニット１の多数の吸着性領域４に記録されている化学発光データを読み取って、生化学解析用データを生成するデータ読み取り装置３９と、１０枚の蓄積性蛍光体シートが固定された蓄積性蛍光体シートキャリアを回収する蓄積性蛍光体シートキャリア回収ボックス４０と、１０枚の生化学解析用ユニット１がセットされた生化学解析用ユニットキャリア６を回収する生化学解析用ユニットキャリア回収ボックス４１を備えている。
【０２２１】
本実施態様においては、ハイブリダイゼーション反応装置３５にセットされた１０枚の生化学解析用ユニット１を保持している生化学解析用ユニットキャリア６は、搬送手段（図示せず）によって、ハイブリダイゼーション反応装置３５から、露光装置３６に受け渡され、露光装置３６から、第１のスキャナ装置３７、第２のスキャナ装置３８あるいはデータ読み取り装置３９に受け渡され、さらに、生化学解析用ユニットキャリア回収ボックス４１に送られるように構成され、一方、露光装置３６にセットされた１０枚の蓄積性蛍光体シートを保持している蓄積性蛍光体シートキャリアは、搬送手段（図示せず）によって、露光装置３６から、第１のスキャナ装置３７に受け渡され、さらに、蓄積性蛍光体シートキャリア回収ボックス４０内に送られるように、構成されている。
【０２２２】
図７は、生化学解析システムの制御系および表示系を示すブロックダイアグラムである。
【０２２３】
図７に示されるように、生化学解析システムの制御系は、生化学解析システム全体の動作を制御するコントロールユニット４５と、メモリ４６と、生化学解析用データを記憶するデータ記憶手段４７と、データ記憶手段４７に記憶された生化学解析用データに、データ処理を施すデータ処理手段４８と、データ記憶手段４７に記憶された生化学解析用データに基づいて、可視データを生成するデータ表示手段４９を備えている。
【０２２４】
図７に示されるように、生化学解析システムの入力系は、キーボード５０を備え、生化学解析システムの表示系は、液晶ディスプレイパネルや有機ＥＬディスプレイパネルなどによって構成された表示パネル５１と、可視データを表示するＣＲＴ５２を備えている。
【０２２５】
図８は、本発明の好ましい実施態様にかかる生化学解析システムを構成するハイブリダイゼーション反応装置３５の略斜視図である。
【０２２６】
図８に示されるように、ハイブリダイゼーション反応装置３５は、断面Ｌ字状のハウジング５５を備え、鉛直方向に延びる上方ハウジング部５６の上面には、第１の溶液ボトル５７ａ、第２の溶液ボトル５７ｂ、第３の溶液ボトル５７ｃおよび第４の溶液ボトル５７ｄが着脱可能に取り付けられている。
【０２２７】
本実施態様においては、第１の溶液ボトル５７ａは、前処理液を収容し、第２の溶液ボトル５７ｂおよび第３の溶液ボトル５７ｃは、ハイブリダイゼーションバッファを収容するように構成され、他方、第４の溶液ボトル５７ｄは、洗浄溶液を収容するように構成されている。
【０２２８】
図８において、前方に延びる下方ハウジング部５８には、一対のアーム５９、５９の一端部が、軸まわりに揺動可能に取り付けられ、一対のアーム５９、５９の他端部は、生化学解析用ユニット収容部材６０の両側面に固定されている。
【０２２９】
一対のアーム５９、５９が取り付けられた軸には、捩りスプリング（図示せず）が取り付けられており、一対のアーム５９、５９は、上方ハウジング部５６の前面に向けて、付勢されている。
【０２３０】
図８に示されるように、第１の溶液ボトル５７ａ、第２の溶液ボトル５７ｂ、第３の溶液ボトル５７ｃおよび第４の溶液ボトル５７ｄには、それぞれ、第１の溶液注入チューブ６１ａ、第２の溶液注入チューブ６１ｂ、第３の溶液注入チューブ６１ｃおよび第４の溶液注入チューブ６１ｄが着脱可能に取り付けられており、第１の溶液注入チューブ６１ａ、第２の溶液注入チューブ６１ｂ、第３の溶液注入チューブ６１ｃおよび第４の溶液注入チューブ６１ｄは、上方ハウジング部５６内を通って、生化学解析用ユニット収容部材６０に形成された第１の溶液注入部（図示せず）、第２の溶液注入部（図示せず）、第３の溶液注入部（図示せず）および第４の溶液注入部（図示せず）に接続されている。
【０２３１】
第１の溶液ボトル５７ａ、第２の溶液ボトル５７ｂ、第３の溶液ボトル５７ｃおよび第４の溶液ボトル５７ｄ内に収容された溶液は、それぞれ、下方ハウジング部５８の内部に設けられたポンプ（図示せず）によって、第１の溶液注入チューブ６１ａ、第２の溶液注入チューブ６１ｂ、第３の溶液注入チューブ６１ｃおよび第４の溶液注入チューブ６１ｄを通って、生化学解析用ユニット収容部材６０に形成された第１の溶液注入部（図示せず）、第２の溶液注入部（図示せず）、第３の溶液注入部（図示せず）および第４の溶液注入部（図示せず）に供給されるように構成されており、第１の溶液注入チューブ６１ａ、第２の溶液注入チューブ６１ｂ、第３の溶液注入チューブ６１ｃおよび第４の溶液注入チューブ６１ｄには、それぞれ、第１のバルブ（図示せず）および第１の切り換えバルブ（図示せず）、第２のバルブ（図示せず）および第２の切り換えバルブ（図示せず）、第３のバルブ（図示せず）および第３の切り換えバルブ（図示せず）ならびに第４バルブ（図示せず）および第４の切り換えバルブ（図示せず）が設けられている。
【０２３２】
図８に示されるように、下方ハウジング部５８に形成された一対の開口部６３ａ、６３ａ内には、それぞれ、生化学解析用ユニットキャリア６を搬送する搬送ベルト６３、６３が設けられている。
【０２３３】
図８に示されるように、下方ハウジング部５８の頂板には、１０個の貫通孔６４ａ、６４ｂ、６４ｃ、６４ｄ、６４ｅ、６４ｆ、６４ｇ、６４ｈ、６４ｉ、６４ｊが、生化学解析用ユニットキャリア６に形成された貫通孔７と同一のパターンで、２列×５行のマトリックス状に形成されており、各貫通孔６４ａ、６４ｂ、６４ｃ、６４ｄ、６４ｅ、６４ｆ、６４ｇ、６４ｈ、６４ｉ、６４ｊは、それぞれ、生化学解析用ユニットキャリア６に形成された貫通孔７よりも小さいサイズを有している。
【０２３４】
図９は、下方ハウジング部５８の頂板に形成された貫通孔６４ａ、６４ｂ、６４ｃ、６４ｄ、６４ｅ、６４ｆ、６４ｇ、６４ｈ、６４ｉ、６４ｊの近傍の詳細を示す略斜視図である。
【０２３５】
図９に示されるように、各貫通孔６４ａ、６４ｂ、６４ｃ、６４ｄ、６４ｅ、６４ｆ、６４ｇ、６４ｈ、６４ｉ、６４ｊは、下方ハウジング部５８の頂板に立設された横断面が略矩形状の枠部材６５ａ、６５ｂ、６５ｃ、６５ｄ、６５ｅ、６５ｆ、６５ｇ、６５ｈ、６５ｉ、６５ｊ内に形成されており、枠部材６５ａ、６５ｂ、６５ｃ、６５ｄ、６５ｅ、６５ｆ、６５ｇ、６５ｈ、６５ｉ、６５ｊの側壁上端部には、Ｏリングなどよりなるシール部材６６ａ、６６ｂ、６６ｃ、６６ｄ、６６ｅ、６６ｆ、６６ｇ、６６ｈ、６６ｉ、６６ｊが形成されている。
【０２３６】
ここに、生化学解析用ユニット１がセットされた生化学解析用ユニットキャリア６が、ハイブリダイゼーション反応装置３５にセットされ、生化学解析用ユニット収容部材６０が後述する反応位置に位置したときに、各枠部材６５ａ、６５ｂ、６５ｃ、６５ｄ、６５ｅ、６５ｆ、６５ｇ、６５ｈ、６５ｉ、６５ｊが、生化学解析用ユニットキャリア６に形成された対応する貫通孔７内に位置して、枠部材６５ａ、６５ｂ、６５ｃ、６５ｄ、６５ｅ、６５ｆ、６５ｇ、６５ｈ、６５ｉ、６５ｊの側壁上端部に形成されたシール部材６６ａ、６６ｂ、６６ｃ、６６ｄ、６６ｅ、６６ｆ、６６ｇ、６６ｈ、６６ｉ、６６ｊが、対応する生化学解析用ユニット１の基板２に当接し、生化学解析用ユニットキャリア６にセットされている各生化学解析用ユニット１に形成された多数の吸着性領域４が、対応する貫通孔６４ａ、６４ｂ、６４ｃ、６４ｄ、６４ｅ、６４ｆ、６４ｇ、６４ｈ、６４ｉ、６４ｊ内に位置するように、各枠部材６５ａ、６５ｂ、６５ｃ、６５ｄ、６５ｅ、６５ｆ、６５ｇ、６５ｈ、６５ｉ、６５ｊ、各シール部材６６ａ、６６ｂ、６６ｃ、６６ｄ、６６ｅ、６６ｆ、６６ｇ、６６ｈ、６６ｉ、６６ｊおよび各貫通孔６４ａ、６４ｂ、６４ｃ、６４ｄ、６４ｅ、６４ｆ、６４ｇ、６４ｈ、６４ｉ、６４ｊが、下方ハウジング部５８の頂板に形成されている。
【０２３７】
一対の搬送ベルト６３、６３は、通常は、下方ハウジング部５８の頂板に立設された枠部材６５ａ、６５ｂ、６５ｃ、６５ｄ、６５ｅ、６５ｆ、６５ｇ、６５ｈ、６５ｉ、６５ｊの側壁上端部に形成されているシール部材６６ａ、６６ｂ、６６ｃ、６６ｄ、６６ｅ、６６ｆ、６６ｇ、６６ｈ、６６ｉ、６６ｊの頂部よりも、上方に位置するように、設けられている。
【０２３８】
図１０は、生化学解析用ユニット収容部材６０の略斜視図である。
【０２３９】
図１０に示されるように、生化学解析用ユニット収容部材６０は、略矩形状をなし、生化学解析用ユニットキャリア６にセットされた１０枚の生化学解析用ユニット１を収容可能な１０個の凹部６８が、２列×５行のマトリックス状に形成されている。
【０２４０】
生化学解析用ユニット収容部材６０に形成された凹部６８内には、それぞれ、貫通孔６９ａ、６９ｂ、６９ｃ、６９ｄ、６９ｅ、６９ｆ、６９ｇ、６９ｈ、６９ｉ、６９ｊが形成されており、貫通孔６９ａ、６９ｂ、６９ｃ、６９ｄ、６９ｅ、６９ｆ、６９ｇ、６９ｈ、６９ｉ、６９ｊは、それぞれ、生化学解析用ユニットキャリア６に形成された貫通孔７と同じサイズを有し、生化学解析用ユニットキャリア６に形成された貫通孔７を同じパターンによって、生化学解析用ユニット収容部材６０に形成されている。
【０２４１】
１０個の貫通孔６９ａ、６９ｂ、６９ｃ、６９ｄ、６９ｅ、６９ｆ、６９ｇ、６９ｈ、６９ｉ、６９ｊは、アーム５９、５９が揺動されて、生化学解析用ユニット収容部材６０が、ハイブリダイゼーション反応装置３５にセットされた生化学解析用ユニットキャリア６に当接して、搬送ベルト６３、６３を、下方ハウジング部５８の開口部６３ａ、６３ａ内に位置するまで、押し下げ、生化学解析用ユニットキャリア６を押圧する反応位置に位置したときに、それぞれが、生化学解析用ユニットキャリア６にセットされた生化学解析用ユニット１を介して、下方ハウジング部５８の頂板に形成された貫通孔６４ａ、６４ｂ、６４ｃ、６４ｄ、６４ｅ、６４ｆ、６４ｇ、６４ｈ、６４ｉ、６４ｊの１つに対向するように、生化学解析用ユニット収容部材６０に形成されている。
【０２４２】
したがって、生化学解析用ユニットキャリア６を、生化学解析用ユニットキャリア６に形成された貫通孔７が、それぞれ、下方ハウジング部５８の頂板に形成された貫通孔６４ａ、６４ｂ、６４ｃ、６４ｄ、６４ｅ、６４ｆ、６４ｇ、６４ｈ、６４ｉ、６４ｊに対向するように位置させた状態で、アーム５９、５９を、軸まわりに揺動させて、生化学解析用ユニット収容部材６０を反応位置に位置させることによって、生化学解析用ユニットキャリア６にセットされた生化学解析用ユニット１を、それぞれ、生化学解析用ユニット収容部材６０に形成された対応する凹部６８内に収容し、生化学解析用ユニット収容部材６０に形成された各貫通孔６９ａ、６９ｂ、６９ｃ、６９ｄ、６９ｅ、６９ｆ、６９ｇ、６９ｈ、６９ｉ、６９ｊと、下方ハウジング部５８の頂板に形成された対応する貫通孔６４ａ、６４ｂ、６４ｃ、６４ｄ、６４ｅ、６４ｆ、６４ｇ、６４ｈ、６４ｉ、６４ｊとを、対応する生化学解析用ユニット１を介して、対向させるとともに、生化学解析用ユニットキャリア６にセットされた各生化学解析用ユニット１に、枠部材６５ａ、６５ｂ、６５ｃ、６５ｄ、６５ｅ、６５ｆ、６５ｇ、６５ｈ、６５ｉ、６５ｊの側壁上端部に形成されている対応するシール部材６６ａ、６６ｂ、６６ｃ、６６ｄ、６６ｅ、６６ｆ、６６ｇ、６６ｈ、６６ｉ、６６ｊを当接させて、生化学解析用ユニットキャリア６に形成された各貫通孔７と、下方ハウジング部５８の頂板に形成された対応する貫通孔６４ａ、６４ｂ、６４ｃ、６４ｄ、６４ｅ、６４ｆ、６４ｇ、６４ｈ、６４ｉ、６４ｊとの間をシールすることができる。
【０２４３】
また、生化学解析用ユニット収容部材６０に形成された各凹部６８内には、バーコードリーダー（図示せず）が設けられている。
【０２４４】
生化学解析用ユニット収容部材６０には、生化学解析用ユニット収容部材６０によって、生化学解析用ユニットキャリア６を押圧したときに、下方ハウジング部５８の頂板に形成された係止部（図示せず）に自動的に係合して、生化学解析用ユニット収容部材６０を下方ハウジング部５８の頂板に密着した状態に保持する係止部材６０ａが形成されている。
【０２４５】
下方ハウジング部５８の頂板に形成された１０個の貫通孔６４ａ、６４ｂ、６４ｃ、６４ｄ、６４ｅ、６４ｆ、６４ｇ、６４ｈ、６４ｉ、６４ｊは、溶液排出チューブ（図示せず）に接続され、溶液排出チューブは、４本の分岐チューブ（図示せず）に分岐し、各分岐チューブは、それぞれ、上方ハウジング部５６内に延び、第１の溶液注入チューブ６１ａに設けられた第１の切り換えバルブ（図示せず）、第２の溶液注入チューブ６１ｂに設けられた第２の切り換えバルブ（図示せず）、第３の溶液注入チューブ６１ｃに設けられた第３の切り換えバルブ（図示せず）および第４の溶液注入チューブ６１ｄに設けられた第４の切り換えバルブ（図示せず）に接続されている。
【０２４６】
４本の分岐チューブは、さらに、１本の溶液排出チューブ（図示せず）に合流され、溶液排出チューブ（図示せず）は、下方ハウジング部５８の外部で、第１の溶液排出チューブ７０ａと第２の溶液排出チューブ７０ｂに分岐している。
【０２４７】
第１の溶液排出チューブ７０ａは、第１の溶液排出バルブ７１ａを介して、第１の溶液回収タンク７２ａに接続され、第２の溶液排出チューブ７０ｂは、第２の溶液排出バルブ７１ｂを介して、第２の溶液回収タンク７２ｂに接続されている。
【０２４８】
本実施態様において、第１の溶液回収タンク７２ａは、放射性標識物質の濃度が高い溶液を回収し、第２の溶液回収タンク７２ｂは、放射性標識物質の濃度の低い溶液を回収するように構成されている。
【０２４９】
図１１は、生化学解析用ユニット収容部材６０が反応位置に移動されて、生化学解析用ユニット収容部材６０の係止部材６０ａが下方ハウジング部５８の頂板に形成された係止部に係合した状態における生化学解析用ユニット収容部材６０と、下方ハウジング部５８の頂板内に形成された溶液の流路を示す一部切り欠き略断面図である。
【０２５０】
図１１に示されるように、第１の溶液注入部６２ａ、第２の溶液注入部６２ｂ、第３の溶液注入部６２ｃおよび第４の溶液注入部６２ｄは、単一の溶液供給流路７３に連通しており、溶液供給流路７３は、第１の溶液供給流路７３ａと第２の溶液供給流路に分岐している（図１１においては、第１の溶液供給流路７３ａのみが図示されている。）
図１１に示されるように、生化学解析用ユニットキャリア６にセットされている１０枚の生化学解析用ユニット１に対応して、第１の溶液供給流路７３ａは、５つに分岐され、第２の溶液供給流路も、５つに分岐されて、それぞれ、生化学解析用ユニットキャリア６にセットされた生化学解析用ユニット１に対向する生化学解析用ユニット収容部材６０の貫通孔６９ａ、６９ｂ、６９ｃ、６９ｄ、６９ｅ、６９ｆ、６９ｇ、６９ｈ、６９ｉ、６９ｊの１つに連通している（図１１においては、貫通孔６９ａ、６９ｂ、６９ｃ、６９ｄ、６９ｅのみが図示されている。）。
【０２５１】
図１１に示されるように、生化学解析用ユニット収容部材６０に形成された貫通孔６９ａ、６９ｂ、６９ｃ、６９ｄ、６９ｅ、６９ｆ、６９ｇ、６９ｈ、６９ｉ、６９ｊは、それぞれ、生化学解析用ユニットキャリア６にセットされている１０枚の生化学解析用ユニット１の吸着性領域４が形成された部分を介して、生化学解析用ユニットキャリア６に形成された貫通孔７内に位置している下方ハウジング部５８の枠部材６５ａ、６５ｂ、６５ｃ、６５ｄ、６５ｅ、６５ｆ、６５ｇ、６５ｈ、６５ｉ、６５ｊに形成された対応する貫通孔６４ａ、６４ｂ、６４ｃ、６４ｄ、６４ｅ、６４ｆ、６４ｇ、６４ｈ、６４ｉ、６４ｊに対向している。
【０２５２】
一方、図１１に示されるように、生化学解析用ユニットキャリア６にセットされている１０枚の生化学解析用ユニット１の吸着性領域４を介して、生化学解析用ユニット収容部材６０に形成された貫通孔６９ａ、６９ｂ、６９ｃ、６９ｄ、６９ｅに対向する下方ハウジング部５８の貫通孔６４ａ、６４ｂ、６４ｃ、６４ｄ、６４ｅは、それぞれ、第１の溶液排出流路７４ａに連通し、他方、生化学解析用ユニット１を介して、生化学解析用ユニット収容部材６０に形成された貫通孔６９ｆ、６９ｇ、６９ｈ、６９ｉ、６９ｊに対向する下方ハウジング部５８の貫通孔６４ｆ、６４ｇ、６４ｈ、６４ｉ、６４ｊは、それぞれ、第２の溶液排出流路に連通している（図１１においては、貫通孔６９ａ、６９ｂ、６９ｃ、６９ｄ、６９ｅ、貫通孔６４ａ、６４ｂ、６４ｃ、６４ｄ、６４ｅおよび第１の溶液排出流路７４ａのみが図示されている。）。
【０２５３】
第１の溶液排出流路７４ａおよび第２の溶液排出流路は、溶液排出チューブ７０に接続され、図８に示されるように、溶液排出チューブ７０は、下方ハウジング部５８の外部で、第１の溶液排出チューブ７０ａと第２の溶液排出チューブ７０ｂに分岐している。
【０２５４】
図１２は、第１の溶液注入チューブ６１ａ、第２の溶液注入チューブ６１ｂ、第３の溶液注入チューブ６１ｃおよび第４の溶液注入チューブ６１ｄ、溶液排出チューブ７０、分岐チューブ、第１の溶液排出チューブ７０ａおよび第２の溶液排出チューブ７０ｂ、第１のバルブ、第２のバルブ、第３のバルブおよび第４のバルブならびに第１の切り換えバルブ、第２の切り換えバルブ、第３の切り換えバルブおよび第４の切り換えバルブの接続関係を示す配管図である。
【０２５５】
図１２に示されるように、第１の溶液注入チューブ６１ａには、第１の溶液ボトル５７ａと、第１の溶液注入部６２ａとを連通させる第一の位置と、第１の溶液注入部６２ａと、大気とを連通させる第二の位置と、第１の溶液ボトル５７ａおよび大気と、第１の溶液注入部６２ａとの連通を遮断させる第三の位置を、選択的に取ることができるように構成された第１のバルブ７５ａが設けられ、第１のバルブ７５ａと第１の溶液注入部６２ａとの間の第１の溶液注入チューブ６１ａには、四方切り換えバルブによって構成された第１の切り換えバルブ７６ａが設けられている。
【０２５６】
ここに、第１の切り換えバルブ７６ａは、第１の切り換えバルブ７６ａの上流側の第１の溶液注入チューブ６１ａと、第１の切り換えバルブ７６ａの下流側の第１の溶液注入チューブ６１ａとを連通させるとともに、第１の切り換えバルブ７６ａの上流側の第１の分岐チューブ７７ａと、第１の切り換えバルブ７６ａの下流側の第１の分岐チューブ７７ａとを連通させる第一の位置と、第１の切り換えバルブ７６ａの上流側の第１の分岐チューブ７７ａと、第１の切り換えバルブ７６ａの下流側の第１の溶液注入チューブ６１ａとを連通させるとともに、第１の切り換えバルブ７６ａの上流側の第１の溶液注入チューブ６１ａと、第１の切り換えバルブ７６ａの下流側の第１の分岐チューブ７７ａとを連通させる第二の位置を取ることができるように構成され、第１の切り換えバルブ７６ａが、第二の位置に位置しているときに、第１の切り換えバルブ７６ａの下流側の第１の溶液注入チューブ６１ａ、第１の溶液注入部６２ａ、溶液供給流路７３、第１の溶液供給流路７３ａ、生化学解析用ユニット収容部材６０に形成された貫通孔６９ａ、６９ｂ、６９ｃ、６９ｄ、６９ｅ、下方ハウジング部の頂板に形成された貫通孔６４ａ、６４ｂ、６４ｃ、６４ｄ、６４ｅ、溶液排出チューブ７０および第１の切り換えバルブ７６ａの上流側の第１の分岐チューブ７７ａによって、溶液循環流路が形成されるとともに、第１の切り換えバルブ７６ａの下流側の第１の溶液注入チューブ６１ａ、第１の溶液注入部６２ａ、溶液供給流路７３、第２の溶液供給流路、生化学解析用ユニット収容部材６０に形成された貫通孔６９ｆ、６９ｇ、６９ｈ、６９ｉ、６９ｊ、下方ハウジング部の頂板に形成された貫通孔６４ｆ、６４ｇ、６４ｈ、６４ｉ、６４ｊ、溶液排出チューブ７０ならびに第１の切り換えバルブ７６ａの上流側の第１の分岐チューブ７７ａによって、溶液循環流路が形成されるように構成されている。
【０２５７】
図１２に示されるように、第２の溶液注入チューブ６１ｂには、第２の溶液ボトル５７ｂと、第２の溶液注入部６２ｂとを連通させる第一の位置と、第２の溶液注入部６２ｂと、大気とを連通させる第二の位置と、第２の溶液ボトル５７ｂおよび大気と、第２の溶液注入部６２ｂとの連通を遮断させる第三の位置を、選択的に取ることができるように構成された第２のバルブ７５ｂが設けられ、第２のバルブ７５ｂと第２の溶液注入部６２ｂとの間の第２の溶液注入チューブ６１ｂには、四方切り換えバルブによって構成された第２の切り換えバルブ７６ｂが設けられている。
【０２５８】
第２の切り換えバルブ７６ｂも、第１の切り換えバルブ７６ａと同様に、第２の切り換えバルブ７６ｂの上流側の第２の溶液注入チューブ６１ｂと、第２の切り換えバルブ７６ｂの下流側の第２の溶液注入チューブ６１ｂとを連通させるとともに、第２の切り換えバルブ７６ｂの上流側の第２の分岐チューブ７７ｂと、第２の切り換えバルブ７６ｂの下流側の第２の分岐チューブ７７ｂとを連通させる第一の位置と、第２の切り換えバルブ７６ｂの上流側の第２の分岐チューブ７７ｂと、第２の切り換えバルブ７６ｂの下流側の第２の溶液注入チューブ６１ｂとを連通させるとともに、第２の切り換えバルブ７６ｂの上流側の第２の溶液注入チューブ６１ｂと、第２の切り換えバルブ７６ｂの下流側の第２の分岐チューブ７７ｂとを連通させる第二の位置を取ることができるように構成され、第２の切り換えバルブ７６ｂが、第二の位置に位置しているときに、第２の切り換えバルブ７６ｂの下流側の第２の溶液注入チューブ６１ｂ、第２の溶液注入部６２ｂ、溶液供給流路７３、第１の溶液供給流路７３ａ、生化学解析用ユニット収容部材６０に形成された貫通孔６９ａ、６９ｂ、６９ｃ、６９ｄ、６９ｅ、下方ハウジング部５８の頂板に形成された貫通孔６４ａ、６４ｂ、６４ｃ、６４ｄ、６４ｅ、溶液排出チューブ７０および第２の切り換えバルブ７６ｂの上流側の第２の分岐チューブ７７ｂによって、溶液循環流路が形成されるとともに、第２の切り換えバルブ７６ｂの下流側の第２の溶液注入チューブ６１ｂ、第２の溶液注入部６２ｂ、溶液供給流路７３、第２の溶液供給流路、生化学解析用ユニット収容部材６０に形成された貫通孔６９ｆ、６９ｇ、６９ｈ、６９ｉ、６９ｊ、下方ハウジング部５８の頂板に形成された貫通孔６４ｆ、６４ｇ、６４ｈ、６４ｉ、６４ｊ、溶液排出チューブ７０ならびに第２の切り換えバルブ７６ｂの上流側の第２の分岐チューブ７７ｂによって、溶液循環流路が形成されるように構成されている。
【０２５９】
図１２に示されるように、第３の溶液注入チューブ６１ｃには、第３の溶液ボトル５７ｃと、第３の溶液注入部６２ｃとを連通させる第一の位置と、第３の溶液注入部６２ｃと、大気とを連通させる第二の位置と、第３の溶液ボトル５７ｃおよび大気と、第３の溶液注入部６２ｃとの連通を遮断させる第三の位置を、選択的に取ることができるように構成された第３のバルブ７５ｃが設けられ、第３のバルブ７５ｃと第３の溶液注入部６２ｃとの間の第３の溶液注入チューブ６１ｃには、四方切り換えバルブによって構成された第３の切り換えバルブ７６ｃが設けられている。
【０２６０】
第３の切り換えバルブ７６ｃも、第１の切り換えバルブ７６ａと同様に、第３の切り換えバルブ７６ｃの上流側の第３の溶液注入チューブ６１ｃと、第３の切り換えバルブ７６ｃの下流側の第３の溶液注入チューブ６１ｃとを連通させるとともに、第３の切り換えバルブ７６ｃの上流側の第３の分岐チューブ７７ｃと、第３の切り換えバルブ７６ｃの下流側の第３の分岐チューブ７７ｃとを連通させる第一の位置と、第３の切り換えバルブ７６ｃの上流側の第３の分岐チューブ７７ｃと、第３の切り換えバルブ７６ｃの下流側の第３の溶液注入チューブ６１ｃとを連通させるとともに、第３の切り換えバルブ７６ｃの上流側の第３の溶液注入チューブ６１ｃと、第３の切り換えバルブ７６ｃの下流側の第３の分岐チューブ７７ｃとを連通させる第二の位置を取ることができるように構成され、第３の切り換えバルブ７６ｃが、第二の位置に位置しているときに、第３の切り換えバルブ７６ｃの下流側の第３の溶液注入チューブ６１ｃ、第３の溶液注入部６２ｃ、溶液供給流路７３、第１の溶液供給流路７３ａ、生化学解析用ユニット収容部材６０に形成された貫通孔６９ａ、６９ｂ、６９ｃ、６９ｄ、６９ｅ、下方ハウジング部５８の頂板に形成された貫通孔６４ａ、６４ｂ、６４ｃ、６４ｄ、６４ｅ、溶液排出チューブ７０および第３の切り換えバルブ７６ｃの上流側の第２の分岐チューブ７７ｃによって、溶液循環流路が形成されるとともに、第３の切り換えバルブ７６ｃの下流側の第３の溶液注入チューブ６１ｃ、第３の溶液注入部６２ｃ、溶液供給流路７３、第２の溶液供給流路、生化学解析用ユニット収容部材６０に形成された貫通孔６９ｆ、６９ｇ、６９ｈ、６９ｉ、６９ｊ、下方ハウジング部５８の頂板に形成された貫通孔６４ｆ、６４ｇ、６４ｈ、６４ｉ、６４ｊ、溶液排出チューブ７０ならびに第３の切り換えバルブ７６ｃの上流側の第３の分岐チューブ７７ｃによって、溶液循環流路が形成されるように構成されている。
【０２６１】
図１２に示されるように、第４の溶液注入チューブ６１ｄには、第４の溶液ボトル５７ｄと、第４の溶液注入部６２ｄとを連通させる第一の位置と、第４の溶液注入部６２ｄと、大気とを連通させる第二の位置と、第４の溶液ボトル５７ｄおよび大気と、第４の溶液注入部６２ｄとの連通を遮断させる第三の位置を、選択的に取ることができるように構成された第４のバルブ７５ｄが設けられ、第４のバルブ７５ｄと第４の溶液注入部６２ｄとの間の第４の溶液注入チューブ６１ｄには、四方切り換えバルブによって構成された第４の切り換えバルブ７６ｄが設けられている。
【０２６２】
第４の切り換えバルブ７６ｄも、第１の切り換えバルブ７６ａと同様に、第４の切り換えバルブ７６ｄの上流側の第４の溶液注入チューブ６１ｄと、第４の切り換えバルブ７６ｄの下流側の第４の溶液注入チューブ６１ｄとを連通させるとともに、第４の切り換えバルブ７６ｄの上流側の第４の分岐チューブ７７ｄと、第４の切り換えバルブ７６ｄの下流側の第４の分岐チューブ７７ｄとを連通させる第一の位置と、第４の切り換えバルブ７６ｄの上流側の第４の分岐チューブ７７ｄと、第４の切り換えバルブ７６ｄの下流側の第４の溶液注入チューブ６１ｄとを連通させるとともに、第４の切り換えバルブ７６ｄの上流側の第４の溶液注入チューブ６１ｄと、第４の切り換えバルブ７６ｄの下流側の第４の分岐チューブ７７ｄとを連通させる第二の位置を取ることができるように構成され、第４の切り換えバルブ７６ｄが、第二の位置に位置しているときに、第４の切り換えバルブ７６ｄの下流側の第４の溶液注入チューブ６１ｄ、第４の溶液注入部６２ｄ、溶液供給流路７３、第１の溶液供給流路７３ａ、生化学解析用ユニット収容部材６０に形成された貫通孔６９ａ、６９ｂ、６９ｃ、６９ｄ、６９ｅ、下方ハウジング部５８の頂板に形成された貫通孔６４ａ、６４ｂ、６４ｃ、６４ｄ、６４ｅ、溶液排出チューブ７０および第４の切り換えバルブ７６ｄの上流側の第２の分岐チューブ７７ｄによって、溶液循環流路が形成されるとともに、第４の切り換えバルブ７６ｄの下流側の第４の溶液注入チューブ６１ｄ、第４の溶液注入部６２ｄ、溶液供給流路７３、第２の溶液供給流路、生化学解析用ユニット収容部材６０に形成された貫通孔６９ｆ、６９ｇ、６９ｈ、６９ｉ、６９ｊ、下方ハウジング部５８に形成された貫通孔６４ｆ、６４ｇ、６４ｈ、６４ｉ、６４ｊ、溶液排出チューブ７０ならびに第４の切り換えバルブ７６ｄの上流側の第４の分岐チューブ７７ｄによって、溶液循環流路が形成されるように構成されている。
【０２６３】
図１２に示されるように、第１の溶液排出流路７４ａおよび第２の溶液排出流路７４ｂの合流部と、第１の分岐チューブ７７ａ、第２の分岐チューブ７７ｂ、第３の分岐チューブ７７ｃおよび第４の分岐チューブ７７ｄの分岐部の間の溶液排出チューブ７０には、ポンプ７８が設けられている。
【０２６４】
図１３は、図８ないし図１２に示されたハイブリダイゼーション反応装置３５の制御系、駆動系および検出系のブロックダイアグラムである。
【０２６５】
図１３に示されるように、ハイブリダイゼーション反応装置３５の制御系は、ハイブリダイゼーション反応装置３５全体の動作を制御するコントロールユニット８０を備えている。
【０２６６】
ここに、コントロールユニット８０には、生化学解析システムのコントロールユニット４５から、種々の指示信号が入力されるように構成されている。
【０２６７】
図１３に示されるように、ハイブリダイゼーション反応装置３５の駆動系は、溶液排出チューブ７０に設けられたポンプ７８と、搬送ベルト６３、６３を駆動する搬送ベルトモータ８２と、第１の溶液注入チューブ６１ａに設けられた第１のバルブ７５ａを駆動する第１のバルブ駆動手段８３ａと、第２の溶液注入チューブ６１ｂに設けられた第２のバルブ７５ｂを駆動する第２のバルブ駆動手段８３ｂと、第３の溶液注入チューブ６１ｃに設けられた第３のバルブ７５ｃを駆動する第３のバルブ駆動手段８３ｃと、第４の溶液注入チューブ６１ｄに設けられた第４のバルブ７５ｄを駆動する第４のバルブ駆動手段８３ｄと、第１の溶液注入チューブ６１ａに設けられた第１の切り換えバルブ７６ａを駆動する第１の切り換えバルブ駆動手段８４ａと、第２の溶液注入チューブ６１ｂに設けられた第２の切り換えバルブ７６ｂを駆動する第２の切り換えバルブ駆動手段８４ｂと、第３の溶液注入チューブ６１ｃに設けられた第３の切り換えバルブ７６ｃを駆動する第３の切り換えバルブ駆動手段８４ｃと、第４の溶液注入チューブ６１ｄに設けられた第４の切り換えバルブ７６ｄを駆動する第４の切り換えバルブ駆動手段８４ｄと、第１の溶液排出バルブ７１ａを開閉する第１の溶液排出バルブ駆動手段８５ａと、第２の溶液排出バルブ７１ｂを開閉する第２の溶液排出バルブ駆動手段８５ｂと、生化学解析用ユニット収容部材６０の係止部材６０ａと下方ハウジング部５８の頂板に形成された係止部（図示せず）との係合を解除するソレノイド８６と、捩りスプリング（図示せず）のスプリング力に抗して、生化学解析用ユニット収容部材６０が、生化学解析用ユニットキャリア６に密着するように、一対のアーム５９、５９を揺動させるアームモータ８７を備えている。
【０２６８】
図１３に示されるように、ハイブリダイゼーション反応装置３５の検出系は、１０個のバーコードリーダー８９ａ、８９ｂ、８９ｃ、８９ｄ、８９ｅ、８９ｆ、８９ｇ、８９ｈ、８９ｉ、８９ｊを備えている。図１３においては、簡易化のため、１つのバーコードリーダー８９ａのみが描かれている。
【０２６９】
以上のように構成されたハイブリダイゼーション反応装置３５にあっては、以下のようにして、生化学解析用ユニットキャリア６にセットされている１０枚の生化学解析用ユニット１の基板２に形成されている吸着性領域４に含まれた特異的結合物質に、標識物質によって標識され、ハイブリダイゼーション溶液に含まれた生体由来の物質が、選択的に、ハイブリダイズされる。
【０２７０】
まず、前処理液が調製されて、第１の溶液ボトル５７ａ内に収容され、ハイブリダイゼーションバッファ調製されて、第２の溶液ボトル５７ｂおよび第３の溶液ボトル５７ｃに収容されるとともに、洗浄溶液が調製されて、第４の溶液ボトル５７ｄ内に収容される。
【０２７１】
さらに、ユーザーによって、プローブ溶液が調製されて、第３の溶液ボトル５７ｃに収容されているハイブリダイゼーションバッファに混合される。
【０２７２】
放射性標識物質によって、ｃＤＮＡなどの特異的結合物質を選択的に標識する場合には、放射性標識物質によって標識された生体由来の物質を含むプローブ溶液が調製されて、第３の溶液ボトル５７ｃに収容されているハイブリダイゼーションバッファに混合される。
【０２７３】
一方、蛍光色素などの蛍光物質によって、ｃＤＮＡなどの特異的結合物質を選択的に標識する場合には、蛍光色素などの蛍光物質によって標識された生体由来の物質を含むプローブ溶液が調製されされて、第３の溶液ボトル５７ｃに収容されているハイブリダイゼーションバッファに混合される。
【０２７４】
また、化学発光基質と接触させることによって化学発光を生じさせる酵素によって、ｃＤＮＡなどの特異的結合物質を選択的に標識する場合には、ジゴキシゲニンなどのハプテンによって標識された生体由来の物質を含むプローブ溶液あるいは化学発光基質と接触させることによって化学発光を生じさせる標識物質によって標識された生体由来の物質を含むプローブ溶液が調製されて、第３の溶液ボトル５７ｃに収容されているハイブリダイゼーションバッファに混合される。
【０２７５】
放射性標識物質によって標識された生体由来の物質、蛍光色素などの蛍光物質によって標識された生体由来の物質およびジゴキシゲニンなどのハプテンによって標識された生体由来の物質のうち、２以上の生体由来の物質およびを含むプローブ溶液を調製することもでき、本実施態様においては、放射性標識物質によって標識された生体由来の物質、蛍光物質によって標識された生体由来の物質およびジゴキシゲニンなどのハプテンによって標識された生体由来の物質を含むプローブ溶液が調製されて、第３の溶液ボトル５７ｃに収容されているハイブリダイゼーションバッファに混合される。
【０２７６】
本実施態様においては、蛍光物質として、５３２ｎｍの波長の励起光により、最も効率的に励起が可能なＣｙ３が選択されている。
【０２７７】
次いで、ユーザーによって、生化学解析システムのキーボード５０に、生化学解析用ユニット１の多数の吸着性領域４を、どのようにして、選択的に標識するかについての標識データが入力される。
【０２７８】
キーボード５０に入力された標識データは、コントロールユニット４５に出力され、コントロールユニット４５は、標識データを受けると、標識データを、メモリ４６に保存する。
【０２７９】
次いで、ユーザーにより、１０枚の生化学解析用ユニット１がセットされた生化学解析用ユニットキャリア６が、生化学解析用ユニットキャリア６に形成された各貫通孔７に、下方ハウジング部５８の頂板に形成された対応する貫通孔６４ａ、６４ｂ、６４ｃ、６４ｄ、６４ｅ、６４ｆ、６４ｇ、６４ｈ、６４ｉ、６４ｊを画定している枠部材６５ａ、６５ｂ、６５ｃ、６５ｄ、６５ｅ、６５ｆ、６５ｇ、６５ｈ、６５ｉ、６５ｊが対向するように、ハイブリダイゼーション反応装置３５の下方ハウジング部５８に設けられた一対の搬送ベルト６３、６３上の所定の位置に、セットされる。
【０２８０】
生化学解析用ユニットキャリア６が、搬送ベルト６３、６３上の所定の位置に、セットされると、ユーザーにより、生化学解析システムのキーボード５０に、生化学解析開始信号が入力される。
【０２８１】
キーボード５０に入力された生化学解析開始信号は、生化学解析システムのコントロールユニット４５に出力され、コントロールユニット４５から、ハイブリダイゼーション反応装置３５のコントロールユニット８０に転送される。
【０２８２】
ハイブリダイゼーション反応装置３５のコントロールユニット８０は、生化学解析開始信号を受けると、アームモータ８７に、駆動信号を出力して、捩りスプリング（図示せず）のスプリング力に抗して、生化学解析用ユニット収容部材６０に形成された係止部材６０ａが、ハイブリダイゼーション反応装置３５の下方ハウジング部５８の頂板に形成された係止部（図示せず）に自動的に係合するまで、一対のアーム５９、５９を、下方ハウジング部５８に固定された軸まわりに揺動させる。
【０２８３】
その結果、生化学解析用ユニット収容部材６０によって、生化学解析用ユニットキャリア６が押圧され、下方ハウジング部５８の頂板に立設された枠部材６５ａ、６５ｂ、６５ｃ、６５ｄ、６５ｅ、６５ｆ、６５ｇ、６５ｈ、６５ｉ、６５ｊの側壁上端部に形成されているシール部材６６ａ、６６ｂ、６６ｃ、６６ｄ、６６ｅ、６６ｆ、６６ｇ、６６ｈ、６６ｉ、６６ｊの頂部よりも、上方に位置している一対の搬送ベルト６３、６３が、下方ハウジング部５８の頂板に形成された開口部６３ａ、６３ａ内に、それぞれ、押し込まれて、生化学解析用ユニット収容部材６０が反応位置に達すると、生化学解析用ユニットキャリア６にセットされている１０枚の生化学解析用ユニット１が、それぞれ、生化学解析用ユニット収容部材６０に形成された対応する凹部６８内に収容され、生化学解析用ユニットキャリア６にセットされた各生化学解析用ユニット１に、枠部材６５ａ、６５ｂ、６５ｃ、６５ｄ、６５ｅ、６５ｆ、６５ｇ、６５ｈ、６５ｉ、６５ｊの側壁上端部に形成されている対応するシール部材６６ａ、６６ｂ、６６ｃ、６６ｄ、６６ｅ、６６ｆ、６６ｇ、６６ｈ、６６ｉ、６６ｊが当接して、生化学解析用ユニットキャリア６に形成された各貫通孔７と、下方ハウジング部５８の頂板に形成された対応する貫通孔６４ａ、６４ｂ、６４ｃ、６４ｄ、６４ｅ、６４ｆ、６４ｇ、６４ｈ、６４ｉ、６４ｊとの間がシールされ、係止部材６０ａが、下方ハウジング部５８の頂板に形成された係止部（図示せず）に自動的に係合することによって、生化学解析用ユニット収容部材６０と、生化学解析用ユニットキャリア６とが、この状態に保持される。
【０２８４】
こうして、生化学解析用ユニット収容部材６０が反応位置に移動され、生化学解析用ユニットキャリア６にセットされている１０枚の生化学解析用ユニット１が、それぞれ、生化学解析用ユニット収容部材６０に形成された対応する凹部６８内に収容されると、各凹部６８内に設けられたバーコードリーダー８９ａ、８９ｂ、８９ｃ、８９ｄ、８９ｅ、８９ｆ、８９ｇ、８９ｈ、８９ｉ、８９ｊによって、生化学解析用ユニット１の基板２に印刷されたバーコード５ａが読み取られ、バーコードデータが生成されて、コントロールユニット８０に入力される。
【０２８５】
ハイブリダイゼーション反応装置３５のコントロールユニット８０は、バーコードリーダー８９ａ、８９ｂ、８９ｃ、８９ｄ、８９ｅ、８９ｆ、８９ｇ、８９ｈ、８９ｉ、８９ｊから、バーコードデータを受けると、生化学解析システムのコントロールユニット４５に出力する。
【０２８６】
生化学解析システムのコントロールユニット４５は、ハイブリダイゼーション反応装置３５のコントロールユニット８０から、バーコードデータを受けると、バーコードデータを、生化学解析用ユニットキャリア６にセットされた生化学解析用ユニット１の位置と関連付けて、メモリ４６に保存する。
【０２８７】
バーコードデータが、生化学解析システムのメモリ４６に保存されると、生化学解析システムのコントロールユニット４５は、前処理開始信号を、ハイブリダイゼーション反応装置３５のコントロールユニット８０に出力する。
【０２８８】
ハイブリダイゼーション反応装置３５のコントロールユニット８０は、前処理開始信号を受けると、第１のバルブ駆動手段８３ａに第１の駆動信号を出力して、第１の溶液注入チューブ６１ａに設けられた第１のバルブ７５ａを、第１の溶液ボトル５７ａと第１の溶液注入部６２ａとを連通させる第一の位置に位置させるとともに、第１の切り換えバルブ駆動手段８４ａに、第１の駆動信号を出力して、第１の溶液注入チューブ６１ａに設けられた第１の切り換えバルブ７６ａを、第１の溶液ボトル５７ａと、第１の溶液注入部６２ａとを連通させるとともに、第１の分岐チューブ７７ａと、第１の溶液排出チューブ７０ａおよび第２の溶液排出チューブ７０ｂとを連通させる第一の位置に位置させる。
【０２８９】
さらに、コントロールユニット８０は、第１の溶液排出バルブ駆動手段８５ａに閉鎖信号を出力して、第１の溶液排出バルブ７１ａを閉じさせるとともに、第２の溶液排出バルブ駆動手段８５ｂに開放信号を出力して、第２の溶液排出バルブ７１ｂを開放させる。これは、放射性標識物質が含まれていない前処理液を、放射性標識物質濃度の高い溶液と分別して、放射性標識物質濃度の低い溶液を回収する第２の溶液回収タンク７２ｂ内に回収させるためである。
【０２９０】
次いで、コントロールユニット８０は、ポンプ７８に駆動信号を出力して、第１の溶液ボトル５７ａ内に収容されている前処理液を、第１の溶液注入チューブ６１ａを介して、生化学解析用ユニット収容部材６０に形成された第１の溶液注入部６２ａに注入させる。
【０２９１】
第１の溶液注入部６２ａに注入された前処理液は、単一の溶液供給流路７３に流入し、さらに、溶液供給流路７３から分岐した第１の溶液供給流路７３ａと第２の溶液供給流路に流入する。
【０２９２】
第１の溶液供給流路７３ａに流入した前処理液は、生化学解析用ユニットキャリア６にセットされている生化学解析用ユニット１に対向する生化学解析用ユニット収容部材６０の貫通孔６９ａ、６９ｂ、６９ｃ、６９ｄ、６９ｅに流入し、第２の溶液供給流路に流入した前処理液は、生化学解析用ユニットキャリア６にセットされている生化学解析用ユニット１に対向する生化学解析用ユニット収容部材６０の貫通孔６９ｆ、６９ｇ、６９ｈ、６９ｉ、６９ｊに流入する。
【０２９３】
生化学解析用ユニット収容部材６０に形成された各貫通孔６９ａ、６９ｂ、６９ｃ、６９ｄ、６９ｅ、６９ｆ、６９ｇ、６９ｈ、６９ｉ、６９ｊに流入した前処理液は、それぞれ、生化学解析用ユニットキャリア６にセットされている１０枚の生化学解析用ユニット１に形成された多数の吸着性領域４を横切って、生化学解析用ユニット収容部材６０に形成された各貫通孔６９ａ、６９ｂ、６９ｃ、６９ｄ、６９ｅ、６９ｆ、６９ｇ、６９ｈ、６９ｉ、６９ｊに対向している下方ハウジング部５８の対応する貫通孔６４ａ、６４ｂ、６４ｃ、６４ｄ、６４ｅ、６４ｆ、６４ｇ、６４ｈ、６４ｉ、６４ｊ内に流入する。
【０２９４】
ここに、生化学解析用ユニット収容部材６０に形成された貫通孔６９ａ、６９ｂ、６９ｃ、６９ｄ、６９ｅ、６９ｆ、６９ｇ、６９ｈ、６９ｉ、６９ｊは、生化学解析用ユニットキャリア６に形成された貫通孔７にも対向しているが、各生化学解析用ユニット１の多数の吸着性領域４はすべて、下方ハウジング部５８に設けられた対応する貫通孔６４ａ、６４ｂ、６４ｃ、６４ｄ、６４ｅ、６４ｆ、６４ｇ、６４ｈ、６４ｉ、６４ｊ内に位置し、下方ハウジング部５８の頂板に立設された各枠部材６５ａ、６５ｂ、６５ｃ、６５ｄ、６５ｅ、６５ｆ、６５ｇ、６５ｈ、６５ｉ、６５ｊの側壁上端部に形成されているシール部材６６ａ、６６ｂ、６６ｃ、６６ｄ、６６ｅ、６６ｆ、６６ｇ、６６ｈ、６６ｉ、６６ｊが、対応する生化学解析用ユニット１に当接して、生化学解析用ユニットキャリア６に形成された貫通孔７と、下方ハウジング部５８に設けられた対応する貫通孔６４ａ、６４ｂ、６４ｃ、６４ｄ、６４ｅ、６４ｆ、６４ｇ、６４ｈ、６４ｉ、６４ｊとの間がシールされているので、生化学解析用ユニット収容部材６０に形成された各貫通孔６９ａ、６９ｂ、６９ｃ、６９ｄ、６９ｅ、６９ｆ、６９ｇ、６９ｈ、６９ｉ、６９ｊに流入した前処理液は、すべて、生化学解析用ユニットキャリア６にセットされている１０枚の生化学解析用ユニット１に形成された多数の吸着性領域４を横切って、下方ハウジング部５８に設けられた対応する貫通孔６４ａ、６４ｂ、６４ｃ、６４ｄ、６４ｅ、６４ｆ、６４ｇ、６４ｈ、６４ｉ、６４ｊ内に流入する。
【０２９５】
下方ハウジング部５８の頂板に形成された各貫通孔６４ａ、６４ｂ、６４ｃ、６４ｄ、６４ｅ内に流入した前処理液は、第１の溶液排出流路７３ａに流入し、一方、下方ハウジング部５８の頂板に形成された各貫通孔６４ｆ、６４ｇ、６４ｈ、６４ｉ、６４ｊ内に流入した前処理液は、第２の溶液排出流路（図示せず）に流入する。
【０２９６】
第１の溶液排出流路７３ａに流入した前処理液および第２の溶液排出流路（図示せず）に流入した前処理液が、溶液排出チューブ７０に流入すると、コントロールユニット８０は、ポンプ７８の駆動時間に基づいて、前処理液が、第１の切り換えバルブ７６ａに到達するタイミングで、第１の切り換えバルブ駆動手段８４ａに、第２の駆動信号を出力し、第１の切り換えバルブ７６ａを、第１の溶液ボトル５７ａと、第１の溶液排出チューブ７０ａおよび第２の溶液排出チューブ７０ｂとを連通させるとともに、第１の分岐チューブ７７ａと、第１の溶液注入部６２ａとを連通させる第二の位置に位置させる。
【０２９７】
その結果、第１の溶液注入チューブ６１ａ、第１の溶液注入部６２ａ、溶液供給流路７３、第１の溶液供給流路７３ａおよび第２の溶液供給流路（図示せず）、生化学解析用ユニット収容部材６０に形成された貫通孔６９ａ、６９ｂ、６９ｃ、６９ｄ、６９ｅ、６９ｆ、６９ｇ、６９ｈ、６９ｉ、６９ｊ、下方ハウジング部５８の頂板に形成された貫通孔６４ａ、６４ｂ、６４ｃ、６４ｄ、６４ｅ、６４ｆ、６４ｇ、６４ｈ、６４ｉ、６４ｊ、溶液排出チューブ７０ならびに第１の分岐チューブ７７ａによって、溶液循環流路が形成され、前処理液は、生化学解析用ユニットキャリア６にセットされた１０枚の生化学解析用ユニット１に形成されている多数の吸着性領域４を横切って、溶液循環流路内を循環する。
【０２９８】
このように、本実施態様によれば、前処理液は、生化学解析用ユニットキャリア６にセットされた生化学解析用ユニット１の多数の吸着性領域４を横切って、循環されるから、前処理操作の効率を大幅に向上させることが可能になる。
【０２９９】
所定の時間が経過すると、コントロールユニット８０は、第１のバルブ駆動手段８３ａに、第２の駆動信号を出力して、第１の溶液注入チューブ６１ａに設けられた第１のバルブ７５ａを、第１の溶液注入部６２ａと、大気とを連通させる第二の位置に位置させ、さらに、第１の切り換えバルブ駆動手段８４ａに、第１の駆動信号を出力して、第１の溶液注入チューブ６１ａに設けられた第１の切り換えバルブ７６ａを、第１の溶液ボトル５７ａと、第１の溶液注入部６２ａとを連通させるとともに、第１の分岐チューブ７７ａと、第１の溶液排出チューブ７０ａおよび第２の溶液排出チューブ７０ｂとを連通させる第一の位置に位置させる。
【０３００】
その結果、第１の分岐チューブ７７ａと、第１の溶液注入部６２ａの連通が断たれ、その一方で、第１の分岐チューブ７７ａと、第２の溶液排出チューブ７０ｂとが連通されて、第１の溶液ボトル５７ａから、第１の溶液注入チューブ６１ａ内に供給された前処理液は、すべて、第１の溶液注入部６２ａ、溶液供給流路７３、第１の溶液供給流路７３ａ、生化学解析用ユニット収容部材６０に形成された各貫通孔６９ａ、６９ｂ、６９ｃ、６９ｄ、６９ｅ、生化学解析用ユニット１に形成された多数の吸着性領域４、下方ハウジング部５８の対応する貫通孔６４ａ、６４ｂ、６４ｃ、６４ｄ、６４ｅ、第１の溶液排出流路７３ａ、溶液排出チューブ７０および第２の溶液排出チューブ７０ｂを通って、あるいは、第１の溶液注入部６２ａ、溶液供給流路７３、第２の溶液供給流路（図示せず）、生化学解析用ユニット収容部材６０に形成された各貫通孔６９ｆ、６９ｇ、６９ｈ、６９ｉ、６９ｊ、生化学解析用ユニット１に形成された多数の吸着性領域４、下方ハウジング部５８の対応する貫通孔６４ｆ、６４ｇ、６４ｈ、６４ｉ、６４ｊ、第２の溶液排出流路（図示せず）、溶液排出チューブ７０および第２の溶液排出チューブ７０ｂを通って、第２の溶液回収タンク７２ｂ内に回収される。
【０３０１】
こうして、第１の溶液ボトル５７ａから、第１の溶液注入チューブ６１ａ内に供給された前処理液が、すべて、第２の溶液回収タンク７２ｂ内に回収されると、コントロールユニット８０は、ポンプ７８に駆動停止信号を出力して、ポンプ７８の駆動を停止させ、次いで、第１のバルブ駆動手段８３ａに第３の駆動信号を出力して、第１の溶液注入チューブ６１ａに設けられた第１のバルブ７５ａを、第１の溶液ボトル５７ａおよび大気と、第１の溶液注入部６２ａとの連通を遮断させる第三の位置に位置させるとともに、第２の溶液排出バルブ駆動手段８３ｂに閉鎖信号を出力して、第２の溶液排出バルブ７１ｂを閉鎖させて、前処理操作を完了させる。
【０３０２】
前処理操作が完了すると、ハイブリダイゼーション３５のコントロールユニット８０は、前処理完了信号を、生化学解析システムのコントロールユニット４５に出力する。
【０３０３】
前処理完了信号を受けると、生化学解析システムのコントロールユニット４５は、表示パネル５１に、前処理操作が完了した旨のメッセージを表示するとともに、ハイブリダイゼーション反応装置３５のコントロールユニット８０に、プレハイブリダイゼーション開始信号を出力する。
【０３０４】
ハイブリダイゼーション反応装置３５のコントロールユニット８０は、生化学解析システムのコントロールユニット４５から、プレハイブリダイゼーション開始信号を受けると、第２のバルブ駆動手段８３ｂに第１の駆動信号を出力して、第２の溶液注入チューブ６１ｂに設けられた第２のバルブ７５ｂを、第２の溶液ボトル５７ｂと第２の溶液注入部６２ｂとを連通させる第一の位置に位置させるとともに、第２の切り換えバルブ駆動手段８４ｂに、第２の駆動信号を出力して、第２の溶液注入チューブ６１ｂに設けられた第２の切り換えバルブ７６ｂを、第２の溶液ボトル５７ｂと、第２の溶液注入部６２ｂとを連通させるとともに、第２の分岐チューブ７７ｂと、第１の溶液排出チューブ７０ａおよび第２の溶液排出チューブ７０ｂとを連通させる第一の位置に位置させる。
【０３０５】
さらに、コントロールユニット８０は、第１の溶液排出バルブ駆動手段８５ａに閉鎖信号を出力して、第１の溶液排出バルブ７１ａを閉じさせるとともに、第２の溶液排出バルブ駆動手段８５ｂに開放信号を出力して、第２の溶液排出バルブ７１ｂを開放させる。これは、放射性標識物質が含まれていないハイブリダイゼーションバッファを、放射性標識物質濃度の高い溶液と分別して、放射性標識物質濃度の低い溶液を回収する第２の溶液回収タンク７２ｂに回収するためである。
【０３０６】
次いで、コントロールユニット８０は、ポンプ７８に駆動信号を出力して、第２の溶液ボトル５７ｂ内に収容されているハイブリダイゼーションバッファを、第２の溶液注入チューブ６１ｂを介して、生化学解析用ユニット収容部材６０に形成された第２の溶液注入部６２ｂに注入させる。
【０３０７】
第２の溶液注入部６２ｂに注入されたハイブリダイゼーションバッファは、単一の溶液供給流路７３に流入し、さらに、溶液供給流路７３から分岐した第１の溶液供給流路７３ａと第２の溶液供給流路に流入する。
【０３０８】
第１の溶液供給流路７３ａに流入したハイブリダイゼーションバッファは、生化学解析用ユニットキャリア６にセットされている生化学解析用ユニット１に対向する生化学解析用ユニット収容部材６０の貫通孔６９ａ、６９ｂ、６９ｃ、６９ｄ、６９ｅに流入し、第２の溶液供給流路に流入したハイブリダイゼーションバッファは、生化学解析用ユニットキャリア６にセットされている生化学解析用ユニット１に対向する生化学解析用ユニット収容部材６０の貫通孔６９ｆ、６９ｇ、６９ｈ、６９ｉ、６９ｊに流入する。
【０３０９】
生化学解析用ユニット収容部材６０に形成された各貫通孔６９ａ、６９ｂ、６９ｃ、６９ｄ、６９ｅ、６９ｆ、６９ｇ、６９ｈ、６９ｉ、６９ｊに流入したハイブリダイゼーションバッファは、それぞれ、生化学解析用ユニットキャリア６にセットされている１０枚の生化学解析用ユニット１に形成された多数の吸着性領域４を横切って、生化学解析用ユニット収容部材６０に形成された各貫通孔６９ａ、６９ｂ、６９ｃ、６９ｄ、６９ｅ、６９ｆ、６９ｇ、６９ｈ、６９ｉ、６９ｊに対向している下方ハウジング部５８に形成された対応する貫通孔６４ａ、６４ｂ、６４ｃ、６４ｄ、６４ｅ、６４ｆ、６４ｇ、６４ｈ、６４ｉ、６４ｊ内に流入する。
【０３１０】
ここに、生化学解析用ユニット収容部材６０に形成された貫通孔６９ａ、６９ｂ、６９ｃ、６９ｄ、６９ｅ、６９ｆ、６９ｇ、６９ｈ、６９ｉ、６９ｊは、生化学解析用ユニットキャリア６に形成された貫通孔７にも対向しているが、各生化学解析用ユニット１の多数の吸着性領域４はすべて、下方ハウジング部５８に設けられた対応する貫通孔６４ａ、６４ｂ、６４ｃ、６４ｄ、６４ｅ、６４ｆ、６４ｇ、６４ｈ、６４ｉ、６４ｊ内に位置し、下方ハウジング部５８の頂板に立設された各枠部材６５ａ、６５ｂ、６５ｃ、６５ｄ、６５ｅ、６５ｆ、６５ｇ、６５ｈ、６５ｉ、６５ｊの側壁上端部に形成されているシール部材６６ａ、６６ｂ、６６ｃ、６６ｄ、６６ｅ、６６ｆ、６６ｇ、６６ｈ、６６ｉ、６６ｊが、対応する生化学解析用ユニット１に当接して、生化学解析用ユニットキャリア６に形成された貫通孔７と、下方ハウジング部５８に設けられた対応する貫通孔６４ａ、６４ｂ、６４ｃ、６４ｄ、６４ｅ、６４ｆ、６４ｇ、６４ｈ、６４ｉ、６４ｊとの間がシールされているので、生化学解析用ユニット収容部材６０に形成された各貫通孔６９ａ、６９ｂ、６９ｃ、６９ｄ、６９ｅ、６９ｆ、６９ｇ、６９ｈ、６９ｉ、６９ｊに流入したハイブリダイゼーションバッファは、すべて、生化学解析用ユニットキャリア６にセットされている１０枚の生化学解析用ユニット１に形成された多数の吸着性領域４を横切って、下方ハウジング部５８に設けられた対応する貫通孔６４ａ、６４ｂ、６４ｃ、６４ｄ、６４ｅ、６４ｆ、６４ｇ、６４ｈ、６４ｉ、６４ｊ内に流入する。
【０３１１】
下方ハウジング部５８の頂板に形成された各貫通孔６４ａ、６４ｂ、６４ｃ、６４ｄ、６４ｅ内に流入したハイブリダイゼーションバッファは、第１の溶液排出流路７３ａに流入し、一方、下方ハウジング部５８の頂板に形成された各貫通孔６４ｆ、６４ｇ、６４ｈ、６４ｉ、６４ｊ内に流入したハイブリダイゼーションバッファは、第２の溶液排出流路に流入する。
【０３１２】
第１の溶液排出流路７３ａに流入したハイブリダイゼーションバッファおよび第２の溶液排出流路に流入したハイブリダイゼーションバッファが、溶液排出チューブ７０に流入すると、コントロールユニット８０は、ポンプ７８の駆動時間に基づいて、ハイブリダイゼーションバッファが、第２の切り換えバルブ７６ｂに到達するタイミングで、第２の切り換えバルブ駆動手段８４ｂに、第２の駆動信号を出力し、第２の切り換えバルブ７６ｂを、第２の溶液ボトル５７ｂと、第１の溶液排出チューブ７０ａおよび第２の溶液排出チューブ７０ｂとを連通させるとともに、第２の分岐チューブ７７ｂと、第２の溶液注入部６２ｂとを連通させる第二の位置に位置させる。
【０３１３】
その結果、第２の溶液注入チューブ６１ｂ、第２の溶液注入部６２ｂ、溶液供給流路７３、第１の溶液供給流路７３ａおよび第２の溶液供給流路、生化学解析用ユニット収容部材６０に形成された貫通孔６９ａ、６９ｂ、６９ｃ、６９ｄ、６９ｅ、６９ｆ、６９ｇ、６９ｈ、６９ｉ、６９ｊ、下方ハウジング部５８の頂板に形成された貫通孔６４ａ、６４ｂ、６４ｃ、６４ｄ、６４ｅ、６４ｆ、６４ｇ、６４ｈ、６４ｉ、６４ｊ、溶液排出チューブ７０ならびに第２の分岐チューブ７７ｂによって、溶液循環流路が形成され、ハイブリダイゼーションバッファは、生化学解析用ユニットキャリア６にセットされた１０枚の生化学解析用ユニット１に形成されている多数の吸着性領域４を横切って、溶液循環流路内を循環する。
【０３１４】
このように、本実施態様によれば、ハイブリダイゼーションバッファは、生化学解析用ユニットキャリア６にセットされた生化学解析用ユニット１の多数の吸着性領域４を横切って、循環されるから、プレハイブリダイゼーションの効率を大幅に向上させることが可能になる。
【０３１５】
所定の時間が経過すると、コントロールユニット８０は、第２のバルブ駆動手段８３ｂに、第２の駆動信号を出力して、第２の溶液注入チューブ６１ｂに設けられた第２のバルブ７５ｂを、第２の溶液注入部６２ｂと、大気とを連通させる第二の位置に位置させ、さらに、第２の切り換えバルブ駆動手段８４ｂに、第１の駆動信号を出力して、第２の溶液注入チューブ６１ｂに設けられた第２の切り換えバルブ７６ｂを、第２の溶液ボトル５７ｂと、第２の溶液注入部６２ｂとを連通させるとともに、第２の分岐チューブ７７ｂと、第１の溶液排出チューブ７０ａおよび第２の溶液排出チューブ７０ｂとを連通させる第一の位置に位置させる。
【０３１６】
その結果、第２の分岐チューブ７７ｂと、第２の溶液注入部６２ｂの連通が断たれ、その一方で、第２の分岐チューブ７７ｂと、第２の溶液排出チューブ７０ｂとが連通されて、第２の溶液ボトル５７ｂから、第２の溶液注入チューブ６１ｂ内に供給されたハイブリダイゼーションバッファはすべて、第２の溶液注入部６２ｂ、溶液供給流路７３、第１の溶液供給流路７３ａ、生化学解析用ユニット収容部材６０に形成された各貫通孔６９ａ、６９ｂ、６９ｃ、６９ｄ、６９ｅ、生化学解析用ユニット１に形成された多数の吸着性領域４、下方ハウジング部５８の対応する貫通孔６４ａ、６４ｂ、６４ｃ、６４ｄ、６４ｅ、第１の溶液排出流路７３ａ、溶液排出チューブ７０および第２の溶液排出チューブ７０ｂを通って、あるいは、第２の溶液注入部６２ｂ、溶液供給流路７３、第２の溶液供給流路、生化学解析用ユニット収容部材６０に形成された各貫通孔６９ｆ、６９ｇ、６９ｈ、６９ｉ、６９ｊ、生化学解析用ユニット１に形成された多数の吸着性領域４、下方ハウジング部５８の対応する貫通孔６４ｆ、６４ｇ、６４ｈ、６４ｉ、６４ｊ、第２の溶液排出流路、溶液排出チューブ７０および第２の溶液排出チューブ７０ｂを通って、第２の溶液回収タンク７２ｂ内に回収される。
【０３１７】
こうして、第２の溶液ボトル５７ｂから、第２の溶液注入チューブ６１ｂ内に供給されたハイブリダイゼーションバッファが、すべて、第２の溶液回収タンク７２ｂ内に回収されると、コントロールユニット８０は、ポンプ７８に駆動停止信号を出力して、ポンプ７８の駆動を停止させ、次いで、第２のバルブ駆動手段８３ｂに第３の駆動信号を出力して、第２の溶液注入チューブ６１ｂに設けられた第２のバルブ７５ｂを、第２の溶液ボトル５７ｂおよび大気と、第２の溶液注入部６２ｂとの連通を遮断させる第三の位置に位置させるとともに、第２の溶液排出バルブ駆動手段８５ｂに閉鎖信号を出力して、第２の溶液排出バルブ７１ｂを閉鎖させて、プレハイブリダイゼーション操作を完了させる。
【０３１８】
プレハイブリダイゼーション操作が完了すると、ハイブリダイゼーション反応装置３５のコントロールユニット８０は、プレハイブリダイゼーション完了信号を、生化学解析システムのコントロールユニット４５に出力する。
【０３１９】
生化学解析システムのコントロールユニット４５は、ハイブリダイゼーション反応装置３５のコントロールユニット８０から、プレハイブリダイゼーション完了信号を受けると、表示パネル５１に、プレハイブリダイゼーション操作が完了した旨のメッセージを表示するとともに、ハイブリダイゼーション開始信号を、ハイブリダイゼーション反応装置３５のコントロールユニット８０に出力する。
【０３２０】
ハイブリダイゼーション反応装置３５のコントロールユニット８０は、ハイブリダイゼーション開始信号を受けると、第３のバルブ駆動手段８３ｃに第１の駆動信号を出力して、第３の溶液注入チューブ６１ｃに設けられた第３のバルブ７５ｃを、第３の溶液ボトル５７ｃと第３の溶液注入部６２ｃとを連通させる第一の位置に位置させる。
【０３２１】
さらに、コントロールユニット８０は、第１の溶液排出バルブ駆動手段８５ａに開放信号を出力して、第１の溶液排出バルブ７１ａを開放させるとともに、第２の溶液排出バルブ駆動手段８５ｂに閉鎖信号を出力して、第２の溶液排出バルブ７１ｂを閉じさせる。これは、放射性標識物質を含んでいるプローブ溶液とハイブリダイゼーションバッファとの混合溶液を、放射性標識物質濃度の低い溶液と分別して、放射性標識物質の高い溶液を回収する第１の溶液回収タンク７２ａ内に回収するためである。
【０３２２】
次いで、コントロールユニット８０は、ポンプ７８に駆動信号を出力して、第３の溶液ボトル５７ｃ内に収容されているハイブリダイゼーションバッファとプローブ溶液の混合溶液を、第３の溶液注入チューブ６１ｃを介して、生化学解析用ユニット収容部材６０に形成された第３の溶液注入部６２ｃに注入させる。
【０３２３】
第３の溶液注入部６２ｃに注入されたハイブリダイゼーションバッファとプローブ溶液の混合溶液は、単一の溶液供給流路７３に流入し、さらに、溶液供給流路７３から分岐した第１の溶液供給流路７３ａおよび第２の溶液供給流路に流入する。
【０３２４】
第１の溶液供給流路７３ａに流入したハイブリダイゼーションバッファとプローブ溶液の混合溶液は、生化学解析用ユニットキャリア６にセットされている生化学解析用ユニット１に対向する生化学解析用ユニット収容部材６０の貫通孔６９ａ、６９ｂ、６９ｃ、６９ｄ、６９ｅに流入し、第２の溶液供給流路に流入したハイブリダイゼーションバッファとプローブ溶液の混合溶液は、生化学解析用ユニットキャリア６にセットされている生化学解析用ユニット１に対向する生化学解析用ユニット収容部材６０の貫通孔６９ｆ、６９ｇ、６９ｈ、６９ｉ、６９ｊに流入する。
【０３２５】
生化学解析用ユニット収容部材６０に形成された各貫通孔６９ａ、６９ｂ、６９ｃ、６９ｄ、６９ｅ、６９ｆ、６９ｇ、６９ｈ、６９ｉ、６９ｊに流入したハイブリダイゼーションバッファとプローブ溶液の混合溶液は、それぞれ、生化学解析用ユニットキャリア６にセットされている１０枚の生化学解析用ユニット１に形成された多数の吸着性領域４を横切って、生化学解析用ユニット収容部材６０に形成された各貫通孔６９ａ、６９ｂ、６９ｃ、６９ｄ、６９ｅ、６９ｆ、６９ｇ、６９ｈ、６９ｉ、６９ｊに対向している下方ハウジング部５８の対応する貫通孔６４ａ、６４ｂ、６４ｃ、６４ｄ、６４ｅ、６４ｆ、６４ｇ、６４ｈ、６４ｉ、６４ｊ内に流入する。
【０３２６】
ここに、生化学解析用ユニット収容部材６０に形成された貫通孔６９ａ、６９ｂ、６９ｃ、６９ｄ、６９ｅ、６９ｆ、６９ｇ、６９ｈ、６９ｉ、６９ｊは、生化学解析用ユニットキャリア６に形成された貫通孔７にも対向しているが、各生化学解析用ユニット１の多数の吸着性領域４はすべて、下方ハウジング部５８に設けられた対応する貫通孔６４ａ、６４ｂ、６４ｃ、６４ｄ、６４ｅ、６４ｆ、６４ｇ、６４ｈ、６４ｉ、６４ｊ内に位置し、下方ハウジング部５８の頂板に立設された各枠部材６５ａ、６５ｂ、６５ｃ、６５ｄ、６５ｅ、６５ｆ、６５ｇ、６５ｈ、６５ｉ、６５ｊの側壁上端部に形成されているシール部材６６ａ、６６ｂ、６６ｃ、６６ｄ、６６ｅ、６６ｆ、６６ｇ、６６ｈ、６６ｉ、６６ｊが、対応する生化学解析用ユニット１に当接して、生化学解析用ユニットキャリア６に形成された貫通孔７と、下方ハウジング部５８に設けられた対応する貫通孔６４ａ、６４ｂ、６４ｃ、６４ｄ、６４ｅ、６４ｆ、６４ｇ、６４ｈ、６４ｉ、６４ｊとの間がシールされているので、生化学解析用ユニット収容部材６０に形成された各貫通孔６９ａ、６９ｂ、６９ｃ、６９ｄ、６９ｅ、６９ｆ、６９ｇ、６９ｈ、６９ｉ、６９ｊに流入したハイブリダイゼーションバッファとプローブ溶液の混合溶液は、すべて、生化学解析用ユニットキャリア６にセットされている１０枚の生化学解析用ユニット１に形成された多数の吸着性領域４を横切って、下方ハウジング部５８に設けられた対応する貫通孔６４ａ、６４ｂ、６４ｃ、６４ｄ、６４ｅ、６４ｆ、６４ｇ、６４ｈ、６４ｉ、６４ｊ内に流入する。
【０３２７】
その結果、生化学解析用ユニットキャリア６にセットされている生化学解析用ユニット１の多数の吸着性領域４に含まれたｃＤＮＡなどの特異的結合物質に、放射性標識物質によって標識された生体由来の物質、蛍光物質によって標識された生体由来の物質およびジゴキシゲニンなどによって抗原標識された生体由来の物質が、選択的に、ハイブリダイズされる。
【０３２８】
下方ハウジング部５８の頂板に形成された各貫通孔６４ａ、６４ｂ、６４ｃ、６４ｄ、６４ｅ内に流入したハイブリダイゼーションバッファとプローブ溶液の混合溶液は、第１の溶液排出流路７３ａに流入し、一方、下方ハウジング部５８の頂板に形成された各貫通孔６４ｆ、６４ｇ、６４ｈ、６４ｉ、６４ｊ内に流入したハイブリダイゼーションバッファとプローブ溶液の混合溶液は、第２の溶液排出流路に流入する。
【０３２９】
第１の溶液排出流路７３ａに流入したハイブリダイゼーションバッファとプローブ溶液の混合溶液および第２の溶液排出流路に流入したハイブリダイゼーションバッファとプローブ溶液の混合溶液が、溶液排出チューブ７０に流入すると、コントロールユニット８０は、ポンプ７８の駆動時間に基づいて、ハイブリダイゼーションバッファとプローブ溶液の混合溶液が、第３の切り換えバルブ７６ｃに到達するタイミングで、第３の切り換えバルブ駆動手段８４ｃに、第２の駆動信号を出力し、第３の切り換えバルブ７６ｃを、第３の溶液ボトル５７ｃと、第１の溶液排出チューブ７０ａおよび第２の溶液排出チューブ７０ｂとを連通させるとともに、第３の分岐チューブ７７ｃと、第３の溶液注入部６２ｃとを連通させる第二の位置に位置させる。
【０３３０】
その結果、第３の溶液注入チューブ６１ｃ、第３の溶液注入部６２ｃ、溶液供給流路７３、第１の溶液供給流路７３ａおよび第２の溶液供給流路、生化学解析用ユニット収容部材６０に形成された貫通孔６９ａ、６９ｂ、６９ｃ、６９ｄ、６９ｅ、６９ｆ、６９ｇ、６９ｈ、６９ｉ、６９ｊ、下方ハウジング部５８の頂板に形成された貫通孔６４ａ、６４ｂ、６４ｃ、６４ｄ、６４ｅ、６４ｆ、６４ｇ、６４ｈ、６４ｉ、６４ｊ、溶液排出チューブ７０ならびに第３の分岐チューブ７７ｃによって、溶液循環流路が形成され、ハイブリダイゼーションバッファとプローブ溶液の混合溶液は、生化学解析用ユニットキャリア６にセットされた１０枚の生化学解析用ユニット１に形成されている多数の吸着性領域４を横切って、溶液循環流路内を循環する。
【０３３１】
このように、本実施態様によれば、ハイブリダイゼーションバッファとプローブ溶液の混合溶液が、生化学解析用ユニットキャリア６にセットされている生化学解析用ユニット１の多数の吸着性領域４を横切って、強制的に循環されるから、ハイブリダイゼーションバッファとプローブ溶液の混合溶液に含まれている生体由来の物質を、単に、対流あるいは拡散によって移動させ、生化学解析用ユニット１の吸着性領域４に含まれている特異的結合物質とハイブリダイズさせる場合に比して、生化学解析用ユニット１の吸着性領域４内における生体由来の物質の移動速度を大幅に増大させることができ、したがって、ハイブリダイゼーション反応の反応速度を大幅に向上させることが可能になり、さらには、生体由来の物質が、吸着性領域４の深い部分に含まれている特異的結合物質と出会う確率を大幅に増大させることができ、したがって、所望のように、生化学解析用ユニット１の多数の吸着性領域４に固定された特異的結合物質に、ハイブリダイゼーションバッファとプローブ溶液の混合溶液に含まれている生体由来の物質をハイブリダイズさせることが可能になる。
【０３３２】
所定の時間が経過すると、コントロールユニット８０は、第３のバルブ駆動手段８３ｃに、第２の駆動信号を出力して、第３の溶液注入チューブ６１ｃに設けられた第３のバルブ７５ｃを、第３の溶液注入部６２ｃと、大気とを連通させる第二の位置に位置させ、さらに、第３の切り換えバルブ駆動手段８４ｃに、第１の駆動信号を出力して、第３の溶液注入チューブ６１ｃに設けられた第３の切り換えバルブ７６ｃを、第３の溶液ボトル５７ｃと、第３の溶液注入部６２ｃとを連通させるとともに、第３の分岐チューブ７７ｃと、第１の溶液排出チューブ７０ａおよび第２の溶液排出チューブ７０ｂとを連通させる第一の位置に位置させる。
【０３３３】
その結果、第３の分岐チューブ７７ｃと、第３の溶液注入部６２ｃの連通が断たれ、その一方で、第３の分岐チューブ７７ｃと、第１の溶液排出チューブ７０ａとが連通されて、第３の溶液ボトル５７ｃから、第３の溶液注入チューブ６１ｃ内に供給されたハイブリダイゼーションバッファとプローブ溶液の混合溶液はすべて、第３の溶液注入部６２ｃ、溶液供給流路７３、第１の溶液供給流路７３ａ、生化学解析用ユニット収容部材６０に形成された各貫通孔６９ａ、６９ｂ、６９ｃ、６９ｄ、６９ｅ、生化学解析用ユニット１に形成された多数の吸着性領域４、下方ハウジング部５８の対応する貫通孔６４ａ、６４ｂ、６４ｃ、６４ｄ、６４ｅ、第１の溶液排出流路７３ａ、溶液排出チューブ７０および第１の溶液排出チューブ７０ａを通って、あるいは、第３の溶液注入部６２ｃ、溶液供給流路７３、第２の溶液供給流路、生化学解析用ユニット収容部材６０に形成された各貫通孔６９ｆ、６９ｇ、６９ｈ、６９ｉ、６９ｊ、生化学解析用ユニット１に形成された多数の吸着性領域４、下方ハウジング部５８の対応する貫通孔６４ｆ、６４ｇ、６４ｈ、６４ｉ、６４ｊ、第２の溶液排出流路、溶液排出チューブ７０および第１の溶液排出チューブ７０ａを通って、第１の溶液回収タンク７２ａ内に回収される。
【０３３４】
こうして、第３の溶液ボトル５７ｃから、第３の溶液注入チューブ６１ｃ内に供給されたハイブリダイゼーションバッファとプローブ溶液の混合溶液が、すべて、第１の溶液回収タンク７２ａ内に回収されると、コントロールユニット８０は、ポンプ７８に駆動停止信号を出力して、ポンプ７８の駆動を停止させ、次いで、第３のバルブ駆動手段８３ｃに第３の駆動信号を出力して、第３の溶液注入チューブ６１ｃに設けられた第３のバルブ７５ｃを、第３の溶液ボトル５７ｃおよび大気と、第３の溶液注入部６２ｃとの連通を遮断させる第三の位置に位置させるとともに、第１の溶液排出バルブ駆動手段８５ａに閉鎖信号を出力して、第１の溶液排出バルブ７１ａを閉鎖させ、ハイブリダイゼーション操作を完了させる。
【０３３５】
ハイブリダイゼーション操作が完了すると、コントロールユニット８０は、ハイブリダイゼーション完了信号を、生化学解析システムのコントロールユニット４５に出力する。
【０３３６】
生化学解析システムのコントロールユニット４５は、ハイブリダイゼーション完了信号を受けると、表示パネル５１に、ハイブリダイゼーション操作が完了した旨のメッセージを表示するとともに、洗浄操作開始信号を、ハイブリダイゼーション反応装置３５のコントロールユニット８０に出力する。
【０３３７】
ハイブリダイゼーション反応装置３５のコントロールユニット８０は、洗浄操作開始信号を受けると、第４のバルブ駆動手段８３ｄに第１の駆動信号を出力して、第４の溶液注入チューブ６１ｄに設けられた第４のバルブ７５ｄを、第４の溶液ボトル５７ｄと第４の溶液注入部６２ｄとを連通させる第一の位置に位置させるとともに、第４の切り換えバルブ駆動手段８４ｄに、第２の駆動信号を出力して、第４の溶液注入チューブ６１ｄに設けられた第４の切り換えバルブ７６ｄを、第４の溶液ボトル５７ｄと、第４の溶液注入部６２ｄとを連通させるとともに、第４の分岐チューブ７７ｄと、第１の溶液排出チューブ７０ａおよび第２の溶液排出チューブ７０ｂとを連通させる第一の位置に位置させる。
【０３３８】
さらに、コントロールユニット８０は、第１の溶液排出バルブ駆動手段８５ａに開放信号を出力して、第１の溶液排出バルブ７１ａを開放させるとともに、第２の溶液排出バルブ駆動手段８５ｂに閉鎖信号を出力して、第２の溶液排出バルブ７１ｂを閉じさせる。これは、放射性標識物質によって標識された生体由来の物質を、生化学解析用ユニット１の多数の吸着性領域４に含まれた特異的結合物質に選択的にハイブリダイズさせた後に、生化学解析用ユニット１の吸着性領域４を洗浄するのに用いた洗浄溶液中の放射性標識物質濃度は高く、したがって、放射性標識物質濃度が高い洗浄溶液を、放射性標識物質濃度の低い溶液と分別して、放射性標識物質の高い溶液を回収する第１の溶液回収タンク７２ａ内に回収するためである。
【０３３９】
次いで、コントロールユニット８０は、ポンプ７８に駆動信号を出力して、第４の溶液ボトル５７ｄ内に収容されている洗浄溶液を、第４の溶液注入チューブ６１ｄを介して、生化学解析用ユニット収容部材６０に形成された第４の溶液注入部６２ｄに注入させる。
【０３４０】
第４の溶液注入部６２ｄに注入された洗浄溶液は、単一の溶液供給流路７３に流入し、さらに、溶液供給流路７３から分岐した第１の溶液供給流路７３ａおよび第２の溶液供給流路に流入する。
【０３４１】
第１の溶液供給流路７３ａに流入した洗浄溶液は、生化学解析用ユニットキャリア６にセットされている生化学解析用ユニット１に対向する生化学解析用ユニット収容部材６０の貫通孔６９ａ、６９ｂ、６９ｃ、６９ｄ、６９ｅに流入し、第２の溶液供給流路に流入した洗浄溶液は、生化学解析用ユニットキャリア６にセットされている生化学解析用ユニット１に対向する生化学解析用ユニット収容部材６０の貫通孔６９ｆ、６９ｇ、６９ｈ、６９ｉ、６９ｊに流入する。
【０３４２】
生化学解析用ユニット収容部材６０に形成された各貫通孔６９ａ、６９ｂ、６９ｃ、６９ｄ、６９ｅ、６９ｆ、６９ｇ、６９ｈ、６９ｉ、６９ｊに流入した洗浄溶液は、それぞれ、生化学解析用ユニットキャリア６にセットされている１０枚の生化学解析用ユニット１に形成された多数の吸着性領域４を横切って、生化学解析用ユニット収容部材６０に形成された各貫通孔６９ａ、６９ｂ、６９ｃ、６９ｄ、６９ｅ、６９ｆ、６９ｇ、６９ｈ、６９ｉ、６９ｊに対向している下方ハウジング部５８の対応する貫通孔６４ａ、６４ｂ、６４ｃ、６４ｄ、６４ｅ、６４ｆ、６４ｇ、６４ｈ、６４ｉ、６４ｊ内に流入する。
【０３４３】
ここに、生化学解析用ユニット収容部材６０に形成された貫通孔６９ａ、６９ｂ、６９ｃ、６９ｄ、６９ｅ、６９ｆ、６９ｇ、６９ｈ、６９ｉ、６９ｊは、生化学解析用ユニットキャリア６に形成された貫通孔７にも対向しているが、各生化学解析用ユニット１の多数の吸着性領域４はすべて、下方ハウジング部５８に設けられた対応する貫通孔６４ａ、６４ｂ、６４ｃ、６４ｄ、６４ｅ、６４ｆ、６４ｇ、６４ｈ、６４ｉ、６４ｊ内に位置し、下方ハウジング部５８の頂板に立設された各枠部材６５ａ、６５ｂ、６５ｃ、６５ｄ、６５ｅ、６５ｆ、６５ｇ、６５ｈ、６５ｉ、６５ｊの側壁上端部に形成されているシール部材６６ａ、６６ｂ、６６ｃ、６６ｄ、６６ｅ、６６ｆ、６６ｇ、６６ｈ、６６ｉ、６６ｊが、対応する生化学解析用ユニット１に当接して、生化学解析用ユニットキャリア６に形成された貫通孔７と、下方ハウジング部５８に設けられた対応する貫通孔６４ａ、６４ｂ、６４ｃ、６４ｄ、６４ｅ、６４ｆ、６４ｇ、６４ｈ、６４ｉ、６４ｊとの間がシールされているので、生化学解析用ユニット収容部材６０に形成された各貫通孔６９ａ、６９ｂ、６９ｃ、６９ｄ、６９ｅ、６９ｆ、６９ｇ、６９ｈ、６９ｉ、６９ｊに流入した洗浄溶液は、すべて、生化学解析用ユニットキャリア６にセットされている１０枚の生化学解析用ユニット１に形成された多数の吸着性領域４を横切って、下方ハウジング部５８に設けられた対応する貫通孔６４ａ、６４ｂ、６４ｃ、６４ｄ、６４ｅ、６４ｆ、６４ｇ、６４ｈ、６４ｉ、６４ｊ内に流入する。
【０３４４】
下方ハウジング部５８の頂板に形成された各貫通孔６４ａ、６４ｂ、６４ｃ、６４ｄ、６４ｅ内に流入した洗浄溶液は、第１の溶液排出流路７３ａに流入し、一方、下方ハウジング部５８の頂板に形成された各貫通孔６４ｆ、６４ｇ、６４ｈ、６４ｉ、６４ｊ内に流入した洗浄溶液は、第２の溶液排出流路に流入する。
【０３４５】
第１の溶液排出流路７３ａに流入した洗浄溶液および第２の溶液排出流路に流入した洗浄溶液が、溶液排出チューブ７０に流入すると、コントロールユニット８０は、ポンプ７８の駆動時間に基づいて、洗浄溶液が、第４の切り換えバルブ７６ｄに到達するタイミングで、第４の切り換えバルブ駆動手段８４ｄに、第２の駆動信号を出力し、第４の切り換えバルブ７６ｄを、第４の溶液ボトル５７ｄと、第１の溶液排出チューブ７０ａおよび第２の溶液排出チューブ７０ｂとを連通させるとともに、第４の分岐チューブ７７ｄと、第４の溶液注入部６２ｄとを連通させる第二の位置に位置させる。
【０３４６】
その結果、第４の溶液注入チューブ６１ｄ、第４の溶液注入部６２ｄ、溶液供給流路７３、第１の溶液供給流路７３ａおよび第２の溶液供給流路、生化学解析用ユニット収容部材６０に形成された貫通孔６９ａ、６９ｂ、６９ｃ、６９ｄ、６９ｅ、６９ｆ、６９ｇ、６９ｈ、６９ｉ、６９ｊ、下方ハウジング部５８の頂板の頂板に形成された貫通孔６４ａ、６４ｂ、６４ｃ、６４ｄ、６４ｅ、６４ｆ、６４ｇ、６４ｈ、６４ｉ、６４ｊ、溶液排出チューブ７０ならびに第４の分岐チューブ７７ｄによって、溶液循環流路が形成され、洗浄溶液は、生化学解析用ユニットキャリア６にセットされた１０枚の生化学解析用ユニット１に形成されている多数の吸着性領域４を横切って、溶液循環流路内を循環する。
【０３４７】
このように、本実施態様によれば、洗浄溶液が、生化学解析用ユニットキャリア６にセットされている生化学解析用ユニット１の多数の吸着性領域４を横切って、強制的に循環されるから、ハイブリダイゼーションの工程で、特異的結合物質にハイブリダイズされるべきでない生体由来の物質が、生化学解析用ユニット１の吸着性領域４に結合されていても、特異的結合物質にハイブリダイズされるべきではない生体由来の物質を、生化学解析用ユニット１の吸着性領域４から、効果的に剥離させて、除去することができ、洗浄効率を大幅に向上させることが可能になる。
【０３４８】
所定の時間が経過すると、コントロールユニット８０は、第４のバルブ駆動手段８３ｄに、第２の駆動信号を出力して、第４の溶液注入チューブ６１ｄに設けられた第４のバルブ７５ｄを、第４の溶液注入部６２ｄと、大気とを連通させる第二の位置に位置させ、さらに、第４の切り換えバルブ駆動手段８４ｄに、第１の駆動信号を出力して、第４の溶液注入チューブ６１ｄに設けられた第４の切り換えバルブ７６ｄを、第４の溶液ボトル５７ｄと、第４の溶液注入部６２ｄとを連通させるとともに、第４の分岐チューブ７７ｄと、第１の溶液排出チューブ７０ａおよび第２の溶液排出チューブ７０ｂとを連通させる第一の位置に位置させる。
【０３４９】
その結果、第４の分岐チューブ７７ｄと、第４の溶液注入部６２ｄの連通が断たれ、その一方で、第４の分岐チューブ７７ｄと、第１の溶液排出チューブ７０ａとが連通されて、第４の溶液ボトル５７ｄから、第４の溶液注入チューブ６１ｄ内に供給された洗浄溶液は、すべて、第４の溶液注入部６２ｄ、溶液供給流路７３、第１の溶液供給流路７３ａ、生化学解析用ユニット収容部材６０に形成された各貫通孔６９ａ、６９ｂ、６９ｃ、６９ｄ、６９ｅ、生化学解析用ユニット１に形成された多数の吸着性領域４、下方ハウジング部５８の対応する貫通孔６４ａ、６４ｂ、６４ｃ、６４ｄ、６４ｅ、第１の溶液排出流路７３ａ、溶液排出チューブ７０および第１の溶液排出チューブ７０ａを通って、あるいは、第４の溶液注入部６２ｄ、溶液供給流路７３、第２の溶液供給流路、生化学解析用ユニット収容部材６０に形成された各貫通孔６９ｆ、６９ｇ、６９ｈ、６９ｉ、６９ｊ、生化学解析用ユニット１に形成された多数の吸着性領域４、下方ハウジング部５８の対応する貫通孔６４ｆ、６４ｇ、６４ｈ、６４ｉ、６４ｊ、第２の溶液排出流路、溶液排出チューブ７０および第１の溶液排出チューブ７０ａを通って、第１の溶液回収タンク７２ａ内に回収される。
【０３５０】
こうして、第４の溶液ボトル５７ｄから、第４の溶液注入チューブ６１ｄ内に供給された洗浄溶液がすべて、第１の溶液回収タンク７２ａ内に回収されると、コントロールユニット８０は、ポンプ７８に駆動停止信号を出力して、ポンプ７８の駆動を停止させ、次いで、第４のバルブ駆動手段８３ｄに第３の駆動信号を出力して、第４の溶液注入チューブ６１ｄに設けられた第４のバルブ７５ｄを、第４の溶液ボトル５７ｄおよび大気と、第４の溶液注入部６２ｄとの連通を遮断させる第三の位置に位置させるとともに、第１の溶液排出バルブ駆動手段８５ａに閉鎖信号を出力して、第１の溶液排出バルブ７１ａを閉鎖させ、洗浄操作を完了させる。
【０３５１】
洗浄操作が完了すると、コントロールユニット８０は、洗浄操作完了信号を、生化学解析システムのコントロールユニット４５に出力する。
【０３５２】
生化学解析システムのコントロールユニッ５０は、洗浄操作完了信号を受けると、表示パネル５１に、洗浄操作が完了した旨のメッセージを表示する。
【０３５３】
以上のようにして、生化学解析用ユニット１の基板２に形成された多数の吸着性領域４に、標識物質である放射性標識物質の放射線データおよび蛍光色素などの蛍光物質の蛍光データが記録される。
【０３５４】
生化学解析用ユニット１の吸着性領域４に記録された蛍光データは、後述する第２のスキャナ装置３８によって読み取られて、生化学解析用データが生成される。
【０３５５】
これに対して、放射性標識物質の放射線データは、蓄積性蛍光体シートに転写され、蓄積性蛍光体シートに転写された放射線データは、後述する第１のスキャナ装置３７によって読み取られて、生化学解析用データが生成される。
【０３５６】
次いで、生化学解析システムのコントロールユニット４５は、メモリ４６に保存されている標識データを読み出す。
【０３５７】
その結果、生化学解析用ユニット１の多数の吸着性領域４に含まれた特異的結合物質に、ジゴキシゲニンなどのハプテンによって標識された生体由来の物質を選択的にハイブリダイズさせ、多数の吸着性領域４に含まれた特異的結合物質に選択的にハイブリダイズされたハプテンに、化学発光基質と接触させることによって化学発光を生じさせる酵素によって標識されたハプテンに対する抗体を、抗原抗体反応によって、結合させて、生化学解析用ユニット１の多数の吸着性領域４に、化学発光データを記録する旨の標識データが、メモリ４６に保存されていたときは、生化学解析システムのコントロールユニット４５は、抗原抗体反応開始信号を、ハイブリダイゼーション反応装置３５のコントロールユニット８０に出力する。
【０３５８】
生化学解析用ユニット１の多数の吸着性領域４に含まれた特異的結合物質に、ジゴキシゲニンなどのハプテンによって標識された生体由来の物質が選択的にハイブリダイズさせ、さらに、多数の吸着性領域４に含まれた特異的結合物質に選択的にハイブリダイズされたハプテンに、化学発光基質と接触させることによって化学発光を生じさせる酵素によって標識されたハプテンに対する抗体を、抗原抗体反応によって、結合させて、生化学解析用ユニット１の多数の吸着性領域４に、化学発光データを記録する場合には、ユーザーによって、前処理操作が完了し、第１の溶液ボトル５７ａから、前処理液を排出した後に、化学発光基質と接触させることによって化学発光を生じさせる酵素によって標識されたジゴキシゲニンなどのハプテンに対する抗体を含む抗体溶液が調製されて、調製された抗体溶液が、第１の溶液ボトル５７ａ内に収容される。
【０３５９】
抗原抗体反応開始信号は、ハイブリダイゼーション反応装置３５のコントロールユニット８０に出力される。
【０３６０】
ハイブリダイゼーション反応装置３５のコントロールユニット８０は、抗原抗体反応開始信号を受けると、第１のバルブ駆動手段８３ａに第１の駆動信号を出力して、第１の溶液注入チューブ６１ａに設けられた第１のバルブ７５ａを、第１の溶液ボトル５７ａと第１の溶液注入部６２ａとを連通させる第一の位置に位置させるとともに、第１の切り換えバルブ駆動手段８４ａに、第１の駆動信号を出力して、第１の溶液注入チューブ６１ａに設けられた第１の切り換えバルブ７６ａを、第１の溶液ボトル５７ａと、第１の溶液注入部６２ａとを連通させるとともに、第１の分岐チューブ７７ａと、第１の溶液排出チューブ７０ａおよび第２の溶液排出チューブ７０ｂとを連通させる第一の位置に位置させる。
【０３６１】
さらに、コントロールユニット８０は、第１の溶液排出バルブ駆動手段８５ａに閉鎖信号を出力して、第１の溶液排出バルブ７１ａを閉じさせるとともに、第２の溶液排出バルブ駆動手段８５ｂに開放信号を出力して、第２の溶液排出バルブ７１ｂを開放させる。これは、放射性標識物質が含まれていない抗体溶液を、放射性標識物質濃度の高い溶液と分別して、放射性標識物質濃度の低い溶液を回収する第２の溶液回収タンク７２ｂ内に回収させるためである。
【０３６２】
次いで、コントロールユニット８０は、ポンプ７８に駆動信号を出力して、第１の溶液ボトル５７ａ内に収容されている抗体溶液を、第１の溶液注入チューブ６１ａを介して、生化学解析用ユニット収容部材６０に形成された第１の溶液注入部６２ａに注入させる。
【０３６３】
第１の溶液注入部６２ａに注入された抗体溶液は、単一の溶液供給流路７３に流入し、さらに、溶液供給流路７３から分岐した第１の溶液供給流路７３ａと第２の溶液供給流路に流入する。
【０３６４】
第１の溶液供給流路７３ａに流入した抗体溶液は、生化学解析用ユニットキャリア６にセットされている生化学解析用ユニット１に対向する生化学解析用ユニット収容部材６０の貫通孔６９ａ、６９ｂ、６９ｃ、６９ｄ、６９ｅに流入し、第２の溶液供給流路に流入した抗体溶液は、生化学解析用ユニットキャリア６にセットされている生化学解析用ユニット１に対向する生化学解析用ユニット収容部材６０の貫通孔６９ｆ、６９ｇ、６９ｈ、６９ｉ、６９ｊに流入する。
【０３６５】
生化学解析用ユニット収容部材６０に形成された各貫通孔６９ａ、６９ｂ、６９ｃ、６９ｄ、６９ｅ、６９ｆ、６９ｇ、６９ｈ、６９ｉ、６９ｊに流入した抗体溶液は、それぞれ、生化学解析用ユニットキャリア６にセットされている１０枚の生化学解析用ユニット１に形成された多数の吸着性領域４を横切って、生化学解析用ユニット収容部材６０に形成された各貫通孔６９ａ、６９ｂ、６９ｃ、６９ｄ、６９ｅ、６９ｆ、６９ｇ、６９ｈ、６９ｉ、６９ｊに対向している下方ハウジング部５８の対応する貫通孔６４ａ、６４ｂ、６４ｃ、６４ｄ、６４ｅ、６４ｆ、６４ｇ、６４ｈ、６４ｉ、６４ｊ内に流入する。
【０３６６】
ここに、生化学解析用ユニット収容部材６０に形成された貫通孔６９ａ、６９ｂ、６９ｃ、６９ｄ、６９ｅ、６９ｆ、６９ｇ、６９ｈ、６９ｉ、６９ｊは、生化学解析用ユニットキャリア６に形成された貫通孔７にも対向しているが、各生化学解析用ユニット１の多数の吸着性領域４はすべて、下方ハウジング部５８に設けられた対応する貫通孔６４ａ、６４ｂ、６４ｃ、６４ｄ、６４ｅ、６４ｆ、６４ｇ、６４ｈ、６４ｉ、６４ｊ内に位置し、下方ハウジング部５８の頂板に立設された各枠部材６５ａ、６５ｂ、６５ｃ、６５ｄ、６５ｅ、６５ｆ、６５ｇ、６５ｈ、６５ｉ、６５ｊの側壁上端部に形成されているシール部材６６ａ、６６ｂ、６６ｃ、６６ｄ、６６ｅ、６６ｆ、６６ｇ、６６ｈ、６６ｉ、６６ｊが、対応する生化学解析用ユニット１に当接して、生化学解析用ユニットキャリア６に形成された貫通孔７と、下方ハウジング部５８に設けられた対応する貫通孔６４ａ、６４ｂ、６４ｃ、６４ｄ、６４ｅ、６４ｆ、６４ｇ、６４ｈ、６４ｉ、６４ｊとの間がシールされているので、生化学解析用ユニット収容部材６０に形成された各貫通孔６９ａ、６９ｂ、６９ｃ、６９ｄ、６９ｅ、６９ｆ、６９ｇ、６９ｈ、６９ｉ、６９ｊに流入した抗体溶液は、すべて、生化学解析用ユニットキャリア６にセットされている１０枚の生化学解析用ユニット１に形成された多数の吸着性領域４を横切って、下方ハウジング部５８に設けられた対応する貫通孔６４ａ、６４ｂ、６４ｃ、６４ｄ、６４ｅ、６４ｆ、６４ｇ、６４ｈ、６４ｉ、６４ｊ内に流入する。
【０３６７】
その結果、生化学解析用ユニットキャリア６にセットされている生化学解析用ユニット１の多数の吸着性領域４に含まれている特異的結合物質に、選択的に、ハイブリダイズされた生体由来の物質を標識しているジゴキシゲニンなどのハプテンに、抗原抗体反応によって、化学発光基質と接触させることによって化学発光を生じさせる酵素によって標識された抗体が結合される。
【０３６８】
下方ハウジング部５８の頂板に形成された各貫通孔６４ａ、６４ｂ、６４ｃ、６４ｄ、６４ｅ内に流入した抗体溶液は、第１の溶液排出流路７３ａに流入し、一方、下方ハウジング部５８の頂板に形成された各貫通孔６４ｆ、６４ｇ、６４ｈ、６４ｉ、６４ｊ内に流入した抗体溶液は、第２の溶液排出流路に流入する。
【０３６９】
第１の溶液排出流路７３ａに流入した抗体溶液および第２の溶液排出流路に流入した抗体溶液が、溶液排出チューブ７０に流入すると、コントロールユニット８０は、ポンプ７８の駆動時間に基づいて、抗体溶液が、第１の切り換えバルブ７６ａに到達するタイミングで、第１の切り換えバルブ駆動手段８４ａに、第２の駆動信号を出力し、第１の切り換えバルブ７６ａを、第１の溶液ボトル５７ａと、第１の溶液排出チューブ７０ａおよび第２の溶液排出チューブ７０ｂとを連通させるとともに、第１の分岐チューブ７７ａと、第１の溶液注入部６２ａとを連通させる第二の位置に位置させる。
【０３７０】
その結果、第１の溶液注入チューブ６１ａ、第１の溶液注入部６２ａ、溶液供給流路７３、第１の溶液供給流路７３ａおよび第２の溶液供給流路、生化学解析用ユニット収容部材６０に形成された貫通孔６９ａ、６９ｂ、６９ｃ、６９ｄ、６９ｅ、６９ｆ、６９ｇ、６９ｈ、６９ｉ、６９ｊ、下方ハウジング部５８の頂板に形成された貫通孔６４ａ、６４ｂ、６４ｃ、６４ｄ、６４ｅ、６４ｆ、６４ｇ、６４ｈ、６４ｉ、６４ｊ、溶液排出チューブ７０ならびに第１の分岐チューブ７７ａによって、溶液循環流路が形成され、抗体溶液は、生化学解析用ユニットキャリア６にセットされた１０枚の生化学解析用ユニット１に形成されている多数の吸着性領域４を横切って、溶液循環流路内を循環する。
【０３７１】
このように、本実施態様によれば、抗体溶液が、生化学解析用ユニットキャリア６にセットされている生化学解析用ユニット１の多数の吸着性領域４を横切って、強制的に循環されるから、抗体溶液に含まれている抗体を、単に、対流あるいは拡散によって移動させ、吸着性領域４に含まれている抗原に結合させる場合に比して、生化学解析用ユニット１の吸着性領域４内における抗体の移動速度を大幅に増大させることができ、したがって、抗原抗体反応の反応速度を大幅に向上させることが可能になり、さらには、抗体溶液に含まれている抗体が、吸着性領域４の深い部分に含まれている特異的結合物質に、選択的に、ハイブリダイズされた生体由来の物質を標識しているハプテンと出会う確率を大幅に増大させることができ、したがって、所望のように、抗体溶液に含まれた抗体と、生化学解析用ユニット１の吸着性領域４に含まれている特異的結合物質に、選択的に、ハイブリダイズされた生体由来の物質を標識しているハプテンとを、抗原抗体反応によって、結合させることが可能になる。
【０３７２】
所定の時間が経過すると、コントロールユニット８０は、第１のバルブ駆動手段８３ａに、第２の駆動信号を出力して、第１の溶液注入チューブ６１ａに設けられた第１のバルブ７５ａを、第１の溶液注入部６２ａと、大気とを連通させる第二の位置に位置させ、さらに、第１の切り換えバルブ駆動手段８４ａに、第１の駆動信号を出力して、第１の溶液注入チューブ６１ａに設けられた第１の切り換えバルブ７６ａを、第１の溶液ボトル５７ａと、第１の溶液注入部６２ａとを連通させるとともに、第１の分岐チューブ７７ａと、第１の溶液排出チューブ７０ａおよび第２の溶液排出チューブ７０ｂとを連通させる第一の位置に位置させる。
【０３７３】
その結果、第１の分岐チューブ７７ａと、第１の溶液注入部６２ａの連通が断たれ、その一方で、第１の分岐チューブ７７ａと、第２の溶液排出チューブ７０ｂとが連通されて、第１の溶液ボトル５７ａから、第１の溶液注入チューブ６１ａ内に供給された抗体溶液は、すべて、第１の溶液注入部６２ａ、溶液供給流路７３、第１の溶液供給流路７３ａ、生化学解析用ユニット収容部材６０に形成された各貫通孔６９ａ、６９ｂ、６９ｃ、６９ｄ、６９ｅ、生化学解析用ユニット１に形成された多数の吸着性領域４、下方ハウジング部５８の対応する貫通孔６４ａ、６４ｂ、６４ｃ、６４ｄ、６４ｅ、第１の溶液排出流路７３ａ、溶液排出チューブ７０および第２の溶液排出チューブ７０ｂを通って、あるいは、第１の溶液注入部６２ａ、溶液供給流路７３、第２の溶液供給流路、生化学解析用ユニット収容部材６０に形成された各貫通孔６９ｆ、６９ｇ、６９ｈ、６９ｉ、６９ｊ、生化学解析用ユニット１に形成された多数の吸着性領域４、下方ハウジング部５８の対応する貫通孔６４ｆ、６４ｇ、６４ｈ、６４ｉ、６４ｊ、第２の溶液排出流路、溶液排出チューブ７０および第２の溶液排出チューブ７０ｂを通って、第２の溶液回収タンク７２ｂ内に回収される。
【０３７４】
こうして、第１の溶液ボトル５７ａから、第１の溶液注入チューブ６１ａ内に供給された抗体溶液が、すべて、第２の溶液回収タンク７２ｂ内に回収されると、コントロールユニット８０は、ポンプ７８に駆動停止信号を出力して、ポンプ７８の駆動を停止させ、次いで、第１のバルブ駆動手段８３ａに第３の駆動信号を出力して、第１の溶液注入チューブ６１ａに設けられた第１のバルブ７５ａを、第１の溶液ボトル５７ａおよび大気と、第１の溶液注入部６２ａとの連通を遮断させる第三の位置に位置させるとともに、第２の溶液排出バルブ駆動手段８３ｂに閉鎖信号を出力して、第２の溶液排出バルブ７１ｂを閉鎖させて、抗原抗体反応を完了させる。
【０３７５】
抗原抗体反応が完了すると、コントロールユニット８０は、抗原抗体反応完了信号を、生化学解析システムのコントロールユニット４５に出力する。
【０３７６】
生化学解析システムのコントロールユニット４５は、抗原抗体反応完了信号を受けると、表示パネル５１に、抗原抗体反応洗浄が完了した旨のメッセージを表示するとともに、洗浄操作開始信号を、ハイブリダイゼーション反応装置３５のコントロールユニット８０に出力する。
【０３７７】
ハイブリダイゼーション反応装置３５のコントロールユニット８０は、洗浄操作開始信号を受けると、第４のバルブ駆動手段８３ｄに第１の駆動信号を出力して、第４の溶液注入チューブ６１ｄに設けられた第４のバルブ７５ｄを、第４の溶液ボトル５７ｄと第４の溶液注入部６２ｄとを連通させる第一の位置に位置させるとともに、第４の切り換えバルブ駆動手段８４ｄに、第２の駆動信号を出力して、第４の溶液注入チューブ６１ｄに設けられた第４の切り換えバルブ７６ｄを、第４の溶液ボトル５７ｄと、第４の溶液注入部６２ｄとを連通させるとともに、第４の分岐チューブ７７ｄと、第１の溶液排出チューブ７０ａおよび第２の溶液排出チューブ７０ｂとを連通させる第一の位置に位置させる。
【０３７８】
さらに、コントロールユニット８０は、第１の溶液排出バルブ駆動手段８５ａに閉鎖信号を出力して、第１の溶液排出バルブ７１ａを閉じさせるとともに、第２の溶液排出バルブ駆動手段８５ｂに開放信号を出力して、第２の溶液排出バルブ７１ｂを開放させる。これは、抗体溶液中には、放射性標識物質は含まれていないため、この場合には、回収される洗浄溶液中の放射性標識物質濃度は低く、したがって、洗浄溶液を、放射性標識物質濃度の高い溶液と分別して、放射性標識物質濃度の低い溶液を回収する第２の溶液回収タンク７２ｂ内に回収させるためである。
【０３７９】
次いで、コントロールユニット８０は、ポンプ７８に駆動信号を出力して、第４の溶液ボトル５７ｄ内に収容されている洗浄溶液を、第４の溶液注入チューブ６１ｄを介して、生化学解析用ユニット収容部材６０に形成された第４の溶液注入部６２ｄに注入させる。
【０３８０】
第４の溶液注入部６２ｄに注入された洗浄溶液は、単一の溶液供給流路７３に流入し、さらに、溶液供給流路７３から分岐した第１の溶液供給流路７３ａおよび第２の溶液供給流路に流入する。
【０３８１】
第１の溶液供給流路７３ａに流入した洗浄溶液は、生化学解析用ユニットキャリア６にセットされている生化学解析用ユニット１に対向する生化学解析用ユニット収容部材６０の貫通孔６９ａ、６９ｂ、６９ｃ、６９ｄ、６９ｅに流入し、第２の溶液供給流路に流入した洗浄溶液は、生化学解析用ユニットキャリア６にセットされている生化学解析用ユニット１に対向する生化学解析用ユニット収容部材６０の貫通孔６９ｆ、６９ｇ、６９ｈ、６９ｉ、６９ｊに流入する。
【０３８２】
生化学解析用ユニット収容部材６０に形成された各貫通孔６９ａ、６９ｂ、６９ｃ、６９ｄ、６９ｅ、６９ｆ、６９ｇ、６９ｈ、６９ｉ、６９ｊに流入した洗浄溶液は、それぞれ、生化学解析用ユニットキャリア６にセットされている１０枚の生化学解析用ユニット１に形成された多数の吸着性領域４を横切って、生化学解析用ユニット収容部材６０に形成された各貫通孔６９ａ、６９ｂ、６９ｃ、６９ｄ、６９ｅ、６９ｆ、６９ｇ、６９ｈ、６９ｉ、６９ｊに対向している下方ハウジング部５８の対応する貫通孔６４ａ、６４ｂ、６４ｃ、６４ｄ、６４ｅ、６４ｆ、６４ｇ、６４ｈ、６４ｉ、６４ｊ内に流入する。
【０３８３】
下方ハウジング部５８の頂板に形成された各貫通孔６４ａ、６４ｂ、６４ｃ、６４ｄ、６４ｅ内に流入した洗浄溶液は、第１の溶液排出流路７３ａに流入し、一方、下方ハウジング部５８の頂板に形成された各貫通孔６４ｆ、６４ｇ、６４ｈ、６４ｉ、６４ｊ内に流入した洗浄溶液は、第２の溶液排出流路に流入する。
【０３８４】
第１の溶液排出流路７３ａに流入した洗浄溶液および第２の溶液排出流路に流入した洗浄溶液が、溶液排出チューブ７０に流入すると、コントロールユニット８０は、ポンプ７８の駆動時間に基づいて、洗浄溶液が、第４の切り換えバルブ７６ｄに到達するタイミングで、第４の切り換えバルブ駆動手段８４ｄに、第２の駆動信号を出力し、第４の切り換えバルブ７６ｄを、第４の溶液ボトル５７ｄと、第１の溶液排出チューブ７０ａおよび第２の溶液排出チューブ７０ｂとを連通させるとともに、第４の分岐チューブ７７ｄと、第４の溶液注入部６２ｄとを連通させる第二の位置に位置させる。
【０３８５】
その結果、第４の溶液注入チューブ６１ｄ、第４の溶液注入部６２ｄ、溶液供給流路７３、第１の溶液供給流路７３ａおよび第２の溶液供給流路、生化学解析用ユニット収容部材６０に形成された貫通孔６９ａ、６９ｂ、６９ｃ、６９ｄ、６９ｅ、６９ｆ、６９ｇ、６９ｈ、６９ｉ、６９ｊ、下方ハウジング部５８の頂板に形成された貫通孔６４ａ、６４ｂ、６４ｃ、６４ｄ、６４ｅ、６４ｆ、６４ｇ、６４ｈ、６４ｉ、６４ｊ、溶液排出チューブ７０ならびに第４の分岐チューブ７７ｄによって、溶液循環流路が形成され、洗浄溶液は、生化学解析用ユニットキャリア６にセットされた１０枚の生化学解析用ユニット１に形成されている多数の吸着性領域４を横切って、溶液循環流路内を循環する。
【０３８６】
このように、本実施態様によれば、洗浄溶液が、生化学解析用ユニットキャリア６にセットされている生化学解析用ユニット１の多数の吸着性領域４を横切って、強制的に循環されるから、抗原抗体反応の過程で、抗原に結合されるべきでない抗体が、生化学解析用ユニット１の基板２に形成された吸着性領域４に吸着していても、抗原に結合されるべきでない抗体を、生化学解析用ユニット１の多数の吸着性領域４から、効果的に剥離させ、除去することが可能になり、洗浄効率を大幅に向上させることができる。
【０３８７】
所定の時間が経過すると、コントロールユニット８０は、第４のバルブ駆動手段８３ｄに、第２の駆動信号を出力して、第４の溶液注入チューブ６１ｄに設けられた第４のバルブ７５ｄを、第４の溶液注入部６２ｄと、大気とを連通させる第二の位置に位置させ、さらに、第４の切り換えバルブ駆動手段８４ｄに、第１の駆動信号を出力して、第４の溶液注入チューブ６１ｄに設けられた第４の切り換えバルブ７６ｄを、第４の溶液ボトル５７ｄと、第４の溶液注入部６２ｄとを連通させるとともに、第４の分岐チューブ７７ｄと、第１の溶液排出チューブ７０ａおよび第２の溶液排出チューブ７０ｂとを連通させる第一の位置に位置させる。
【０３８８】
その結果、第４の分岐チューブ７７ｄと、第４の溶液注入部６２ｄの連通が断たれ、その一方で、第４の分岐チューブ７７ｄと、第１の溶液排出チューブ７０ａとが連通されて、第４の溶液ボトル５７ｄから、第４の溶液注入チューブ６１ｄ内に供給された洗浄溶液は、すべて、第４の溶液注入部６２ｄ、溶液供給流路７３、第１の溶液供給流路７３ａ、生化学解析用ユニット収容部材６０に形成された各貫通孔６９ａ、６９ｂ、６９ｃ、６９ｄ、６９ｅ、生化学解析用ユニット１に形成された多数の吸着性領域４、下方ハウジング部５８の対応する貫通孔６４ａ、６４ｂ、６４ｃ、６４ｄ、６４ｅ、第１の溶液排出流路７３ａ、溶液排出チューブ７０および第１の溶液排出チューブ７０ａを通って、あるいは、第４の溶液注入部６２ｄ、溶液供給流路７３、第２の溶液供給流路、生化学解析用ユニット収容部材６０に形成された各貫通孔６９ｆ、６９ｇ、６９ｈ、６９ｉ、６９ｊ、生化学解析用ユニット１に形成された多数の吸着性領域４、下方ハウジング部５８の対応する貫通孔６４ｆ、６４ｇ、６４ｈ、６４ｉ、６４ｊ、第２の溶液排出流路、溶液排出チューブ７０および第２の溶液排出チューブ７０ｂを通って、第２の溶液回収タンク７２ｂ内に回収される。
【０３８９】
こうして、第４の溶液ボトル５７ｄから、第４の溶液注入チューブ６１ｄ内に供給された洗浄溶液がすべて、第２の溶液回収タンク７２ｂ内に回収されると、コントロールユニット８０は、ポンプ７８に駆動停止信号を出力して、ポンプ７８の駆動を停止させ、次いで、第４のバルブ駆動手段８３ｄに第３の駆動信号を出力して、第４の溶液注入チューブ６１ｄに設けられた第４のバルブ７５ｄを、第４の溶液ボトル５７ｄおよび大気と、第４の溶液注入部６２ｄとの連通を遮断させる第三の位置に位置させるとともに、第２の溶液排出バルブ駆動手段８５ａに閉鎖信号を出力して、第２の溶液排出バルブ７１ｂを閉鎖させ、洗浄操作を完了させる。
【０３９０】
洗浄操作が完了すると、コントロールユニット８０は、洗浄操作完了信号を、生化学解析システムのコントロールユニット４５に出力する。
【０３９１】
生化学解析システムのコントロールユニット４５は、洗浄操作完了信号を受けると、表示パネル５１に、ハイブリダイゼーション反応が完了した旨のメッセージを表示する。
【０３９２】
以上のようにして、生化学解析用ユニット１の基板２に形成された多数の吸着性領域４に、化学発光データが記録される。
【０３９３】
生化学解析用ユニット１の吸着性領域４に記録された化学発光データは、後述する冷却ＣＣＤカメラを含むデータ読み取り装置３９によって読み取られ、生化学解析用データが生成される。
【０３９４】
こうして、生化学解析用ユニットキャリア６にセットされた１０枚の生化学解析用ユニット１のそれぞれに形成された多数の吸着性領域４に、放射線データ、蛍光データおよび化学発光データが記録されて、表示パネル５１に、ハイブリダイゼーション反応が完了した旨のメッセージを表示した後、生化学解析システムのコントロールユニット４５は、反応完了信号を、ハイブリダイゼーション反応装置３５のコントロールユニット８０および後に詳述する露光装置３６のコントロールユニット（図示せず）に出力する。
【０３９５】
ハイブリダイゼーション反応装置３５のコントロールユニット８０は、コントロールユニット４５から、反応完了信号を受けると、ソレノイド８６に駆動信号を出力して、生化学解析用ユニット収容部材６０の係止部材６０ａと、下方ハウジング部６３の頂板に形成された係止部（図示せず）との係合を解除させる。
【０３９６】
その結果、捩りスプリング（図示せず）のスプリング力によって、一対のアーム５９、５９が、軸まわりに揺動されて、生化学解析用ユニット収容部材６０が、生化学解析用ユニットキャリア６から離間される。
【０３９７】
次いで、コントロールユニット８０は、搬送ベルト６３、６３を駆動する搬送ベルトモータ８２に駆動信号を出力して、生化学解析用ユニットキャリア６を、後に詳述する露光装置３６に搬送させる。
【０３９８】
図１４は、本発明の好ましい実施態様にかかる生化学解析システムに用いられる蓄積性蛍光体シートの略斜視図である。
【０３９９】
図１４に示されるように、蓄積性蛍光体シート９０は、多数の略円形の貫通孔９３が規則的に形成されたニッケル製の支持体９１を備え、支持体９１に形成された多数の貫通孔９３内に、輝尽性蛍光体が埋め込まれて、多数の輝尽性蛍光体層領域９２が、ドット状に形成されている。
【０４００】
多数の貫通孔９３は、生化学解析用ユニット１の基板２に形成された多数の吸着性領域４と同一のパターンで、支持体９１に形成され、各輝尽性蛍光体層領域９２は、生化学解析用ユニット１の基板２に形成された吸着性領域４と等しいサイズを有するように、形成されている。
【０４０１】
したがって、図１４には正確に示されていないが、１９２００の約０．０７平方ミリメートルのサイズを有する略円形の輝尽性蛍光体層領域９２が、１２０列×１６０行のマトリックス状に、規則的に、生化学解析用ユニット１の基板２に形成された多数の吸着性領域４と同一の規則的なパターンにより、蓄積性蛍光体シート９０の支持体９１に形成されている。
【０４０２】
また、本実施態様においては、支持体９１の表面と、ドット状に形成された輝尽性蛍光体層領域９２の表面とが同一の高さに位置するように、支持体９１に形成された貫通孔９３に、輝尽性蛍光体が埋め込まれて、蓄積性蛍光体シート９０が形成され、支持体９１には、その蓄積性蛍光体シート９０に固有のバーコード９５が印刷されている。
【０４０３】
ここに、蓄積性蛍光体シート９０の支持体９１には、ともに使用されるべき生化学解析用ユニット１の基板２に印刷されたバーコード５ａと、共通のバーコード９５が印刷されている。これは、蓄積性蛍光体シート９０と生化学解析用ユニット１の組み合わせが変わると、生化学解析の再現性が低下するので、つねに、特定の生化学解析用ユニット１と、特定の蓄積性蛍光体シート９０とを、ともに使用することができるように保証するためである。
【０４０４】
図１５は、１０枚の蓄積性蛍光体シート９０が固定された蓄積性蛍光体シートキャリアの略斜視図である。
【０４０５】
図１５に示されるように、蓄積性蛍光体シートキャリア９６は、略矩形状の板状部材によって構成されており、蓄積性蛍光体シートキャリア９６の表面には、磁石（図示せず）が埋め込まれ、磁石により、１０枚の蓄積性蛍光体シート９０が、それぞれ、生化学解析用ユニットキャリア６にセットされた１０枚の生化学解析用ユニット１に対応する位置に、２列×５行のマトリックス状に、固定されている。
【０４０６】
蓄積性蛍光体シートキャリア９６には、生化学解析用ユニットキャリア６に形成された位置合わせ用貫通孔６ａ、６ａに対応する位置に、位置合わせ用ピン９６ａ、９６ａが形成されている。
【０４０７】
図１６は、生化学解析用ユニット１の多数の吸着性領域４に選択的に含まれている放射性標識物質によって、蓄積性蛍光体シート９０の支持体９１に形成された多数の輝尽性蛍光体層領域９２に含まれている輝尽性蛍光体を露光する露光装置３６の略斜視図である。
【０４０８】
図１６に示されるように、本発明の好ましい実施態様にかかる生化学解析システムを構成する露光装置３６は、それぞれ、１０枚の蓄積性蛍光体シート９０が固定された複数の蓄積性蛍光体シートキャリア９６を立てた状態で保持するキャリア保持部１００と、蓄積性蛍光体シートキャリア９６に固定された各蓄積性蛍光体シート９０の支持体９１に印刷されたバーコード９５を読み取るバーコードリーダー（図示せず）と、白色光を発する複数の白色光源１０１と、１０枚の生化学解析用ユニット１がセットされた生化学解析用ユニットキャリア６を、ハイブリダイゼーション反応装置３５の搬送ベルト６３、６３から受け取り、搬送する搬送ベルト１０２と、１０枚の生化学解析用ユニット１がセットされた生化学解析用ユニットキャリア６と１０枚の蓄積性蛍光体シート９０が固定された蓄積性蛍光体シートキャリア９６のキャリア集積体を収容し、複数のキャリア集積体を、積層状態で、保持するボックス状のスタッカ１０３と、１０枚の蓄積性蛍光体シート９０が固定された蓄積性蛍光体シートキャリア９６を、１０枚の生化学解析用ユニット１がセットされた生化学解析用ユニットキャリア６から剥離するキャリア剥離部１０４を備えている。
【０４０９】
キャリア保持部１００は、背板１００ａと底板１００ｂを備えた略Ｌ字状断面を有する板状部材によって構成され、複数の蓄積性蛍光体シートキャリア９６が、底板１００ｂ上に、立てた状態で、保持されるように構成されている。
【０４１０】
キャリア保持部１００は、図１６において、最も右側に保持された蓄積性蛍光体シートキャリア９６を把持し、搬送ベルト１０２上に載置された生化学解析用ユニットキャリア６上に、重ね合わせるキャリア把持部材（図示せず）を備え、蓄積性蛍光体シートキャリア９６は、キャリア把持部材によって把持されて、バーコードリーダー（図示せず）と、蓄積性蛍光体シートキャリア９６に固定された１０枚の蓄積性蛍光体シート９０の支持体９１のそれぞれに印刷されたバーコードとが対向するバーコード読み取り位置に移動され、バーコードリーダー（図示せず）により、蓄積性蛍光体シートキャリア９６に固定された１０枚の蓄積性蛍光体シート９０の支持体９１のそれぞれに印刷されたバーコードが読み取られると、複数の白色光源１０１に対向するエネルギー消去位置に移動され、白色光源１１１が点灯され、蓄積性蛍光体シートキャリア９６に固定されている１０枚の蓄積性蛍光体シート９０に、白色光が照射され、蓄積性蛍光体シート９０の輝尽性蛍光体層領域９２に含まれている輝尽性蛍光体が励起されて、輝尽性蛍光体が蓄積している環境放射線などの放射線エネルギーが放出され、蓄積性蛍光体シート９０の輝尽性蛍光体層領域９２に蓄積されていた放射線エネルギーが消去されるように構成されている。
【０４１１】
図１６に示されるように、搬送ベルト１０２とスタッカ１０３の間には、シュート１０５が形成されており、１０枚の生化学解析用ユニット１がセットされた生化学解析用ユニットキャリア６と１０枚の蓄積性蛍光体シート９０が固定された蓄積性蛍光体シートキャリア９６のキャリア集積体が、搬送ベルト１０２から、スタッカ１０３内に、シュート１０５によって、案内されるように構成されている。
【０４１２】
スタッカ１０３は、鉛直方向に昇降可能な昇降板１０６を備え、１０枚の生化学解析用ユニット１がセットされた生化学解析用ユニットキャリア６と１０枚の蓄積性蛍光体シート９０が固定された蓄積性蛍光体シートキャリア９６のキャリア集積体は、昇降板１０６の上面で、保持されるように構成されている。
【０４１３】
ボックス状のスタッカ１０３には、一方の壁面には、１０枚の生化学解析用ユニット１がセットされた生化学解析用ユニットキャリア６と１０枚の蓄積性蛍光体シート９０が固定された蓄積性蛍光体シートキャリア９６のキャリア集積体が通過可能なサイズを有するキャリア取り出し用開口部１０７が形成され、キャリア取り出し用開口部１０６に対向するスタッカ１０３の壁面には、１０枚の生化学解析用ユニット１がセットされた生化学解析用ユニットキャリア６と１０枚の蓄積性蛍光体シート９０が固定された蓄積性蛍光体シートキャリア９６のキャリア集積体を、キャリア取り出し用開口部１０７を介して、キャリア剥離部１０４に押し出すキャリア排出部材１０８が進退する開口部１０９が形成されている。
【０４１４】
キャリア排出部材１０８は、スタッカ１０３の内部から退避した待機位置と、スタッカ１０３の内部に突出して、１０枚の生化学解析用ユニット１がセットされた生化学解析用ユニットキャリア６と１０枚の蓄積性蛍光体シート９０が固定された蓄積性蛍光体シートキャリア９６のキャリア集積体を、キャリア取り出し用開口部１０７を介して、キャリア剥離部１０４に押し出すキャリア排出位置との間を、移動可能に構成されている。
【０４１５】
図１６に示されるように、キャリア剥離部１０４は、その上面で、１０枚の生化学解析用ユニット１がセットされた生化学解析用ユニットキャリア６と１０枚の蓄積性蛍光体シート９０が固定された蓄積性蛍光体シートキャリア９６のキャリア集積体を支持するキャリア支持部材１１０と、キャリア支持部材１１０上に載置されたキャリア集積体の蓄積性蛍光体シートキャリア９６を把持して、生化学解析用ユニットキャリア６から剥離させ、後に詳述する第１のスキャナ装置３７に搬送するとともに、キャリア支持部材１１０上に載置された生化学解析用ユニットキャリア６を把持して、第２のスキャナ装置３８あるいはデータ読み取り装置３９に搬送するキャリア搬送部材１１１を備えている。
【０４１６】
図１７は、図１６に示された露光装置３６の制御系、駆動系および検出系のブロックダイアグラムである。
【０４１７】
図１７に示されるように、露光装置３６の制御系は、露光装置３６全体の動作を制御するコントロールユニット１２０と、白色光源１０１をオン・オフ制御する光源制御手段１２１を備えている。
【０４１８】
図１７に示されるように、露光装置３６の駆動系は、キャリア把持部材によって、蓄積性蛍光体シートキャリア９６を把持させる第１のキャリア把持モータ１２２と、キャリア把持部材を移動させるキャリア把持部材モータ１２３と、搬送ベルト１０２を駆動する搬送ベルトモータ１２４と、スタッカ１０３の昇降板１０６を上下動させる昇降板モータ１２５と、キャリア排出部材１０８を、待機位置とキャリア排出位置との間で、移動させるソレノイド１２６と、キャリア搬送部材１１１を駆動して、蓄積性蛍光体シートキャリア９６あるいは生化学解析用ユニットキャリア６を把持させる第２のキャリア把持モータ１２７と、キャリア搬送部材１１１を移動させる搬送部材モータ１２８とを備えている。
【０４１９】
図１７に示されるように、第２のキャリア把持モータ１２７および搬送部材モータ１２８は、生化学解析システムのコントロールユニット４５によって、制御されるように構成されている。
【０４２０】
図１７に示されるように、露光装置３６の検出系は、蓄積性蛍光体シートキャリア９６の固定された１０枚の蓄積性蛍光体シート９０の支持体９１のそれぞれに印刷されているバーコード９５を読み取る１０のバーコードリーダー１２９ａ、１２９ｂ、１２９ｃ、１２９ｄ、１２９ｅ、１２９ｆ、１２９ｇ、１２９ｈ、１２９ｉ、１２９ｊを備えている。図１７においては、簡略化のため、バーコードリーダー１２９ａのみが図示されている。
【０４２１】
以上のように構成された本実施態様にかかる露光装置３６は、生化学解析システムのメモリ４６に保存された生化学解析用ユニット１の多数の吸着性領域４を選択的に標識する標識物質に、放射性標識物質が含まれているときは、以下のようにして、生化学解析用ユニット１の多数の吸着性領域４に選択的に含まれている放射性標識物質によって、蓄積性蛍光体シート９０の支持体９１に形成された多数の輝尽性蛍光体層領域９２に含まれている輝尽性蛍光体を露光する。
【０４２２】
ハイブリダイゼーション反応装置３５によって、生化学解析用ユニットキャリア６にセットされた１０枚の生化学解析用ユニット１のそれぞれに形成された多数の吸着性領域４に、放射線データ、蛍光データおよび化学発光データが記録されると、生化学解析システムのコントロールユニット４５は、反応完了信号をハイブリダイゼーション反応装置３５のコントロールユニット８０に出力するとともに、メモリ４６に保存された標識データを読み出して、反応完了信号および標識データを、露光装置３６のコントロールユニット１２０に出力する。
【０４２３】
ハイブリダイゼーション反応装置３５のコントロールユニット８０は、生化学解析システムのコントロールユニット４５から、反応完了信号を受けると、搬送ベルトモータ８２に駆動信号を出力して、ハイブリダイゼーション反応装置３５の搬送ベルト６３、６３を駆動する。
【０４２４】
一方、露光装置のコントロールユニット１２０は、生化学解析システムのコントロールユニット４５から、反応完了信号を受けると、搬送ベルトモータ１２４に駆動信号を出力して、搬送ベルト１０２を駆動させる。
【０４２５】
その結果、それぞれ、多数の吸着性領域４に、放射線データ、蛍光データおよび化学発光データが記録された１０枚の生化学解析用ユニット１がセットされている生化学解析用ユニットキャリア６が、ハイブリダイゼーション反応装置３５の搬送ベルト６３、６３から、露光装置３６の搬送ベルト１０２上に受け渡される。
【０４２６】
生化学解析システムのコントロールユニット４５から、入力された標識データに基づき、生化学解析用ユニット１の多数の吸着性領域４が、放射性標識物質によって選択的に標識されていると判定したときは、露光装置３６のコントロールユニット１２０は、ハイブリダイゼーション反応装置３５の搬送ベルト６３、６３から受け渡された１０枚の生化学解析用ユニット１がセットされている生化学解析用ユニットキャリア６が、所定の位置に達すると、搬送ベルトモータ１２４に駆動停止信号を出力して、搬送ベルト１０２の駆動を停止させる。
【０４２７】
同時に、露光装置３６のコントロールユニット１２０は、駆動停止信号を、生化学解析システムのコントロールユニット４５に出力する。
【０４２８】
生化学解析システムのコントロールユニット４５は、露光装置３６のコントロールユニット１２０から、駆動停止信号を受けると、駆動停止信号を、ハイブリダイゼーション反応装置３５のコントロールユニット８０に転送し、ハイブリダイゼーション反応装置３５のコントロールユニット８０は、生化学解析システムのコントロールユニット４５から、駆動停止信号を受けると、搬送ベルトモータ８２に駆動停止信号を出力して、搬送ベルト６３、６３の駆動を停止させる。
【０４２９】
次いで、露光装置３６のコントロールユニット１２０は、キャリア把持モータ１２３に駆動信号を出力して、キャリア把持部材によって、図１６において、最も右側に保持された蓄積性蛍光体シートキャリア９６を把持させる。
【０４３０】
蓄積性蛍光体シートキャリア９６が、キャリア把持部材によって、把持されると、コントロールユニット１２０は、キャリア把持部材モータ１２２に駆動信号を出力して、蓄積性蛍光体シートキャリア９６を、バーコード読み取り位置に移動させる。
【０４３１】
蓄積性蛍光体シートキャリア９６が、キャリア把持部材によって、バーコード読み取り位置に移動されると、コントロールユニット１２０は、バーコードリーダー１２９ａ、１２９ｂ、１２９ｃ、１２９ｄ、１２９ｅ、１２９ｆ、１２９ｇ、１２９ｈ、１２９ｉ、１２９ｊをオンさせて、蓄積性蛍光体シートキャリア９６の固定された１０枚の蓄積性蛍光体シート９０の支持体９１のそれぞれに印刷されているバーコード９５を読み取らせる。
【０４３２】
バーコードリーダー１２９ａ、１２９ｂ、１２９ｃ、１２９ｄ、１２９ｅ、１２９ｆ、１２９ｇ、１２９ｈ、１２９ｉ、１２９ｊによって、蓄積性蛍光体シートキャリア９６の固定された１０枚の蓄積性蛍光体シート９０の支持体９１のそれぞれに印刷されているバーコード９５が読み取られて、生成されたバーコードデータは、コントロールユニット１２０に入力される。
【０４３３】
バーコードリーダー１２９ａ、１２９ｂ、１２９ｃ、１２９ｄ、１２９ｅ、１２９ｆ、１２９ｇ、１２９ｈ、１２９ｉ、１２９ｊから、バーコードデータが入力されると、コントロールユニット１２０は、バーコードデータを、生化学解析システムのコントロールユニット４５に出力する。
【０４３４】
生化学解析システムのコントロールユニット４５は、露光装置３６のコントロールユニット１２０から、バーコードデータを受けると、メモリ４６に保存されている生化学解析用ユニットキャリア６にセットされた１０枚の生化学解析用ユニット１のバーコードデータを読み出し、入力された蓄積性蛍光体シートキャリア９６に固定されている１０枚の蓄積性蛍光体シート９０のバーコードデータと比較する。
【０４３５】
その結果、生化学解析用ユニットキャリア６にセットされた１０枚の生化学解析用ユニット１のバーコードデータと、蓄積性蛍光体シートキャリア９６に固定されている１０枚の蓄積性蛍光体シート９０のバーコードデータとが合致していないときは、蓄積性蛍光体シート９０と生化学解析用ユニット１の組み合わせが変わると、生化学解析の再現性が低下するので、生化学解析システムのコントロールユニット４５は、露光装置３６のコントロールユニット１２０に、露光操作中断信号を出力して、露光操作を中断させるとともに、１０枚の蓄積性蛍光体シート９０が固定された蓄積性蛍光体シートキャリアを交換すべき旨のメッセージを、生化学解析システムの表示パネル５１に表示させる。
【０４３６】
これに対して、生化学解析用ユニットキャリア６にセットされた１０枚の生化学解析用ユニット１のバーコードデータと、蓄積性蛍光体シートキャリア９６に固定されている１０枚の蓄積性蛍光体シート９０のバーコードデータとが合致しているときは、生化学解析システムのコントロールユニット４５は、何の信号も出力しない。
【０４３７】
したがって、露光装置３６のコントロールユニット１２０は、さらに、キャリア把持部材モータ１２２に駆動信号を出力して、蓄積性蛍光体シートキャリア９６を、バーコード読み取り位置から、複数の白色光源１０１と、蓄積性蛍光体シートキャリア９６に固定された１０枚の蓄積性蛍光体シート９０が対向するエネルギー消去位置に移動させる。
【０４３８】
蓄積性蛍光体シートキャリア９６が、エネルギー消去位置に移動されると、コントロールユニット１２０は、光源制御手段１２１に光源制御信号を出力して、複数の白色光源１０１を点灯させる。
【０４３９】
その結果、蓄積性蛍光体シートキャリア９６に固定されている１０枚の蓄積性蛍光体シート９０に、白色光が照射され、蓄積性蛍光体シート９０の輝尽性蛍光体層領域９２に含まれている輝尽性蛍光体が励起されて、輝尽性蛍光体が蓄積している環境放射線などの放射線エネルギーが放出され、蓄積性蛍光体シート９０の輝尽性蛍光体層領域９２に蓄積されていた放射線エネルギーが消去される。
【０４４０】
所定の時間が経過すると、コントロールユニット１２０は、さらに、キャリア把持部材モータ１２２に駆動信号を出力して、蓄積性蛍光体シートキャリア９６に形成された２つの位置合わせ用ピン９６ａ、９６ａが、搬送ベルト１０２上に載置されている生化学解析用ユニットキャリア６に形成された２つ位置合わせ用貫通孔６ａ、６ａ内に挿通されるように、蓄積性蛍光体シートキャリア９６を、搬送ベルト１０２上に載置されている生化学解析用ユニットキャリア６に重ね合わせる。
【０４４１】
その結果、生化学解析用ユニットキャリア６にセットされている１０枚の生化学解析用ユニット１のそれぞれと、蓄積性蛍光体シートキャリア９６に固定されている対応する蓄積性蛍光体シート９０が密着される。
【０４４２】
ここに、各生化学解析用ユニット１の多数の吸着性領域４と、各蓄積性蛍光体シート９０の多数の輝尽性蛍光体層領域９２は、同一のパターンによって、形成されているから、生化学解析用ユニットキャリア６にセットされている１０枚の生化学解析用ユニット１のそれぞれと、蓄積性蛍光体シートキャリア９６に固定されている対応する蓄積性蛍光体シート９０とは、それぞれ、生化学解析用ユニット１に形成された各吸着性領域４が、蓄積性蛍光体シート９０に形成された対応する輝尽性蛍光体層領域９２と対向するように、密着される。
【０４４３】
こうして、蓄積性蛍光体シートキャリア９６と、生化学解析用ユニットキャリア６とが重ね合わされ、生化学解析用ユニットキャリア６にセットされている１０枚の生化学解析用ユニット１のそれぞれと、蓄積性蛍光体シートキャリア９６に固定されている対応する蓄積性蛍光体シート９０が密着されると、コントロールユニット１２０は、搬送ベルトモータ１２４に、駆動信号を出力して、搬送ベルト１０２を駆動させる。
【０４４４】
その結果、１０枚の生化学解析用ユニット１がセットされている生化学解析用ユニットキャリア６と、１０枚の蓄積性蛍光体シート９０が固定されている蓄積性蛍光体シートキャリア９６とのキャリア集積体が、シュート１０５によって、スタッカ１０３内に案内される。
【０４４５】
１０枚の生化学解析用ユニット１がセットされている生化学解析用ユニットキャリア６と、１０枚の蓄積性蛍光体シート９０が固定されている蓄積性蛍光体シートキャリア９６とのキャリア集積体は、あらかじめ、所定の位置に保持されていた昇降板１０６の上面によって、受け取られる。
【０４４６】
１０枚の生化学解析用ユニット１がセットされている生化学解析用ユニットキャリア６と、１０枚の蓄積性蛍光体シート９０が固定されている蓄積性蛍光体シートキャリア９６とのキャリア集積体が、昇降板１０６の上面によって、受け取られると、コントロールユニット１２０は、昇降板モータ１２５に駆動信号を出力して、昇降板１０６を、１０枚の生化学解析用ユニット１がセットされている生化学解析用ユニットキャリア６と、１０枚の蓄積性蛍光体シート９０が固定されている蓄積性蛍光体シートキャリア９６とのキャリア集積体の厚さに等しい距離だけ、下降させる。
【０４４７】
スタッカ１０３は、生化学解析用ユニットキャリア６と蓄積性蛍光体シートキャリア９６の複数組みのキャリア集積体を、収容可能に構成され、生化学解析用ユニットキャリア６と蓄積性蛍光体シートキャリア９６のキャリア集積体が、収容されるたびに、コントロールユニット１２０によって、昇降板モータ１２５に駆動信号が出力されて、昇降いた１０６が、１０枚の生化学解析用ユニット１がセットされている生化学解析用ユニットキャリア６と、１０枚の蓄積性蛍光体シート９０が固定されている蓄積性蛍光体シートキャリア９６とのキャリア集積体の厚さに等しい距離だけ、下降されるように構成されている。
【０４４８】
以上のようにして、生化学解析用ユニットキャリア６と、蓄積性蛍光体シートキャリア９６のキャリア集積体は、生化学解析用ユニットキャリア６にセットされている１０枚の生化学解析用ユニット１のそれぞれと、蓄積性蛍光体シートキャリア９６に固定されている対応する蓄積性蛍光体シート９０が密着された状態で、スタッカ１０３内に保持され、各生化学解析用ユニット１の多数の吸着性領域４に選択的に含まれている放射性標識物質によって、蓄積性蛍光体シート９０の対応する輝尽性蛍光体層領域９２が露光される。
【０４４９】
露光に際して、生化学解析用ユニット１の多数の吸着性領域４に選択的に含まれている放射性標識物質から電子線（β線）が発せられるが、生化学解析用ユニット１の多数の吸着性領域４は、放射線エネルギーを減衰させる性質を有するステンレス鋼によって形成された基板２に、互いに離間して形成されているから、各吸着性領域４から放出された電子線（β線）が、生化学解析用ユニット１の基板２内で散乱して、その吸着性領域４に対向する輝尽性蛍光体層領域９２に隣り合う輝尽性蛍光体層領域９２に入射することを効果的に防止することができ、さらに、蓄積性蛍光体シート９０の多数の輝尽性蛍光体層領域９２が、放射線を減衰させる性質を有するニッケル製の支持体９１に形成された多数の貫通孔９３内に、輝尽性蛍光体を埋め込んで、形成されているから、各吸着性領域４から放出された電子線（β線）が、蓄積性蛍光体シート９０の支持体９１内で散乱して、その吸着性領域４に対向する輝尽性蛍光体層領域９２に隣り合う輝尽性蛍光体層領域９２に入射することを効果的に防止することができ、したがって、各吸着性領域４に含まれている放射性標識物質から発せられた電子線（β線）を、その吸着性領域４に対向する輝尽性蛍光体層領域９２に、選択的に入射させることが可能になるから、生化学解析用ユニット１の各吸着性領域４に含まれている放射性標識物質から発せられた電子線（β線）が、隣り合う吸着性領域４から放出される電子線によって露光されるべき蓄積性蛍光体シート９０の輝尽性蛍光体層領域９２に入射して、輝尽性蛍光体を露光することを確実に防止することができる。
【０４５０】
こうして、所定の時間が経過すると、露光操作が完了し、コントロールユニット１２０は、昇降板モータ１２５に、露光完了信号を出力して、各蓄積性蛍光体シート９０の露光操作が完了した生化学解析用ユニットキャリア６と、蓄積性蛍光体シートキャリア９６のキャリア集積体が、キャリア取り出し用開口部１０７に対向する位置に位置するように、昇降板１０６を移動させる。
【０４５１】
次いで、コントロールユニット１２０は、ソレノイド１２６に駆動信号を出力して、キャリア排出部材１０８を、待機位置から、スタッカ１０３内のキャリア排出位置に移動させる。
【０４５２】
その結果、各蓄積性蛍光体シート９０の露光操作が完了した生化学解析用ユニットキャリア６と、蓄積性蛍光体シートキャリア９６のキャリア集積体は、キャリア排出部材１０８によって、キャリア取り出し用開口部１０７を介して、キャリア剥離部１０４に押し出され、キャリア剥離部１０４のキャリア支持部材１１０の上面に受け渡される。
【０４５３】
露光完了信号は、同時に、露光装置３６のコントロールユニット１２０から、生化学解析システムのコントロールユニット４５に出力される。
【０４５４】
生化学解析システムのコントロールユニット４５は、露光装置３６のコントロールユニット１２０から露光完了信号を受けると、表示パネル５１に、露光操作が完了した旨のメッセージを表示させるとともに、搬送部材モータ１２８に、第１の駆動信号を出力して、待機位置に保持されたキャリア搬送部材１１１を、蓄積性蛍光体シートキャリア９６を把持可能な位置に移動させ、さらに、第２のキャリア把持モータ１２７に、キャリア把持信号を出力して、キャリア搬送部材１１１に、キャリア剥離部１０４のキャリア支持部材１１０上に載置された生化学解析用ユニットキャリア６と、蓄積性蛍光体シートキャリア９６のキャリア集積体のうち、蓄積性蛍光体シートキャリア９６を把持させる。
【０４５５】
その結果、蓄積性蛍光体シートキャリア９６が積層されていた生化学解析用ユニットキャリア６は、重力によって、キャリア支持部材１１０の上面に落下し、蓄積性蛍光体シートキャリア９６が、生化学解析用ユニットキャリア６から剥離されて、蓄積性蛍光体シートキャリア９６のみが、キャリア搬送部材１１１によって保持される。
【０４５６】
こうして、蓄積性蛍光体シートキャリア９６のみが、キャリア搬送部材１１１によって保持されると、生化学解析システムのコントロールユニット４５は、搬送部材モータ１２８に、第２の駆動信号を出力して、蓄積性蛍光体シートキャリア９６を保持しているキャリア搬送部材１１１を、第１のスキャナ装置３７に向けて、移動させる。
【０４５７】
１０枚の蓄積性蛍光体シート９０が固定された蓄積性蛍光体シートキャリア９６が、第１のスキャナ装置３７にセットされると、生化学解析システムのコントロールユニット４５は、搬送部材モータ１２８に、第３の駆動信号を出力して、キャリア搬送部材１１１を、キャリア剥離部１０４のキャリア支持部材１１０内の待機位置に復帰させる。
【０４５８】
メモリ４６から読み出した標識データに基づき、生化学解析用ユニットキャリア６にセットされている生化学解析用ユニット１の多数の吸着性領域４が、蛍光物質によって、選択的に標識されていると判定しているときは、生化学解析システムのコントロールユニット４５は、搬送部材モータ１２８に、第４の駆動信号を出力して、キャリア搬送部材１１１を、キャリア剥離部１０４のキャリア支持部材１１０上に載置された生化学解析用ユニットキャリア６を把持可能な位置に移動させ、第２のキャリア把持モータ１２７に、キャリア把持信号を出力して、キャリア搬送部材１１１により、キャリア支持部材１１０上に載置された生化学解析用ユニットキャリア６を把持させる。
【０４５９】
次いで、生化学解析システムのコントロールユニット４５は、搬送部材モータ１２８に、第５の駆動信号を出力して、生化学解析用ユニットキャリア６を保持しているキャリア搬送部材１１１を、第２のスキャナ装置３８に向けて、移動させる。
【０４６０】
一方、メモリ４６から読み出した標識データに基づき、生化学解析用ユニットキャリア６にセットされている生化学解析用ユニット１の多数の吸着性領域４が、化学発光基質と接触させることによって化学発光を生じさせる標識物質によって、選択的に標識されていると判定しているときは、生化学解析システムのコントロールユニット４５は、さらに、搬送部材モータ１２８に、第４の駆動信号を出力して、キャリア剥離部１０４のキャリア支持部材１１０上に載置された生化学解析用ユニットキャリア６を把持可能な位置に移動させ、第２のキャリア把持モータ１２７に、キャリア把持信号を出力して、キャリア搬送部材１１１に、キャリア支持部材１１０上に載置された生化学解析用ユニットキャリア６を把持させる。
【０４６１】
次いで、生化学解析システムのコントロールユニット４５は、搬送部材モータ１２８に、第６の駆動信号を出力して、生化学解析用ユニットキャリア６を保持しているキャリア搬送部材１１１を、データ読み取り装置３９に向けて、移動させる。
【０４６２】
これに対して、生化学解析システムのコントロールユニット４５から入力された標識データに基づき、生化学解析用ユニット１の多数の吸着性領域４が、放射性標識物質によって、選択的に標識されてはいないと判定したときは、露光装置３６のコントロールユニット１２０は、生化学解析用ユニットキャリア６が、搬送ベルト１０２によって、シュート１０５に送られ、シュート１０５を介して、スタッカ１０３内に収容されるまで、搬送ベルトモータ１２４を駆動し続ける。
【０４６３】
１０枚の生化学解析用ユニット１がセットされている生化学解析用ユニットキャリア６は、あらかじめ、所定の位置に保持されていた昇降板１０６の上面によって、受け取られる。
【０４６４】
１０枚の生化学解析用ユニット１がセットされている生化学解析用ユニットキャリア６が、昇降板１０６の上面によって、受け取られると、露光装置３６のコントロールユニット１２０は、昇降板モータ１２５に駆動信号を出力して、生化学解析用ユニットキャリア６が、キャリア取り出し用開口部１０７に対向する位置に位置するように、昇降板１０６を移動させる。
【０４６５】
次いで、コントロールユニット１２０は、ソレノイド１２６に駆動信号を出力して、キャリア排出部材１０８を、待機位置から、スタッカ１０３内のキャリア排出位置に移動させる。
【０４６６】
その結果、生化学解析用ユニットキャリア６は、キャリア排出部材１０８によって、キャリア取り出し用開口部１０７を介して、キャリア剥離部１０４に押し出され、キャリア剥離部１０４のキャリア支持部材１１０の上面に受け渡される。
【０４６７】
キャリア排出部材１０８が操作されて、生化学解析用ユニットキャリア６が、キャリア剥離部１０４のキャリア支持部材１１０の上面に受け渡されると、露光装置３６のコントロールユニット１２０は、生化学解析用ユニットキャリア搬送完了信号を、生化学解析システムのコントロールユニット４５に出力する。
【０４６８】
生化学解析システムのコントロールユニット４５は、露光装置３６のコントロールユニット１２０から、生化学解析用ユニットキャリア搬送完了信号を受けると、メモリ４６から読み出した標識データに基づき、生化学解析用ユニットキャリア６にセットされている生化学解析用ユニット１の多数の吸着性領域４が、蛍光物質によって、選択的に標識されていると判定しているときは、生化学解析システムのコントロールユニット４５は、搬送部材モータ１２８に、第４の駆動信号を出力して、キャリア剥離部１０４のキャリア支持部材１１０上に載置された生化学解析用ユニットキャリア６を把持可能な位置に移動させ、第２のキャリア把持モータ１２７に、キャリア把持信号を出力して、キャリア搬送部材１１１に、キャリア支持部材１１０上に載置された生化学解析用ユニットキャリア６を把持させる。
【０４６９】
次いで、生化学解析システムのコントロールユニット４５は、搬送部材モータ１２８に、第５の駆動信号を出力して、生化学解析用ユニットキャリア６を保持しているキャリア搬送部材１１１を、第２のスキャナ装置３８に向けて、移動させる。
【０４７０】
一方、メモリ４６から読み出した標識データに基づき、生化学解析用ユニットキャリア６にセットされている生化学解析用ユニット１の多数の吸着性領域４が、化学発光基質と接触させることによって化学発光を生じさせる標識物質によって、選択的に標識されていると判定しているときは、生化学解析システムのコントロールユニット４５は、さらに、搬送部材モータ１２８に、第４の駆動信号を出力して、キャリア剥離部１０４のキャリア支持部材１１０上に載置された生化学解析用ユニットキャリア６を把持可能な位置に移動させ、第２のキャリア把持モータ１２７に、キャリア把持信号を出力して、キャリア搬送部材１１１に、キャリア支持部材１１０上に載置された生化学解析用ユニットキャリア６を把持させる。
【０４７１】
次いで、生化学解析システムのコントロールユニット４５は、搬送部材モータ１２８に、第６の駆動信号を出力して、生化学解析用ユニットキャリア６を保持しているキャリア搬送部材１１１を、データ読み取り装置３９に向けて、移動させる。
【０４７２】
図１８は、本発明の好ましい実施態様にかかる生化学解析システムを構成する第１のスキャナ装置３７の略斜視図である。
【０４７３】
図１８に示されるように、本実施態様かかる第１のスキャナ装置３７は、１０台のスキャナ１３０ａ、１３０ｂ、１３０ｃ、１３０ｄ、１３０ｅ、１３０ｆ、１３０ｇ、１３０ｈ、１３０ｉ、１３０ｊを備え、スキャナ１３０ａ、１３０ｂ、１３０ｃ、１３０ｄ、１３０ｅ、１３０ｆ、１３０ｇ、１３０ｈ、１３０ｉ、１３０ｊは、基板１３１の表面に固定されている。
【０４７４】
図１８に示されるように、本実施態様かかる第１のスキャナ装置３７は、基板１３１に固定されたスキャナ１３０ａ、１３０ｂ、１３０ｃ、１３０ｄ、１３０ｅ、１３０ｆ、１３０ｇ、１３０ｈ、１３０ｉ、１３０ｊの上方に、蓄積性蛍光体シートキャリア９６が載置されるサンプルステージ１３３を備え、サンプルステージ１３３には、蓄積性蛍光体シートキャリア９６に形成された２つの位置合わせ用ピン９６ａ、９６ａに対応する位置に、２つの位置合わせ用貫通孔１３３ａ、１３３ａが形成されている。
【０４７５】
図１８に示されるように、サンプルステージ１３３には、スキャナ１３０ａ、１３０ｂ、１３０ｃ、１３０ｄ、１３０ｅ、１３０ｆ、１３０ｇ、１３０ｈ、１３０ｉ、１３０ｊに対応して、開口部１３２ａ、１３２ｂ、１３２ｃ、１３２ｄ、１３２ｅ、１３２ｆ、１３２ｇ、１３２ｈ、１３２ｉ、１３２ｊが形成され、サンプルステージ１３３に形成された２つの位置合わせ用貫通孔１３３ａ、１３３ａが、蓄積性蛍光体シートキャリア９６に形成された２つの位置合わせ用ピン９６ａ、９６ａ内に挿通されるように、蓄積性蛍光体シートキャリア９６を、サンプルステージ１３３上に載置したときに、蓄積性蛍光体シートキャリア９６に固定されている１０枚の蓄積性蛍光体シート９０が、開口部１３２ａ、１３２ｂ、１３２ｃ、１３２ｄ、１３２ｅ、１３２ｆ、１３２ｇ、１３２ｈ、１３２ｉ、１３２ｊを介して、スキャナ１３０ａ、１３０ｂ、１３０ｃ、１３０ｄ、１３０ｅ、１３０ｆ、１３０ｇ、１３０ｈ、１３０ｉ、１３０ｊに対向するように構成されており、また、サンプルステージ１３３の上方には、サンプルステージ１３３にセットされた蓄積性蛍光体シートキャリア９６を把持可能なキャリア把持部材１３４が設けられている。
【０４７６】
キャリア把持部材１３４は、通常は、サンプルステージ１３３の上方の待機位置に保持され、蓄積性蛍光体シートキャリア９６に固定されている各蓄積性蛍光体シート９０の多数の輝尽性蛍光体層領域９２に記録された放射線データの読み取りが完了すると、サンプルステージ１３３にセットされた蓄積性蛍光体シートキャリア９６を把持可能なキャリア把持位置に移動され、蓄積性蛍光体シートキャリア９６を把持して、蓄積性蛍光体シートキャリア９６を、第１のスキャナ装置３７から、蓄積性蛍光体シートキャリア回収ボックス４０に移動可能に構成されている。
【０４７７】
第１のスキャナ装置３７を構成するスキャナ１３０ａ、１３０ｂ、１３０ｃ、１３０ｄ、１３０ｅ、１３０ｆ、１３０ｇ、１３０ｈ、１３０ｉ、１３０ｊはすべて、同一の構成を有している。
【０４７８】
図１９は、各スキャナ１３０ａ、１３０ｂ、１３０ｃ、１３０ｄ、１３０ｅ、１３０ｆ、１３０ｇ、１３０ｈ、１３０ｉ、１３０ｊの略側面図である。
【０４７９】
図１９に示されるように、各スキャナ１３０ａ、１３０ｂ、１３０ｃ、１３０ｄ、１３０ｅ、１３０ｆ、１３０ｇ、１３０ｈ、１３０ｉ、１３０ｊは、６４０ｎｍの波長のレーザ光１４０を発するレーザ励起光源１４１を備えている。
【０４８０】
本実施態様においては、レーザ励起光源１４１は、レーザダイオードによって構成されている。
【０４８１】
レーザ励起光源１４１から発せられたレーザ光１４０は、コリメータレンズ１４２によって、平行な光とされた後、ダイクロイックミラー１４３に入射する。
【０４８２】
ダイクロイックミラー１４３は、輝尽性蛍光体から放出される輝尽光の波長の光のみを透過し、レーザ光１４０の波長の光を反射する性質を有しており、ダイクロイックミラー１４３に入射したレーザ光１４０は、ダイクロイックミラー１４３によって反射されて、凸レンズ１４４に入射する。
【０４８３】
凸レンズ１４４に入射したレーザ光１４０は、凸レンズ１４４によって、集光され、サンプルステージ１３３に形成された対応する開口部１３２ａ、１３２ｂ、１３２ｃ、１３２ｄ、１３２ｅ、１３２ｆ、１３２ｇ、１３２ｈ、１３２ｉ、１３２ｊを介して、サンプルステージ１３３に載置された蓄積性蛍光体シートキャリア９６に固定されている蓄積性蛍光体シート９０の１つに入射する。
【０４８４】
蓄積性蛍光体シート９０の支持体９１に形成された各輝尽性蛍光体層領域９２に、レーザ光１４０が入射すると、輝尽性蛍光体層領域９２に含まれている輝尽性蛍光体が励起されて、輝尽光１５５が放出される。
【０４８５】
蓄積性蛍光体シート９０の各輝尽性蛍光体層領域９２から放出された輝尽光１５５は、凸レンズ１４４によって、ダイクロイックミラー１４３に集光される。
【０４８６】
ダイクロイックミラー１４３は、輝尽性蛍光体から放出される輝尽光の波長の光のみを透過する性質を有しているから、蓄積性蛍光体シート９０の各輝尽性蛍光体層領域９２から放出された輝尽光１５５は、ダイクロイックミラー１４３を透過して、凹面ミラー１４５に入射する。
【０４８７】
凹面ミラー１４５に入射した輝尽光１５５は、凹面ミラー１４５によって反射されて、フィルタ１４８に入射する。
【０４８８】
フィルタ１４８は、輝尽性蛍光体層領域９２から放出される輝尽光１５５の波長域の光のみを透過し、６４０ｎｍの波長の光をカットする性質を有しているため、蓄積性蛍光体シート９０の各輝尽性蛍光体層領域９２から放出された輝尽光１５５のみが、フィルタ１４８を通過して、フォトマルチプライア１５０に入射し、光電的に検出される。
【０４８９】
フォトマルチプライア１５０によって、光電的に検出されて、生成されたアナログデータは、Ａ／Ｄ変換器１５１によって、ディジタルデータに変換されて、生化学解析用データが生成され、データバッファ１５２に一時的に保存される。
【０４９０】
データバッファ１５２に一時的に保存された生化学解析用データは、データ転送手段（図示せず）によって、生化学解析システムのデータ記憶手段４７に出力され、データ記憶手段４７の所定のメモリ領域に保存されるように構成されている。
【０４９１】
その表面に、スキャナ１３０ａ、１３０ｂ、１３０ｃ、１３０ｄ、１３０ｅ、１３０ｆ、１３０ｇ、１３０ｈ、１３０ｉ、１３０ｊが固定された基板１３１は、主走査ステッピングモータ（図示せず）によって、図１８において、矢印Ｘで示される主走査方向に、蓄積性蛍光体シート９０の支持体９１に形成された隣り合う輝尽性蛍光体層領域９２の間の距離に等しいピッチで、間欠的に移動可能に構成されるとともに、副走査パルスモータ（図示せず）によって、図１８において、矢印Ｙで示される副走査方向に、蓄積性蛍光体シート９０の支持体９１に形成された輝尽性蛍光体層領域９２の隣り合うラインの間の距離に等しいピッチで、間欠的に移動可能に構成されている。
【０４９２】
図２０は、本発明の好ましい実施態様にかかる生化学解析システムを構成する第１のスキャナ装置３７の制御系、駆動系および検出系を示すブロックダイアグラムである。
【０４９３】
図２０に示されるように、本実施態様にかかる第１のスキャナ装置の制御系は、第１のスキャナ装置３７全体の動作を制御するコントロールユニット１７０と、各スキャナ１３０ａ、１３０ｂ、１３０ｃ、１３０ｄ、１３０ｅ、１３０ｆ、１３０ｇ、１３０ｈ、１３０ｉ、１３０ｊのデータバッファ１６２に一時的に保存された生化学解析用データを、生化学解析システムのデータ記憶手段４７に出力するデータ転送手段１６３を備えている。
【０４９４】
図２０に示されるように、本実施態様にかかるスキャナ装置の駆動系は、基板１３１を、図１８において、矢印Ｘで示される主走査方向に、蓄積性蛍光体シート９０の支持体９１に形成された隣り合う輝尽性蛍光体層領域９２の間の距離に等しいピッチで、間欠的に移動させる主走査ステッピングモータ１７１と、基板１３１を、図１８において、矢印Ｙで示される副走査方向に、蓄積性蛍光体シート９０の支持体９１に形成された輝尽性蛍光体層領域９２の隣り合うラインの間の距離に等しいピッチで、間欠的に移動させる副走査パルスモータ１７２と、キャリア把持部材１３４を移動させるキャリア把持部材モータ１７３と、キャリア把持部材１３４によって、サンプルステージ１３３にセットされた蓄積性蛍光体シートキャリア９６を把持させるキャリア把持モータ１７４を備えている。
【０４９５】
図２０に示されるように、基板１３１の主走査方向における位置を検出するリニアエンコーダ１７５を備えている。
【０４９６】
露光装置３６のキャリア剥離部１０４において、生化学解析用ユニットキャリア６から剥離され、キャリア搬送部材１１１によって把持された蓄積性蛍光体シートキャリア９６が、第１のスキャナ装置３７のサンプルステージ１３３上に搬送され、蓄積性蛍光体シートキャリア９６に形成された２つの位置合わせ用ピン９６ａ、９６ａが、第１のスキャナ装置３７のサンプルステージ１３３に形成された２つの位置合わせ用貫通孔１３３ａ、１３３ａ内に挿通されると、生化学解析システムのコントロールユニット４５は、搬送部材モータ１２８に駆動停止信号を出力して、蓄積性蛍光体シートキャリア９６の搬送を停止させ、さらに、第２のキャリア把持モータ１２７に、キャリア把持解除信号を出力して、キャリア搬送部材１１１による蓄積性蛍光体シートキャリア９６の把持を解除させる。
【０４９７】
その結果、蓄積性蛍光体シートキャリア９６は、サンプルステージ１３３上の所定に位置にセットされる。
【０４９８】
蓄積性蛍光体シートキャリア９６が、サンプルステージ１３３上の所定に位置にセットされると、生化学解析システムのコントロールユニット４５は、搬送部材モータ１２８に、第３の駆動信号を出力して、キャリア搬送部材１１１を、露光装置３６のキャリア剥離部１０４内の待機位置に復帰させる。
【０４９９】
キャリア搬送部材１１１が、露光装置３６のキャリア剥離部１０４内の待機位置に復帰されると、生化学解析システムのコントロールユニット４５は、第１のスキャナ装置３７のコントロールユニット１７０にデータ読み取り開始信号を出力する。
【０５００】
第１のスキャナ装置３７のコントロールユニット１７０は、生化学解析システムのコントロールユニット４５から、データ読み取り開始信号を受けると、主走査ステッピングモータ１７１に駆動信号を出力し、基板１３１を主走査方向に移動させる。
【０５０１】
リニアエンコーダ１７５から入力される基板１３１の位置検出信号に基づき、蓄積性蛍光体シートキャリア９６に固定されている各蓄積性蛍光体シート９０の支持体９１に形成された多数の輝尽性蛍光体層領域９２のうち、最初に、レーザ光１４０を照射すべき第１の輝尽性蛍光体層領域９２に、各スキャナ１３０ａ、１３０ｂ、１３０ｃ、１３０ｄ、１３０ｅ、１３０ｆ、１３０ｇ、１３０ｈ、１３０ｉ、１３０ｊのレーザ励起光源１４１から、レーザ光１４０を照射可能な位置に、基板１３１が達したことが確認されると、第１のスキャナ装置３７のコントロールユニット１７０は、主走査ステッピングモータ１７１に駆動停止信号を出力するとともに、各スキャナ１３０ａ、１３０ｂ、１３０ｃ、１３０ｄ、１３０ｅ、１３０ｆ、１３０ｇ、１３０ｈ、１３０ｉ、１３０ｊのレーザ励起光源１４１に駆動信号を出力して、レーザ励起光源１４１を起動させ、６４０ｎｍの波長のレーザ光１４０を発せさせる。
【０５０２】
各スキャナ１３０ａ、１３０ｂ、１３０ｃ、１３０ｄ、１３０ｅ、１３０ｆ、１３０ｇ、１３０ｈ、１３０ｉ、１３０ｊのレーザ励起光源１４１から発せられたレーザ光１４０は、コリメータレンズ１４２によって、平行な光とされた後、ダイクロイックミラー１４３に入射する。
【０５０３】
ダイクロイックミラー１４３は、輝尽性蛍光体から放出される輝尽光の波長の光のみを透過し、レーザ光１４０の波長の光を反射する性質を有しており、ダイクロイックミラー１４３に入射したレーザ光１４０は、ダイクロイックミラー１４３によって反射されて、凸レンズ１４４に入射する。
【０５０４】
凸レンズ１４４に入射したレーザ光１４０は、凸レンズ１４４によって、集光され、サンプルステージ１３３に形成された対応する開口部１３２ａ、１３２ｂ、１３２ｃ、１３２ｄ、１３２ｅ、１３２ｆ、１３２ｇ、１３２ｈ、１３２ｉ、１３２ｊを介して、サンプルステージ１３３に載置された蓄積性蛍光体シートキャリア９６に固定されている対応する蓄積性蛍光体シート９０の第１の輝尽性蛍光体層領域９２に入射する。
【０５０５】
本実施態様においては、蓄積性蛍光体シート９０の多数の輝尽性蛍光体層領域９２は、それぞれ、ステンレス鋼製の支持体９１に形成された貫通孔９３内に、輝尽性蛍光体が埋め込まれて形成されているから、各輝尽性蛍光体層領域９２内で、レーザ光１４０が散乱して、隣り合った輝尽性蛍光体層領域９２内に入射し、隣り合った輝尽性蛍光体層領域９２内に含まれている輝尽性蛍光体を励起することを効果的に防止することが可能になる。
【０５０６】
レーザ光１４０が、各蓄積性蛍光体シート９０の支持体９１に形成された第１の輝尽性蛍光体層領域９２に入射すると、蓄積性蛍光体シート９０の支持体９１に形成された第１の輝尽性蛍光体層領域９２に含まれている輝尽性蛍光体が、レーザ光１４０によって励起されて、第１の輝尽性蛍光体層領域９２から輝尽光１５５が放出される。
【０５０７】
各蓄積性蛍光体シート９０の支持体９１に形成された第１の輝尽性蛍光体層領域９２から放出された輝尽光１５５は、凸レンズ１４４によって、ダイクロイックミラー１４４に集光される。
【０５０８】
ダイクロイックミラー１４３は、輝尽性蛍光体から放出される輝尽光の波長の光のみを透過する性質を有しているから、各蓄積性蛍光体シート９０の第１の輝尽性蛍光体層領域９２から放出された輝尽光１５５は、ダイクロイックミラー１４３を透過して、凹面ミラー１４５に入射する。
【０５０９】
凹面ミラー１４５に入射した輝尽光１５５は、凹面ミラー１４５によって反射されて、フィルタ１４８に入射する。
【０５１０】
フィルタ１４８は、輝尽性蛍光体から放出される輝尽光１５５の波長域の光のみを透過し、６４０ｎｍの波長の光をカットする性質を有しているので、励起光である６４０ｎｍの波長の光がカットされ、各蓄積性蛍光体シート９０の支持体９１に形成された第１の輝尽性蛍光体層領域９２から放出された輝尽光１５５の波長域の光のみがフィルタ１４８を透過して、フォトマルチプライア１５０によって、光電的に検出される。
【０５１１】
フォトマルチプライア１６０によって光電的に検出されて、生成されたアナログ信号は、Ａ／Ｄ変換器１５１に出力されて、ディジタル信号に変換されて、生化学解析用データが生成され、データバッファ１５２に一時的に保存される。
【０５１２】
データバッファ１５２に一時的に保存された生化学解析用データは、データ転送手段１６３によって、生化学解析システムのデータ記憶手段４７に出力され、データ記憶手段４７の所定のメモリ領域に保存される。。
【０５１３】
各スキャナ１３０ａ、１３０ｂ、１３０ｃ、１３０ｄ、１３０ｅ、１３０ｆ、１３０ｇ、１３０ｈ、１３０ｉ、１３０ｊのレーザ励起光源１４１がオンされた後、所定の時間、たとえば、数μ秒が経過すると、第１のスキャナ装置３７のコントロールユニット１７０は、各スキャナ１３０ａ、１３０ｂ、１３０ｃ、１３０ｄ、１３０ｅ、１３０ｆ、１３０ｇ、１３０ｈ、１３０ｉ、１３０ｊのレーザ励起光源１４１に駆動停止信号を出力して、レーザ励起光源１４１の駆動を停止させるとともに、主走査ステッピングモータ１７１に駆動信号を出力して、基板１３１を、各蓄積性蛍光体シート９０の支持体９１に形成された隣り合う輝尽性蛍光体層領域９２の間の距離に等しい１ピッチだけ、移動させる。
【０５１４】
リニアエンコーダ１７５から入力された基板１３１の位置検出信号に基づき、基板１３１が、蓄積性蛍光体シート９０の支持体９１に形成された隣り合う輝尽性蛍光体層領域９２の間の距離に等しい１ピッチだけ移動されて、各スキャナ１３０ａ、１３０ｂ、１３０ｃ、１３０ｄ、１３０ｅ、１３０ｆ、１３０ｇ、１３０ｈ、１３０ｉ、１３０ｊのレーザ励起光源１４１から発せられるレーザ光１４０を、各蓄積性蛍光体シート９０の支持体９１に形成された第１の輝尽性蛍光体層領域９２に隣り合う第２の輝尽性蛍光体層領域９２に照射可能な位置に移動したことが確認されると、第１のスキャナ装置３７のコントロールユニット１７０は、各スキャナ１３０ａ、１３０ｂ、１３０ｃ、１３０ｄ、１３０ｅ、１３０ｆ、１３０ｇ、１３０ｈ、１３０ｉ、１３０ｊのレーザ励起光源１４１に駆動信号を出力して、レーザ励起光源１４１をオンさせて、レーザ光１４０によって、各蓄積性蛍光体シート９０の支持体９１に形成された第２の輝尽性蛍光体層領域９２に含まれている輝尽性蛍光体を励起する。
【０５１５】
同様にして、所定の時間にわたり、レーザ光１４０が、各蓄積性蛍光体シート９０の支持体９１に形成された第２の輝尽性蛍光体層領域９２に照射され、第２の輝尽性蛍光体層領域９２に含まれている輝尽性蛍光体が励起されて、第２の輝尽性蛍光体層領域９２から放出された輝尽光１５５が、フォトマルチプライア１５０によって、光電的に検出されて、アナログデータが生成されると、第１のスキャナ装置３７のコントロールユニット１７０は、各スキャナ１３０ａ、１３０ｂ、１３０ｃ、１３０ｄ、１３０ｅ、１３０ｆ、１３０ｇ、１３０ｈ、１３０ｉ、１３０ｊのレーザ励起光源１４１に駆動停止信号を出力して、レーザ励起光源１４１をオフさせるとともに、主走査ステッピングモータ１７１に駆動信号を出力して、基板１３１を、各蓄積性蛍光体シート９０の隣り合う輝尽性蛍光体層領域９２の間の距離に等しい１ピッチだけ、移動させる。
【０５１６】
こうして、基板１３１の間欠的な移動に同期して、各スキャナ１３０ａ、１３０ｂ、１３０ｃ、１３０ｄ、１３０ｅ、１３０ｆ、１３０ｇ、１３０ｈ、１３０ｉ、１３０ｊのレーザ励起光源１４１のオン・オフが繰り返され、リニアエンコーダ１７５から入力された基板１３１の位置検出信号に基づき、基板１３１が、主走査方向に１ライン分だけ、移動され、各蓄積性蛍光体シート９０の支持体９１に形成された第１ライン目の輝尽性蛍光体層領域９２のレーザ光１４０による走査が完了したことが確認されると、第１のスキャナ装置３７のコントロールユニット１７０は、主走査ステッピングモータ１７１に駆動信号を出力して、基板１３１を元の位置に復帰させるとともに、副走査パルスモータ１７２に駆動信号を出力して、基板１３１を、副走査方向に、１ライン分だけ、移動させる。
【０５１７】
リニアエンコーダ１７５から入力された基板１３１の位置検出信号に基づき、基板１３１が元の位置に復帰され、さらに、基板１３１が、副走査方向に、１ライン分だけ、移動されたことが確認されると、第１のスキャナ装置３７のコントロールユニット１７０は、各蓄積性蛍光体シート９０の支持体９１に形成された第１ライン目の輝尽性蛍光体層領域９２に、順次、各スキャナ１３０ａ、１３０ｂ、１３０ｃ、１３０ｄ、１３０ｅ、１３０ｆ、１３０ｇ、１３０ｈ、１３０ｉ、１３０ｊのレーザ励起光源１４１から発せられるレーザ光１４０を照射したのと全く同様にして、各蓄積性蛍光体シート９０の支持体９１に形成された第２ライン目の輝尽性蛍光体層領域９２に、順次、各スキャナ１３０ａ、１３０ｂ、１３０ｃ、１３０ｄ、１３０ｅ、１３０ｆ、１３０ｇ、１３０ｈ、１３０ｉ、１３０ｊのレーザ励起光源１４１から発せられるレーザ光１４０を照射して、第２ライン目の輝尽性蛍光体層領域９２に含まれている輝尽性蛍光体を励起し、第２ライン目の輝尽性蛍光体層領域９２から発せられた輝尽光１５５を、順次、フォトマルチプライア１５０に光電的に検出させる。
【０５１８】
フォトマルチプライア１５０によって光電的に検出されて、生成されたアナログデータは、Ａ／Ｄ変換器１５１によって、ディジタルデータに変換されて、生化学解析用データが生成され、データバッファ１５２に一時的に保存される。
【０５１９】
データバッファ１５２に一時的に保存された生化学解析用データは、データ転送手段１６３によって、生化学解析システムのデータ記憶手段４７に出力され、データ記憶手段４７の所定のメモリ領域に保存される。
【０５２０】
こうして、サンプルステージ１３３にセットされている蓄積性蛍光体シートキャリア９６に固定された各蓄積性蛍光体シート９０の支持体９１に形成されたすべての輝尽性蛍光体層領域９２が、各スキャナ１３０ａ、１３０ｂ、１３０ｃ、１３０ｄ、１３０ｅ、１３０ｆ、１３０ｇ、１３０ｈ、１３０ｉ、１３０ｊのレーザ励起光源１４１から放出されたレーザ光１４０によって走査され、各蓄積性蛍光体シート９０の輝尽性蛍光体層領域９２に含まれている輝尽性蛍光体が励起されて、放出された輝尽光１５５が、フォトマルチプライア１５０によって、光電的に検出され、生成されたアナログデータが、Ａ／Ｄ変換器１５１により、ディジタルデータに変換されて、生化学解析用データが生成され、データバッファ１５２に一時的に保存されると、第１のスキャナ装置３７のコントロールユニット１７０から、駆動停止信号が、各スキャナ１３０ａ、１３０ｂ、１３０ｃ、１３０ｄ、１３０ｅ、１３０ｆ、１３０ｇ、１３０ｈ、１３０ｉ、１３０ｊのレーザ励起光源１４１に出力され、レーザ励起光源１４１の駆動が停止される。
【０５２１】
以上のようにして、蓄積性蛍光体シートキャリア９６に固定されている蓄積性蛍光体シート９０の支持体９１に形成された多数の輝尽性蛍光体層領域９２に記録されている放射線データが読み取られて、生化学解析用データが生成され、生化学解析システムのデータ記憶手段４７の所定のメモリ領域に保存される。
【０５２２】
レーザ励起光源１４１の駆動が停止されると、第１のスキャナ装置３７のコントロールユニット１７０は、放射線データ読み取り完了信号を、生化学解析システムのコントロールユニット４５に出力する。
【０５２３】
生化学解析システムのコントロールユニット４５は、第１のスキャナ装置３７のコントロールユニット１７０から放射線データ読み取り完了信号を受けると、放射線データの読み取りが完了した旨のメッセージを、表示パネル５１に表示させるとともに、蓄積性蛍光体シート９０の多数の輝尽性蛍光体層領域９２に記録された放射線データを読み取って、生成され、データ記憶手段４７の所定のメモリ領域に保存されている生化学解析用データを、データ表示手段４９に出力させ、データ表示手段４９に、データ記憶手段４７から入力された生化学解析用データに基づいて、可視データを、ＣＲＴ５２の画面上に表示させる。
【０５２４】
次いで、生化学解析システムのコントロールユニット４５は、キャリア把持部材モータ１７３に第１の駆動信号を出力して、サンプルステージ１３３の上方の待機位置に保持されているキャリア把持部材１３４を、サンプルステージ１３３にセットされた蓄積性蛍光体シートキャリア９６を把持可能なキャリア把持位置に移動させる。
【０５２５】
キャリア把持部材１３４が、サンプルステージ１３３にセットされた蓄積性蛍光体シートキャリア９６を把持可能なキャリア把持位置に移動されると、生化学解析システムのコントロールユニット４５は、キャリア把持部材モータ１７３に駆動停止信号を出力して、キャリア把持部材１３４を停止させ、さらに、キャリア把持モータ１７４にキャリア把持信号を出力して、キャリア把持部材１３４に、サンプルステージ１３３にセットされた蓄積性蛍光体シートキャリア９６を把持させる。
【０５２６】
次いで、生化学解析システムのコントロールユニット４５は、キャリア把持部材モータ１７３に第２の駆動信号を出力して、蓄積性蛍光体シートキャリア９６を把持しているキャリア把持部材１３４を、蓄積性蛍光体シートキャリア回収ボックス４０に移動させる。
【０５２７】
キャリア把持部材１３４が、蓄積性蛍光体シートキャリア回収ボックス４０内の所定の位置に移動されると、生化学解析システムのコントロールユニット４５は、キャリア把持部材モータ１７３に駆動停止信号を出力して、キャリア把持部材１３４を停止させ、さらに、キャリア把持モータ１７４にキャリア把持解除信号を出力して、キャリア把持部材１３４による蓄積性蛍光体シートキャリア９６の把持を解除させる。
【０５２８】
その結果、蓄積性蛍光体シートキャリア９６は、蓄積性蛍光体シートキャリア回収ボックス４０内に落下して、回収される。
【０５２９】
生化学解析システムのコントロールユニット４５は、次いで、蓄積性蛍光体シートキャリア９６が、蓄積性蛍光体シートキャリア回収ボックス４０内に回収された旨のメッセージを、表示パネル５１に表示させるとともに、キャリア把持部材モータ１７３に第３の駆動信号を出力して、キャリア把持部材１３４を、第１のスキャナ装置３７のサンプルステージ１３３の上方の待機位置に復帰させる。
【０５３０】
蓄積性蛍光体シートキャリア回収ボックス４０内に回収された蓄積性蛍光体シートキャリア９６に固定された蓄積性蛍光体シート９０は、使用回数に応じて、再度、生化学解析用ユニット１の多数の吸着性領域４に選択的に含まれた放射性標識物質による露光に使用され、または、放射能レベルが、所定レベル以下なるまで、保管された後、リサイクルもしくは廃棄される。
【０５３１】
図２１は、本発明の好ましい実施態様にかかる生化学解析システムを構成する第２のスキャナ装置３８の略斜視図である。
【０５３２】
図２１に示されるように、本実施態様かかる第２のスキャナ装置３８は、１０台のスキャナ１８０ａ、１８０ｂ、１８０ｃ、１８０ｄ、１８０ｅ、１８０ｆ、１８０ｇ、１８０ｈ、１８０ｉ、１８０ｊを備え、スキャナ１８０ａ、１８０ｂ、１８０ｃ、１８０ｄ、１８０ｅ、１８０ｆ、１８０ｇ、１８０ｈ、１８０ｉ、１８０ｊは、基板１８１の下面に固定されている。
【０５３３】
図２１に示されるように、本実施態様かかる第２のスキャナ装置３８は、基板１８１に固定されたスキャナ１８０ａ、１８０ｂ、１８０ｃ、１８０ｄ、１８０ｅ、１８０ｆ、１８０ｇ、１８０ｈ、１８０ｉ、１８０ｊの下方に、生化学解析用ユニットキャリア６が載置される基板１８２を備えたサンプルステージ１８３を備え、基板１８２には、生化学解析用ユニットキャリア６に形成された位置合わせ用貫通孔６ａ、６ａに対応する位置に、２つの位置合わせ用ピン１８３ａ、１８３ａが形成されている。
【０５３４】
図２１に示されるように、サンプルステージ１８３の側方には、サンプルステージ１８３にセットされた生化学解析用ユニットキャリア６を把持可能なキャリア把持部材１８４が設けられている。
【０５３５】
キャリア把持部材１８４は、通常は、サンプルステージ１８３の側方の待機位置に保持され、生化学解析用ユニットキャリア６にセットされている各生化学解析用ユニット１の多数の吸着性領域４に記録された蛍光データの読み取りが完了すると、サンプルステージ１８３にセットされた生化学解析用ユニットキャリア６を把持可能なキャリア把持位置に移動されて、生化学解析用ユニットキャリア６を把持して、生化学解析用ユニットキャリア６を、第２のスキャナ装置３８から、生化学解析用ユニットキャリア回収ボックス４１に移動可能に構成されている。
【０５３６】
第２のスキャナ装置３８を構成するスキャナ１８０ａ、１８０ｂ、１８０ｃ、１８０ｄ、１８０ｅ、１８０ｆ、１８０ｇ、１８０ｈ、１８０ｉ、１８０ｊはすべて、同一の構成を有している。
【０５３７】
図２２は、各スキャナ１８０ａ、１８０ｂ、１８０ｃ、１８０ｄ、１８０ｅ、１８０ｆ、１８０ｇ、１８０ｈ、１８０ｉ、１８０ｊの略側面図である。
【０５３８】
図２２に示されるように、各スキャナ１８０ａ、１８０ｂ、１８０ｃ、１８０ｄ、１８０ｅ、１８０ｆ、１８０ｇ、１８０ｈ、１８０ｉ、１８０ｊは、５３２ｎｍの波長のレーザ光１９０を発するレーザ励起光源１９１を備えている。
【０５４０】
レーザ励起光源１９１から発せられたレーザ光１９０は、コリメータレンズ１９２によって、平行な光とされた後、ダイクロイックミラー１９３に入射する。
【０５４１】
ダイクロイックミラー１９３は、５３２ｎｍの波長の光をカットし、５３２ｎｍよりも波長の長い光を透過する性質を有しており、ダイクロイックミラー１９３に入射したレーザ光１９０は、ダイクロイックミラー１９３によって反射されて、凸レンズ１９４に入射する。
【０５４２】
凸レンズ１９４に入射したレーザ光１９０は、凸レンズ１９４によって、集光され、サンプルステージ１８３の基板１８２に載置された生化学解析用ユニットキャリア６にセットされている生化学解析用ユニット１の１つに入射する。
【０５４３】
生化学解析用ユニットキャリア６にセットされている生化学解析用ユニット１の基板２に形成された各吸着性領域４に、レーザ光１９０が入射すると、吸着性領域４に含まれている蛍光物質であるＣｙ３が励起されて、レーザ光の波長よりも波長の長い蛍光２０５が発せられる。
【０５４４】
生化学解析用ユニット１の各吸着性領域４から放出された蛍光２０５は、凸レンズ１９４によって、ダイクロイックミラー１９３に集光される。
【０５４５】
ダイクロイックミラー１９３は、５３２ｎｍよりも波長の長い光を透過する性質を有しているから、生化学解析用ユニット１の各吸着性領域４から放出された蛍光２０５は、ダイクロイックミラー１９３を透過して、凹面ミラー１９５に入射する。
【０５４６】
凹面ミラー１９５に入射した蛍光２０５は、凹面ミラー１９５によって反射されて、フィルタ１９８に入射する。
【０５４７】
フィルタ１９８は、５３２ｎｍの波長の光をカットし、５３２ｎｍよりも波長の長い光を透過する性質を有しているので、励起光である５３２ｎｍの波長の光がカットされ、Ｃｙ３から放出された５３２ｎｍよりも波長の長い蛍光２０５の波長域の光のみがフィルタ１９８を透過して、フォトマルチプライア２００に入射し、光電的に検出される。
【０５４８】
フォトマルチプライア２００によって、光電的に検出されて、生成されたアナログデータは、Ａ／Ｄ変換器２０１によって、ディジタルデータに変換されて、生化学解析用データが生成され、データバッファ２０２に一時的に保存される。
【０５４９】
データバッファ２０２に一時的に保存された生化学解析用データは、データ転送手段（図示せず）によって、生化学解析システムのデータ記憶手段４７に出力され、データ記憶手段４７の所定のメモリ領域に保存されるように構成されている。
【０５５０】
その表面に、生化学解析用ユニットキャリア６がセットされた基板１８２は、主走査ステッピングモータ（図示せず）によって、図２１において、矢印Ｘで示される主走査方向に、生化学解析用ユニット１の基板２に形成された隣り合う吸着性領域４の間の距離に等しいピッチで、間欠的に移動可能に構成されるとともに、副走査パルスモータ（図示せず）によって、図２１において、矢印Ｙで示される副走査方向に、生化学解析用ユニット１の基板２に形成された吸着性領域４の隣り合うラインの間の距離に等しいピッチで、間欠的に移動可能に構成されている。
【０５５１】
図２３は、本発明の好ましい実施態様にかかる生化学解析システムを構成する第２のスキャナ装置３８の制御系、駆動系および検出系を示すブロックダイアグラムである。
【０５５２】
図２３に示されるように、本実施態様にかかるスキャナ装置の制御系は、第２のスキャナ装置３８全体の動作を制御するコントロールユニット２２０と、各スキャナ１８０ａ、１８０ｂ、１８０ｃ、１８０ｄ、１８０ｅ、１８０ｆ、１８０ｇ、１８０ｈ、１８０ｉ、１８０ｊのデータバッファ２１２に一時的に保存された生化学解析用データを、生化学解析システムのデータ記憶手段４７に出力するデータ転送手段２１３を備えている。
【０５５３】
図２３に示されるように、本実施態様にかかるスキャナ装置の駆動系は、基板１８１を、図２１において、矢印Ｘで示される主走査方向に、生化学解析用ユニット１の基板２に形成された隣り合う吸着性領域４の間の距離に等しいピッチで、間欠的に移動させる主走査２２５２１０と、基板１８１を、図２１において、矢印Ｙで示される副走査方向に、生化学解析用ユニット１の基板２に形成された吸着性領域４の隣り合うラインの間の距離に等しいピッチで、間欠的に移動させる副走査パルスモータ２２２と、キャリア把持部材１８４を移動させるキャリア把持部材モータ２２３と、キャリア把持部材１８４によって、サンプルステージ１８３にセットされた生化学解析用ユニットキャリア６を把持させるキャリア把持モータ２２４を備えている。
【０５５４】
図２３に示されるように、フォトマルチプライア２１０と、基板１８１の主走査方向における位置を検出するリニアエンコーダ２２５を備えている。
【０５５５】
露光装置３６のキャリア剥離部１０４において、生化学解析用ユニットキャリア６から剥離された１０枚の蓄積性蛍光体シート９０が固定されている蓄積性蛍光体シートキャリア９６を、第１のスキャナ装置３７にセットし、キャリア搬送部材１１１を、露光装置３６のキャリア剥離部１０４内の待機位置に復帰させた後、メモリ４６から読み出した標識データに基づき、生化学解析用ユニットキャリア６にセットされている生化学解析用ユニット１の多数の吸着性領域４が、蛍光物質によって、選択的に標識されていると判定しているときは、生化学解析システムのコントロールユニット４５は、搬送部材モータ１２８に、第４の駆動信号を出力して、キャリア剥離部１０４のキャリア支持部材１１０上に載置された生化学解析用ユニットキャリア６を把持可能な位置に移動させ、第２のキャリア把持モータ１２７に、キャリア把持信号を出力して、キャリア搬送部材１１１により、キャリア支持部材１１０上に載置された生化学解析用ユニットキャリア６を把持させる。
【０５５６】
次いで、生化学解析システムのコントロールユニット４５は、搬送部材モータ１２８に、第５の駆動信号を出力して、生化学解析用ユニットキャリア６を保持しているキャリア搬送部材１１１を、第２のスキャナ装置３８に向けて、移動させる。
【０５５７】
キャリア搬送部材１１１によって把持された生化学解析用ユニットキャリア６が、第２のスキャナ装置３８のサンプルステージ１８３上に搬送され、サンプルステージ１８３の基板１８２に形成された２つの位置合わせ用ピン１８３ａ、１８３ａが、生化学解析用ユニットキャリア６に形成された２つの位置合わせ用貫通孔６ａ、６ａ内に挿通されると、生化学解析システムのコントロールユニット４５は、搬送部材モータ１２８に駆動停止信号を出力して、生化学解析用ユニットキャリア６の搬送を停止させ、さらに、第２のキャリア把持モータ１２７に、キャリア把持解除信号を出力して、キャリア搬送部材１１１による蓄積性蛍光体シートキャリア９６の把持を解除させる。
【０５５８】
その結果、生化学解析用ユニットキャリア６は、サンプルステージ１８３の基板１８２上の所定の位置にセットされる。
【０５５９】
生化学解析用ユニットキャリア６が、サンプルステージ１８３の基板１８２上の所定の位置にセットされると、生化学解析システムのコントロールユニット４５は、搬送部材モータ１２８に、第７の駆動信号を出力して、キャリア搬送部材１１１を、露光装置３６のキャリア剥離部１０４内の待機位置に復帰させる。
【０５６０】
キャリア搬送部材１１１が、露光装置３６のキャリア剥離部１０４内の待機位置に復帰されると、生化学解析システムのコントロールユニット４５は、第２のスキャナ装置３８のコントロールユニット２２０にデータ読み取り開始信号を出力する。
【０５６１】
第２のスキャナ装置３８のコントロールユニット２２０は、生化学解析システムのコントロールユニット４５から、データ読み取り開始信号を受けると、主走査ステッピングモータ２２１に駆動信号を出力し、基板１８２を主走査方向に移動させる。
【０５６２】
リニアエンコーダ２２５から入力される基板１８２の位置検出信号に基づき、生化学解析用ユニットキャリア６にセットされている各生化学解析用ユニット１の基板２に形成された多数の吸着性領域４のうち、最初に、レーザ光１９０を照射すべき第１の吸着性領域４に、各スキャナ１８０ａ、１８０ｂ、１８０ｃ、１８０ｄ、１８０ｅ、１８０ｆ、１８０ｇ、１８０ｈ、１８０ｉ、１８０ｊのレーザ励起光源１９１から、レーザ光１９０を照射可能な位置に、基板１８１が達したことが確認されると、第２のスキャナ装置３８のコントロールユニット２２０は、主走査ステッピングモータ２２１に駆動停止信号を出力するとともに、各スキャナ１８０ａ、１８０ｂ、１８０ｃ、１８０ｄ、１８０ｅ、１８０ｆ、１８０ｇ、１８０ｈ、１８０ｉ、１８０ｊのレーザ励起光源１９１に駆動信号を出力して、レーザ励起光源１９１を起動させ、５３２ｎｍの波長のレーザ光１９０を発せさせる。
【０５６３】
各スキャナ１８０ａ、１８０ｂ、１８０ｃ、１８０ｄ、１８０ｅ、１８０ｆ、１８０ｇ、１８０ｈ、１８０ｉ、１８０ｊのレーザ励起光源１９１から発せられたレーザ光１９０は、コリメータレンズ１９２によって、平行な光とされた後、ダイクロイックミラー１９３に入射する。
【０５６４】
ダイクロイックミラー１９３は、５３２ｎｍの波長の光をカットし、５３２ｎｍよりも波長の長い光を透過する性質を有しており、ダイクロイックミラー１９３に入射したレーザ光１９０は、ダイクロイックミラー１９３によって反射されて、凸レンズ１９４に入射する。
【０５６５】
凸レンズ１９４に入射したレーザ光１９０は、凸レンズ１９４によって、集光され、サンプルステージ１８３の基板１８２上に載置された生化学解析用ユニットキャリア６にセットされている各生化学解析用ユニット１の第１の吸着性領域４に入射する。
【０５６６】
本実施態様においては、生化学解析用ユニット１の多数の吸着性領域４は、それぞれ、ステンレス鋼製の基板２に形成された貫通孔３内に、ナイロン６が埋め込まれて形成されているから、各吸着性領域４内で、レーザ光１９０が散乱して、隣り合った吸着性領域４内に入射し、隣り合った吸着性領域４内に含まれている蛍光物質を励起することを効果的に防止することが可能になる。
【０５６７】
レーザ光１９０が、各生化学解析用ユニット１の基板２に形成された第１の吸着性領域４に入射すると、生化学解析用ユニット１の基板２に形成された第１の吸着性領域４に含まれている蛍光物質であるＣｙ３が、レーザ光１９０によって励起されて、第１の吸着性領域４から、５３２ｎｍよりも波長の長い蛍光２０５が放出される。
【０５６８】
各生化学解析用ユニット１の第１の吸着性領域４から放出された蛍光２０５は、凸レンズ１９５によって、ダイクロイックミラー１９４に集光される。
【０５６９】
ダイクロイックミラー１９３は、５３２ｎｍの波長の光をカットし、５３２ｎｍよりも波長の長い光を透過する性質を有しているから、各生化学解析用ユニット１の第１の吸着性領域４から放出された蛍光２０５は、ダイクロイックミラー１９３を透過して、凹面ミラー１９５に入射する。
【０５７０】
凹面ミラー１９５に入射した蛍光２０５は、凹面ミラー１９５によって反射されて、フィルタ１９８に入射する。
【０５７１】
フィルタ１９８は、５３２ｎｍの波長の光をカットし、５３２ｎｍよりも波長の長い光を透過する性質を有しているので、励起光である５３２ｎｍの波長の光がカットされ、Ｃｙ３から放出された５３２ｎｍよりも波長の長い蛍光２０５の波長域の光のみがフィルタ１９８を透過して、フォトマルチプライア２００によって、光電的に検出される。
【０５７２】
フォトマルチプライア２００によって光電的に検出されて、生成されたアナログ信号は、Ａ／Ｄ変換器２０１に出力されて、ディジタル信号に変換されて、生化学解析用データが生成され、データバッファ２０２に一時的に保存される。
【０５７３】
データバッファ２０２に一時的に保存された生化学解析用データは、データ転送手段２１３によって、生化学解析システムのデータ記憶手段４７に出力され、データ記憶手段４７の所定のメモリ領域に保存される。
【０５７４】
各スキャナ１８０ａ、１８０ｂ、１８０ｃ、１８０ｄ、１８０ｅ、１８０ｆ、１８０ｇ、１８０ｈ、１８０ｉ、１８０ｊのレーザ励起光源１９１がオンされた後、所定の時間が経過すると、第２のスキャナ装置３８のコントロールユニット２２０は、各スキャナ１８０ａ、１８０ｂ、１８０ｃ、１８０ｄ、１８０ｅ、１８０ｆ、１８０ｇ、１８０ｈ、１８０ｉ、１８０ｊのレーザ励起光源１９１に駆動停止信号を出力して、レーザ励起光源１９１の駆動を停止させるとともに、主走査ステッピングモータ２２１に駆動信号を出力して、基板１８２を、各生化学解析用ユニット１の基板２に形成された隣り合う吸着性領域４の間の距離に等しい１ピッチだけ、移動させる。
【０５７５】
リニアエンコーダ２２５から入力された基板１８２の位置検出信号に基づき、基板１８２が、生化学解析用ユニット１の基板２に形成された隣り合う吸着性領域４の間の距離に等しい１ピッチだけ移動されて、各スキャナ１８０ａ、１８０ｂ、１８０ｃ、１８０ｄ、１８０ｅ、１８０ｆ、１８０ｇ、１８０ｈ、１８０ｉ、１８０ｊのレーザ励起光源１９１から発せられるレーザ光１９０を、各生化学解析用ユニット１の基板２に形成された第１の吸着性領域４に隣り合う第２の吸着性領域４に照射可能な位置に移動したことが確認されると、第２のスキャナ装置３８のコントロールユニット２２０は、各スキャナ１８０ａ、１８０ｂ、１８０ｃ、１８０ｄ、１８０ｅ、１８０ｆ、１８０ｇ、１８０ｈ、１８０ｉ、１８０ｊのレーザ励起光源１９１に駆動信号を出力して、レーザ励起光源１９１をオンさせて、レーザ光１９０によって、各生化学解析用ユニット１の基板２に形成された第２の吸着性領域４に含まれている蛍光物質を励起する。
【０５７６】
同様にして、所定の時間にわたり、レーザ光１９０が、各生化学解析用ユニット１の基板２に形成された第２の吸着性領域４に照射され、第２の吸着性領域４に含まれている蛍光物質が励起されて、第２の吸着性領域４から放出された蛍光２０５が、フォトマルチプライア２００によって、光電的に検出されて、アナログデータが生成されると、第２のスキャナ装置３８のコントロールユニット２２０は、各スキャナ１８０ａ、１８０ｂ、１８０ｃ、１８０ｄ、１８０ｅ、１８０ｆ、１８０ｇ、１８０ｈ、１８０ｉ、１８０ｊのレーザ励起光源３１にオフ信号を出力して、レーザ励起光源１９１をオフさせるとともに、主走査ステッピングモータ２２１に駆動信号を出力して、基板１８２を、各生化学解析用ユニット１の基板２に形成された隣り合う吸着性領域４の間の距離に等しい１ピッチだけ、移動させる。
【０５７７】
こうして、基板１８２の間欠的な移動に同期して、各スキャナ１８０ａ、１８０ｂ、１８０ｃ、１８０ｄ、１８０ｅ、１８０ｆ、１８０ｇ、１８０ｈ、１８０ｉ、１８０ｊのレーザ励起光源１９１のオン・オフが繰り返され、リニアエンコーダ２２５から入力された基板１８２の位置検出信号に基づき、基板１８２が、主走査方向に１ライン分だけ、移動され、各生化学解析用ユニット１の基板２に形成された第１ライン目の吸着性領域４のレーザ光１９０による走査が完了したことが確認されると、第２のスキャナ装置３８のコントロールユニット２２０は、主走査ステッピングモータ２２１に駆動信号を出力して、基板１８２を元の位置に復帰させるとともに、副走査パルスモータ２２２に駆動信号を出力して、基板１８２を、副走査方向に、１ライン分だけ、移動させる。
【０５７８】
リニアエンコーダ２２５から入力された基板１８２の位置検出信号に基づき、基板１８２が元の位置に復帰され、さらに、基板１８２が、副走査方向に、１ライン分だけ、移動されたことが確認されると、第２のスキャナ装置３８のコントロールユニット２２０は、各生化学解析用ユニット１の基板２に形成された第１ライン目の吸着性領域４に、順次、各スキャナ１８０ａ、１８０ｂ、１８０ｃ、１８０ｄ、１８０ｅ、１８０ｆ、１８０ｇ、１８０ｈ、１８０ｉ、１８０ｊのレーザ励起光源１９１から発せられるレーザ光１９０を照射したのと全く同様にして、各生化学解析用ユニット１の基板２に形成された第２ライン目の吸着性領域４に、順次、各スキャナ１８０ａ、１８０ｂ、１８０ｃ、１８０ｄ、１８０ｅ、１８０ｆ、１８０ｇ、１８０ｈ、１８０ｉ、１８０ｊのレーザ励起光源１９１から発せられるレーザ光１９０を照射して、第２ライン目の吸着性領域４に含まれている検出孔物質を励起し、第２ライン目の吸着性領域４から放出された蛍光２０５を、順次、フォトマルチプライア２００に光電的に検出させる。
【０５７９】
フォトマルチプライア２００によって光電的に検出されて、生成されたアナログデータは、Ａ／Ｄ変換器２０１によって、ディジタルデータに変換されて、生化学解析用データが生成され、データバッファ２０２に一時的に保存される。
【０５８０】
データバッファ２０２に一時的に保存された生化学解析用データは、データ転送手段２１３によって、生化学解析システムのデータ記憶手段４７に出力され、データ記憶手段４７の所定のメモリ領域に保存される。
【０５８１】
こうして、サンプルステージ１８３にセットされている生化学解析用ユニットキャリア６に固定された各生化学解析用ユニット１の基板２に形成されたすべての吸着性領域４が、各スキャナ１８０ａ、１８０ｂ、１８０ｃ、１８０ｄ、１８０ｅ、１８０ｆ、１８０ｇ、１８０ｈ、１８０ｉ、１８０ｊのレーザ励起光源１９１から放出されたレーザ光１９０によって走査され、各生化学解析用ユニット１のすべての吸着性領域４に含まれている蛍光物質が励起されて、放出された蛍光２０５が、フォトマルチプライア２００によって、光電的に検出され、生成されたアナログデータが、Ａ／Ｄ変換器２０１により、ディジタルデータに変換されて、生化学解析用データが生成され、データバッファ２０２に一時的に保存されると、第２のスキャナ装置３８のコントロールユニット２２０から、駆動停止信号が、各スキャナ１８０ａ、１８０ｂ、１８０ｃ、１８０ｄ、１８０ｅ、１８０ｆ、１８０ｇ、１８０ｈ、１８０ｉ、１８０ｊのレーザ励起光源１９１に出力され、レーザ励起光源１９１の駆動が停止される。
【０５８２】
以上のようにして、生化学解析用ユニットキャリア６にセットされている生化学解析用ユニット１の基板２に形成された多数の吸着性領域４に記録されている蛍光データが読み取られて、生化学解析用データが生成され、生化学解析システムのデータ記憶手段４７の所定のメモリ領域に保存される。
【０５８３】
レーザ励起光源１９１の駆動が停止されると、第２のスキャナ装置３８のコントロールユニット２２０は、蛍光データ読み取り完了信号を、生化学解析システムのコントロールユニット４５に出力する。
【０５８４】
生化学解析システムのコントロールユニット４５は、蛍光データ読み取り完了信号を受けると、蛍光データの読み取りが完了した旨のメッセージを、表示パネル５１に表示させるとともに、生化学解析用ユニット１の多数の吸着性領域４に記録された蛍光データを読み取って、生成され、データ記憶手段４７の所定のメモリ領域に保存されている生化学解析用データを、データ表示手段４９に出力させ、データ表示手段４９に、データ記憶手段４７から入力された生化学解析用データに基づいて、可視データを、ＣＲＴ５２の画面上に表示させる。
【０５８５】
次いで、生化学解析システムのコントロールユニット４５は、メモリ４６に保存されている標識データを読み出して、生化学解析用ユニットキャリア６にセットされている各生化学解析用ユニット１の多数の吸着性領域４に、化学発光データが記録されているか否かを判定する。
【０５８６】
その結果、生化学解析用ユニットキャリア６にセットされている各生化学解析用ユニット１の多数の吸着性領域４に、化学発光データが記録されていないと判定したときは、生化学解析システムのコントロールユニット４５は、キャリア把持部材モータ２２３に第１の駆動信号を出力して、サンプルステージ１８３の側方の待機位置に保持されているキャリア把持部材１８４を、サンプルステージ１８３にセットされた生化学解析用ユニットキャリア６を把持可能なキャリア把持位置に移動させる。
【０５８７】
キャリア把持部材１８４が、サンプルステージ１８３にセットされた生化学解析用ユニットキャリア６を把持可能なキャリア把持位置に移動されると、生化学解析システムのコントロールユニット４５は、キャリア把持部材モータ２２３に駆動停止信号を出力して、キャリア把持部材１８４を停止させ、さらに、キャリア把持モータ２２４にキャリア把持信号を出力して、キャリア把持部材１８４に、サンプルステージ１８３にセットされた生化学解析用ユニットキャリア６を把持させる。
【０５８８】
次いで、生化学解析システムのコントロールユニット４５は、キャリア把持部材モータ２２３に第２の駆動信号を出力して、生化学解析用ユニットキャリア６を把持しているキャリア把持部材１８４を、生化学解析用ユニットキャリア回収ボックス４１に移動させる。
【０５８９】
キャリア把持部材１８４が、生化学解析用ユニットキャリア回収ボックス４１内の所定の位置に移動されると、生化学解析システムのコントロールユニット４５は、キャリア把持部材モータ２２３に駆動停止信号を出力して、キャリア把持部材１８４を停止させ、さらに、キャリア把持モータ２２４にキャリア把持解除信号を出力して、キャリア把持部材１８４による生化学解析用ユニットキャリア６の把持を解除させる。
【０５９０】
その結果、生化学解析用ユニットキャリア６は、生化学解析用ユニットキャリア回収ボックス４１内に落下して、回収される。
【０５９１】
生化学解析システムのコントロールユニット４５は、次いで、生化学解析用ユニットキャリア６が、生化学解析用ユニットキャリア回収ボックス４１内に回収された旨のメッセージを、表示パネル５１に表示させるとともに、キャリア把持部材モータ２２３に、第３の駆動信号を出力して、キャリア把持部材１８４を、第２のスキャナ装置３８のサンプルステージ１８３の側方の待機位置に復帰させる。
【０５９２】
生化学解析用ユニットキャリア回収ボックス４１内に回収された生化学解析用ユニットキャリア６にセットされた生化学解析用ユニット１は、使用回数に応じて、再度、生化学解析に使用され、または、放射能レベルが、所定レベル以下なるまで、保管された後、リサイクルもしくは廃棄される。
【０５９３】
これに対して、生化学解析用ユニットキャリア６にセットされている各生化学解析用ユニット１の多数の吸着性領域４に、化学発光データが記録されていると判定したときは、生化学解析システムのコントロールユニット４５は、搬送部材モータ１２８に、第４の駆動信号を出力して、露光装置３６のキャリア剥離部１０４内の待機位置に保持されているキャリア搬送部材１１１を、第２のスキャナ装置３８のサンプルステージ１８３にセットされた生化学解析用ユニットキャリア６を把持可能なキャリア把持位置に移動させる。
【０５９４】
キャリア搬送部材１１１が、サンプルステージ１８３にセットされた生化学解析用ユニットキャリア６を把持可能なキャリア把持位置に移動されると、生化学解析システムのコントロールユニット４５は、搬送部材モータ１２８に駆動停止信号を出力して、キャリア搬送部材１１１を停止させ、さらに、第２のキャリア把持モータ１２７に、キャリア把持信号を出力して、キャリア搬送部材１１１により、サンプルステージ１８３にセットされた生化学解析用ユニットキャリア６を把持させる。
【０５９５】
次いで、生化学解析システムのコントロールユニット４５は、搬送部材モータ１２６に第６の駆動信号を出力して、生化学解析用ユニットキャリア６を把持しているキャリア把持部材１１１を、データ読み取り装置３９に向けて、移動させる。
【０５９６】
図２４は、生化学解析用ユニットキャリア６にセットされている１０枚の生化学解析用ユニット１の多数の吸着性領域４に記録されている化学発光データを読み取って、生化学解析用データを生成するデータ読み取り装置３９の略正面図である。
【０５９７】
図２４に示されるように、本発明の好ましい実施態様にかかる生化学解析システムを構成するデータ読み取り装置３９は、ＣＣＤカメラユニット２３０と、暗箱２３２を備えている。
【０５９８】
本実施態様においては、ＣＣＤカメラユニット２３０は、１０個の冷却ＣＣＤカメラを備えている。
【０５９９】
図２５は、ＣＣＤカメラユニット２３０の略底面図である。
【０６００】
図２５に示されるように、ＣＣＤカメラユニット２３０は、１０個の冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊを備え、１０個の冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊは、それぞれ、生化学解析用ユニットキャリア６が、データ読み取り装置３９にセットされたときに、生化学解析用ユニットキャリア６にセットされている１０枚の生化学解析用ユニット１に対向する位置に設けられている。
【０６０１】
１０個の冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊは、同一構造を有している。
【０６０２】
図２６は、冷却ＣＣＤカメラ２３１ａの略縦断面図である。
【０６０３】
図２６に示されるように、ＣＣＤカメラユニット２３０に設けられた各冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊは、それぞれ、ＣＣＤ２３６と、アルミニウムなどの金属によって作られた伝熱板２３７と、ＣＣＤ２３６を冷却するためのペルチエ素子２３８と、ＣＣＤ２３６の前面に配置されたシャッタ２３９と、ＣＣＤ２３６が生成したアナログデータをディジタル化して、生化学解析用データを生成するＡ／Ｄ変換器２４０と、Ａ／Ｄ変換器２４０によってディジタル化されて、生成された生化学解析用データを一時的に記憶するデータバッファ２４１と、各冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊの動作を制御するカメラ制御回路２４２とを備えている。
【０６０４】
図２６に示されるように、暗箱２３２との間に形成された開口部は、ガラス板２４５によって閉じられており、各冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊの周囲には、ペルチエ素子２３８が発する熱を放熱するための放熱フィン２４６が長手方向の約１／２にわたって形成されている。
【０６０５】
ガラス板２４５の前面の暗箱２３２内には、レンズフォーカス調整機能を有するカメラレンズ２４７が取付けられている。
【０６０６】
図２７は、暗箱２３２の略縦断面図である。
【０６０７】
図２７に示されるように、暗箱２３２の底部には、化学発光基質を含む溶液２５０を収容した容器２５１が設けられ、容器３１の内壁部には、生化学解析用ユニット１を支持可能な支持部材２５２が形成されている。
【０６０８】
図２７に示されるように、さらに、暗箱２３２の外部に、化学発光基質を含む溶液を収容した化学発光基質補給タンク２５３が設けられており、化学発光基質補給タンク２５３は、バルブ２５４およびポンプ２５５を介して、暗箱２３２内の化学発光基質を含む溶液２５０を収容した容器２５１に接続されている。
【０６０９】
支持部材２５２には、生化学解析用ユニットキャリア６の２つの位置合わせ用貫通孔５、５に対応する位置に、位置合わせ用ピン２５２ａ、２５２ａが立設されている。
【０６１０】
暗箱２３２は、扉２３２ａを備え、暗箱２３２の扉２３２ａは、自動的に開閉されるように構成されている。
【０６１１】
図２７に示されるように、暗箱２３２の外部の扉２３２ａの側方には、生化学解析用ユニットキャリア６を把持し、生化学解析用ユニットキャリア回収ボックス４１に、搬送可能なキャリア把持部材２５６が設けられている。
【０６１２】
図２８は、本発明の好ましい実施態様にかかる生化学解析システムを構成するデータ読み取り装置３９の制御系、検出系および駆動系を示すブロックダイアグラムである。
【０６１３】
図２８に示されるように、データ読み取り装置３９の制御系は、ＣＣＤカメラユニット２３０に設けられた各冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊを制御するコントロールユニット２６０と、各冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊが生成した生化学解析用データを、各冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊのデータバッファ２４１から読み出すデータ転送手段２６１と、バルブ２５４の開閉を制御するバルブ制御手段２６２を備えている。
【０６１４】
ここに、コントロールユニット２６０は、冷却ＣＣＤカメラ２３１のカメラ制御回路２４２に種々の信号を出力可能に構成されている。
【０６１５】
図２８に示されるように、データ読み取り装置３９の検出系は、容器２５１に収容された化学発光基質を含む溶液２５０の液面を検出し、液面が、所定以下に低下したときに、液面検出信号を出力する液面センサ２６３を備えている。
【０６１６】
液面センサ２６３から出力された液面検出信号は、データ読み取り装置３９のコントロールユニット２６０に入力されるように構成され、コントロールユニット２６０は、液面センサ２６３から液面検出信号が入力されたときは、バルブ２５４の開閉を制御するバルブ制御手段２６２に駆動信号を出力して、バルブ２５４を開放させるとともに、ポンプ２５５に駆動信号を出力して、化学発光基質補給タンク２５３から、容器２５１内に、化学発光基質を含む溶液２５０を補給するように構成されている。
【０６１７】
図２８に示されるように、データ読み取り装置３９の駆動系は、化学発光基質補給タンク２５３から、容器２５１内に、化学発光基質を含む溶液２５０を補給するポンプ２５５と、暗箱２３２の扉２３２ａを開閉する暗箱開閉モータ２６５と、キャリア把持部材２５６を駆動して、暗箱２３２内の支持部材２５２によって支持された生化学解析用ユニットキャリア６を把持させるキャリア把持モータ２６６と、キャリア把持部材２５６を移動させるキャリア把持部材モータ２６７を備えている。
【０６１８】
生化学解析用ユニットキャリア６にセットされている１０枚の生化学解析用ユニット１の多数の吸着性領域４に記録された化学発光データを読み取って、生化学解析用データを生成するときは、生化学解析システムのコントロールユニット４５は、まず、搬送部材モータ１２８に、第４の駆動信号を出力して、露光装置３６のキャリア剥離部１０４内の待機位置に保持されているキャリア搬送部材１１１を、キャリア剥離部１０４のキャリア支持部材１１０上に載置された生化学解析用ユニットキャリア６を把持可能な位置に移動させる。
【０６１９】
キャリア搬送部材１１１が、キャリア支持部材１１０上に載置された生化学解析用ユニットキャリア６を把持可能な位置に移動されると、コントロールユニット４５は、搬送部材モータ１２８に駆動停止信号を出力して、キャリア搬送部材１１１を停止させ、さらに、第２のキャリア把持モータ１２７に、キャリア把持信号を出力して、キャリア搬送部材１１１に、キャリア支持部材１１０上に載置された生化学解析用ユニットキャリア６を把持させる。
【０６２０】
同時に、生化学解析システムのコントロールユニット４５は、データ読み取り装置３９のコントロールユニット２６０に、暗箱開放信号を出力する。
【０６２１】
データ読み取り装置３９のコントロールユニット２６０は、生化学解析システムのコントロールユニット４５から、暗箱開放信号を受けると、暗箱開閉モータ２６５に、暗箱開放信号を出力して、暗箱２３２の扉２３２ａを開放させる。
【０６２２】
次いで、生化学解析システムのコントロールユニット４５は、搬送部材モータ１２８に、第６の駆動信号を出力して、生化学解析用ユニットキャリア６を保持しているキャリア搬送部材１１１を、データ読み取り装置３９に向けて、移動させる。
【０６２３】
キャリア搬送部材１１１によって把持された生化学解析用ユニットキャリア６が、データ読み取り装置３９の暗箱２３２内に搬送されて、支持部材２５２上に立設された２つの位置合わせ用ピン２５２ａ、２５２ａが、生化学解析用ユニットキャリア６に形成された２つの位置合わせ用貫通孔６ａ、６ａ内に挿通されると、生化学解析システムのコントロールユニット４５は、搬送部材モータ１２８に駆動停止信号を出力して、生化学解析用ユニットキャリア６の搬送を停止させ、さらに、第２のキャリア把持モータ１２７に、キャリア把持解除信号を出力して、キャリア搬送部材１１１による生化学解析用ユニットキャリア６の把持を解除させる。
【０６２４】
その結果、生化学解析用ユニットキャリア６は、支持部材２５２上の所定の位置にセットされる。
【０６２５】
生化学解析用ユニットキャリア６が、支持部材２５２上の所定の位置にセットされると、生化学解析システムのコントロールユニット４５は、搬送部材モータ１２８に、第８の駆動信号を出力して、キャリア搬送部材１１１を、露光装置３６のキャリア剥離部１０４内の待機位置に復帰させる。
【０６２６】
次いで、生化学解析システムのコントロールユニット４５は、露出開始信号を、データ読み取り装置３９のコントロールユニット２６０に出力する。
【０６２７】
データ読み取り装置３９のコントロールユニット２６０は、生化学解析システムのコントロールユニット４５から、露出開始信号を受けると、暗箱開閉モータ２６５に、暗箱閉鎖信号を出力して、暗箱２３２の扉２３２ａを閉じさせるとともに、露出開始信号を、各冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊのカメラ制御回路２４２に転送する。
【０６２８】
各冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊのカメラ制御回路２４２は、露出開始信号を受けると、シャッタ２３９を開放し、ＣＣＤ２３６の露出を開始させる。
【０６２９】
ここに、生化学解析用ユニットキャリア６には、生化学解析用ユニット１をセットすべき所定の位置に、合計１０個の略矩形状の貫通孔７が形成されているから、生化学解析用ユニットキャリア６が、支持部材２５２上にセットされると、各生化学解析用ユニット１が、貫通孔７を介して、化学発光基質を含む溶液２５０と接触し、生化学解析用ユニット１の多数の吸着性領域４に選択的に含まれている化学発光基質と接触させることによって化学発光を生じさせる酵素が、化学発光基質と接触して、各生化学解析用ユニット１の吸着性領域４から、化学発光が放出される。
【０６３０】
各生化学解析用ユニット１の吸着性領域４から発せられた化学発光は、各冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊのカメラレンズ２４７を介して、ＣＣＤ２３６の光電面に入射して、光電面に像を形成する。各冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊのＣＣＤ２３６は、こうして、光電面に形成された像の光を受けて、これを電荷の形で蓄積する。
【０６３１】
ここに、本実施態様においては、生化学解析用ユニット１の多数の吸着性領域４は、それぞれ、ステンレス鋼製の基板２に形成された貫通孔３内に、ナイロン６が埋め込まれて形成されているから、生化学解析用ユニット１の各吸着性領域４から放出された化学発光が、隣り合う吸着性領域４から放出された化学発光と混ざり合うことを、効果的に防止することが可能になる。
【０６３２】
化学発光は、生化学解析用ユニット１の多数の吸着性領域４に選択的に含まれている化学発光基質と接触させることによって化学発光を生じさせる酵素に、化学発光基質が接触されて、生化学解析用ユニット１の多数の吸着性領域４から放出されるものであるため、経時的に、化学発光基質が消費されて、容器２５１内に収容されている化学発光基質を含む溶液２５０の液面が低下する。
【０６３３】
こうして、化学発光基質が消費されて、暗箱２３２の容器２５１内に収容されている化学発光基質を含む溶液２５０の液面が所定以下に低下すると、液面センサ２６３から、液面検出信号が、データ読み取り装置３９のコントロールユニット２６０に出力される。
【０６３４】
液面センサ２６３から、液面検出信号が入力されると、コントロールユニット２６０は、バルブ２５４を開閉制御するバルブ制御手段２６２に駆動信号を出力して、バルブ２５４を開放させるとともに、ポンプ２５５に駆動信号を出力して、化学発光基質補給タンク２５３から、容器２５１内に、化学発光基質を含む溶液２５０を補給する。
【０６３５】
化学発光基質と接触させることによって化学発光を生じさせる酵素が、多量に含まれている生化学解析用ユニット１の吸着性領域４においては、化学発光の放出にあたって、多量の化学発光基質が消費され、化学発光基質を補給しないときは、経時的に、化学発光基質が枯渇し、放出される化学発光の強度が急激に低下し、化学発光を、各冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊによって、光電的に検出して、生成された生化学解析用データの定量性が著しく悪化するが、このように、本実施態様においては、経時的に、化学発光基質が消費されて、容器２５１内に収容されている化学発光基質を含む溶液２５０の液面が所定以下に低下すると、液面センサ２６３から、液面検出信号が、コントロールユニット２６０に出力され、コントロールユニット２６０によって、バルブ２５４を開閉制御するバルブ制御手段２６２に駆動信号が出力されて、バルブ２５４が開放されるとともに、ポンプ２５５に駆動信号が出力されて、化学発光基質補給タンク２５３から、容器２５１内に、化学発光基質を含む溶液２５０が補給されるから、各生化学解析用ユニット１の基板２に形成された多数の吸着性領域４が、暗箱２３２の底部に設けられた容器２５１内に収容されている化学発光基質を含む溶液２５０とつねに接触するように、各生化学解析用ユニット１を、支持部材２５２によって、暗箱２５２内に保持することができ、したがって、各生化学解析用ユニット１の基板２に形成された多数の吸着性領域４に、化学発光基質が、絶えず、補給されているているから、化学発光基質と接触させることによって化学発光を生じさせる酵素が、多量に含まれている吸着性領域４において、経時的に、化学発光基質が枯渇することが確実に防止され、したがって、生化学解析用ユニットキャリア６にセットされている各生化学解析用ユニット１の基板２に形成された多数の吸着性領域４から放出される化学発光を、各冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊにより、光電的に検出することによって、定量性に優れた生化学解析用データを生成することが可能になる。
【０６３６】
所定の露出時間が経過すると、データ読み取り装置３９のコントロールユニット２６０は、各冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊのカメラ制御回路２４２および生化学解析システムのコントロールユニット４５に露出完了信号を出力する。
【０６３７】
カメラ制御回路２４２は、コントロールユニット２６０から、露出完了信号を受けると、ＣＣＤ２３６が電荷の形で蓄積したアナログデータを、Ａ／Ｄ変換器２４０に転送して、ディジタル化し、データバッファ２４１に一時的に記憶させる。
【０６３８】
カメラ制御回路２４２に露出完了信号を出力するのと同時に、データ読み取り装置３９のコントロールユニット２６０は、データ転送手段２６１にデータ転送信号を出力して、各冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊのデータバッファ２４１から、順次、ディジタルデータを読み出させて、生化学解析システムのデータ記憶手段４７に出力させ、データ記憶手段４７の所定のメモリ領域に保存させる。
【０６３９】
以上のようにして、生化学解析用ユニットキャリア６にセットされている生化学解析用ユニット１の基板２に形成された多数の吸着性領域４に記録されている化学発光データが読み取られて、生化学解析用データが生成される。
【０６４０】
生化学解析システムのコントロールユニット４５は、データ読み取り装置３９のコントロールユニット２６０から、露出完了信号を受けると、化学発光データの読み取りが完了した旨のメッセージを、表示パネルに表示させるとともに、生化学解析用ユニット１の多数の吸着性領域４に記録された化学発光データを読み取って、生成され、データ記憶手段４７の所定のメモリ領域に保存された生化学解析用データを、データ記憶手段４７の所定のメモリ領域に保存されている生化学解析用データを、データ表示手段４９に出力させ、データ表示手段４９に、データ記憶手段４７から入力された生化学解析用データに基づき、可視データを、ＣＲＴ５２の画面上に表示させる。
【０６４１】
次いで、生化学解析システムのコントロールユニット４５は、データ読み取り装置３９のコントロールユニット２６０に、暗箱開放信号を出力する。
【０６４２】
データ読み取り装置３９のコントロールユニット２６０は、生化学解析システムのコントロールユニット４５から、暗箱開放信号を受けると、暗箱開閉モータ２６５に、暗箱開放信号を出力して、暗箱２３２の扉２３２ａを開放させる。
【０６４３】
次いで、生化学解析システムのコントロールユニット４５は、キャリア把持部材モータ２６７に第１の駆動信号を出力して、暗箱２３２の扉２３２ａの側方の待機位置に保持されているキャリア把持部材２５６を、支持部材２５２上にセットされた生化学解析用ユニットキャリア６を把持可能なキャリア把持位置に移動させる。
【０６４４】
キャリア把持部材２５６が、支持部材２５２上にセットされた生化学解析用ユニットキャリア６を把持可能なキャリア把持位置に移動されると、生化学解析システムのコントロールユニット４５は、キャリア把持部材モータ２６７に駆動停止信号を出力して、キャリア把持部材２５６を停止させ、さらに、キャリア把持モータ２６６にキャリア把持信号を出力して、キャリア把持部材２５６に、支持部材２５２上にセットされた生化学解析用ユニットキャリア６を把持させる。
【０６４５】
次いで、生化学解析システムのコントロールユニット４５は、キャリア把持部材モータ２６７に第２の駆動信号を出力して、生化学解析用ユニットキャリア６を把持しているキャリア把持部材２５６を、生化学解析用ユニットキャリア回収ボックス４１に移動させる。
【０６４６】
キャリア把持部材２５６が、生化学解析用ユニットキャリア回収ボックス４１内の所定の位置に移動されると、生化学解析システムのコントロールユニット４５は、キャリア把持部材モータ２６７に駆動停止信号を出力して、キャリア把持部材２５６を停止させ、さらに、キャリア把持モータ２６６にキャリア把持解除信号を出力して、キャリア把持部材２５６による生化学解析用ユニットキャリア６の把持を解除させる。
【０６４７】
その結果、生化学解析用ユニットキャリア６は、生化学解析用ユニットキャリア回収ボックス４１内に落下して、回収される。
【０６４８】
生化学解析システムのコントロールユニット４５は、次いで、生化学解析用ユニットキャリア６が、生化学解析用ユニットキャリア回収ボックス４１内に回収された旨のメッセージを、表示パネル５１に表示させるとともに、キャリア把持部材モータ２６７に、第３の駆動信号を出力して、キャリア把持部材２５６を、データ読み取り装置３９の暗箱２３２の扉２３２ａの側方の待機位置に復帰させる。
【０６４９】
生化学解析用ユニットキャリア回収ボックス４１内に回収された生化学解析用ユニットキャリア６にセットされた生化学解析用ユニット１は、使用回数に応じて、再度、生化学解析に使用され、または、放射能レベルが、所定レベル以下なるまで、保管された後、リサイクルもしくは廃棄される。
【０６５０】
以上のようにして、生化学解析用ユニットキャリア６にセットされた１０枚の生化学解析用ユニット１の多数の吸着性領域４に、放射線データ、蛍光データおよび化学発光データが記録され、生化学解析用ユニットキャリア６にセットされた１０枚の生化学解析用ユニット１から、蓄積性蛍光体シートキャリア９６に固定された１０枚の蓄積性蛍光体シート９０の多数の輝尽性蛍光体層領域に転写された放射線データならびに生化学解析用ユニットキャリア６にセットされた１０枚の生化学解析用ユニット１の多数の吸着性領域４に記録された蛍光データおよび化学発光データが読み取られて、生化学解析用データが生成され、それぞれ、生化学解析システムのデータ記憶手段４７の所定のメモリ領域に保存される。
【０６５１】
こうして、放射線データ、蛍光データおよび化学発光データが読み取られて、生成された生化学解析用データを、ＣＲＴ５２の画面上に、特定のフォーマットの可視データとして、表示させる場合など、データ記憶手段４７に保存されている生化学解析用データにデータ処理を施して、生化学解析用データを、可視データとして、ＣＲＴ５２の画面上に表示させる場合には、ユーザーによって、データ表示信号およびデータ特定信号とともに、データ処理信号が、キーボード５０に入力される。
【０６５２】
ユーザーによって、キーボード５０に入力されたデータ表示信号、データ特定信号およびデータ処理信号は、生化学解析システムのコントロールユニット４５に出力され、コントロールユニット４５は、データ表示信号、データ特定信号およびデータ処理信号を受けると、データ特定信号にしたがって、データ記憶手段４７の所定のメモリ領域に保存されている生化学解析用データを、データ処理手段４８に出力させ、データ処理信号にしたがって、データ処理手段４８に、生化学解析用データにデータ処理を施させ、データ表示手段４９に、データ処理手段４８によって、データ処理が施された生化学解析用データに基づいて、可視データを、ＣＲＴ５２の画面上に表示させる。
【０６５３】
本実施態様によれば、生化学解析システムは、生化学解析用ユニットキャリア６にセットされている１０枚の生化学解析用ユニット１の多数の吸着性領域４に固定された特異的結合物質に、標識物質によって標識された生体由来の物質を、選択的に、ハイブリダイズさせるハイブリダイゼーション反応装置３５と、生化学解析用ユニットキャリア６にセットされている１０枚の生化学解析用ユニット１の多数の吸着性領域４に選択的に含まれている放射性標識物質によって、蓄積性蛍光体シートキャリア９６に固定されている１０枚の蓄積性蛍光体シート９０の多数の輝尽性蛍光体層領域９２に含まれている輝尽性蛍光体を露光する露光装置３６と、蓄積性蛍光体シートキャリア９６に固定されている１０枚の蓄積性蛍光体シート９０の多数の輝尽性蛍光体層領域９２にに記録された放射線データを読み取って、生化学解析用データを生成する第１のスキャナ装置３７と、生化学解析用ユニットキャリア６にセットされている１０枚の生化学解析用ユニット１の多数の吸着性領域４に記録されている蛍光データを読み取って、生化学解析用データを生成する第２のスキャナ装置３８と、生化学解析用ユニットキャリア６にセットされている１０枚の生化学解析用ユニット１の多数の吸着性領域４に記録されている化学発光データを読み取って、生化学解析用データを生成するデータ読み取り装置３９と、１０枚の蓄積性蛍光体シートが固定された蓄積性蛍光体シートキャリアを回収する蓄積性蛍光体シートキャリア回収ボックス４０と、１０枚の生化学解析用ユニット１がセットされた生化学解析用ユニットキャリア６を回収する生化学解析用ユニットキャリア回収ボックス４１を備えているから、ユーザーは、それぞれ、多数の吸着性領域４に、ｃＤＮＡなどの特異的結合物質が固定された１０枚の生化学解析用ユニット１がセットされている生化学解析用ユニットキャリア６を、ハイブリダイゼーション反応装置３５にセットして、生化学解析システムのキーボード５０に、生化学解析開始信号を入力するだけで、ハイブリダイゼーション反応および抗原抗体反応が実行されて、生化学解析用ユニットキャリア６にセットされている１０枚の生化学解析用ユニット１の多数の吸着性領域４に、放射線データ、蛍光データおよび化学発光データが記録され、生化学解析用ユニットキャリア６にセットされている１０枚の生化学解析用ユニット１の多数の吸着性領域４に記録されている放射線データが、蓄積性蛍光体シートキャリア９６に固定されている１０枚の蓄積性蛍光体シート９０の多数の輝尽性蛍光体層領域９２に転写され、蓄積性蛍光体シートキャリア９６に固定されている１０枚の蓄積性蛍光体シート９０の多数の輝尽性蛍光体層領域９２に記録された放射線データが、第１のスキャナ装置３７によって、読み取られて、生化学解析用データが生成されて、データ記憶手段４７の所定のメモリ領域に保存されるとともに、生化学解析用データが、可視データとして、ＣＲＴ５２の画面上に表示され、生化学解析用ユニットキャリア６にセットされている１０枚の生化学解析用ユニット１の多数の吸着性領域４に記録されている蛍光データが、第２のスキャナ装置３８によって、読み取られて、生化学解析用データが生成されて、データ記憶手段４７の所定のメモリ領域に保存されるとともに、生化学解析用データが、可視データとして、ＣＲＴ５２の画面上に表示され、生化学解析用ユニットキャリア６にセットされている１０枚の生化学解析用ユニット１の多数の吸着性領域４に記録されている化学発光データが、データ読み取り装置３９によって、読み取られて、生化学解析用データが生成されて、データ記憶手段４７の所定のメモリ領域に保存されるとともに、生化学解析用データが、可視データとして、ＣＲＴ５２の画面上に表示され、したがって、ハイブリダイゼーション反応、露光操作、データ読み取り操作を、ユーザーが管理する必要はなく、きわめて効率的に、生化学解析を実行することが可能になり、また、ハイブリダイゼーション反応装置３５によって、自動的に、ハイブリダイゼーション反応および抗原抗体反応が実行されるから、再現性良く、生化学解析を実行することが可能になる。
【０６５４】
さらに、本実施態様によれば、ハイブリダイゼーション反応装置３５によって、生化学解析用ユニットキャリア６にセットされている１０枚の生化学解析用ユニット１の吸着性領域４に、同時に、放射線データ、蛍光データおよび化学発光データを、同時に記録し、露光装置３６によって、生化学解析用ユニットキャリア６にセットされている１０枚の生化学解析用ユニット１の吸着性領域４に記録されている放射線データを、蓄積性蛍光体シートキャリア９６に固定されている１０枚の蓄積性蛍光体シート９０の多数の輝尽性蛍光体層領域９２に転写し、第１のスキャナ３７装置によって、蓄積性蛍光体シートキャリア９６に固定されている１０枚の蓄積性蛍光体シート９０の多数の輝尽性蛍光体層領域９２に記録された放射線データを、同時に読み取って、生化学解析用データを生成し、第２のスキャナ装置３８によって、生化学解析用ユニットキャリア６にセットされている１０枚の生化学解析用ユニット１の吸着性領域４に記録されている蛍光データを、同時に読み取って、生化学解析用データを生成し、データ読み取り装置３９によって、生化学解析用ユニットキャリア６にセットされている１０枚の生化学解析用ユニット１の吸着性領域４に記録されている化学発光データを、同時に読み取って、生化学解析用データを生成するように構成されているから、生化学解析の効率を大幅に向上させることが可能になる。
【０６５５】
また、本実施態様によれば、ハイブリダイゼーションバッファとプローブ溶液の混合溶液が、第３の溶液注入チューブ６１ｃ、第３の溶液注入部６２ｃ、溶液供給流路７３、第１の溶液供給流路７３ａおよび第２の溶液供給流路、貫通孔６９ａ、６９ｂ、６９ｃ、６９ｄ、６９ｅ、６９ｆ、６９ｇ、６９ｈ、６９ｉ、６９ｊ、貫通孔６４ａ、６４ｂ、６４ｃ、６４ｄ、６４ｅ、６４ｆ、６４ｇ、６４ｈ、６４ｉ、６４ｊ、溶液排出チューブ７０ならびに第３の分岐チューブ７７ｃによって形成された溶液循環流路を、強制的に循環され、生化学解析用ユニットキャリア６にセットされている生化学解析用ユニット１の多数の吸着性領域４を横切って、強制的に、循環されるから、ハイブリダイゼーションバッファとプローブ溶液の混合溶液に含まれている生体由来の物質を、単に、対流あるいは拡散によって移動させ、生化学解析用ユニット１の吸着性領域４に含まれている特異的結合物質とハイブリダイズさせる場合に比して、生化学解析用ユニット１の吸着性領域４内における生体由来の物質の移動速度を大幅に増大させることができ、したがって、ハイブリダイゼーション反応の反応速度を大幅に向上させることが可能になり、さらには、生体由来の物質が、吸着性領域４の深い部分に含まれている特異的結合物質と出会う確率を大幅に増大させることができ、したがって、所望のように、生化学解析用ユニット１の多数の吸着性領域４に固定された特異的結合物質に、ハイブリダイゼーションバッファとプローブ溶液の混合溶液に含まれている生体由来の物質をハイブリダイズさせることが可能になる。
【０６５６】
さらに、本実施態様によれば、化学発光を生じさせる酵素によって標識された抗体を含む抗体溶液が、第３の溶液注入チューブ６１ｃ、第３の溶液注入部６２ｃ、溶液供給流路７３、第１の溶液供給流路７３ａおよび第２の溶液供給流路、貫通孔６９ａ、６９ｂ、６９ｃ、６９ｄ、６９ｅ、６９ｆ、６９ｇ、６９ｈ、６９ｉ、６９ｊ、貫通孔６４ａ、６４ｂ、６４ｃ、６４ｄ、６４ｅ、６４ｆ、６４ｇ、６４ｈ、６４ｉ、６４ｊ、溶液排出チューブ７０ならびに第３の分岐チューブ７７ｃによって形成された溶液循環流路を、強制的に循環され、生化学解析用ユニットキャリア６にセットされている生化学解析用ユニット１の多数の吸着性領域４を横切って、強制的に、循環されるから、抗体溶液に含まれている抗体を、単に、対流あるいは拡散によって移動させ、吸着性領域４に含まれている抗原に結合させる場合に比して、生化学解析用ユニット１の吸着性領域４内における抗体の移動速度を大幅に増大させることができ、したがって、抗原抗体反応の反応速度を大幅に向上させることが可能になり、さらには、抗体溶液に含まれている抗体が、吸着性領域４の深い部分に含まれている特異的結合物質に、選択的に、ハイブリダイズされた生体由来の物質を標識しているハプテンと出会う確率を大幅に増大させることができ、したがって、所望のように、抗体溶液に含まれた抗体と、生化学解析用ユニット１の吸着性領域４に含まれている特異的結合物質に、選択的に、ハイブリダイズされた生体由来の物質を標識しているハプテンとを、抗原抗体反応によって、結合させることが可能になる。
【０６５７】
また、本実施態様によれば、洗浄溶液が、第３の溶液注入チューブ６１ｃ、第３の溶液注入部６２ｃ、溶液供給流路７３、第１の溶液供給流路７３ａおよび第２の溶液供給流路、貫通孔６９ａ、６９ｂ、６９ｃ、６９ｄ、６９ｅ、６９ｆ、６９ｇ、６９ｈ、６９ｉ、６９ｊ、貫通孔６４ａ、６４ｂ、６４ｃ、６４ｄ、６４ｅ、６４ｆ、６４ｇ、６４ｈ、６４ｉ、６４ｊ、溶液排出チューブ７０ならびに第３の分岐チューブ７７ｃによって形成された溶液循環流路を、強制的に循環され、生化学解析用ユニットキャリア６にセットされている生化学解析用ユニット１の多数の吸着性領域４を横切って、強制的に、循環されるから、ハイブリダイゼーションの工程で、特異的結合物質にハイブリダイズされるべきでない生体由来の物質が、生化学解析用ユニット１の吸着性領域４に結合されていても、特異的結合物質にハイブリダイズされるべきではない生体由来の物質を、生化学解析用ユニット１の吸着性領域４から、効果的に剥離させて、除去することが可能になるとともに、抗原抗体反応の過程で、抗原に結合されるべきでない抗体が、生化学解析用ユニット１の基板２に形成された吸着性領域４に吸着していても、抗原に結合されるべきでない抗体を、生化学解析用ユニット１の多数の吸着性領域４から、効果的に剥離させ、除去することが可能になり、洗浄効率を大幅に向上させることができる。
【０６５８】
さらに、本実施態様によれば、ハイブリダイゼーション反応および抗原抗体反応の完了後、１０枚の生化学解析用ユニット１がセットされている生化学解析用ユニットキャリア６が、ハイブリダイゼーション反応装置３５の搬送ベルト６３、６３および露光装置３６の搬送ベルト１０２によって、自動的に、ハイブリダイゼーション反応装置３５から、露光装置３６に搬送され、１０枚の蓄積性蛍光体シート９０が固定されている蓄積性蛍光体シートキャリア９６が、キャリア把持部材によって、把持されて、蓄積性蛍光体シートキャリア９６に形成された２つの位置合わせ用ピン９６ａが、搬送ベルト１０２上に載置されている生化学解析用ユニットキャリア６の２つ位置合わせ用貫通孔６ａ内に挿通されるように、生化学解析用ユニットキャリア６に、重ね合わされて、生化学解析用ユニットキャリア６にセットされている１０枚の生化学解析用ユニット１のそれぞれと、蓄積性蛍光体シートキャリア９６に固定されている対応する蓄積性蛍光体シート９０が密着され、スタッカ１０３内に送られて、スタッカ１０３内で、所定の時間にわたって、保持することによって、生化学解析用ユニットキャリア６にセットされている１０枚の生化学解析用ユニット１の多数の吸着性領域４に選択的に含まれている放射性標識物質により、蓄積性蛍光体シートキャリア９６に固定されている１０枚の蓄積性蛍光体シート９０の多数の輝尽性蛍光体層領域９２に含まれている輝尽性蛍光体が露光されて、放射線データが、蓄積性蛍光体シートキャリア９６に固定されている１０枚の蓄積性蛍光体シート９０の多数の輝尽性蛍光体層領域９２に、自動的に、記録されるから、露光操作を大幅に効率化することが可能になる。
【０６５９】
また、本実施態様によれば、生化学解析用ユニットキャリア６にセットされている１０枚の生化学解析用ユニット１のそれぞれと、蓄積性蛍光体シートキャリア９６に固定されている対応する蓄積性蛍光体シート９０が密着された状態で、スタッカ１０３内に保持されて、露光操作が実行されるように構成されているから、ハイブリダイゼーション反応装置３５から、多数の吸着性領域４に放射線データを記録された１０枚の生化学解析用ユニット１がセットされている生化学解析用ユニットキャリア６を、次々に、露光装置３６に送り、１０枚の蓄積性蛍光体シート９０が固定されている蓄積性蛍光体シートキャリア９６と重ね合わせて、生化学解析用ユニットキャリア６にセットされている１０枚の生化学解析用ユニット１のそれぞれと、蓄積性蛍光体シートキャリア９６に固定されている対応する蓄積性蛍光体シート９０とを密着した状態で、スタッカ１０３内に保持させ、平行して、露光操作を実行することによって、露光操作を大幅に効率化することができ、したがって、本発明においては、ハイブリダイゼーションバッファとプローブ溶液の混合溶液が、第３の溶液注入チューブ６１ｃ、第３の溶液注入部６２ｃ、溶液供給流路７３、第１の溶液供給流路７３ａおよび第２の溶液供給流路、貫通孔６９ａ、６９ｂ、６９ｃ、６９ｄ、６９ｅ、６９ｆ、６９ｇ、６９ｈ、６９ｉ、６９ｊ、貫通孔６４ａ、６４ｂ、６４ｃ、６４ｄ、６４ｅ、６４ｆ、６４ｇ、６４ｈ、６４ｉ、６４ｊ、溶液排出チューブ７０ならびに第３の分岐チューブ７７ｃによって形成された溶液循環流路を、強制的に循環され、生化学解析用ユニットキャリア６にセットされている生化学解析用ユニット１の多数の吸着性領域４を横切って、強制的に、循環されるから、ハイブリダイゼーションバッファとプローブ溶液の混合溶液に含まれている生体由来の物質を、単に、対流あるいは拡散によって移動させ、生化学解析用ユニット１の吸着性領域４に含まれている特異的結合物質とハイブリダイズさせる場合に比して、生化学解析用ユニット１の吸着性領域４内における生体由来の物質の移動速度を大幅に増大させることができ、ハイブリダイゼーション反応の反応速度を大幅に向上させることが可能になるから、生化学解析に要する時間を、全体として、大幅に短縮することができる。
【０６６０】
さらに、本実施態様によれば、１０枚の生化学解析用ユニット１がセットされている生化学解析用ユニットキャリア６と、１０枚の蓄積性蛍光体シート９０が固定されている蓄積性蛍光体シートキャリア９６のキャリア集積体が、昇降可能な昇降板１０６の上面により、支持されて、スタッカ１０３内に保持されるように構成され、昇降板モータ１２５によって、露光操作が完了したキャリア集積体を、キャリア取り出し用開口部１０７に対向する位置に移動させ、キャリア排出部材１０８を駆動して、キャリア取り出し用開口部１０７から、露光操作が完了したキャリア集積体を、キャリア剥離部１０４に排出するように構成されているから、スタッカ１０３に収容可能なキャリア集積体の枚数が制限されることがなく、所望の枚数のキャリア集積体を、スタッカ１０３に収容させて、生化学解析用ユニットキャリア６にセットされている１０枚の生化学解析用ユニット１の多数の吸着性領域４に選択的に含まれている放射性標識物質により、蓄積性蛍光体シートキャリア９６に固定されている１０枚の蓄積性蛍光体シート９０の多数の輝尽性蛍光体層領域９２に含まれている輝尽性蛍光体を露光することが可能になる。
【０６６１】
また、本実施態様によれば、生化学解析用ユニットキャリア６にセットされている１０枚の生化学解析用ユニット１の多数の吸着性領域４に選択的に含まれている放射性標識物質により、蓄積性蛍光体シートキャリア９６に固定されている１０枚の蓄積性蛍光体シート９０の多数の輝尽性蛍光体層領域９２に含まれている輝尽性蛍光体が露光された後、１０枚の生化学解析用ユニット１がセットされている生化学解析用ユニットキャリア６と、１０枚の蓄積性蛍光体シート９０が固定されている蓄積性蛍光体シートキャリア９６のキャリア集積体が、キャリア排出部材１０８によって、キャリア取り出し用開口部１０７から、自動的に、キャリア剥離部１０４に排出され、キャリア搬送部材１１１によって、１０枚の蓄積性蛍光体シート９０が固定されている蓄積性蛍光体シートキャリア９６が、生化学解析用ユニットキャリア６から、自動的に剥離されて、第１のスキャナ装置３７に搬送され、第１のスキャナ装置３７によって、自動的に、蓄積性蛍光体シートキャリア９６に固定されている１０枚の蓄積性蛍光体シート９０の多数の輝尽性蛍光体層領域９２に記録された放射線データが読み取られて、生化学解析用データが生成されるように構成されているから、放射線データの読み取りを大幅に効率化することが可能になる。
【０６６２】
さらに、本実施態様によれば、蓄積性蛍光体シートキャリア９６が剥離された生化学解析用ユニットキャリア６が、キャリア搬送部材１１１によって、自動的に、第２のスキャナ装置３８に搬送されて、第２のスキャナ装置３８によって、生化学解析用ユニットキャリア６にセットされている１０枚の生化学解析用ユニット１の多数の吸着性領域４に記録された蛍光データが読み取られて、生化学解析用データが生成されるように構成されているから、蛍光データの読み取りを大幅に効率化することが可能になる。
【０６６３】
また、本実施態様によれば、蛍光データの読み取りが完了した後、第２のスキャナ装置３８のサンプルステージ１８３に載置されている生化学解析用ユニットキャリア６が、キャリア搬送部材１１１によって、自動的に、データ読み取り装置３９に搬送され、生化学解析用ユニットキャリア６に形成された貫通孔７を介して、化学発光基質を含む溶液２５０に、各生化学解析用ユニット１の多数の吸着性領域４を接触させて、生化学解析用ユニットキャリア６にセットされている１０枚の生化学解析用ユニット１の吸着性領域４から放出された化学発光を、冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊによって、光電的に検出して、生化学解析用ユニットキャリア６にセットされている１０枚の生化学解析用ユニット１の多数の吸着性領域４に記録されている化学発光データを読み取って、生化学解析用データを生成しているから、化学発光データの読み取りを大幅に効率化することが可能になる。
【０６６４】
さらに、本実施態様によれば、生化学解析用ユニット１の多数の吸着性領域４が、放射線エネルギーを減衰させる性質を有するステンレス鋼によって形成された基板２に、互いに離間して形成されているから、露光に際して、生化学解析用ユニット１の多数の吸着性領域４に選択的に含まれている放射性標識物質から放出された電子線（β線）が、生化学解析用ユニット１の基板２内で散乱して、その吸着性領域４に対向する輝尽性蛍光体層領域９２に隣り合う輝尽性蛍光体層領域９２に入射することを効果的に防止することができ、さらに、蓄積性蛍光体シート９０の多数の輝尽性蛍光体層領域９２が、放射線を減衰させる性質を有するニッケル製の支持体９１に形成された多数の貫通孔９３内に、輝尽性蛍光体を埋め込んで、形成されているから、各吸着性領域４から放出された電子線（β線）が、蓄積性蛍光体シート９０の支持体９１内で散乱して、その吸着性領域４に対向する輝尽性蛍光体層領域９２に隣り合う輝尽性蛍光体層領域９２に入射することを効果的に防止することができ、したがって、各吸着性領域４に含まれている放射性標識物質から発せられた電子線（β線）を、その吸着性領域４に対向する輝尽性蛍光体層領域９２に、選択的に入射させることが可能になるから、生化学解析用ユニット１の各吸着性領域４に含まれている放射性標識物質から発せられた電子線（β線）が、隣り合う吸着性領域４から放出される電子線によって露光されるべき蓄積性蛍光体シート９０の輝尽性蛍光体層領域９２に入射して、輝尽性蛍光体を露光することを確実に防止することができ、蓄積性蛍光体シート９０の多数の輝尽性蛍光体層領域９２に記録された放射線データを読み取って得た生化学解析用データ中に、電子線（β線）の散乱に起因するノイズが生成されることを、効果的に防止することが可能になる。
【０６６５】
また、本実施態様によれば、蓄積性蛍光体シート９０の多数の輝尽性蛍光体層領域９２は、それぞれ、ニッケル製の支持体９１に形成された貫通孔９３内に、輝尽性蛍光体が埋め込まれて形成されているから、各輝尽性蛍光体層領域９２内で、レーザ光１４０が散乱して、隣り合った輝尽性蛍光体層領域９２内に入射し、隣り合った輝尽性蛍光体層領域９２内に含まれている輝尽性蛍光体を励起することを効果的に防止することができ、したがって、蓄積性蛍光体シート９０の多数の輝尽性蛍光体層領域９２から放出された輝尽光１５５を、フォトマルチプライア１６０によって、光電的に検出して得た生化学解析用データ中に、レーザ光１４０の散乱に起因するノイズが生成されることを、効果的に防止することが可能になる。
【０６６６】
さらに、本実施態様によれば、生化学解析用ユニット１の多数の吸着性領域４は、それぞれ、ステンレス鋼製の基板２に形成された貫通孔３内に、ナイロン６が埋め込まれて形成されているから、各吸着性領域４内で、レーザ光１９０が散乱して、隣り合った吸着性領域４内に入射し、隣り合った吸着性領域４内に含まれている蛍光物質を励起することを効果的に防止することができ、したがって、生化学解析用ユニット１の多数の吸着性領域４から放出された蛍光２０５を、フォトマルチプライア２１０によって、光電的に検出して得た生化学解析用データ中に、レーザ光１９０の散乱に起因するノイズが生成されることを、効果的に防止することが可能になる。
【０６６７】
また、本実施態様によれば、生化学解析用ユニット１の多数の吸着性領域４は、それぞれ、ステンレス鋼製の基板２に形成された貫通孔３内に、ナイロン６が埋め込まれて形成されているから、生化学解析用ユニット１の各吸着性領域４から放出された化学発光が、隣り合う吸着性領域４から放出された化学発光と混ざり合うことを、効果的に防止することができ、したがって、化学発光を、冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊによって、光電的に検出して得た生化学解析用データ中に、隣り合ったスポット状の領域から放出された化学発光が混ざり合うことに起因するノイズが生成されることを、効果的に防止することが可能になる。
【０６６８】
さらに、本実施態様によれば、生化学解析用ユニットキャリア６の生化学解析用ユニット１をセットすべき部分には、生化学解析用ユニット１の基板２に形成された２つの位置合わせ用貫通孔５、５に対応する位置に、２つの位置合わせ用ピン８、８が立設されているから、生化学解析用ユニットキャリア６に形成された２つの位置合わせ用ピン８、８が、生化学解析用ユニット１の基板２に形成された２つの位置合わせ用貫通孔５、５内に挿通されるように、生化学解析用ユニット１を、生化学解析用ユニットキャリア６にセットすることによって、生化学解析用ユニットと生化学解析用ユニットキャリア６の相対的位置関係が、つねに一定となるように、生化学解析用ユニット１を、生化学解析用ユニットキャリア６上にセットすることが可能になる。
【０６６９】
また、本実施態様によれば、１０枚の蓄積性蛍光体シート９０が固定される蓄積性蛍光体シートキャリア９６には、生化学解析用ユニットキャリア６に形成された２つの位置合わせ用貫通孔６ａ、６ａに対応する位置に、２つの位置合わせ用ピン９６ａ、９６ａが形成され、露光操作に際して、蓄積性蛍光体シートキャリア９６に形成された２つの位置合わせ用ピン９６ａ、９６ａが、生化学解析用ユニットキャリア６に形成された２つ位置合わせ用貫通孔６ａ、６ａ内に挿通されるように、蓄積性蛍光体シートキャリア９６が、生化学解析用ユニットキャリア６に重ね合わせられるから、生化学解析用ユニットキャリア６にセットされている１０枚の生化学解析用ユニット１のそれぞれに、蓄積性蛍光体シートキャリア９６に固定されている対応する蓄積性蛍光体シート９０を、確実に、密着させて、所望のように、生化学解析用ユニット１の多数の吸着性領域４に選択的に含まれている放射性標識物質によって、対応する蓄積性蛍光体シート９０の輝尽性蛍光体層領域９２に含まれている輝尽性蛍光体を露光することが可能になる。
【０６７０】
さらに、本実施態様によれば、第１のスキャナ装置３７のサンプルステージ１３３には、蓄積性蛍光体シートキャリア９６に形成された２つの位置合わせ用ピン９６ａ、９６ａに対応する位置に、２つの位置合わせ用貫通孔１３３ａ、１３３ａが形成され、蓄積性蛍光体シートキャリア９６に形成された２つの位置合わせ用ピン９６ａ、９６ａが、第１のスキャナ装置３７のサンプルステージ１３３に形成された２つの位置合わせ用貫通孔１３３ａ、１３３ａ内に挿通されるように、蓄積性蛍光体シートキャリア９６が、サンプルステージ１３３上にセットされるから、蓄積性蛍光体シートキャリア９６と、サンプルステージ１３３との相対的な位置関係が、つねに一定になるように、蓄積性蛍光体シートキャリア９６を第１のスキャナ装置３７にセットすることができ、したがって、第１のスキャナ装置３７のサンプルステージ１３３にセットされる蓄積性蛍光体シートキャリア９６が異なっても、主走査ステッピングモータ１７１および副走査パルスモータ１７２を同様に制御して、スキャナ１３０ａ、１３０ｂ、１３０ｃ、１３０ｄ、１３０ｅ、１３０ｆ、１３０ｇ、１３０ｈ、１３０ｉ、１３０ｊが固定された基板１３１を、主走査方向および副走査方向に、間欠的に移動させ、蓄積性蛍光体シートキャリア９６に固定されている１０枚の蓄積性蛍光体シート９０の輝尽性蛍光体層領域９２のみに、選択的に、レーザ光１４０を照射して、輝尽性蛍光体層領域９２に含まれている輝尽性蛍光体を励起して、輝尽性蛍光体層領域９２から放出された輝尽光１５５を光電的に検出し、生化学解析用データを生成することができるから、定量性に優れた生化学解析用データを生成することが可能になる。
【０６７１】
また、本実施態様によれば、第２のスキャナ装置３８の生化学解析用ユニットキャリア６がセットされる基板１８２には、生化学解析用ユニットキャリア６に形成された位置合わせ用貫通孔６ａ、６ａに対応する位置に、２つの位置合わせ用ピン１８３ａ、１８３ａが形成され、サンプルステージ１８３の基板１８２に形成された２つの位置合わせ用ピン１８３ａ、１８３ａが、生化学解析用ユニットキャリア６に形成された２つの位置合わせ用貫通孔６ａ、６ａ内に挿通されるように、生化学解析用ユニットキャリア６が、第２のスキャナ装置３８の基板１８２上にセットされるから、生化学解析用ユニットキャリア６と、第２のスキャナ装置３８の基板１８２との相対的な位置関係が、つねに一定になるように、生化学解析用ユニットキャリア６を第２のスキャナ装置３８にセットすることができ、したがって、第２のスキャナ装置３８の基板１８２上にセットされる生化学解析用ユニットキャリア６が異なっても、主走査ステッピングモータ２２１および副走査パルスモータ２２２を同様に制御して、生化学解析用ユニットキャリア６がセットされた基板１８２を、主走査方向および副走査方向に、間欠的に移動させ、生化学解析用ユニットキャリア６にセットされている１０枚の生化学解析用ユニット１の吸着性領域４にのみ、選択的に、レーザ光１９０を照射して、吸着性領域４に含まれている蛍光物質を励起して、吸着性領域４から放出された蛍光１９５を光電的に検出し、生化学解析用データを生成することができるから、定量性に優れた生化学解析用データを生成することが可能になる。
【０６７２】
さらに、本実施態様によれば、データ読み取り装置３９の暗箱２３２内の生化学解析用ユニットキャリア６がセットされる支持部材２５２には、生化学解析用ユニットキャリア６の２つの位置合わせ用貫通孔５、５に対応する位置に、位置合わせ用ピン２５２ａ、２５２ａが立設され、支持部材２５２上に立設された２つの位置合わせ用ピン２５２ａ、２５２ａが、生化学解析用ユニットキャリア６に形成された２つの位置合わせ用貫通孔６ａ、６ａ内に挿通されるように、生化学解析用ユニットキャリア６が、データ読み取り装置３９の暗箱２３２内の支持部材２５２上にせっとされるから、生化学解析用ユニットキャリア６と、データ読み取り装置３９の１０個の冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊとの相対的な位置関係が、つねに一定になるように、生化学解析用ユニットキャリア６を、データ読み取り装置３９の暗箱２３２内にセットすることができ、したがって、生化学解析用ユニットキャリア６が異なっても、対応する生化学解析用ユニット１の吸着性領域４から放出された化学発光を、冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊの同じ受光面で受光して、生化学解析用データを生成することが可能になるから、定量性に優れた生化学解析用データを生成することが可能になる。
【０６７３】
また、蓄積性蛍光体シート９０と生化学解析用ユニット１の組み合わせが変わると、生化学解析の再現性が低下するため、再現性良く、生化学解析を実行するためには、同じ生化学解析用ユニット１を用いて、同じ蓄積性蛍光体シート９０の輝尽性蛍光体層領域９２に放射線データを記録することが望ましいが、本実施態様によれば、生化学解析用ユニット１の基板２には、その生化学解析用ユニット１に固有のバーコード５ａが印刷され、生化学解析用ユニットキャリア６にセットされている１０枚の生化学解析用ユニット１の基板２に印刷されたバーコード５ａが、ハイブリダイゼーション反応装置３５のバーコードリーダー８９ａ、８９ｂ、８９ｃ、８９ｄ、８９ｅ、８９ｆ、８９ｇ、８９ｈ、８９ｉ、８９ｊによって読み取られ、バーコードデータが生成されて、生化学解析システムのメモリ４６に保存され、蓄積性蛍光体シート９０の支持体９１には、その蓄積性蛍光体シート９０に固有のバーコード９５が印刷され、蓄積性蛍光体シートキャリア９６に固定されている１０枚の蓄積性蛍光体シート９０の支持体９１に印刷されたバーコード９５が、露光装置３６のバーコードリーダー１２９ａ、１２９ｂ、１２９ｃ、１２９ｄ、１２９ｅ、１２９ｆ、１２９ｇ、１２９ｈ、１２９ｉ、１２９ｊによって読み取られて、バーコードデータが生成され、メモリ４６に保存されている生化学解析用ユニットキャリア６にセットされた１０枚の生化学解析用ユニット１のバーコードデータと比較され、生化学解析用ユニットキャリア６にセットされた１０枚の生化学解析用ユニット１のバーコードデータと、蓄積性蛍光体シートキャリア９６に固定されている１０枚の蓄積性蛍光体シート９０のバーコードデータとが合致していないときは、露光操作を中断させるとともに、１０枚の蓄積性蛍光体シート９０が固定された蓄積性蛍光体シートキャリアを交換すべき旨のメッセージを、生化学解析システムの表示パネル５１に表示させるように構成されているから、生化学解析の再現性を大幅に向上させることが可能になる。
【０６７４】
さらに、本実施態様によれば、化学発光データを読み取って、生化学解析用データを生成するデータ読み取り装置は、経時的に、化学発光基質が消費されて、容器２５１内に収容されている化学発光基質を含む溶液２５０の液面が所定以下に低下すると、液面センサ２６３から、液面検出信号が、コントロールユニット２６０に出力され、コントロールユニット２６０によって、バルブ２５４を開閉するバルブ制御手段２６２に駆動信号が出力されて、バルブ２５４が開放されるとともに、ポンプ２５５に駆動信号が出力されて、化学発光基質補給タンク２５３から、容器２５１内に、化学発光基質を含む溶液２５０が補給されるように構成されているから、生化学解析用ユニット１を、生化学解析用ユニット１の基板２に形成された多数の吸着性領域４が、暗箱２３２の底部に設けられた容器２５１内に収容されている化学発光基質を含む溶液２５０とつねに接触するように、支持部材２５２によって、暗箱２３２内に保持することができ、したがって、生化学解析用ユニット１の基板２に形成された多数の吸着性領域４に、化学発光基質が、絶えず、補給されているから、化学発光基質と接触させることによって化学発光を生じさせる酵素が、多量に含まれている生化学解析用ユニット１の吸着性領域４において、経時的に、化学発光基質が枯渇することが確実に防止され、したがって、各生化学解析用ユニット１の基板２に形成された多数の吸着性領域４から放出される化学発光を、冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊによって、光電的に検出して、化学発光データを読み取り、定量性に優れた生化学解析用データを生成することが可能になる。
【０６７５】
図２９は、本発明の別の好ましい実施態様にかかる生化学解析システムを構成するハイブリダイゼーション反応装置の略斜視図である。
【０６７６】
図２９に示されるように、本実施態様にかかる生化学解析システムを構成するハイブリダイゼーション反応装置２７０は、断面Ｌ字状のハウジング２７５を備え、鉛直方向に延びる上方ハウジング部２７６の上面には、第１の溶液ボトル２７７ａ、第２の溶液ボトル２７７ｂ、第３の溶液ボトル２７７ｃおよび第４の溶液ボトル２７７ｄが着脱可能に取り付けられている。
【０６７７】
図２９において、前方に延びる下方ハウジング部２７８には、一対のアーム２７９、２７９の一端部が、軸まわりに揺動可能に取り付けられ、一対のアーム２７９、２７９の他端部は、生化学解析用ユニット収容部材２８０の両側面に固定されている。
【０６７８】
一対のアーム２７９、２７９が取り付けられた軸には、捩りスプリング（図示せず）が取り付けられており、一対のアーム２７９、２７９は、上方ハウジング部２７６の前面に向けて、付勢されている。
【０６７９】
図２９に示されるように、第１の溶液ボトル２７７ａ、第２の溶液ボトル２７７ｂ、第３の溶液ボトル２７７ｃおよび第４の溶液ボトル２７７ｄには、それぞれ、第１の溶液注入チューブ１８１ａ、第２の溶液注入チューブ２８１ｂ、第３の溶液注入チューブ２８１ｃおよび第４の溶液注入チューブ２８１ｄが着脱可能に取り付けられている。
【０６８０】
本実施態様においては、第１の溶液注入チューブ２８１ａ、第２の溶液注入チューブ２８１ｂ、第３の溶液注入チューブ２８１ｃおよび第４の溶液注入チューブ２８１ｄは、単一の溶液注入チューブ（図示せず）に合流され、単一の溶液注入チューブは、上方ハウジング部５６の内部と下方ハウジング部２７８の内部を通って、下方ハウジング部２７８の頂板に形成された１０個の貫通孔に導かれており、生化学解析用ユニット収容部材２８０には接続されていない。
【０６８１】
図３０は、本発明の別の好ましい実施態様にかかる生化学解析システムを構成するハイブリダイゼーション反応装置３５の下方ハウジング部５８の頂板の略平面図である。
【０６８２】
図３０に示されるように、下方ハウジング部２７８の頂板には、１０個の貫通孔対２８４ａ、２８４ｂ、２８４ｃ、２８４ｄ、２８４ｅ、２８４ｆ、２８４ｇ、２８４ｈ、２８４ｉ、２８４ｊが、生化学解析用ユニットキャリア６に形成された貫通孔７を同じパターンで、２列×５行のマトリックス状に形成されており、貫通孔対２８４ａ、２８４ｂ、２８４ｃ、２８４ｄ、２８４ｅ、２８４ｆ、２８４ｇ、２８４ｈ、２８４ｉ、２８４ｊは、それぞれ、生化学解析用ユニットキャリア６に形成された貫通孔７よりも小さいサイズを有している。
【０６８３】
貫通孔対２８４ａ、２８４ｂ、２８４ｃ、２８４ｄ、２８４ｅ、２８４ｆ、２８４ｇ、２８４ｈ、２８４ｉ、２８４ｊは、それぞれ、仕切壁２８５ａ、２８５ｂ、２８５ｃ、２８５ｄ、２８５ｅ、２８５ｆ、２８５ｇ、２８５ｈ、２８５ｉ、２８５ｊによって、仕切られた２つの貫通孔２８４ａａ、２８４ａｂ、２８４ｂａ、２８４ｂｂ、２８４ｃａ、２８４ｃｂ、２８４ｄａ、２８４ｄｂ、２８４ｅａ、２８４ｅｂ、２８４ｆａ、２８４ｆｂ、２８４ｇａ、２８４ｇｂ、２８４ｈａ、２８４ｈｂ、２８４ｉａ、２８４ｉｂ、２８４ｊａ、２８４ｊｂを備えている。
【０６８４】
図３１は、下方ハウジング部２７８の頂板に形成された貫通孔対２８４ａ、２８４ｂ、２８４ｃ、２８４ｄ、２８４ｅ、２８４ｆ、２８４ｇ、２８４ｈ、２８４ｉ、２８４ｊの近傍の詳細を示す略斜視図である。
【０６８５】
図３１に示されるように、各貫通孔対２８４ａ、２８４ｂ、２８４ｃ、２８４ｄ、２８４ｅ、２８４ｆ、２８４ｇ、２８４ｈ、２８４ｉ、２８４ｊは、下方ハウジング部２７８の頂板に立設された横断面が略矩形状の枠部材２８６ａ、２８６ｂ、２８６ｃ、２８６ｄ、２８６ｅ、２８６ｆ、２８６ｇ、２８６ｈ、２８６ｉ、２８６ｊ内に形成されており、枠部材２８６ａ、２８６ｂ、２８６ｃ、２８６ｄ、２８６ｅ、２８６ｆ、２８６ｇ、２８６ｈ、２８６ｉ、２８６ｊの側壁上端部および仕切壁２８５ａ、２８５ｂ、２８５ｃ、２８５ｄ、２８５ｅ、２８５ｆ、２８５ｇ、２８５ｈ、２８５ｉ、２８５ｊの上端部には、Ｏリングなどよりなるシール部材２８７ａ、２８７ｂ、２８７ｃ、２８７ｄ、２８７ｅ、２８７ｆ、２８７ｇ、２８７ｈ、２８７ｉ、２８７ｊが形成されている。
【０６８６】
ここに、生化学解析用ユニット１がセットされた生化学解析用ユニットキャリア６が、ハイブリダイゼーション反応装置２７０にセットされ、生化学解析用ユニット収容部材２８０が後述する反応位置に位置したときに、各枠部材２８６ａ、２８６ｂ、２８６ｃ、２８６ｄ、２８６ｅ、２８６ｆ、２８６ｇ、２８６ｈ、２８６ｉ、２８６ｊが、生化学解析用ユニットキャリア６に形成された対応する貫通孔７内に位置して、枠部材２８６ａ、２８６ｂ、２８６ｃ、２８６ｄ、２８６ｅ、２８６ｆ、２８６ｇ、２８６ｈ、２８６ｉ、２８６ｊの側壁上端部および仕切壁２８５ａ、２８５ｂ、２８５ｃ、２８５ｄ、２８５ｅ、２８５ｆ、２８５ｇ、２８５ｈ、２８５ｉ、２８５ｊの上端部に形成されたシール部材２８７ａ、２８７ｂ、２８７ｃ、２８７ｄ、２８７ｅ、２８７ｆ、２８７ｇ、２８７ｈ、２８７ｉ、２８７ｊが、対応する生化学解析用ユニット１の基板２に当接し、生化学解析用ユニットキャリア６にセットされている各生化学解析用ユニット１に形成された多数の吸着性領域４の１／２が、貫通孔２８４ａａ、２８４ｂａ、２８４ｃａ、２８４ｄａ、２８４ｅａ、２８４ｆａ、２８４ｇａ、２８４ｈａ、２８４ｉａ、２８４ｊａに対向し、各生化学解析用ユニット１に形成された多数の吸着性領域４の残りの１／２が、貫通孔２８４ａｂ、２８４ｂｂ、２８４ｃｂ、２８４ｄｂ、２８４ｅｂ、２８４ｆｂ、２８４ｇｂ、２８４ｈｂ、２８４ｉｂ、２８４ｊｂに対向するように、各枠部材２８６ａ、２８６ｂ、２８６ｃ、２８６ｄ、２８６ｅ、２８６ｆ、２８６ｇ、２８６ｈ、２８６ｉ、２８６ｊ、各仕切壁２８５ａ、２８５ｂ、２８５ｃ、２８５ｄ、２８５ｅ、２８５ｆ、２８５ｇ、２８５ｈ、２８５ｉ、２８５ｊ、各シール部材２８７ａ、２８７ｂ、２８７ｃ、２８７ｄ、２８７ｅ、２８７ｆ、２８７ｇ、２８７ｈ、２８７ｉ、２８７ｊおよび各貫通孔２８４ａａ、２８４ａｂ、２８４ｂａ、２８４ｂｂ、２８４ｃａ、２８４ｃｂ、２８４ｄａ、２８４ｄｂ、２８４ｅａ、２８４ｅｂ、２８４ｆａ、２８４ｆｂ、２８４ｇａ、２８４ｇｂ、２８４ｈａ、２８４ｈｂ、２８４ｉａ、２８４ｉｂ、２８４ｊａ、２８４ｊｂが、下方ハウジング部２７８の頂板に形成されている。
【０６８７】
第１の溶液ボトル２７７ａ、第２の溶液ボトル２７７ｂ、第３の溶液ボトル２７７ｃおよび第４の溶液ボトル２７７ｄ内に収容された溶液は、それぞれ、下方ハウジング部２７８の内部に設けられたポンプ（図示せず）によって、第１の溶液注入チューブ２８１ａ、第２の溶液注入チューブ２８１ｂ、第３の溶液注入チューブ２８１ｃおよび第４の溶液注入チューブ２８１ｄを通って、下方ハウジング部２７８の頂板に形成された貫通孔２８４ａａ、２８４ｂａ、２８４ｃａ、２８４ｄａ、２８４ｅａ、２８４ｆａ、２８４ｇａ、２８４ｈａ、２８４ｉａ、２８４ｊａに供給されるように構成されており、第１の溶液注入チューブ２８１ａ、第２の溶液注入チューブ２８１ｂ、第３の溶液注入チューブ２８１ｃおよび第４の溶液注入チューブ２８１ｄには、それぞれ、第１のバルブ（図示せず）、第２のバルブ（図示せず）、第３のバルブ（図示せず）および第４バルブ（図示せず）が設けられている。
【０６８８】
図２９に示されるように、下方ハウジング部２７８に形成された一対の開口部２８３ａ、２８３ａ内には、それぞれ、生化学解析用ユニットキャリア６を搬送する搬送ベルト２８３、２８３が設けられ、一対の搬送ベルト２８３、２８３は、通常は、下方ハウジング部２７８の頂板に立設された枠部材２８６ａ、２８６ｂ、２８６ｃ、２８６ｄ、２８６ｅ、２８６ｆ、２８６ｇ、２８６ｈ、２８６ｉ、２８６ｊの側壁上端部および仕切壁２８５ａ、２８５ｂ、２８５ｃ、２８５ｄ、２８５ｅ、２８５ｆ、２８５ｇ、２８５ｈ、２８５ｉ、２８５ｊの上端部に形成されたシール部材２８７ａ、２８７ｂ、２８７ｃ、２８７ｄ、２８７ｅ、２８７ｆ、２８７ｇ、２８７ｈ、２８７ｉ、２８７ｊの頂部よりも、上方に位置するように、設けられている。
【０６８９】
図３２は、生化学解析用ユニット収容部材２８０の略斜視図である。
【０６９０】
図３２に示されるように、本実施態様にかかる生化学解析システムを構成するハイブリダイゼーション反応装置２７０の生化学解析用ユニット収容部材２８０は、図１０に示された生化学解析用ユニット収容部材６０と同様に、略矩形状をなし、生化学解析用ユニットキャリア６にセットされた生化学解析用ユニット１を収容可能な１０個の凹部２８０ａが形成され、さらに、前記実施態様における貫通孔７に代えて、生化学解析用ユニット１の多数の吸着性領域４が生成された部分に対応する各凹部２８０ａ内の部分に溶液循環用凹部２８０ｂが形成されている。
【０６９１】
１０個の凹部２８０ａは、アーム２７９、２７９が揺動されて、生化学解析用ユニット収容部材２８０が、ハイブリダイゼーション反応装置２７０にセットされた生化学解析用ユニットキャリア６に当接して、搬送ベルト２８３、２８３を、下方ハウジング部２７８の開口部２８３ａ、２８３ａ内に位置するまで、押し下げ、生化学解析用ユニットキャリア６を押圧する反応位置に位置したときに、それぞれが、生化学解析用ユニットキャリア６にセットされている生化学解析用ユニット１を、その内部に収容して、保持するように形成され、各凹部２８０ａ内の溶液循環用凹部２８０ｂは、下方ハウジング部２７８の頂板に形成された貫通孔対２８４ａ、２８４ｂ、２８４ｃ、２８４ｄ、２８４ｅ、２８４ｆ、２８４ｇ、２８４ｈ、２８４ｉ、２８４ｊの１つと対向するように、生化学解析用ユニット収容部材２８０に形成されている。
【０６９２】
したがって、生化学解析用ユニットキャリア６を、生化学解析用ユニットキャリア６に形成された貫通孔７が、それぞれ、下方ハウジング部２７８の頂板に形成された貫通孔対２８４ａ、２８４ｂ、２８４ｃ、２８４ｄ、２８４ｅ、２８４ｆ、２８４ｇ、２８４ｈ、２８４ｉ、２８４ｊに対向するように位置させた状態て、アーム２７９、２７９を、軸まわりに揺動させて、生化学解析用ユニット収容部材２８０を反応位置に位置させることによって、生化学解析用ユニットキャリア６にセットされた生化学解析用ユニット１を、それぞれ、生化学解析用ユニット収容部材２８０に形成された対応する１０個の凹部２８０ａ内に収容するとともに、生化学解析用ユニット１の多数の吸着性領域４が形成された部分を介して、１０個の溶液循環用凹部２８０ｂが、下方ハウジング部２７８の頂板に形成された貫通孔対２８４ａ、２８４ｂ、２８４ｃ、２８４ｄ、２８４ｅ、２８４ｆ、２８４ｇ、２８４ｈ、２８４ｉ、２８４ｊの１つと対向させることができる。
【０６９３】
また、生化学解析用ユニット収容部材２８０に形成された各凹部２８０ａ内の溶液循環用凹部２８０ｂが形成されていない部分には、バーコードリーダー（図示せず）が設けられている。
【０６９４】
生化学解析用ユニット収容部材２８０には、生化学解析用ユニット収容部材２８０を反応位置に移動させたときに、下方ハウジング部２７８の頂板に形成された係止部（図示せず）に自動的に係合して、生化学解析用ユニット収容部材２８０を下方ハウジング部２７８の頂板に密着した状態に保持する係止部材２８０ｃが形成されている。
【０６９５】
図３３は、図２９のＡ−Ａ線に沿った略断面図である。
【０６９６】
図３３に示されるように、第１の溶液注入チューブ２８１ａ、第２の溶液注入チューブ２８１ｂ、第３の溶液注入チューブ２８１ｃおよび第４の溶液注入チューブ２８１ｄが合流する溶液注入チューブ２９０は、第１の溶液供給流路２９０ａと第２の溶液供給流路に分岐している（図３３においては、第１の溶液供給流路２９０ａのみが図示されている。）
図３３に示されるように、生化学解析用ユニットキャリア６にセットされている１０枚の生化学解析用ユニット１に対応して、第１の溶液供給流路２９０ａは５つに分岐され、第２の溶液供給流路も５つに分岐されて、第１の溶液供給流路２９０ａから分岐した５つの流路は、下方ハウジング部２７８の頂板に形成された貫通孔２８４ａａ、２８４ｂａ、２８４ｃａ、２８４ｄａ、２８４ｅａの１つに連通し、第２の溶液供給流路から分岐した５つの流路は、下方ハウジング部２７８の頂板に形成された貫通孔２８４ｆａ、２８４ｇａ、２８４ｈａ、２８４ｉａ、２８４ｊａの１つに連通している（図３３においては、貫通孔２８４ａａ、２８４ｂａ、２８４ｃａ、２８４ｄａ、２８４ｅａのみが図示されている。）。
【０６９７】
図３３に示されるように、下方ハウジング部２７８の頂板に形成された貫通孔２８４ａｂ、２８４ｂｂ、２８４ｃｂ、２８４ｄｂ、２８４ｅｂは、それぞれ、第１の溶液排出流路２９１ａに連通し、他方、下方ハウジング部２７８の頂板に形成された貫通孔２８４ｆｂ、２８４ｇｂ、２８４ｈｂ、２８４ｉｂ、２８４ｊｂは、それぞれ、第２の溶液排出流路に連通している（図３３においては、貫通孔２８４ａｂ、２８４ｂｂ、２８４ｃｂ、２８４ｄｂ、２８４ｅｂおよび第１の溶液排出流路２９１ａのみが図示されている。）。
【０６９８】
第１の溶液排出流路２９１ａおよび第２の溶液排出流路は、溶液排出チューブ２９２に接続され、図２９に示されるように、溶液排出チューブ２９２は、下方ハウジング部２７８の外部で、第１の溶液排出チューブ２９２ａと第２の溶液排出チューブ２９２ｂに分岐している。
【０６９９】
図２９に示されるように、第１の溶液排出チューブ２９２ａは、第１の溶液排出バルブ２９３ａを介して、第１の溶液回収タンク２９４ａに接続され、第２の溶液排出チューブ２９２ｂは、第２の溶液排出バルブ２９３ｂを介して、第２の溶液回収タンク２９４ｂに接続されている。
【０７００】
本実施態様においても、第１の溶液回収タンク２９３ａは、放射性標識物質の濃度が高い溶液を回収し、第２の溶液回収タンク２９３ｂは、放射性標識物質の濃度の低い溶液を回収するように構成されている。
【０７０１】
図３４は、生化学解析用ユニット収容部材２８０が反応位置に位置しているときの生化学解析用ユニットキャリア６にセットされた生化学解析用ユニット１の１つと、下方ハウジング部２７８の頂板に形成された貫通孔対２８４ａの位置関係の詳細を示す略断面図である。
【０７０２】
図３４に示されるように、生化学解析用ユニット収容部材２８０が反応位置に位置しているときは、生化学解析用ユニットキャリア６にセットされている生化学解析用ユニット１は、生化学解析用ユニット収容部材２８０に形成された凹部２８０ａ内に収容され、貫通孔対２８４ａが形成された枠部材２８６ａは、生化学解析用ユニットキャリア６に形成された貫通孔７内に収容される。
【０７０３】
図３４に示されるように、枠部材２８６ａの側壁および仕切壁２８５ａの上端部に形成されたＯリングなどよりなるシール部材２８７ａは、生化学解析用ユニットキャリア６にセットされた生化学解析用ユニットの基板２に当接し、下方ハウジング部２７８の頂板に形成された貫通孔２８４ａａおよび貫通孔２８４ａｂと、生化学解析用ユニットキャリア６の貫通孔７との間がシールされている。
【０７０４】
また、図３４に示されるように、生化学解析用ユニット１の基板２に形成された多数の吸着性領域４は、生化学解析用ユニット収容部材２８０に形成された溶液循環用凹部２８０ｂ内に位置し、それぞれ、１／２の吸着性領域４が、貫通孔２８４ａａに対向し、残りの１／２の吸着性領域４が、貫通孔２８４ａｂに対向している。
【０７０５】
図３５は、第１の溶液注入チューブ２８１ａ、第２の溶液注入チューブ２８１ｂ、第３の溶液注入チューブ２８１ｃおよび第４の溶液注入チューブ２８１ｄ、溶液注入チューブ２９０、溶液排出チューブ２９１、第１のバルブ、第２のバルブ、第３のバルブおよび第４のバルブならびに溶液注入チューブ２９０および溶液排出チューブ２９２に設けられた切り換えバルブの接続関係を示す配管図である。
【０７０６】
図３５に示されるように、第１の溶液注入チューブ２８１ａには、第１の溶液ボトル２７７ａと、溶液注入チューブ２９０とを連通させる第一の位置と、溶液注入チューブ２９０と、大気とを連通させる第二の位置と、第１の溶液ボトル２７７ａおよび大気と、溶液注入チューブ２９０との連通を遮断させる第三の位置を、選択的に取ることができるように構成された第１のバルブ２９５ａが設けられている。
【０７０７】
図３５に示されるように、第２の溶液注入チューブ２８１ｂには、第２の溶液ボトル２７７ｂと、溶液注入チューブ２９０とを連通させる第一の位置と、溶液注入チューブ２９０と、大気とを連通させる第二の位置と、第２の溶液ボトル２７７ｂおよび大気と、溶液注入チューブ２９０との連通を遮断させる第三の位置を、選択的に取ることができるように構成された第２のバルブ２９５ｂが設けられている。
【０７０８】
図３５に示されるように、第３の溶液注入チューブ２８１ｃには、第３の溶液ボトル２７７ｃと、溶液注入チューブ２９０とを連通させる第一の位置と、溶液注入チューブ２９０と、大気とを連通させる第二の位置と、第３の溶液ボトル２７７ｃおよび大気と、溶液注入チューブ２９０との連通を遮断させる第三の位置を、選択的に取ることができるように構成された第３のバルブ２９５ｃが設けられている。
【０７０９】
図３５に示されるように、第４の溶液注入チューブ２８１ｄには、第４の溶液ボトル２７７ｄと、溶液注入チューブ２９０とを連通させる第一の位置と、溶液注入チューブ２９０と、大気とを連通させる第二の位置と、第４の溶液ボトル２７７ｄおよび大気と、溶液注入チューブ２９０との連通を遮断させる第三の位置を、選択的に取ることができるように構成された第４のバルブ２９５ｄが設けられている。
【０７１０】
図３５に示されるように、溶液注入チューブ２９０および溶液排出チューブ２９２には、四方切り換えバルブによって構成された切り換えバルブ２９６が設けられ、切り換えバルブ２９６は、切り換えバルブ２９６の上流側の溶液注入チューブ２９０と、切り換えバルブ２９６の下流側の溶液注入チューブ２９０とを連通させるとともに、切り換えバルブ２９６の上流側の溶液排出チューブ２９２と、切り換えバルブ２９６の下流側の溶液排出チューブ２９２とを連通させる第一の位置と、切り換えバルブ２９６の上流側の溶液排出チューブ２９２と、切り換えバルブ２９６の下流側の溶液注入チューブ２９０とを連通させるとともに、切り換えバルブ２９６の上流側の溶液注入チューブ２９０と、切り換えバルブ２９６の下流側の溶液排出チューブ２９２とを連通させる第二の位置を取ることができるように構成され、切り換えバルブ２９６が、第二の位置に位置しているときに、切り換えバルブ２９６の上流側の溶液排出チューブ２９２、切り換えバルブ２９６の下流側の溶液注入チューブ２９０、第１の溶液供給流路２９０ａ、下方ハウジング部２７８の頂板に形成された貫通孔２８４ａａ、２８４ｂａ、２８４ｃａ、２８４ｄａ、２８４ｅａ、生化学解析用ユニット収容部材２８０に形成された溶液循環用凹部２８０ｂ、下方ハウジング部２７８の頂板に形成された貫通孔２８４ａｂ、２８４ｂｂ、２８４ｃｂ、２８４ｄｂ、２８４ｅｂおよび第１の溶液排出流路２９１ａによって、溶液循環流路が形成されるとともに、切り換えバルブ２９６の上流側の溶液排出チューブ２９２、切り換えバルブ２９６の下流側の溶液注入チューブ２９０、第２の溶液供給流路２９０ｂ、下方ハウジング部２７８の頂板に形成された貫通孔２８４ｆａ、２８４ｇａ、２８４ｈａ、２８４ｉａ、２８４ｊａ、生化学解析用ユニット収容部材２８０に形成された溶液循環用凹部２８０ｂ、下方ハウジング部２７８の頂板に形成された貫通孔２８４ｆｂ、２８４ｇｂ、２８４ｈｂ、２８４ｉｂ、２８４ｊｂおよび第２の溶液排出流路２９１ｂによって、溶液循環流路が形成されるように構成されている。
【０７１１】
図３５に示されるように、切り換えバルブ２９６の上流側の溶液排出チューブ２９２には、ポンプ２９８が設けられている。
【０７１２】
図３６は、図２９ないし図３５に示されたハイブリダイゼーション反応装置２７０の制御系、駆動系および検出系のブロックダイアグラムである。
【０７１３】
図３６に示されるように、本実施態様にかかるハイブリダイゼーション反応装置２７０の制御系は、ハイブリダイゼーション反応装置２７０全体の動作を制御するコントロールユニット３００を備えている。
【０７１４】
ここに、コントロールユニット３００には、生化学解析システムのコントロールユニット４５から、種々の指示信号が入力されるように構成されている。
【０７１５】
図３６に示されるように、ハイブリダイゼーション反応装置２７０の駆動系は、切り換えバルブ２９６の上流側の溶液排出チューブ２９２に設けられたポンプ２９８と、搬送ベルト２８３、２８３を駆動する搬送ベルトモータ３０２と、第１の溶液注入チューブ２８１ａに設けられた第１のバルブ２９５ａを駆動する第１のバルブ駆動手段３０３ａと、第２の溶液注入チューブ２８１ｂに設けられた第２のバルブ２９５ｂを駆動する第２のバルブ駆動手段３０３ｂと、第３の溶液注入チューブ２８１ｃに設けられた第３のバルブ２９５ｃを駆動する第３のバルブ駆動手段３０３ｃと、第４の溶液注入チューブ２８１ｄに設けられた第４のバルブ２９５ｄを駆動する第４のバルブ駆動手段３０３ｄと、溶液注入チューブ２９０および溶液排出チューブ２９２に設けられた切り換えバルブ２９６を駆動する切り換えバルブ駆動手段３０４と、第１の溶液排出バルブ２９３ａを開閉する第１の溶液排出バルブ駆動手段３０５ａと、第２の溶液排出バルブ２９３ｂを開閉する第２の溶液排出バルブ駆動手段３０５ｂと、生化学解析用ユニット収容部材２８０の係止部材２８０ｃと下方ハウジング部２７８の頂板に形成された係止部（図示せず）との係合を解除するソレノイド３０６と、捩りスプリング（図示せず）のスプリング力に抗して、生化学解析用ユニット収容部材２８０が、生化学解析用ユニットキャリア６に密着するように、一対のアーム２７９、２７９を揺動させるアームモータ３０７を備えている。
【０７１６】
図３６に示されるように、ハイブリダイゼーション反応装置２７０の検出系は、生化学解析用ユニット収容部材２８０の凹部２８０ａ内に形成された１０個のバーコードリーダー３０９ａ、３０９ｂ、３０９ｃ、３０９ｄ、３０９ｅ、３０９ｆ、３０９ｇ、３０９ｈ、３０９ｉ、３０９ｊを備えている。図３６においては、簡易化のため、１つのバーコードリーダー３０９ａのみが描かれている。
【０７１７】
以上のように構成されたハイブリダイゼーション反応装置２７０にあっては、以下のようにして、生化学解析用ユニットキャリア６にセットされている１０枚の生化学解析用ユニット１の基板２に形成されている吸着性領域４に含まれた特異的結合物質に、標識物質によって標識され、ハイブリダイゼーション溶液に含まれた生体由来の物質が、選択的に、ハイブリダイズされる。
【０７１８】
まず、前処理液が調製されて、第１の溶液ボトル２７７ａ内に収容され、ハイブリダイゼーションバッファ調製されて、第２の溶液ボトル２７７ｂおよび第３の溶液ボトル２７７ｃに収容されるとともに、洗浄溶液が調製されて、第４の溶液ボトル２７７ｄ内に収容される。
【０７１９】
さらに、ユーザーによって、プローブ溶液が調製されて、第３の溶液ボトル２７７ｃに収容されているハイブリダイゼーションバッファに混合される。
【０７２０】
本実施態様においては、放射性標識物質によって標識された生体由来の物質、蛍光物質によって標識された生体由来の物質および化学発光基質と接触させることによって化学発光を生じさせる標識物質によって標識された生体由来の物質を含むプローブ溶液が調製されて、第３の溶液ボトル２７７ｃに収容されているハイブリダイゼーションバッファに混合される。
【０７２１】
本実施態様においても、蛍光物質として、５３２ｎｍの波長の励起光により、最も効率的に励起が可能なＣｙ３が選択されている。
【０７２２】
次いで、ユーザーによって、生化学解析システムのキーボード５０に、生化学解析用ユニット１の多数の吸着性領域４を、どのようにして、選択的に標識するかについての標識データが入力される。
【０７２３】
キーボード５０に入力された標識データは、コントロールユニット４５に出力され、コントロールユニット４５は、標識データを受けると、標識データを、メモリ４６に保存する。
【０７２４】
次いで、ユーザーにより、１０枚の生化学解析用ユニット１がセットされた生化学解析用ユニットキャリア６が、生化学解析用ユニットキャリア６に形成された１０個の貫通孔７が、それぞれ、下方ハウジング部２７８の頂板に形成された貫通孔対２８４ａ、２８４ｂ、２８４ｃ、２８４ｄ、２８４ｅ、２８４ｆ、２８４ｇ、２８４ｈ、２８４ｉ、２８４ｊの１つに対向するように、ハイブリダイゼーション反応装置２７０の下方ハウジング部２７８に設けられた一対の搬送ベルト２８３、２８３上の所定の位置に、セットされる。
【０７２５】
生化学解析用ユニットキャリア６が、搬送ベルト２８３、２８３上の所定の位置に、セットされると、ユーザーにより、生化学解析システムのキーボード５０に、生化学解析開始信号が入力される。
【０７２６】
キーボード５０に入力された生化学解析開始信号は、生化学解析システムのコントロールユニット４５に出力され、コントロールユニット４５から、ハイブリダイゼーション反応装置２７０のコントロールユニット３００に転送される。
【０７２７】
ハイブリダイゼーション反応装置２７０のコントロールユニット３００は、生化学解析開始信号を受けると、アームモータ３０７に、駆動信号を出力して、捩りスプリング（図示せず）のスプリング力に抗して、生化学解析用ユニット収容部材２８０に形成された係止部材２８０ｃが、ハイブリダイゼーション反応装置２７０の下方ハウジング部２７８の頂板に形成された係止部（図示せず）に自動的に係合するまで、一対のアーム２７９、２７９を、下方ハウジング部２７８に固定された軸まわりに揺動させる。
【０７２８】
その結果、生化学解析用ユニット収容部材２８０によって、生化学解析用ユニットキャリア６が押圧され、下方ハウジング部２７８の頂板に立設された枠部材２８６ａ、２８６ｂ、２８６ｃ、２８６ｄ、２８６ｅ、２８６ｆ、２８６ｇ、２８６ｈ、２８６ｉ、２８６ｊの側壁上端部および仕切壁２８５ａ、２８５ｂ、２８５ｃ、２８５ｄ、２８５ｅ、２８５ｆ、２８５ｇ、２８５ｈ、２８５ｉ、２８５ｊの上端部に形成されたシール部材２８７ａ、２８７ｂ、２８７ｃ、２８７ｄ、２８７ｅ、２８７ｆ、２８７ｇ、２８７ｈ、２８７ｉ、２８７ｊの頂部よりも、上方に位置するように、設けられた一対の搬送ベルト２８３、２８３が、下方ハウジング部２７８の頂板に形成された開口部２８３ａ、２８３ａ内に、それぞれ、押し込まれて、生化学解析用ユニット収容部材２８０が反応位置に達すると、生化学解析用ユニットキャリア６にセットされている１０枚の生化学解析用ユニット１が、それぞれ、生化学解析用ユニット収容部材２８０に形成された対応する凹部２８０ａ内に収容されるとともに、生化学解析用ユニット１の基板２の下面が、下方ハウジング部２７８の頂板に立設された枠部材２８６ａ、２８６ｂ、２８６ｃ、２８６ｄ、２８６ｅ、２８６ｆ、２８６ｇ、２８６ｈ、２８６ｉ、２８６ｊの側壁上端部および仕切壁２８５ａ、２８５ｂ、２８５ｃ、２８５ｄ、２８５ｅ、２８５ｆ、２８５ｇ、２８５ｈ、２８５ｉ、２８５ｊの上端部に形成されたシール部材２８７ａ、２８７ｂ、２８７ｃ、２８７ｄ、２８７ｅ、２８７ｆ、２８７ｇ、２８７ｈ、２８７ｉ、２８７ｊに当接して、下方ハウジング部２７８の頂板に形成された貫通孔２８４ａａ、２８４ａｂ、２８４ｂａ、２８４ｂｂ、２８４ｃａ、２８４ｃｂ、２８４ｄａ、２８４ｄｂ、２８４ｅａ、２８４ｅｂ、２８４ｆａ、２８４ｆｂ、２８４ｇａ、２８４ｇｂ、２８４ｈａ、２８４ｈｂ、２８４ｉａ、２８４ｉｂ、２８４ｊａ、２８４ｊｂと、生化学解析用ユニットキャリア６に形成された貫通孔７の間がシールされ、係止部材２８０ａが、下方ハウジング部２７８の頂板に形成された係止部（図示せず）に自動的に係合することによって、生化学解析用ユニット収容部材２８０と生化学解析用ユニットキャリア６とが密着状態に保持される。
【０７２９】
このように、生化学解析用ユニット収容部材２８０の係止部材２８０ａが、下方ハウジング部２７８の頂板に形成された係止部（図示せず）に自動的に係合している状態においては、生化学解析用ユニット収容部材２８０に形成された１０個の溶液循環用凹部２８０ｂは、生化学解析用ユニット１の多数の吸着性領域４が形成されている部分を介して、下方ハウジング部２７８の頂板に形成された貫通孔対２８４ａ、２８４ｂ、２８４ｃ、２８４ｄ、２８４ｅ、２８４ｆ、２８４ｇ、２８４ｈ、２８４ｉ、２８４ｊの１つに対向している。
【０７３０】
こうして、生化学解析用ユニットキャリア６にセットされている１０枚の生化学解析用ユニット１が、それぞれ、生化学解析用ユニット収容部材２８０に形成された対応する凹部２８０ａ内に収容されると、バーコードリーダー３０９ａ、３０９ｂ、３０９ｃ、３０９ｄ、３０９ｅ、３０９ｆ、３０９ｇ、３０９ｈ、３０９ｉ、３０９ｊによって、生化学解析用ユニット１の基板２に印刷されたバーコード５ａが読み取られ、バーコードデータが生成されて、コントロールユニット３００に入力される。
【０７３１】
ハイブリダイゼーション反応装置２７０のコントロールユニット３００は、バーコードリーダー３０９ａ、３０９ｂ、３０９ｃ、３０９ｄ、３０９ｅ、３０９ｆ、３０９ｇ、３０９ｈ、３０９ｉ、３０９ｊから、バーコードデータを受けると、生化学解析システムのコントロールユニット４５に出力する。
【０７３２】
生化学解析システムのコントロールユニット４５は、ハイブリダイゼーション反応装置２７０のコントロールユニット３００から、バーコードデータを受けると、バーコードデータを、生化学解析用ユニットキャリア６にセットされた生化学解析用ユニット１の位置と関連付けて、メモリ４６に保存する。
【０７３３】
バーコードデータが、生化学解析システムのメモリ４６に保存されると、生化学解析システムのコントロールユニット４５は、前処理開始信号を、ハイブリダイゼーション反応装置２７０のコントロールユニット３００に出力する。
【０７３４】
ハイブリダイゼーション反応装置２７０のコントロールユニット３００は、前処理開始信号を受けると、第１のバルブ駆動手段３０３ａに第１の駆動信号を出力して、第１の溶液注入チューブ２８１ａに設けられた第１のバルブ２９５ａを、第１の溶液ボトル２７７ａと溶液注入チューブ２９０とを連通させる第一の位置に位置させるとともに、切り換えバルブ駆動手段２９６に、第１の駆動信号を出力して、切り換えバルブ２９６の上流側の溶液注入チューブ２９０と、切り換えバルブ２９６の下流側の溶液注入チューブ２９０とを連通させるとともに、切り換えバルブ２９６の上流側の溶液排出チューブ２９２と、切り換えバルブ２９６の下流側の溶液排出チューブ２９２とを連通させる第一の位置に位置させる。
【０７３５】
さらに、コントロールユニット３００は、第１の溶液排出バルブ駆動手段３０５ａに閉鎖信号を出力して、第１の溶液排出バルブ２９３ａを閉じさせるとともに、第２の溶液排出バルブ駆動手段３０５ｂに開放信号を出力して、第２の溶液排出バルブ２９３ｂを開放させる。これは、放射性標識物質が含まれていない前処理液を、放射性標識物質濃度の高い溶液と分別して、放射性標識物質濃度の低い溶液を回収する第２の溶液回収タンク２９４ｂ内に回収させるためである。
【０７３６】
次いで、コントロールユニット３００は、ポンプ２９８に駆動信号を出力して、第１の溶液ボトル２７７ａ内に収容されている前処理液を、第１の溶液注入チューブ２８１ａを介して、溶液注入チューブ２９０内に注入させる。
【０７３７】
溶液注入チューブ２９０に注入された前処理液は、溶液注入チューブ２９０から分岐した第１の溶液供給流路２９０ａと第２の溶液供給流路（図示せず）に供給される。
【０７３８】
第１の溶液供給流路２９０ａ内に供給された前処理液は、下方ハウジング部２７８の頂板に形成された貫通孔２８４ａａ、２８４ｂａ、２８４ｃａ、２８４ｄａ、２８４ｅａ内に流入する。
【０７３９】
ここに、下方ハウジング部２７８の頂板に立設された枠部材２８６ａ、２８６ｂ、２８６ｃ、２８６ｄ、２８６ｅ、２８６ｆ、２８６ｇ、２８６ｈ、２８６ｉ、２８６ｊの側壁上端部および仕切壁２８５ａ、２８５ｂ、２８５ｃ、２８５ｄ、２８５ｅ、２８５ｆ、２８５ｇ、２８５ｈ、２８５ｉ、２８５ｊの上端部に形成されたシール部材２８７ａ、２８７ｂ、２８７ｃ、２８７ｄ、２８７ｅ、２８７ｆ、２８７ｇ、２８７ｈ、２８７ｉ、２８７ｊによって、下方ハウジング部２７８の頂板に形成された貫通孔２８４ａａ、２８４ａｂ、２８４ｂａ、２８４ｂｂ、２８４ｃａ、２８４ｃｂ、２８４ｄａ、２８４ｄｂ、２８４ｅａ、２８４ｅｂ、２８４ｆａ、２８４ｆｂ、２８４ｇａ、２８４ｇｂ、２８４ｈａ、２８４ｈｂ、２８４ｉａ、２８４ｉｂ、２８４ｊａ、２８４ｊｂと、生化学解析用ユニットキャリア６に形成された貫通孔７の間がシールされているから、前処理液は、貫通孔２８４ａａ、２８４ｂａ、２８４ｃａ、２８４ｄａ、２８４ｅａから、それぞれ、生化学解析用ユニットキャリア６にセットされている対応する生化学解析用ユニット１の基板２に形成された多数の吸着性領域４のうち、貫通孔２８４ａａ、２８４ｂａ、２８４ｃａ、２８４ｄａ、２８４ｅａに対向している１／２の吸着性領域４を横切って、生化学解析用ユニット収容部材２８０に形成された５つの溶液循環用凹部２８０ｂ内に供給される。
【０７４０】
生化学解析用ユニット収容部材２８０に形成された溶液循環用凹部２８０ｂ内に流入した前処理液は、生化学解析用ユニットキャリア６にセットされている生化学解析用ユニット１の基板２に形成された多数の吸着性領域４のうち、残りの１／２の吸着性領域４を横切って、下方ハウジング部２７８の頂板に形成された貫通孔２８４ａｂ、２８４ｂｂ、２８４ｃｂ、２８４ｄｂ、２８４ｅｂ内に流入する。
【０７４１】
下方ハウジング部２７８の頂板に形成された貫通孔２８４ａｂ、２８４ｂｂ、２８４ｃｂ、２８４ｄｂ、２８４ｅｂ内に流入した前処理液は、第１の溶液排出流路２９１ａ内に流入する。
【０７４２】
図３７は、ハイブリダイゼーション反応装置２７０の下方ハウジング部２７８の頂板に形成された貫通孔対２８４ａを通る溶液の流れを示す略断面図である。
【０７４３】
これに対して、第２の溶液供給流路（図示せず）内に供給された前処理液は、貫通孔２８４ｆａ、２８４ｇａ、２８４ｈａ、２８４ｉａ、２８４ｊａに流入し、さらに、貫通孔２８４ｆａ、２８４ｇａ、２８４ｈａ、２８４ｉａ、２８４ｊａから、それぞれ、生化学解析用ユニットキャリア６にセットされている対応する生化学解析用ユニット１の基板２に形成された多数の吸着性領域４のうち、貫通孔２８４ｆａ、２８４ｇａ、２８４ｈａ、２８４ｉａ、２８４ｊａに対向している１／２の吸着性領域４を横切って、生化学解析用ユニット収容部材２８０に形成された５つの溶液循環用凹部２８０ｂ内に供給される。
【０７４４】
生化学解析用ユニット収容部材２８０に形成された溶液循環用凹部２８０ｂ内に流入した前処理液は、生化学解析用ユニットキャリア６にセットされている生化学解析用ユニット１の基板２に形成された多数の吸着性領域４のうち、残りの１／２の吸着性領域４を横切って、下方ハウジング部２７８の頂板に形成された貫通孔２８４ｆｂ、２８４ｇｂ、２８４ｈｂ、２８４ｉｂ、２８４ｊｂ内に流入する。
【０７４５】
下方ハウジング部２７８の頂板に形成された貫通孔２８４ｆｂ、２８４ｇｂ、２８４ｈｂ、２８４ｉｂ、２８４ｊｂ内に流入した前処理液は、第２の溶液排出流路（図示せず）内に流入する。
【０７４６】
第１の溶液排出流路２９１ａ内に流入した前処理液および第２の溶液排出流路（図示せず）内に流入した前処理液は、溶液排出チューブ２９２に流入する。
【０７４７】
前処理液が、溶液排出チューブ２９２に流入すると、ハイブリダイゼーション反応装置２７０のコントロールユニット３００は、ポンプ２９８の駆動時間に基づいて、前処理液が、切り換えバルブ２９６に到達するタイミングで、切り換えバルブ駆動手段３０４に、第２の駆動信号を出力し、切り換えバルブ２９６を、切り換えバルブ２９６の上流側の溶液排出チューブ２９２と、切り換えバルブ２９６の下流側の溶液注入チューブ２９０とを連通させるとともに、切り換えバルブ２９６の上流側の溶液注入チューブ２９０と、切り換えバルブ２９６の下流側の溶液排出チューブ２９２とを連通させる第二の位置に位置させる。
【０７４８】
その結果、切り換えバルブ２９６の上流側の溶液排出チューブ２９２、切り換えバルブ２９６の下流側の溶液注入チューブ２９０、第１の溶液供給流路２９０ａ、下方ハウジング部２７８の頂板に形成された貫通孔２８４ａａ、２８４ｂａ、２８４ｃａ、２８４ｄａ、２８４ｅａ、生化学解析用ユニット収容部材２８０の溶液循環用凹部２８０ｂ、下方ハウジング部２７８の頂板に形成された貫通孔２８４ａｂ、２８４ｂｂ、２８４ｃｂ、２８４ｄｂ、２８４ｅｂおよび第１の溶液排出流路２９１ａによって、溶液循環流路が形成されるとともに、切り換えバルブ２９６の上流側の溶液排出チューブ２９２、切り換えバルブ２９６の下流側の溶液注入チューブ２９０、第２の溶液供給流路２９０ｂ、下方ハウジング部２７８の頂板に形成された貫通孔２８４ｆａ、２８４ｇａ、２８４ｈａ、２８４ｉａ、２８４ｊａ、生化学解析用ユニット収容部材２８０の溶液循環用凹部２８０ｂ、下方ハウジング部２７８の頂板に形成された貫通孔２８４ｆｂ、２８４ｇｂ、２８４ｈｂ、２８４ｉｂ、２８４ｊｂおよび第２の溶液排出流路２９１ｂによって、溶液循環流路が形成され、前処理液は、生化学解析用ユニットキャリア６にセットされた１０枚の生化学解析用ユニット１に形成されている多数の吸着性領域４を横切って、溶液循環流路内を循環する。
【０７４９】
このように、本実施態様によれば、前処理液は、生化学解析用ユニットキャリア６にセットされた生化学解析用ユニット１の多数の吸着性領域４を横切って、循環されるから、前処理操作の効率を大幅に向上させることが可能になる。
【０７５０】
所定の時間が経過すると、コントロールユニット３００は、第１のバルブ駆動手段３０３ａに、第２の駆動信号を出力して、第１の溶液注入チューブ２８１ａに設けられた第１のバルブ２９５ａを、溶液注入チューブ２９０と、大気とを連通させる第二の位置に位置させ、さらに、切り換えバルブ駆動手段３０４に、第１の駆動信号を出力して、切り換えバルブ２９６を、切り換えバルブ２９６の上流側の溶液注入チューブ２９０と、切り換えバルブ２９６の下流側の溶液注入チューブ２９０とを連通させるとともに、切り換えバルブ２９６の上流側の溶液排出チューブ２９２と、切り換えバルブ２９６の下流側の溶液排出チューブ２９２とを連通させる第一の位置に位置させる。
【０７５１】
その結果、切り換えバルブ２９６の上流側の溶液排出チューブ２９２と、切り換えバルブ２９６の下流側の溶液注入チューブ２９０との連通が断たれ、その一方で、溶液排出チューブ２９２と、第２の溶液排出チューブ２９２ｂとが連通されて、第１の溶液ボトル２７７ａから、第１の溶液注入チューブ２８１ａ内に供給された前処理液は、すべて、溶液注入チューブ２９０、第１の溶液供給流路２９０ａ、下方ハウジング部２７８の頂板に形成された貫通孔２８４ａａ、２８４ｂａ、２８４ｃａ、２８４ｄａ、２８４ｅａ、生化学解析用ユニット１に形成された吸着性領域４、生化学解析用ユニット収容部材２８０に形成された溶液循環用凹部２８０ｂ、生化学解析用ユニット１に形成された吸着性領域４、下方ハウジング部２７８の頂板に形成された貫通孔２８４ａｂ、２８４ｂｂ、２８４ｃｂ、２８４ｄｂ、２８４ｅｂ、第１の溶液排出流路２９１ａ、溶液排出チューブ２９２および第２の溶液排出チューブ２９２ｂを通って、あるいは、溶液注入チューブ２９０、第２の溶液供給流路（図示せず）、下方ハウジング部２７８の頂板に形成された貫通孔２８４ｆａ、２８４ｇａ、２８４ｈａ、２８４ｉａ、２８４ｊａ、生化学解析用ユニット１に形成された吸着性領域４、生化学解析用ユニット収容部材２８０に形成された溶液循環用凹部２８０ｂ、生化学解析用ユニット１に形成された吸着性領域４、下方ハウジング部２７８の頂板に形成された貫通孔２８４ｆｂ、２８４ｇｂ、２８４ｈｂ、２８４ｉｂ、２８４ｊｂ、第２の溶液排出流路（図示せず）、溶液排出チューブ２９２および第２の溶液排出チューブ２９２ｂを通って、第２の溶液回収タンク２９４ｂ内に回収される。
【０７５２】
こうして、第１の溶液ボトル２７７ａから、第１の溶液注入チューブ２８１ａ内に供給された前処理液が、すべて、第２の溶液回収タンク２９４ｂ内に回収されると、ハイブリダイゼーション反応装置２７０のコントロールユニット３００は、ポンプ２９８に駆動停止信号を出力して、ポンプ２９８の駆動を停止させ、次いで、第１のバルブ駆動手段３０３ａに第３の駆動信号を出力して、第１の溶液注入チューブ２８１ａに設けられた第１のバルブ２９５ａを、第１の溶液ボトル２７７ａおよび大気と、溶液注入チューブ２９０との連通を遮断させる第三の位置に位置させるとともに、第２の溶液排出バルブ駆動手段３０５ｂに閉鎖信号を出力して、第２の溶液排出バルブ２９３ｂを閉鎖させ、前処理操作を完了させる。
【０７５３】
前処理操作が完了すると、ハイブリダイゼーション反応装置２７０のコントロールユニット３００は、前処理完了信号を、生化学解析システムのコントロールユニット４５に出力する。
【０７５４】
前処理完了信号を受けると、生化学解析システムのコントロールユニット４５は、表示パネル５１に、前処理操作が完了した旨のメッセージを表示するとともに、ハイブリダイゼーション反応装置２７０のコントロールユニット３００に、プレハイブリダイゼーション開始信号を出力する。
【０７５５】
ハイブリダイゼーション反応装置２７０のコントロールユニット３００は、生化学解析システムのコントロールユニット４５から、プレハイブリダイゼーション開始信号を受けると、第２のバルブ駆動手段３０３ｂに第１の駆動信号を出力して、第２の溶液注入チューブ２８１ｂに設けられた第２のバルブ２９５ｂを、第２の溶液ボトル２７７ｂと溶液注入チューブ２９０とを連通させる第一の位置に位置させるとともに、切り換えバルブ駆動手段３０４に、第２の駆動信号を出力して、切り換えバルブ２９６を、切り換えバルブ２９６の上流側の溶液注入チューブ２９０と、切り換えバルブ２９６の下流側の溶液注入チューブ２９０とを連通させるとともに、切り換えバルブ２９６の上流側の溶液排出チューブ２９２と、切り換えバルブ２９６の下流側の溶液排出チューブ２９２とを連通させる第一の位置に位置させる。
【０７５６】
さらに、コントロールユニット３００は、第１の溶液排出バルブ駆動手段３０５ａに閉鎖信号を出力して、第１の溶液排出バルブ２９３ａを閉じさせるとともに、第２の溶液排出バルブ駆動手段３０５ｂに開放信号を出力して、第２の溶液排出バルブ２９３ｂを開放させる。これは、放射性標識物質が含まれていないハイブリダイゼーションバッファを、放射性標識物質濃度の高い溶液と分別して、放射性標識物質濃度の低い溶液を回収する第２の溶液回収タンク２９４ｂに回収するためである。
【０７５７】
次いで、コントロールユニット３００は、ポンプ２９８に駆動信号を出力して、第２の溶液ボトル２７７ｂ内に収容されているハイブリダイゼーションバッファを、第２の溶液注入チューブ２８１ｂを介して、溶液注入チューブ２９０内に注入させる。
【０７５８】
溶液注入チューブ２９０に注入されたハイブリダイゼーションバッファは、溶液注入チューブ２９０から分岐した第１の溶液供給流路２９０ａと第２の溶液供給流路（図示せず）に供給される。
【０７５９】
第１の溶液供給流路２９０ａ内に供給されたハイブリダイゼーションバッファは、貫通孔２８４ａａ、２８４ｂａ、２８４ｃａ、２８４ｄａ、２８４ｅａ内に流入する。
【０７６０】
ここに、下方ハウジング部２７８の頂板に立設された枠部材２８６ａ、２８６ｂ、２８６ｃ、２８６ｄ、２８６ｅ、２８６ｆ、２８６ｇ、２８６ｈ、２８６ｉ、２８６ｊの側壁上端部および仕切壁２８５ａ、２８５ｂ、２８５ｃ、２８５ｄ、２８５ｅ、２８５ｆ、２８５ｇ、２８５ｈ、２８５ｉ、２８５ｊの上端部に形成されたシール部材２８７ａ、２８７ｂ、２８７ｃ、２８７ｄ、２８７ｅ、２８７ｆ、２８７ｇ、２８７ｈ、２８７ｉ、２８７ｊによって、下方ハウジング部２７８の頂板に形成された貫通孔２８４ａａ、２８４ａｂ、２８４ｂａ、２８４ｂｂ、２８４ｃａ、２８４ｃｂ、２８４ｄａ、２８４ｄｂ、２８４ｅａ、２８４ｅｂ、２８４ｆａ、２８４ｆｂ、２８４ｇａ、２８４ｇｂ、２８４ｈａ、２８４ｈｂ、２８４ｉａ、２８４ｉｂ、２８４ｊａ、２８４ｊｂと、生化学解析用ユニットキャリア６に形成された貫通孔７の間がシールされているから、ハイブリダイゼーションバッファは、貫通孔２８４ａａ、２８４ｂａ、２８４ｃａ、２８４ｄａ、２８４ｅａから、それぞれ、生化学解析用ユニットキャリア６にセットされている対応する生化学解析用ユニット１の基板２に形成された多数の吸着性領域４のうち、貫通孔２８４ａａ、２８４ｂａ、２８４ｃａ、２８４ｄａ、２８４ｅａに対向している１／２の吸着性領域４を横切って、生化学解析用ユニット収容部材２８０に形成された５つの溶液循環用凹部２８０ｂ内に供給される。
【０７６１】
生化学解析用ユニット収容部材２８０に形成された溶液循環用凹部２８０ｂ内に流入したハイブリダイゼーションバッファは、生化学解析用ユニットキャリア６にセットされている生化学解析用ユニット１の基板２に形成された多数の吸着性領域４のうち、残りの１／２の吸着性領域４を横切って、下方ハウジング部２７８の頂板に形成された貫通孔２８４ａｂ、２８４ｂｂ、２８４ｃｂ、２８４ｄｂ、２８４ｅｂ内に流入する。
【０７６２】
下方ハウジング部２７８の頂板に形成された貫通孔２８４ａｂ、２８４ｂｂ、２８４ｃｂ、２８４ｄｂ、２８４ｅｂ内に流入したハイブリダイゼーションバッファは、第１の溶液排出流路２９１ａ内に流入する。
【０７６３】
これに対して、第２の溶液供給流路（図示せず）内に供給されたハイブリダイゼーションバッファは、貫通孔２８４ｆａ、２８４ｇａ、２８４ｈａ、２８４ｉａ、２８４ｊａに流入し、さらに、貫通孔２８４ｆａ、２８４ｇａ、２８４ｈａ、２８４ｉａ、２８４ｊａから、それぞれ、生化学解析用ユニットキャリア６にセットされている対応する生化学解析用ユニット１の基板２に形成された多数の吸着性領域４のうち、貫通孔２８４ｆａ、２８４ｇａ、２８４ｈａ、２８４ｉａ、２８４ｊａに対向している１／２の吸着性領域４を横切って、生化学解析用ユニット収容部材２８０に形成された５つの溶液循環用凹部２８０ｂ内に供給される。
【０７６４】
生化学解析用ユニット収容部材２８０に形成された溶液循環用凹部２８０ｂ内に流入したハイブリダイゼーションバッファは、生化学解析用ユニットキャリア６にセットされている生化学解析用ユニット１の基板２に形成された多数の吸着性領域４のうち、残りの１／２の吸着性領域４を横切って、下方ハウジング部２７８の頂板に形成された貫通孔２８４ｆｂ、２８４ｇｂ、２８４ｈｂ、２８４ｉｂ、２８４ｊｂ内に流入する。
【０７６５】
下方ハウジング部２７８の頂板に形成された貫通孔２８４ｆｂ、２８４ｇｂ、２８４ｈｂ、２８４ｉｂ、２８４ｊｂ内に流入したハイブリダイゼーションバッファは、第２の溶液排出流路（図示せず）内に流入する。
【０７６６】
第１の溶液排出流路２９１ａ内に流入したハイブリダイゼーションバッファおよび第２の溶液排出流路（図示せず）内に流入したハイブリダイゼーションバッファは、溶液排出チューブ２９２に流入する。
【０７６７】
ハイブリダイゼーションバッファが、溶液排出チューブ２９２に流入すると、ハイブリダイゼーション反応装置２７０のコントロールユニット３００は、ポンプ２９８の駆動時間に基づいて、ハイブリダイゼーションバッファが、切り換えバルブ２９６に到達するタイミングで、切り換えバルブ駆動手段３０４に、第２の駆動信号を出力し、切り換えバルブ２９６を、切り換えバルブ２９６の上流側の溶液排出チューブ２９２と、切り換えバルブ２９６の下流側の溶液注入チューブ２９０とを連通させるとともに、切り換えバルブ２９６の上流側の溶液注入チューブ２９０と、切り換えバルブ２９６の下流側の溶液排出チューブ２９２とを連通させる第二の位置に位置させる。
【０７６８】
その結果、切り換えバルブ２９６の上流側の溶液排出チューブ２９２、切り換えバルブ２９６の下流側の溶液注入チューブ２９０、第１の溶液供給流路２９０ａ、下方ハウジング部２７８の頂板に形成された貫通孔２８４ａａ、２８４ｂａ、２８４ｃａ、２８４ｄａ、２８４ｅａ、生化学解析用ユニット収容部材２８０の溶液循環用凹部２８０ｂ、下方ハウジング部２７８の頂板に形成された貫通孔２８４ａｂ、２８４ｂｂ、２８４ｃｂ、２８４ｄｂ、２８４ｅｂおよび第１の溶液排出流路２９１ａによって、溶液循環流路が形成されるとともに、切り換えバルブ２９６の上流側の溶液排出チューブ２９２、切り換えバルブ２９６の下流側の溶液注入チューブ２９０、第２の溶液供給流路２９０ｂ、下方ハウジング部２７８の頂板に形成された貫通孔２８４ｆａ、２８４ｇａ、２８４ｈａ、２８４ｉａ、２８４ｊａ、生化学解析用ユニット収容部材２８０の溶液循環用凹部２８０ｂ、下方ハウジング部２７８の頂板に形成された貫通孔２８４ｆｂ、２８４ｇｂ、２８４ｈｂ、２８４ｉｂ、２８４ｊｂおよび第２の溶液排出流路２９１ｂによって、溶液循環流路が形成され、ハイブリダイゼーションバッファは、生化学解析用ユニットキャリア６にセットされた１０枚の生化学解析用ユニット１に形成されている多数の吸着性領域４を横切って、溶液循環流路内を循環する。
【０７６９】
このように、本実施態様によれば、ハイブリダイゼーションバッファは、生化学解析用ユニットキャリア６にセットされた生化学解析用ユニット１の多数の吸着性領域４を横切って、循環されるから、プレハイブリダイゼーションの効率を大幅に向上させることが可能になる。
【０７７０】
所定の時間が経過すると、コントロールユニット３００は、第２のバルブ駆動手段３０３ｂに、第２の駆動信号を出力して、第２の溶液注入チューブ２８１ｂに設けられた第２のバルブ２９５ｂを、溶液注入チューブ２９０と、大気とを連通させる第二の位置に位置させ、さらに、切り換えバルブ駆動手段３０４に、第１の駆動信号を出力して、切り換えバルブ２９６を、切り換えバルブ２９６の上流側の溶液注入チューブ２９０と、切り換えバルブ２９６の下流側の溶液注入チューブ２９０とを連通させるとともに、切り換えバルブ２９６の上流側の溶液排出チューブ２９２と、切り換えバルブ２９６の下流側の溶液排出チューブ２９２とを連通させる第一の位置に位置させる。
【０７７１】
その結果、切り換えバルブ２９６の上流側の溶液排出チューブ２９２と、切り換えバルブ２９６の下流側の溶液注入チューブ２９０との連通が断たれ、その一方で、溶液排出チューブ２９２と、第２の溶液排出チューブ２９２ｂとが連通されて、第２の溶液ボトル２７７ｂから、第２の溶液注入チューブ２８１ｂ内に供給されたハイブリダイゼーションバッファは、すべて、溶液注入チューブ２９０、第１の溶液供給流路２９０ａ、下方ハウジング部２７８の頂板に形成された貫通孔２８４ａａ、２８４ｂａ、２８４ｃａ、２８４ｄａ、２８４ｅａ、生化学解析用ユニット１に形成された吸着性領域４、生化学解析用ユニット収容部材２８０に形成された溶液循環用凹部２８０ｂ、生化学解析用ユニット１に形成された吸着性領域４、下方ハウジング部２７８の頂板に形成された貫通孔２８４ａｂ、２８４ｂｂ、２８４ｃｂ、２８４ｄｂ、２８４ｅｂ、第１の溶液排出流路２９１ａ、溶液排出チューブ２９２および第２の溶液排出チューブ２９２ｂを通って、あるいは、溶液注入チューブ２９０、第２の溶液供給流路（図示せず）、下方ハウジング部２７８の頂板に形成された貫通孔２８４ｆａ、２８４ｇａ、２８４ｈａ、２８４ｉａ、２８４ｊａ、生化学解析用ユニット１に形成された吸着性領域４、生化学解析用ユニット収容部材２８０に形成された溶液循環用凹部２８０ｂ、生化学解析用ユニット１に形成された吸着性領域４、下方ハウジング部２７８の頂板に形成された貫通孔２８４ｆｂ、２８４ｇｂ、２８４ｈｂ、２８４ｉｂ、２８４ｊｂ、第２の溶液排出流路（図示せず）、溶液排出チューブ２９２および第２の溶液排出チューブ２９２ｂを通って、第２の溶液回収タンク２９４ｂ内に回収される。
【０７７２】
こうして、第２の溶液ボトル２７７ｂから、第２の溶液注入チューブ２８１ｂ内に供給されたハイブリダイゼーションバッファが、すべて、第２の溶液回収タンク２９４ｂ内に回収されると、ハイブリダイゼーション反応装置２７０のコントロールユニット３００は、ポンプ２９８に駆動停止信号を出力して、ポンプ２９８の駆動を停止させ、次いで、第２のバルブ駆動手段３０３ｂに第３の駆動信号を出力して、第２の溶液注入チューブ２８１ｂに設けられた第２のバルブ２９５ｂを、第２の溶液ボトル２７７ｂおよび大気と、溶液注入チューブ２９０との連通を遮断させる第三の位置に位置させるとともに、第２の溶液排出バルブ駆動手段３０５ｂに閉鎖信号を出力して、第２の溶液排出バルブ２９３ｂを閉鎖させ、プレハイブリダイゼーションを完了させる。
【０７７３】
プレハイブリダイゼーションが完了すると、ハイブリダイゼーション反応装置２７０のコントロールユニット３００は、プレハイブリダイゼーション完了信号を、生化学解析システムのコントロールユニット４５に出力する。
【０７７４】
ハイブリダイゼーション反応装置２７０のコントロールユニット３００から、プレハイブリダイゼーション完了信号を受けると、生化学解析システムのコントロールユニット４５は、表示パネル５１に、プレハイブリダイゼーションが完了した旨のメッセージを表示するとともに、ハイブリダイゼーション反応装置２７０のコントロールユニット３００に、ハイブリダイゼーション開始信号を出力する。
【０７７５】
ハイブリダイゼーション反応装置２７０のコントロールユニット３００は、生化学解析システムのコントロールユニット４５から、ハイブリダイゼーション開始信号を受けると、第３のバルブ駆動手段３０３ｃに第１の駆動信号を出力して、第３の溶液注入チューブ２８１ｃに設けられた第３のバルブ２９５ｃを、第３の溶液ボトル２７７ｃと溶液注入チューブ２９０とを連通させる第一の位置に位置させるとともに、切り換えバルブ駆動手段３０４に、第２の駆動信号を出力して、切り換えバルブ２９６を、切り換えバルブ２９６の上流側の溶液注入チューブ２９０と、切り換えバルブ２９６の下流側の溶液注入チューブ２９０とを連通させるとともに、切り換えバルブ２９６の上流側の溶液排出チューブ２９２と、切り換えバルブ２９６の下流側の溶液排出チューブ２９２とを連通させる第一の位置に位置させる。
【０７７６】
さらに、コントロールユニット３００は、第１の溶液排出バルブ駆動手段３０５ａに開放信号を出力して、第１の溶液排出バルブ２９３ａを開放させるとともに、第２の溶液排出バルブ駆動手段３０５ｂに閉鎖信号を出力して、第２の溶液排出バルブ２９３ｂを閉じさせる。これは、放射性標識物質の濃度が高いハイブリダイゼーションバッファとプローブ溶液との混合溶液を、放射性標識物質濃度の低い溶液と分別して、放射性標識物質濃度の高い溶液を回収する第１の溶液回収タンク２９４ａに回収するためである。
【０７７７】
次いで、コントロールユニット３００は、ポンプ２９８に駆動信号を出力して、第３の溶液ボトル２７７ｃ内に収容されているハイブリダイゼーションバッファとプローブ溶液との混合溶液を、第３の溶液注入チューブ２８１ｃを介して、溶液注入チューブ２９０内に注入させる。
【０７７８】
溶液注入チューブ２９０に注入されたハイブリダイゼーションバッファとプローブ溶液との混合溶液は、溶液注入チューブ２９０から分岐した第１の溶液供給流路２９０ａと第２の溶液供給流路（図示せず）に供給される。
【０７７９】
第１の溶液供給流路２９０ａ内に供給されたハイブリダイゼーションバッファとプローブ溶液との混合溶液は、貫通孔２８４ａａ、２８４ｂａ、２８４ｃａ、２８４ｄａ、２８４ｅａ内に流入する。
【０７８０】
ここに、下方ハウジング部２７８の頂板に立設された枠部材２８６ａ、２８６ｂ、２８６ｃ、２８６ｄ、２８６ｅ、２８６ｆ、２８６ｇ、２８６ｈ、２８６ｉ、２８６ｊの側壁上端部および仕切壁２８５ａ、２８５ｂ、２８５ｃ、２８５ｄ、２８５ｅ、２８５ｆ、２８５ｇ、２８５ｈ、２８５ｉ、２８５ｊの上端部に形成されたシール部材２８７ａ、２８７ｂ、２８７ｃ、２８７ｄ、２８７ｅ、２８７ｆ、２８７ｇ、２８７ｈ、２８７ｉ、２８７ｊによって、下方ハウジング部２７８の頂板に形成された貫通孔２８４ａａ、２８４ａｂ、２８４ｂａ、２８４ｂｂ、２８４ｃａ、２８４ｃｂ、２８４ｄａ、２８４ｄｂ、２８４ｅａ、２８４ｅｂ、２８４ｆａ、２８４ｆｂ、２８４ｇａ、２８４ｇｂ、２８４ｈａ、２８４ｈｂ、２８４ｉａ、２８４ｉｂ、２８４ｊａ、２８４ｊｂと、生化学解析用ユニットキャリア６に形成された貫通孔７の間がシールされているから、ハイブリダイゼーションバッファとプローブ溶液との混合溶液は、貫通孔２８４ａａ、２８４ｂａ、２８４ｃａ、２８４ｄａ、２８４ｅａから、それぞれ、生化学解析用ユニットキャリア６にセットされている対応する生化学解析用ユニット１の基板２に形成された多数の吸着性領域４のうち、貫通孔２８４ａａ、２８４ｂａ、２８４ｃａ、２８４ｄａ、２８４ｅａに対向している１／２の吸着性領域４を横切って、生化学解析用ユニット収容部材２８０に形成された５つの溶液循環用凹部２８０ｂ内に供給される。
【０７８１】
その結果、生化学解析用ユニットキャリア６にセットされている５枚の生化学解析用ユニット１の多数の吸着性領域４に含まれたｃＤＮＡなどの特異的結合物質に、放射性標識物質によって標識された生体由来の物質、蛍光物質によって標識された生体由来の物質および化学発光基質と接触させることによって化学発光を生じさせる標識物質によって標識された生体由来の物質が、選択的に、ハイブリダイズされる。
【０７８２】
生化学解析用ユニット収容部材２８０に形成された溶液循環用凹部２８０ｂ内に流入したハイブリダイゼーションバッファとプローブ溶液との混合溶液は、生化学解析用ユニットキャリア６にセットされている生化学解析用ユニット１の基板２に形成された多数の吸着性領域４のうち、残りの１／２の吸着性領域４を横切って、下方ハウジング部２７８の頂板に形成された貫通孔２８４ａｂ、２８４ｂｂ、２８４ｃｂ、２８４ｄｂ、２８４ｅｂ内に流入する。
【０７８３】
下方ハウジング部２７８の頂板に形成された貫通孔２８４ａｂ、２８４ｂｂ、２８４ｃｂ、２８４ｄｂ、２８４ｅｂ内に流入したハイブリダイゼーションバッファとプローブ溶液との混合溶液は、第１の溶液排出流路２９１ａ内に流入する。
【０７８４】
これに対して、第２の溶液供給流路（図示せず）内に供給されたハイブリダイゼーションバッファとプローブ溶液との混合溶液は、貫通孔２８４ｆａ、２８４ｇａ、２８４ｈａ、２８４ｉａ、２８４ｊａに流入し、さらに、貫通孔２８４ｆａ、２８４ｇａ、２８４ｈａ、２８４ｉａ、２８４ｊａから、それぞれ、生化学解析用ユニットキャリア６にセットされている対応する生化学解析用ユニット１の基板２に形成された多数の吸着性領域４のうち、貫通孔２８４ｆａ、２８４ｇａ、２８４ｈａ、２８４ｉａ、２８４ｊａに対向している１／２の吸着性領域４を横切って、生化学解析用ユニット収容部材２８０に形成された５つの溶液循環用凹部２８０ｂ内に供給される。
【０７８５】
その結果、生化学解析用ユニットキャリア６にセットされている５枚の生化学解析用ユニット１の多数の吸着性領域４に含まれたｃＤＮＡなどの特異的結合物質に、放射性標識物質によって標識された生体由来の物質、蛍光物質によって標識された生体由来の物質および化学発光基質と接触させることによって化学発光を生じさせる標識物質によって標識された生体由来の物質が、選択的に、ハイブリダイズされる。
【０７８６】
生化学解析用ユニット収容部材２８０に形成された溶液循環用凹部２８０ｂ内に流入したハイブリダイゼーションバッファとプローブ溶液との混合溶液は、生化学解析用ユニットキャリア６にセットされている生化学解析用ユニット１の基板２に形成された多数の吸着性領域４のうち、残りの１／２の吸着性領域４を横切って、下方ハウジング部２７８の頂板に形成された貫通孔２８４ｆｂ、２８４ｇｂ、２８４ｈｂ、２８４ｉｂ、２８４ｊｂ内に流入する。
【０７８７】
下方ハウジング部２７８の頂板に形成された貫通孔２８４ｆｂ、２８４ｇｂ、２８４ｈｂ、２８４ｉｂ、２８４ｊｂ内に流入したハイブリダイゼーションバッファとプローブ溶液との混合溶液は、第２の溶液排出流路（図示せず）内に流入する。
【０７８８】
第１の溶液排出流路２９１ａ内に流入したハイブリダイゼーションバッファとプローブ溶液との混合溶液および第２の溶液排出流路（図示せず）内に流入したハイブリダイゼーションバッファとプローブ溶液との混合溶液は、溶液排出チューブ２９２に流入する。
【０７８９】
ハイブリダイゼーションバッファとプローブ溶液との混合溶液が、溶液排出チューブ２９２に流入すると、ハイブリダイゼーション反応装置２７０のコントロールユニット３００は、ポンプ２９８の駆動時間に基づいて、ハイブリダイゼーションバッファとプローブ溶液との混合溶液が、切り換えバルブ２９６に到達するタイミングで、切り換えバルブ駆動手段３０４に、第２の駆動信号を出力し、切り換えバルブ２９６を、切り換えバルブ２９６の上流側の溶液排出チューブ２９２と、切り換えバルブ２９６の下流側の溶液注入チューブ２９０とを連通させるとともに、切り換えバルブ２９６の上流側の溶液注入チューブ２９０と、切り換えバルブ２９６の下流側の溶液排出チューブ２９２とを連通させる第二の位置に位置させる。
【０７９０】
その結果、切り換えバルブ２９６の上流側の溶液排出チューブ２９２、切り換えバルブ２９６の下流側の溶液注入チューブ２９０、第１の溶液供給流路２９０ａ、下方ハウジング部２７８の頂板に形成された貫通孔２８４ａａ、２８４ｂａ、２８４ｃａ、２８４ｄａ、２８４ｅａ、生化学解析用ユニット収容部材２８０の溶液循環用凹部２８０ｂ、下方ハウジング部２７８の頂板に形成された貫通孔２８４ａｂ、２８４ｂｂ、２８４ｃｂ、２８４ｄｂ、２８４ｅｂおよび第１の溶液排出流路２９１ａによって、溶液循環流路が形成されるとともに、切り換えバルブ２９６の上流側の溶液排出チューブ２９２、切り換えバルブ２９６の下流側の溶液注入チューブ２９０、第２の溶液供給流路２９０ｂ、下方ハウジング部２７８の頂板に形成された貫通孔２８４ｆａ、２８４ｇａ、２８４ｈａ、２８４ｉａ、２８４ｊａ、生化学解析用ユニット収容部材２８０の溶液循環用凹部２８０ｂ、下方ハウジング部２７８の頂板に形成された貫通孔２８４ｆｂ、２８４ｇｂ、２８４ｈｂ、２８４ｉｂ、２８４ｊｂおよび第２の溶液排出流路２９１ｂによって、溶液循環流路が形成され、ハイブリダイゼーションバッファとプローブ溶液との混合溶液は、生化学解析用ユニットキャリア６にセットされた１０枚の生化学解析用ユニット１に形成されている多数の吸着性領域４を横切って、溶液循環流路内を循環する。
【０７９１】
このように、本実施態様によれば、ハイブリダイゼーションバッファとプローブ溶液の混合溶液が、生化学解析用ユニットキャリア６にセットされている生化学解析用ユニット１の多数の吸着性領域４を横切って、強制的に循環されるから、ハイブリダイゼーションバッファとプローブ溶液の混合溶液に含まれている生体由来の物質を、単に、対流あるいは拡散によって移動させ、生化学解析用ユニット１の吸着性領域４に含まれている特異的結合物質とハイブリダイズさせる場合に比して、生化学解析用ユニット１の吸着性領域４内における生体由来の物質の移動速度を大幅に増大させることができ、したがって、ハイブリダイゼーション反応の反応速度を大幅に向上させることが可能になり、さらには、生体由来の物質が、吸着性領域４の深い部分に含まれている特異的結合物質と出会う確率を大幅に増大させることができ、したがって、所望のように、生化学解析用ユニット１の多数の吸着性領域４に固定された特異的結合物質に、ハイブリダイゼーションバッファとプローブ溶液の混合溶液に含まれている生体由来の物質をハイブリダイズさせることが可能になる。
【０７９２】
所定の時間が経過すると、コントロールユニット３００は、第３のバルブ駆動手段３０３ｃに、第３の駆動信号を出力して、第３の溶液注入チューブ２８１ｃに設けられた第３のバルブ２９５ｃを、溶液注入チューブ２９０と、大気とを連通させる第二の位置に位置させ、さらに、切り換えバルブ駆動手段３０４に、第１の駆動信号を出力して、切り換えバルブ２９６を、切り換えバルブ２９６の上流側の溶液注入チューブ２９０と、切り換えバルブ２９６の下流側の溶液注入チューブ２９０とを連通させるとともに、切り換えバルブ２９６の上流側の溶液排出チューブ２９２と、切り換えバルブ２９６の下流側の溶液排出チューブ２９２とを連通させる第一の位置に位置させる。
【０７９３】
その結果、切り換えバルブ２９６の上流側の溶液排出チューブ２９２と、切り換えバルブ２９６の下流側の溶液注入チューブ２９０との連通が断たれ、その一方で、溶液排出チューブ２９２と、第１の溶液排出チューブ２９２ａとが連通されて、第３の溶液ボトル２７７ｃから、第３の溶液注入チューブ２８１ｃ内に供給されたハイブリダイゼーションバッファとプローブ溶液の混合溶液はすべて、溶液注入チューブ２９０、第１の溶液供給流路２９０ａ、下方ハウジング部２７８の頂板に形成された貫通孔２８４ａａ、２８４ｂａ、２８４ｃａ、２８４ｄａ、２８４ｅａ、生化学解析用ユニット１に形成された吸着性領域４、生化学解析用ユニット収容部材２８０に形成された溶液循環用凹部２８０ｂ、生化学解析用ユニット１に形成された吸着性領域４、下方ハウジング部２７８の頂板に形成された貫通孔２８４ａｂ、２８４ｂｂ、２８４ｃｂ、２８４ｄｂ、２８４ｅｂ、第１の溶液排出流路２９１ａ、溶液排出チューブ２９２および第１の溶液排出チューブ２９２ａを通って、あるいは、溶液注入チューブ２９０、第２の溶液供給流路（図示せず）、下方ハウジング部２７８の頂板に形成された貫通孔２８４ｆａ、２８４ｇａ、２８４ｈａ、２８４ｉａ、２８４ｊａ、生化学解析用ユニット１に形成された吸着性領域４、生化学解析用ユニット収容部材２８０に形成された溶液循環用凹部２８０ｂ、生化学解析用ユニット１に形成された吸着性領域４、下方ハウジング部２７８の頂板に形成された貫通孔２８４ｆｂ、２８４ｇｂ、２８４ｈｂ、２８４ｉｂ、２８４ｊｂ、第２の溶液排出流路（図示せず）、溶液排出チューブ２９２および第１の溶液排出チューブ２９２ａを通って、第１の溶液回収タンク２９４ａ内に回収される。
【０７９４】
こうして、第３の溶液ボトル２７７ｃから、第３の溶液注入チューブ２８１ｃ内に供給されたハイブリダイゼーションバッファとプローブ溶液の混合溶液が、すべて、第１の溶液回収タンク２９４ａ内に回収されると、ハイブリダイゼーション反応装置２７０のコントロールユニット３００は、ポンプ２９８に駆動停止信号を出力して、ポンプ２９８の駆動を停止させ、次いで、第３のバルブ駆動手段３０３ｃに第３の駆動信号を出力して、第３の溶液注入チューブ２８１ｃに設けられた第３のバルブ２９５ｃを、第３の溶液ボトル２７７ｃおよび大気と、溶液注入チューブ２９０との連通を遮断させる第三の位置に位置させるとともに、第１の溶液排出バルブ駆動手段３０５ａに閉鎖信号を出力して、第１の溶液排出バルブ２９３ａを閉鎖させ、ハイブリダイゼーションを完了させる。
【０７９５】
ハイブリダイゼーションが完了すると、ハイブリダイゼーション反応装置２７０のコントロールユニット３００は、ハイブリダイゼーション完了信号を、生化学解析システムのコントロールユニット４５に出力する。
【０７９６】
ハイブリダイゼーション反応装置２７０のコントロールユニット３００から、ハイブリダイゼーション完了信号を受けると、生化学解析システムのコントロールユニット４５は、表示パネル５１に、ハイブリダイゼーションが完了した旨のメッセージを表示するとともに、ハイブリダイゼーション反応装置２７０のコントロールユニット３００に、洗浄操作開始信号を出力する。
【０７９７】
ハイブリダイゼーション反応装置２７０のコントロールユニット３００は、生化学解析システムのコントロールユニット４５から、洗浄操作開始信号を受けると、第４のバルブ駆動手段３０３ｄに第１の駆動信号を出力して、第４の溶液注入チューブ２８１ｄに設けられた第４のバルブ２９５ｄを、第４の溶液ボトル２７７ｄと溶液注入チューブ２９０とを連通させる第一の位置に位置させるとともに、切り換えバルブ駆動手段３０４に、第２の駆動信号を出力して、切り換えバルブ２９６を、切り換えバルブ２９６の上流側の溶液注入チューブ２９０と、切り換えバルブ２９６の下流側の溶液注入チューブ２９０とを連通させるとともに、切り換えバルブ２９６の上流側の溶液排出チューブ２９２と、切り換えバルブ２９６の下流側の溶液排出チューブ２９２とを連通させる第一の位置に位置させる。
【０７９８】
さらに、コントロールユニット３００は、第１の溶液排出バルブ駆動手段３０５ａに開放信号を出力して、第１の溶液排出バルブ２９３ａを開放させるとともに、第２の溶液排出バルブ駆動手段３０５ｂに閉鎖信号を出力して、第２の溶液排出バルブ２９３ｂを閉じさせる。これは、放射性標識物質の濃度が高い洗浄溶液を、放射性標識物質濃度の低い溶液と分別して、放射性標識物質濃度の高い溶液を回収する第１の溶液回収タンク２９４ａに回収するためである。
【０７９９】
次いで、コントロールユニット３００は、ポンプ２９８に駆動信号を出力して、第４の溶液ボトル２７７ｄ内に収容されている洗浄溶液を、第４の溶液注入チューブ２８１ｄを介して、溶液注入チューブ２９０内に注入させる。
【０８００】
溶液注入チューブ２９０に注入された洗浄溶液は、溶液注入チューブ２９０から分岐した第１の溶液供給流路２９０ａと第２の溶液供給流路（図示せず）に供給される。
【０８０１】
第１の溶液供給流路２９０ａ内に供給された洗浄溶液は、貫通孔２８４ａａ、２８４ｂａ、２８４ｃａ、２８４ｄａ、２８４ｅａ内に流入する。
【０８０２】
ここに、下方ハウジング部２７８の頂板に立設された枠部材２８６ａ、２８６ｂ、２８６ｃ、２８６ｄ、２８６ｅ、２８６ｆ、２８６ｇ、２８６ｈ、２８６ｉ、２８６ｊの側壁上端部および仕切壁２８５ａ、２８５ｂ、２８５ｃ、２８５ｄ、２８５ｅ、２８５ｆ、２８５ｇ、２８５ｈ、２８５ｉ、２８５ｊの上端部に形成されたシール部材２８７ａ、２８７ｂ、２８７ｃ、２８７ｄ、２８７ｅ、２８７ｆ、２８７ｇ、２８７ｈ、２８７ｉ、２８７ｊによって、下方ハウジング部２７８の頂板に形成された貫通孔２８４ａａ、２８４ａｂ、２８４ｂａ、２８４ｂｂ、２８４ｃａ、２８４ｃｂ、２８４ｄａ、２８４ｄｂ、２８４ｅａ、２８４ｅｂ、２８４ｆａ、２８４ｆｂ、２８４ｇａ、２８４ｇｂ、２８４ｈａ、２８４ｈｂ、２８４ｉａ、２８４ｉｂ、２８４ｊａ、２８４ｊｂと、生化学解析用ユニットキャリア６に形成された貫通孔７の間がシールされているから、洗浄溶液は、貫通孔２８４ａａ、２８４ｂａ、２８４ｃａ、２８４ｄａ、２８４ｅａから、それぞれ、生化学解析用ユニットキャリア６にセットされている対応する生化学解析用ユニット１の基板２に形成された多数の吸着性領域４のうち、貫通孔２８４ａａ、２８４ｂａ、２８４ｃａ、２８４ｄａ、２８４ｅａに対向している１／２の吸着性領域４を横切って、生化学解析用ユニット収容部材２８０に形成された５つの溶液循環用凹部２８０ｂ内に供給される。
【０８０３】
生化学解析用ユニット収容部材２８０に形成された溶液循環用凹部２８０ｂ内に流入した洗浄溶液は、生化学解析用ユニットキャリア６にセットされている生化学解析用ユニット１の基板２に形成された多数の吸着性領域４のうち、残りの１／２の吸着性領域４を横切って、下方ハウジング部２７８の頂板に形成された貫通孔２８４ａｂ、２８４ｂｂ、２８４ｃｂ、２８４ｄｂ、２８４ｅｂ内に流入する。
【０８０４】
下方ハウジング部２７８の頂板に形成された貫通孔２８４ａｂ、２８４ｂｂ、２８４ｃｂ、２８４ｄｂ、２８４ｅｂ内に流入した洗浄溶液は、第１の溶液排出流路２９１ａ内に流入する。
【０８０５】
これに対して、第２の溶液供給流路（図示せず）内に供給された洗浄溶液は、貫通孔２８４ｆａ、２８４ｇａ、２８４ｈａ、２８４ｉａ、２８４ｊａに流入し、さらに、貫通孔２８４ｆａ、２８４ｇａ、２８４ｈａ、２８４ｉａ、２８４ｊａから、それぞれ、生化学解析用ユニットキャリア６にセットされている対応する生化学解析用ユニット１の基板２に形成された多数の吸着性領域４のうち、貫通孔２８４ｆａ、２８４ｇａ、２８４ｈａ、２８４ｉａ、２８４ｊａに対向している１／２の吸着性領域４を横切って、生化学解析用ユニット収容部材２８０に形成された５つの溶液循環用凹部２８０ｂ内に供給される。
【０８０６】
生化学解析用ユニット収容部材２８０に形成された溶液循環用凹部２８０ｂ内に流入した前処理液は、生化学解析用ユニットキャリア６にセットされている生化学解析用ユニット１の基板２に形成された多数の吸着性領域４のうち、残りの１／２の吸着性領域４を横切って、下方ハウジング部２７８の頂板に形成された貫通孔２８４ｆｂ、２８４ｇｂ、２８４ｈｂ、２８４ｉｂ、２８４ｊｂ内に流入する。
【０８０７】
下方ハウジング部２７８の頂板に形成された貫通孔２８４ｆｂ、２８４ｇｂ、２８４ｈｂ、２８４ｉｂ、２８４ｊｂ内に流入した洗浄溶液は、第２の溶液排出流路（図示せず）内に流入する。
【０８０８】
第１の溶液排出流路２９１ａ内に流入した洗浄溶液および第２の溶液排出流路（図示せず）内に流入した洗浄溶液は、溶液排出チューブ２９２に流入する。
【０８０９】
洗浄溶液が、溶液排出チューブ２９２に流入すると、ハイブリダイゼーション反応装置２７０のコントロールユニット３００は、ポンプ２９８の駆動時間に基づいて、洗浄溶液が、切り換えバルブ２９６に到達するタイミングで、切り換えバルブ駆動手段３０４に、第２の駆動信号を出力し、切り換えバルブ２９６を、切り換えバルブ２９６の上流側の溶液排出チューブ２９２と、切り換えバルブ２９６の下流側の溶液注入チューブ２９０とを連通させるとともに、切り換えバルブ２９６の上流側の溶液注入チューブ２９０と、切り換えバルブ２９６の下流側の溶液排出チューブ２９２とを連通させる第二の位置に位置させる。
【０８１０】
その結果、切り換えバルブ２９６の上流側の溶液排出チューブ２９２、切り換えバルブ２９６の下流側の溶液注入チューブ２９０、第１の溶液供給流路２９０ａ、下方ハウジング部２７８の頂板に形成された貫通孔２８４ａａ、２８４ｂａ、２８４ｃａ、２８４ｄａ、２８４ｅａ、生化学解析用ユニット収容部材２８０の溶液循環用凹部２８０ｂ、下方ハウジング部２７８の頂板に形成された貫通孔２８４ａｂ、２８４ｂｂ、２８４ｃｂ、２８４ｄｂ、２８４ｅｂおよび第１の溶液排出流路２９１ａによって、溶液循環流路が形成されるとともに、切り換えバルブ２９６の上流側の溶液排出チューブ２９２、切り換えバルブ２９６の下流側の溶液注入チューブ２９０、第２の溶液供給流路２９０ｂ、下方ハウジング部２７８の頂板に形成された貫通孔２８４ｆａ、２８４ｇａ、２８４ｈａ、２８４ｉａ、２８４ｊａ、生化学解析用ユニット収容部材２８０の溶液循環用凹部２８０ｂ、下方ハウジング部２７８の頂板に形成された貫通孔２８４ｆｂ、２８４ｇｂ、２８４ｈｂ、２８４ｉｂ、２８４ｊｂおよび第２の溶液排出流路２９１ｂによって、溶液循環流路が形成され、洗浄溶液は、生化学解析用ユニットキャリア６にセットされた１０枚の生化学解析用ユニット１に形成されている多数の吸着性領域４を横切って、溶液循環流路内を循環する。
【０８１１】
このように、本実施態様によれば、洗浄溶液が、生化学解析用ユニットキャリア６にセットされている生化学解析用ユニット１の多数の吸着性領域４を横切って、強制的に循環されるから、ハイブリダイゼーションの工程で、特異的結合物質にハイブリダイズされるべきでない生体由来の物質が、生化学解析用ユニット１の吸着性領域４に結合されていても、特異的結合物質にハイブリダイズされるべきではない生体由来の物質を、生化学解析用ユニット１の吸着性領域４から、効果的に剥離させて、除去することができ、洗浄効率を大幅に向上させることが可能になる。
【０８１２】
所定の時間が経過すると、コントロールユニット３００は、第４のバルブ駆動手段３０３ｄに、第３の駆動信号を出力して、第４の溶液注入チューブ２８１ｄに設けられた第４のバルブ２９５ｄを、溶液注入チューブ２９０と、大気とを連通させる第二の位置に位置させ、さらに、切り換えバルブ駆動手段３０４に、第１の駆動信号を出力して、切り換えバルブ２９６を、切り換えバルブ２９６の上流側の溶液注入チューブ２９０と、切り換えバルブ２９６の下流側の溶液注入チューブ２９０とを連通させるとともに、切り換えバルブ２９６の上流側の溶液排出チューブ２９２と、切り換えバルブ２９６の下流側の溶液排出チューブ２９２とを連通させる第一の位置に位置させる。
【０８１３】
その結果、切り換えバルブ２９６の上流側の溶液排出チューブ２９２と、切り換えバルブ２９６の下流側の溶液注入チューブ２９０との連通が断たれ、その一方で、溶液排出チューブ２９２と、第１の溶液排出チューブ２９２ａとが連通されて、第４の溶液ボトル２７７ｄから、第４の溶液注入チューブ２８１ｄ内に供給された洗浄溶液は、すべて、溶液注入チューブ２９０、第１の溶液供給流路２９０ａ、下方ハウジング部２７８の頂板に形成された貫通孔２８４ａａ、２８４ｂａ、２８４ｃａ、２８４ｄａ、２８４ｅａ、生化学解析用ユニット１に形成された吸着性領域４、生化学解析用ユニット収容部材２８０に形成された溶液循環用凹部２８０ｂ、生化学解析用ユニット１に形成された吸着性領域４、下方ハウジング部２７８の頂板に形成された貫通孔２８４ａｂ、２８４ｂｂ、２８４ｃｂ、２８４ｄｂ、２８４ｅｂ、第１の溶液排出流路２９１ａ、溶液排出チューブ２９２および第１の溶液排出チューブ２９２ａを通って、あるいは、溶液注入チューブ２９０、第２の溶液供給流路（図示せず）、下方ハウジング部２７８の頂板に形成された貫通孔２８４ｆａ、２８４ｇａ、２８４ｈａ、２８４ｉａ、２８４ｊａ、生化学解析用ユニット１に形成された吸着性領域４、生化学解析用ユニット収容部材２８０に形成された溶液循環用凹部２８０ｂ、生化学解析用ユニット１に形成された吸着性領域４、下方ハウジング部２７８の頂板に形成された貫通孔２８４ｆｂ、２８４ｇｂ、２８４ｈｂ、２８４ｉｂ、２８４ｊｂ、第２の溶液排出流路（図示せず）、溶液排出チューブ２９２および第１の溶液排出チューブ２９２ａを通って、第１の溶液回収タンク２９４ａ内に回収される。
【０８１４】
こうして、第４の溶液ボトル２７７ｄから、第４の溶液注入チューブ２８１ｄ内に供給された洗浄溶液が、すべて、第１の溶液回収タンク２９４ａ内に回収されると、ハイブリダイゼーション反応装置２７０のコントロールユニット３００は、ポンプ２９８に駆動停止信号を出力して、ポンプ２９８の駆動を停止させ、次いで、第４のバルブ駆動手段３０３ｄに第４の駆動信号を出力して、第４の溶液注入チューブ２８１ｄに設けられた第４のバルブ２９５ｄを、第４の溶液ボトル２７７ｄおよび大気と、溶液注入チューブ２９０との連通を遮断させる第三の位置に位置させるとともに、第１の溶液排出バルブ駆動手段３０５ａに閉鎖信号を出力して、第１の溶液排出バルブ２９３ａを閉鎖させ、ハイブリダイゼーションを完了させる。
【０８１５】
洗浄操作が完了すると、ハイブリダイゼーション反応装置２７０のコントロールユニット３００は、洗浄操作完了信号を、生化学解析システムのコントロールユニット４５に出力する。
【０８１６】
ハイブリダイゼーション反応装置２７０のコントロールユニット３００から、洗浄操作完了信号を受けると、生化学解析システムのコントロールユニット４５は、表示パネル５１に、洗浄操作が完了した旨のメッセージを表示する。
【０８１７】
以上のようにして、生化学解析用ユニット１の基板２に形成された多数の吸着性領域４に、標識物質である放射性標識物質の放射線データ、蛍光色素などの蛍光物質の蛍光データおよび化学発光基質と接触させることによって化学発光を生じさせる標識物質の化学発光データが記録される。
【０８１８】
生化学解析用ユニット１の多数の吸着性領域４に記録された蛍光データは、前記実施態様と全く同様にして、第２のスキャナ装置３８によって読み取られて、生化学解析用データが生成される。
【０８１９】
これに対して、生化学解析用ユニット１の多数の吸着性領域４に記録された放射性標識物質の放射線データは、前記実施態様と全く同様にして、蓄積性蛍光体シート９０の多数の輝尽性蛍光体層領域９２に転写され、蓄積性蛍光体シート９０の多数の輝尽性蛍光体層領域９２に転写された放射線データは、前記実施態様と全く同様にして、第１のスキャナ装置３７によって読み取られて、生化学解析用データが生成される。
【０８２０】
一方、生化学解析用ユニット１の多数の吸着性領域４に記録された化学発光データは、前記実施態様と全く同様にして、データ読み取り装置３９によって読み取られて、生化学解析用データが生成される。
【０８２１】
本実施態様によれば、ハイブリダイゼーションバッファとプローブ溶液の混合溶液が、切り換えバルブ２９６の上流側の溶液排出チューブ２９２、切り換えバルブ２９６の下流側の溶液注入チューブ２９０、第１の溶液供給流路２９０ａ、下方ハウジング部２７８の頂板に形成された貫通孔２８４ａａ、２８４ｂａ、２８４ｃａ、２８４ｄａ、２８４ｅａ、生化学解析用ユニット収容部材２８０の溶液循環用凹部２８０ｂ、下方ハウジング部２７８の頂板に形成された貫通孔２８４ａｂ、２８４ｂｂ、２８４ｃｂ、２８４ｄｂ、２８４ｅｂおよび第１の溶液排出流路２９１ａによって形成された溶液循環流路あるいは切り換えバルブ２９６の上流側の溶液排出チューブ２９２、切り換えバルブ２９６の下流側の溶液注入チューブ２９０、第２の溶液供給流路２９０ｂ、下方ハウジング部２７８の頂板に形成された貫通孔２８４ｆａ、２８４ｇａ、２８４ｈａ、２８４ｉａ、２８４ｊａ、生化学解析用ユニット収容部材２８０の溶液循環用凹部２８０ｂ、下方ハウジング部２７８の頂板に形成された貫通孔２８４ｆｂ、２８４ｇｂ、２８４ｈｂ、２８４ｉｂ、２８４ｊｂおよび第２の溶液排出流路２９１ｂによって形成された溶液循環流路を、強制的に循環され、生化学解析用ユニットキャリア６にセットされている生化学解析用ユニット１の多数の吸着性領域４を横切って、強制的に、循環されるから、ハイブリダイゼーションバッファとプローブ溶液の混合溶液に含まれている生体由来の物質を、単に、対流あるいは拡散によって移動させ、生化学解析用ユニット１の吸着性領域４に含まれている特異的結合物質とハイブリダイズさせる場合に比して、生化学解析用ユニット１の吸着性領域４内における生体由来の物質の移動速度を大幅に増大させることができ、したがって、ハイブリダイゼーション反応の反応速度を大幅に向上させることが可能になり、さらには、生体由来の物質が、吸着性領域４の深い部分に含まれている特異的結合物質と出会う確率を大幅に増大させることができ、したがって、所望のように、生化学解析用ユニット１の多数の吸着性領域４に固定された特異的結合物質に、ハイブリダイゼーションバッファとプローブ溶液の混合溶液に含まれている生体由来の物質をハイブリダイズさせることが可能になる。
【０８２２】
さらに、本実施態様によれば、洗浄溶液が、切り換えバルブ２９６の上流側の溶液排出チューブ２９２、切り換えバルブ２９６の下流側の溶液注入チューブ２９０、第１の溶液供給流路２９０ａ、下方ハウジング部２７８の頂板に形成された貫通孔２８４ａａ、２８４ｂａ、２８４ｃａ、２８４ｄａ、２８４ｅａ、生化学解析用ユニット収容部材２８０の溶液循環用凹部２８０ｂ、下方ハウジング部２７８の頂板に形成された貫通孔２８４ａｂ、２８４ｂｂ、２８４ｃｂ、２８４ｄｂ、２８４ｅｂおよび第１の溶液排出流路２９１ａによって形成された溶液循環流路あるいは切り換えバルブ２９６の上流側の溶液排出チューブ２９２、切り換えバルブ２９６の下流側の溶液注入チューブ２９０、第２の溶液供給流路２９０ｂ、下方ハウジング部２７８の頂板に形成された貫通孔２８４ｆａ、２８４ｇａ、２８４ｈａ、２８４ｉａ、２８４ｊａ、生化学解析用ユニット収容部材２８０の溶液循環用凹部２８０ｂ、下方ハウジング部２７８の頂板に形成された貫通孔２８４ｆｂ、２８４ｇｂ、２８４ｈｂ、２８４ｉｂ、２８４ｊｂおよび第２の溶液排出流路２９１ｂによって形成された溶液循環流路を、強制的に循環され、生化学解析用ユニットキャリア６にセットされている生化学解析用ユニット１の多数の吸着性領域４を横切って、強制的に、循環されるから、ハイブリダイゼーションの工程で、特異的結合物質にハイブリダイズされるべきでない生体由来の物質が、生化学解析用ユニット１の吸着性領域４に結合されていても、特異的結合物質にハイブリダイズされるべきではない生体由来の物質を、生化学解析用ユニット１の吸着性領域４から、効果的に剥離させて、除去することが可能になり、洗浄効率を大幅に向上させることができる。
【０８２３】
また、本実施態様によれば、前処理液、ハイブリダイゼーションバッファ、ハイブリダイゼーションバッファとプローブ溶液との混合溶液および洗浄溶液を、生化学解析用ユニットキャリア６にセットされている１０枚の生化学解析用ユニット１の多数の吸着性領域４に供給する溶液供給流路ならびに生化学解析用ユニットキャリア６にセットされている１０枚の生化学解析用ユニット１の多数の吸着性領域４に供給された前処理液、ハイブリダイゼーションバッファ、ハイブリダイゼーションバッファとプローブ溶液との混合溶液および洗浄溶液を、排出する溶液排出流路が、すべて、ハイブリダイゼーション反応装置２７０のハウジング２７５内に設けられ、可動部材である生化学解析用ユニット収容部材２８０には、生化学解析用ユニットキャリア６にセットされるべき１０枚の生化学解析用ユニット１に対応する凹部２８０ａが形成されているだけであるので、配管系を簡易化することができ、ハイブリダイゼーション反応装置２７０のコストを大幅に低減させることが可能になるとともに、ハイブリダイゼーション反応装置２７０の耐久性を大幅に向上させることが可能になる。
【０８２４】
本発明は、以上の実施態様に限定されることなく、特許請求の範囲に記載された発明の範囲内で種々の変更が可能であり、それらも本発明の範囲内に包含されるものであることはいうまでもない。
【０８２５】
たとえば、図１ないし図２８に示された実施態様においては、生化学解析用ユニット１の吸着性領域４に固定された特異的結合物質に、ジゴキシゲニンなどのハプテンによって標識された生体由来の物質をハイブリダイズさせ、さらに、化学発光基質と接触させることによって化学発光を生じさせる酵素によって標識されたジゴキシゲニンなどのハプテンに対する抗体を、生体由来の物質を標識しているジゴキシゲニンなどのハプテンに、抗原抗体反応によって、結合させて、生化学解析用ユニット１の多数の吸着性領域４に、化学発光データを選択的に記録するように構成されているが、化学発光基質と接触させることによって化学発光を生じさせる標識物質によって標識された生体由来の物質を、生化学解析用ユニット１の多数の吸着性領域４に固定されている特異的結合物質に、選択的に、ハイブリダイズさせて、生化学解析用ユニット１の多数の吸着性領域４に、化学発光データを記録するようにしてもよい。
【０８２６】
さらに、図２９ないし図３７に示された実施態様においては、生化学解析用ユニット１の吸着性領域４に固定された特異的結合物質に、化学発光基質と接触させることによって化学発光を生じさせる標識物質によって標識された生体由来の物質を、生化学解析用ユニット１の多数の吸着性領域４に固定されている特異的結合物質に、選択的に、ハイブリダイズさせて、生化学解析用ユニット１の多数の吸着性領域４に、化学発光データを記録するように構成されているが、生化学解析用ユニット１の吸着性領域４に固定された特異的結合物質に、ジゴキシゲニンなどのハプテンによって標識された生体由来の物質をハイブリダイズさせ、さらに、化学発光基質と接触させることによって化学発光を生じさせる酵素によって標識されたジゴキシゲニンなどのハプテンに対する抗体を、生体由来の物質を標識しているジゴキシゲニンなどのハプテンに、抗原抗体反応によって、結合させて、生化学解析用ユニット１の多数の吸着性領域４に、化学発光データを選択的に記録するようにしてもよい。
【０８２７】
また、前記実施態様においては、生化学解析用ユニット１の多数の吸着性領域４に固定されているｃＤＮＡなどの特異的結合物質に、蛍光物質によって標識された生体由来の物質を、選択的に、ハイブリダイズさせて、生化学解析用ユニット１の多数の吸着性領域４に、蛍光データを記録するように構成されているが、生化学解析用ユニット１の多数の吸着性領域４に固定されているｃＤＮＡなどの特異的結合物質に、ジゴキシゲニンなどのハプテンによって標識された生体由来の物質を、選択的に、ハイブリダイズさせ、さらに、蛍光基質と接触させることによって、蛍光物質を生じさせる酵素により標識されたハプテンに対する抗体を、抗原抗体反応によって、生体由来の物質を標識しているハプテンに結合させることによって、生化学解析用ユニット１の多数の吸着性領域４に、蛍光データを記録することもできる。
【０８２８】
さらに、前記実施態様においては、生化学解析用ユニット１の多数の吸着性領域４を、放射性標識物質、蛍光色素などの蛍光物質および化学発光基質と接触させることによって化学発光を生じさせる標識物質によって、選択的に標識しているが、生化学解析用ユニット１の多数の吸着性領域４を、放射性標識物質、蛍光色素などの蛍光物質および化学発光基質と接触させることによって化学発光を生じさせる標識物質によって、選択的に標識することは必ずしも必要でなく、放射性標識物質、蛍光色素などの蛍光物質および化学発光基質と接触させることによって化学発光を生じさせる標識物質のうちの少なくとも１種の標識物質により、選択的に標識されればよい。
【０８２９】
また、前記実施態様においては、生化学解析用ユニットキャリア６は、１０枚の生化学解析用ユニット１をセット可能に構成され、それに対応して、蓄積性蛍光体シートキャリア９６にも、１０枚の蓄積性蛍光体シート９０が固定されているが、生化学解析用ユニットキャリア６が、１０枚の生化学解析用ユニット１をセット可能に構成されていることも、蓄積性蛍光体シートキャリア９６に、１０枚の蓄積性蛍光体シート９０が固定されていることも必ずしも必要でなく、生化学解析用ユニットキャリア６が、複数枚の生化学解析用ユニット１をセット可能に構成され、蓄積性蛍光体シートキャリア９６が、生化学解析用ユニットキャリア６にセットされるべき生化学解析用ユニット１と同じ枚数の蓄積性蛍光体シート９０を保持可能に構成されていればよく、生化学解析用ユニットキャリア６にセットされるべき生化学解析用ユニット１の枚数および蓄積性蛍光体シートキャリア９６に保持されるべき蓄積性蛍光体シート９０の枚数は、とくに限定されるものではない。
【０８３０】
さらに、前記実施態様においては、生化学解析用ユニットキャリア６は、合計１０枚の生化学解析用ユニット１を、２列×５行のマトリックス状にセット可能に構成され、それに対応して、蓄積性蛍光体シートキャリア９６にも、合計１０枚の蓄積性蛍光体シート９０が、２列×５行のマトリックス状に固定されているが、生化学解析用ユニットキャリア６が、合計１０枚の生化学解析用ユニット１を、２列×５行のマトリックス状にセット可能に構成されていることも、蓄積性蛍光体シートキャリア９６に、合計１０枚の蓄積性蛍光体シート９０が、２列×５行のマトリックス状に固定されていることも必ずしも必要でなく、たとえば、合計９枚の生化学解析用ユニット１を、３列に、生化学解析用ユニットキャリア６にセット、合計９枚の蓄積性蛍光体シート９０を、３列に、蓄積性蛍光体シートキャリア９６に固定するなど、任意の配置で、生化学解析用ユニット１がセット可能なように、生化学解析用ユニットキャリア６を構成するとともに、任意の配置で、蓄積性蛍光体シート９０が固定されるように、蓄積性蛍光体シートキャリア９６を構成することができる。
【０８３１】
また、前記実施態様においては、生化学解析用ユニット１の基板２に形成された２つの位置合わせ用貫通孔５、５に、生化学解析用ユニットキャリア６の生化学解析用ユニット１をセットすべき部分に形成された２つの位置合わせ用ピン８、８が挿通されるように、生化学解析用ユニット１を、生化学解析用ユニットキャリア６にセットすることによって、生化学解析用ユニット１が、生化学解析用ユニットキャリア６の所定に位置にセットされるように、位置合わせされているが、位置合わせの方法は任意であり、生化学解析用ユニット１の基板２に、２つの位置合わせ用貫通孔５、５を形成するとともに、生化学解析用ユニットキャリア６の生化学解析用ユニット１をセットすべき部分に、２つの位置合わせ用ピン８、８を立設することは必ずしも必要でない。
【０８３２】
さらに、前記実施態様においては、生化学解析用ユニット１の基板２に、各生化学解析用ユニット１に固有のバーコード５ａが印刷されるとともに、蓄積性蛍光体シート９０の支持体９１に、各蓄積性蛍光体シート９０に固有のバーコード９５が印刷され、生化学解析用ユニットキャリア６にセットされている生化学解析用ユニット１の基板２に印刷されたバーコード５ａが、ハイブリダイゼーション反応装置３５のバーコードリーダー８９ａ、８９ｂ、８９ｃ、８９ｄ、８９ｅ、８９ｆ、８９ｇ、８９ｈ、８９ｉ、８９ｊあるいはハイブリダイゼーション反応装置２７０のバーコードリーダー３０９ａ、３０９ｂ、３０９ｃ、３０９ｄ、３０９ｅ、３０９ｆ、３０９ｇ、３０９ｈ、３０９ｉ、３０９ｊによって読み取られて、バーコードデータが生成されるとともに、蓄積性蛍光体シートキャリア９６に固定されている蓄積性蛍光体シート９０の支持体９１に印刷されたバーコード９５が、露光装置３６のバーコードリーダー１２９ａ、１２９ｂ、１２９ｃ、１２９ｄ、１２９ｅ、１２９ｆ、１２９ｇ、１２９ｈ、１２９ｉ、１２９ｊによって読み取られて、バーコードデータが生成され、生化学解析用ユニットキャリア６にセットされている生化学解析用ユニット１のバーコードデータと、蓄積性蛍光体シートキャリア９６に固定されている蓄積性蛍光体シート９０のバーコードデータが比較されて、生化学解析用ユニットキャリア６にセットされている生化学解析用ユニット１のバーコードデータと、蓄積性蛍光体シートキャリア９６に固定されている蓄積性蛍光体シート９０のバーコードデータが合致した場合にかぎって、生化学解析用ユニットキャリア６にセットされている生化学解析用ユニット１の吸着性領域４に選択的に含まれている放射性標識物質によって、蓄積性蛍光体シートシートキャリア９６に固定されている蓄積性蛍光体シート９０の輝尽性蛍光体層領域９２に含まれている輝尽性蛍光体が露光されるように構成されているが、生化学解析用ユニット１の基板２に、各生化学解析用ユニット１に固有のバーコード５ａを印刷するとともに、蓄積性蛍光体シート９０の支持体９１に、各蓄積性蛍光体シート９０に固有のバーコード９５を印刷して、生化学解析用ユニット１と蓄積性蛍光体シート９０との対応関係を検出することは必ずしも必要でなく、バーコード５ａ、９５に代えて、磁気記録層を、生化学解析用ユニット１の基板２および蓄積性蛍光体シート９０の支持体９１に形成し、生化学解析用ユニット１の基板２に形成された磁気記録層に、各生化学解析用ユニット１に固有のＩＤデータを記録するとともに、蓄積性蛍光体シート９０の支持体９１に形成された磁気記録層に、各蓄積性蛍光体シート９０に固有のＩＤデータを記録し、磁気データを読み取って、生化学解析用ユニットキャリア６にセットされている生化学解析用ユニット１のＩＤデータと、蓄積性蛍光体シートキャリア９６に固定されている蓄積性蛍光体シート９０のＩＤデータを比較し、生化学解析用ユニットキャリア６にセットされている生化学解析用ユニット１のＩＤデータと、蓄積性蛍光体シートキャリア９６に固定されている蓄積性蛍光体シート９０のＩＤデータが合致した場合にかぎって、生化学解析用ユニットキャリア６にセットされている生化学解析用ユニット１の吸着性領域４に選択的に含まれている放射性標識物質によって、蓄積性蛍光体シートシートキャリア９６に固定されている蓄積性蛍光体シート９０の輝尽性蛍光体層領域９２に含まれている輝尽性蛍光体を露光するように、構成することもできる。
【０８３３】
さらに、前記実施態様においては、ハイブリダイゼーション反応装置３５、２７０は、４つの溶液ボトル５７ａ、５７ｂ、５７ｃ、５７ｄ、２７７ａ、２７７ｂ、２７７ｃ、２７７ｄを備えているが、溶液ボトルの数は、必要に応じて、任意に決定することができ、ハイブリダイゼーション反応装置３５、２７０に、５以上の溶液ボトルを設けても、３以下の溶液ボトルを設けてもよい。
【０８３４】
また、図１ないし図２８に示された実施態様においては、前処理液、ハイブリダイゼーションバッファ、ハイブリダイゼーションバッファとプローブ溶液との混合溶液および洗浄溶液が、生化学解析用ユニット収容部材６０に形成された貫通孔６９ａ、６９ｂ、６９ｃ、６９ｄ、６９ｅ、６９ｆ、６９ｇ、６９ｈ、６９ｉ、６９ｊから、下方ハウジング部５８の頂板に形成された貫通孔６４ａ、６４ｂ、６４ｃ、６４ｄ、６４ｅ、６４ｆ、６４ｇ、６４ｈ、６４ｉ、６４ｊに向けて、強制的に流動され、前処理液、ハイブリダイゼーションバッファ、ハイブリダイゼーションバッファとプローブ溶液との混合溶液および洗浄溶液が、生化学解析用ユニットキャリア６にセットされている生化学解析用ユニット１の吸着性領域４を横切って、強制的に流動されているが、生化学解析用ユニットキャリア６に、貫通孔７を形成し、下方ハウジング部５８の頂板に、貫通孔６４ａ、６４ｂ、６４ｃ、６４ｄ、６４ｅ、６４ｆ、６４ｇ、６４ｈ、６４ｉ、６４ｊを形成することなく、生化学解析用ユニット収容部材６０に形成された貫通孔６９ａ、６９ｂ、６９ｃ、６９ｄ、６９ｅ、６９ｆ、６９ｇ、６９ｈ、６９ｉ、６９ｊ内に、それぞれ、仕切り部材を設けて、２つに仕切り、一方から、生化学解析用ユニットキャリア６にセットされている生化学解析用ユニット１に向けて、前処理液、ハイブリダイゼーションバッファ、ハイブリダイゼーションバッファとプローブ溶液との混合溶液あるいは洗浄溶液を供給し、他方から、生化学解析用ユニット１の表面に接触した前処理液、ハイブリダイゼーションバッファ、ハイブリダイゼーションバッファとプローブ溶液との混合溶液あるいは洗浄溶液を排出するように、構成することもできる。
【０８３５】
さらに、前記実施態様においては、それぞれ、第１の溶液回収タンク７２ａ、２９４ａおよび第２の溶液回収タンク７２ｂ、２９４ｂを設け、放射性標識物質濃度の高い溶液を、第１の溶液回収タンク７２ａ、２９４ａ内に回収し、放射性標識物質濃度の低い溶液を、第２の溶液回収タンク７２ｂ、２９４ｂ内に回収するように構成されているが、３以上の溶液回収タンクを設けて、放射性標識物質の濃度に応じて、溶液を回収するように構成することもでき、また、単一の溶液回収タンク内に、溶液を回収するようにしてもよい。
【０８３６】
また、前記実施態様においては、溶液を収容する溶液ボトル５７ａ、５７ｂ、５７ｃ、５７ｄ、２７７ａ、２７７ｂ、２７７ｃ、２７７ｄが、ハイブリダイゼーション反応装置３５、２７０の上方ハウジング部５６、２７６の上面に、着脱可能に取り付けられており、また、第１の溶液回収タンク７２ａ、２９４ａおよび第２の溶液回収タンク７２ｂ、２９４ｂが、ハイブリダイゼーション反応装置３５、２７０の下方ハウジング部５８、２７８の前方に配置されているが、溶液ボトル５７ａ、５７ｂ、５７ｃ、５７ｄ、２７７ａ、２７７ｂ、２７７ｃ、２７７ｄ、第１の溶液回収タンク７２ａ、２９４ａおよび第２の溶液回収タンク７２ｂ、２９４ｂは、任意の位置に、任意の方法で設けることができる。
【０８３７】
さらに、前記実施態様においては、１０枚の蓄積性蛍光体シート９０を、磁石を用いて、蓄積性蛍光体シートキャリア９６の表面に固定するように構成されているが、１０枚の蓄積性蛍光体シート９０を、磁石を用いて、蓄積性蛍光体シートキャリア９６の表面に固定することは必ずしも必要でなく、１０枚の蓄積性蛍光体シート９０を蓄積性蛍光体シートキャリア９６の表面に固定する方法は、任意に選択することができる。
【０８３８】
また、前記実施態様においては、露光装置３６は、生化学解析用ユニットキャリア６と、蓄積性蛍光体シートキャリア９６のキャリア集積体あるいは生化学解析用ユニットキャリア６を、搬送ベルト１０２から、スタッカ１０３内に案内するシュート１０５を備えているが、シュート１０５を設けることは必ずしも必要でなく、生化学解析用ユニットキャリア６と、蓄積性蛍光体シートキャリア９６のキャリア集積体あるいは生化学解析用ユニットキャリア６を、搬送ベルト１０２から、直接、スタッカ１０３内に案内するようにしてもよい。
【０８３９】
さらに、前記実施態様においては、露光装置３６のスタッカ１０３は、上下動可能な昇降板１０６を備え、生化学解析用ユニットキャリア６と、蓄積性蛍光体シートキャリア９６のキャリア集積体あるいは生化学解析用ユニットキャリア６が、昇降板１０６の上面によって支持されており、キャリア剥離部１０４に、生化学解析用ユニットキャリア６と、蓄積性蛍光体シートキャリア９６のキャリア集積体あるいは生化学解析用ユニットキャリア６を排出するときは、昇降板１０６を、排出すべき生化学解析用ユニットキャリア６と、蓄積性蛍光体シートキャリア９６のキャリア集積体あるいは生化学解析用ユニットキャリア６が、キャリア取り出し用開口部１０７に対向するように、昇降させ、キャリア排出部材１０８によって、生化学解析用ユニットキャリア６と、蓄積性蛍光体シートキャリア９６のキャリア集積体あるいは生化学解析用ユニットキャリア６を、キャリア取り出し用開口部１０７を介して、キャリア剥離部１０４に排出するように構成されているが、スタッカ１０３の最下部に、キャリア取り出し用開口部１０７を形成し、最下のキャリア集積体あるいは生化学解析用ユニット１を、キャリア排出部材１０８によって、キャリア取り出し用開口部１０７を介して、キャリア剥離部１０４に排出するように構成して、昇降板１０６を省略することもできる。
【０８４０】
また、前記実施態様においては、第１のスキャナ装置３７は、蓄積性蛍光体シートキャリア９６に固定されている１０枚の蓄積性蛍光体シート９０に対応して、１０台のスキャナ１３０ａ、１３０ｂ、１３０ｃ、１３０ｄ、１３０ｅ、１３０ｆ、１３０ｇ、１３０ｈ、１３０ｉ、１３０ｊを備え、各スキャナ１３０ａ、１３０ｂ、１３０ｃ、１３０ｄ、１３０ｅ、１３０ｆ、１３０ｇ、１３０ｈ、１３０ｉ、１３０ｊによって、１枚の蓄積性蛍光体シート９０の輝尽性蛍光体層領域９２に記録された放射線データを読み取るように、構成されているが、第１のスキャナ装置３７が、１０台のスキャナ１３０ａ、１３０ｂ、１３０ｃ、１３０ｄ、１３０ｅ、１３０ｆ、１３０ｇ、１３０ｈ、１３０ｉ、１３０ｊを備えていることは必ずしも必要でなく、５台のスキャナを、基板１３１上に、１列に配置し、各スキャナによって、２枚の蓄積性蛍光体シート９０の輝尽性蛍光体層領域９２に記録された放射線データを読み取るように、構成することもできるし、また、２台のスキャナを、基板１３１上に、１列に配置し、各スキャナによって、５枚の蓄積性蛍光体シート９０の輝尽性蛍光体層領域９２に記録された放射線データを読み取るように、構成することもでき、第１のスキャナ装置３７の基板１３１上に設けられるスキャナの数は任意に決定することができる。
【０８４１】
さらに、前記実施態様においては、主走査ステッピングモータ１７１および副走査パルスモータ１７２によって、１０台のスキャナ１３０ａ、１３０ｂ、１３０ｃ、１３０ｄ、１３０ｅ、１３０ｆ、１３０ｇ、１３０ｈ、１３０ｉ、１３０ｊが固定された基板１３１を、主走査方向および副走査方向に、間欠的に移動させて、レーザ光１４０によって、蓄積性蛍光体シートキャリア９６に固定されている１０枚の蓄積性蛍光体シート９０のすべての輝尽性蛍光体層領域９２を走査するように構成されているが、１０台のスキャナ１３０ａ、１３０ｂ、１３０ｃ、１３０ｄ、１３０ｅ、１３０ｆ、１３０ｇ、１３０ｈ、１３０ｉ、１３０ｊが固定された基板１３１を静止状態に保持し、蓄積性蛍光体シートキャリア９６がセットされたサンプルステージ１３３を、主走査方向および副走査方向に、間欠的に移動させて、レーザ光１４０によって、蓄積性蛍光体シートキャリア９６に固定されている１０枚の蓄積性蛍光体シート９０のすべての輝尽性蛍光体層領域９２を走査するように構成することもできる。
【０８４２】
さらに、前記実施態様においては、第１のスキャナ装置３７のサンプルステージ１３３には、１０台のスキャナ１３０ａ、１３０ｂ、１３０ｃ、１３０ｄ、１３０ｅ、１３０ｆ、１３０ｇ、１３０ｈ、１３０ｉ、１３０ｊに対応して、１０個の開口部１３２ａ、１３２ｂ、１３２ｃ、１３２ｄ、１３２ｅ、１３２ｆ、１３２ｇ、１３２ｈ、１３２ｉ、１３２ｊが形成されているが、第１のスキャナ装置３７のサンプルステージ１３３は、１０台のスキャナ１３０ａ、１３０ｂ、１３０ｃ、１３０ｄ、１３０ｅ、１３０ｆ、１３０ｇ、１３０ｈ、１３０ｉ、１３０ｊに対応して、１０個の開口部１３２ａ、１３２ｂ、１３２ｃ、１３２ｄ、１３２ｅ、１３２ｆ、１３２ｇ、１３２ｈ、１３２ｉ、１３２ｊを形成することは必ずしも必要でなく、蓄積性蛍光体シートキャリア９６に固定された１０枚の蓄積性蛍光体シート９０を、スキャナ１３０ａ、１３０ｂ、１３０ｃ、１３０ｄ、１３０ｅ、１３０ｆ、１３０ｇ、１３０ｈ、１３０ｉ、１３０ｊのレーザ励起光源１４１から発せられたレーザ光１４０によって、直接、走査可能に構成されていれば、サンプルステージ１３３に、単一の開口部が設けられていても、あるいは、蓄積性蛍光体シートキャリア９６に固定された１０枚の蓄積性蛍光体シート９０の各列ごともしくは各行ごとに、１つないし複数の開口部が設けられていてもよく、サンプルステージ１３３に形成される開口部の数はとくに限定されるものではない。
【０８４３】
また、前記実施態様においては、第２のスキャナ装置３８は、蓄積性蛍光体シートキャリア９６に固定されている１０枚の蓄積性蛍光体シート９０に対応して、１０台のスキャナ１８０ａ、１８０ｂ、１８０ｃ、１８０ｄ、１８０ｅ、１８０ｆ、１８０ｇ、１８０ｈ、１８０ｉ、１８０ｊを備え、各スキャナ１８０ａ、１８０ｂ、１８０ｃ、１８０ｄ、１８０ｅ、１８０ｆ、１８０ｇ、１８０ｈ、１８０ｉ、１８０ｊによって、１枚の生化学解析用ユニット１の吸着性領域４に記録された蛍光データを読み取って、生化学解析用データを生成するように、構成されているが、第２のスキャナ装置３８が、１０台のスキャナ１８０ａ、１８０ｂ、１８０ｃ、１８０ｄ、１８０ｅ、１８０ｆ、１８０ｇ、１８０ｈ、１８０ｉ、１８０ｊを備えていることは必ずしも必要でなく、５台のスキャナを、基板１８１上に、１列に配置し、各スキャナによって、２枚の生化学解析用ユニット１の吸着性領域４に記録された蛍光データを読み取って、生化学解析用データを生成するように、構成することもできるし、また、２台のスキャナを、基板１８１上に、１列に配置し、各スキャナによって、５枚の生化学解析用ユニット１の吸着性領域４に記録された蛍光データを読み取って、生化学解析用データを生成するように構成することもでき、第２のスキャナ装置３８の基板１８１上に設けられるスキャナの数は任意に決定することができる。
【０８４４】
さらに、前記実施態様においては、主走査ステッピングモータ２２１および副走査パルスモータ２２２によって、生化学解析用ユニットキャリア６がセットされたサンプルステージ１８３を、主走査方向および副走査方向に、間欠的に移動させて、レーザ光１９０によって、生化学解析用ユニットキャリア６にセットされている１０枚の生化学解析用ユニット１のすべての吸着性領域４を走査するように構成されているが、生化学解析用ユニットキャリア６がセットされたサンプルステージ１８３を静止状態に保持し、１０台のスキャナ１８０ａ、１８０ｂ、１８０ｃ、１８０ｄ、１８０ｅ、１８０ｆ、１８０ｇ、１８０ｈ、１８０ｉ、１８０ｊが固定された基板１８１を、主走査方向および副走査方向に、間欠的に移動させて、レーザ光１９０によって、生化学解析用ユニットキャリア６にセットされている１０枚の生化学解析用ユニット１のすべての吸着性領域４を走査するように構成することもできる。
【０８４５】
また、前記実施態様においては、第２のスキャナ装置３８の各スキャナ１８０ａ、１８０ｂ、１８０ｃ、１８０ｄ、１８０ｅ、１８０ｆ、１８０ｇ、１８０ｈ、１８０ｉ、１８０ｊは、５３２ｎｍの波長のレーザ光１９０を発するレーザ励起光源１９１を備えているが、５３２ｎｍの波長のレーザ光１９０を発するレーザ励起光源１９１に加えて、あるいは、５３２ｎｍの波長のレーザ光１９０を発するレーザ励起光源１９１に代えて、６４０ｎｍの波長のレーザ光を発するレーザ励起光源および／または４７３ｎｍの波長のレーザ光を発するレーザ励起光源を設け、５３２ｎｍの波長のレーザ光１９０によって、最も効率的に励起されて、蛍光を発する蛍光物質の蛍光データに加えて、あるいは、５３２ｎｍの波長のレーザ光１９０によって、最も効率的に励起されて、蛍光を発する蛍光物質の蛍光データに代えて、６４０ｎｍの波長のレーザ光によって、最も効率的に励起されて、蛍光を発する蛍光物質の蛍光データおよび／または４７３ｎｍの波長のレーザ光によって、最も効率的に励起されて、蛍光を発する蛍光物質の蛍光データを読み取って、生化学解析用データを生成可能に構成することもできる。
【０８４６】
さらに、前記実施態様においては、生化学解析システムは、第１のスキャナ装置３７と、第２のスキャナ装置３８を備え、第１のスキャナ装置３７によって、蓄積性蛍光体シートキャリア９６にセットされている１０枚の蓄積性蛍光体シート９０の多数の輝尽性蛍光体層領域９２に記録されている放射線データを読み取って、生化学解析用データを生成し、第２のスキャナ装置３８によって、生化学解析用ユニットキャリア６にセットされている１０枚の生化学解析用ユニット１の多数の吸着性領域４に記録されている蛍光データを読み取って、生化学解析用データを生成するように構成されているが、第２のスキャナ装置３８の各スキャナ１８０ａ、１８０ｂ、１８０ｃ、１８０ｄ、１８０ｅ、１８０ｆ、１８０ｇ、１８０ｈ、１８０ｉ、１８０ｊに、５３２ｎｍの波長のレーザ光１９０を発するレーザ励起光源１９１に加えて、あるいは、５３２ｎｍの波長のレーザ光１９０を発するレーザ励起光源１９１に代えて、６４０ｎｍの波長のレーザ光を発するレーザ励起光源を設けるとともに、蓄積性蛍光体シートキャリア９６を反転させる機構を設け、第２のスキャナ装置３８のサンプルステージ１８３上に、生化学解析用ユニットキャリア６をセットして、生化学解析用ユニットキャリア６にセットされている１０枚の生化学解析用ユニット１の多数の吸着性領域４に記録されている蛍光データを読み取って、生化学解析用データを生成するとともに、第２のスキャナ装置３８のサンプルステージ１８３上に、蓄積性蛍光体シートキャリア９６を反転させて、セットし、蓄積性蛍光体シートキャリア９６に固定されている１０枚の蓄積性蛍光体シート９０の多数の輝尽性蛍光体層領域９２に記録されている放射線データを読み取って、生化学解析用データを生成するように構成して、第１のスキャナ装置３７を省略することもできる。
【０８４７】
また、前記実施態様においては、生化学解析システムは、データ読み取り装置３９を備え、生化学解析用ユニットキャリア６にセットされた１０枚の生化学解析用ユニット１の多数の吸着性領域４に記録された化学発光データを、データ読み取り装置３９の冷却ＣＣＤカメラ２３１ａ、２３１ｂ、２３１ｃ、２３１ｄ、２３１ｅ、２３１ｆ、２３１ｇ、２３１ｈ、２３１ｉ、２３１ｊによって、同時に読み取って、生化学解析用データを生成しているが、ハイブリダイゼーション反応装置３５、２７０によって、生化学解析用ユニットキャリア６にセットされた１０枚の生化学解析用ユニット１の多数の吸着性領域４に、化学発光データを記録した後に、ハイブリダイゼーション反応装置３５、２７０の第１の溶液ボトル５７ａ、２７７ａ、第２の溶液ボトル５７ｂ、２７７ｂ、第３の溶液ボトル５７ｃ、２７７ｃあるいは第４の溶液ボトル５７ｄに、化学発光基質を含む溶液を収容し、ハイブリダイゼーション反応装置３５、２７０を用いて、化学発光基質を含む溶液を、生化学解析用ユニットキャリア６にセットされた１０枚の生化学解析用ユニット１の吸着性領域４に供給し、露光装置３６によって、吸着性領域４から化学発光が放出されている１０枚の生化学解析用ユニット１がセットされた生化学解析用ユニットキャリア６に、輝尽性蛍光体層領域９２が形成されている１０枚の蓄積性蛍光体シート９０が固定された蓄積性蛍光体シートキャリア９６を重ね合わせて、生化学解析用ユニットキャリア６にセットされた１０枚の生化学解析用ユニット１の多数の吸着性領域４から放出される化学発光によって、蓄積性蛍光体シートキャリア９６に固定された１０枚の蓄積性蛍光体シート９０の多数の輝尽性蛍光体層領域９２を露光し、化学発光の光エネルギーを蓄積させて、蓄積性蛍光体シートキャリア９６に固定された１０枚の蓄積性蛍光体シート９０の多数の輝尽性蛍光体層領域９２に、化学発光データを記録し、第１のスキャナ装置３７を用いて、蓄積性蛍光体シートキャリア９６に固定された１０枚の蓄積性蛍光体シート９０の多数の輝尽性蛍光体層領域９２に記録された化学発光データを同時に読み取って、生化学解析用データを生成することもできる。
【０８４８】
さらに、前記実施態様においては、データ読み取り装置３９は、化学発光基質を含む溶液を収容した化学発光基質補給タンク２５３を備え、化学発光基質を含む溶液を、暗箱２３２内の化学発光基質を含む溶液２５０を収容した容器２５１内に供給するように構成されているが、データ読み取り装置３９が、化学発光基質を含む溶液を収容した化学発光基質補給タンク２５３を備え、化学発光基質を含む溶液を、暗箱２３２内の化学発光基質を含む溶液２５０を収容した容器２５１内に供給するように構成されていることは必ずしも必要でない。
【０８４９】
また、前記実施態様においては、生化学解析用ユニットキャリア６に、２つの位置合わせ用貫通孔６ａ、６ａを形成するとともに、蓄積性蛍光体シートキャリア９６に、２つの位置合わせ用ピン９６ａ、９６ａを立設し、蓄積性蛍光体シートキャリア９６に立設された２つの位置合わせ用ピン９６ａ、９６ａが、生化学解析用ユニットキャリア６に形成された２つの位置合わせ用貫通孔６ａ、６ａに挿通されるように、蓄積性蛍光体シートキャリア９６を、生化学解析用ユニットキャリア６に重ね合わせて、生化学解析用ユニットキャリア６にセットされている１０枚の生化学解析用ユニット１が、蓄積性蛍光体シートキャリア９６に固定されている対応する蓄積性蛍光体シート９０に密着するように、位置合わせされているが、位置合わせの方法は任意であり、生化学解析用ユニットキャリア６に、２つの位置合わせ用貫通孔６ａ、６ａを形成するとともに、蓄積性蛍光体シートキャリア９６に、２つの位置合わせ用ピン９６ａ、９６ａを立設することは必ずしも必要でない。
【０８５０】
さらに、前記実施態様においては、蓄積性蛍光体シートキャリア９６に、２つの位置合わせ用ピン９６ａ、９６ａを立設するとともに、第１のスキャナ装置３７のサンプルステージ１３３に、２つの位置合わせ用貫通孔１３３ａ、１３３ａを形成し、サンプルステージ１３３に形成された２つの位置合わせ用貫通孔１３３ａ、１３３ａに、蓄積性蛍光体シートキャリア９６に立設された位置合わせ用ピン９６ａ、９６ａが挿通されるように、蓄積性蛍光体シートキャリア９６を、サンプルステージ１３３上にセットすることによって、蓄積性蛍光体シートキャリア９６とサンプルステージ１３３の相対的位置関係が、つねに一定になるように、蓄積性蛍光体シートキャリア９６が位置合わせされているが、蓄積性蛍光体シートキャリア９６に、２つの位置合わせ用ピン９６ａ、９６ａを立設するとともに、第１のスキャナ装置３７のサンプルステージ１３３に、２つの位置合わせ用貫通孔１３３ａ、１３３ａを形成して、位置合わせをすることは必ずしも必要でなく、サンプルステージ１３３に、少なくとも２つの位置合わせ用ノッチを設け、蓄積性蛍光体シートキャリア９６が、少なくとも２つの位置合わせ用ノッチに整列するように、蓄積性蛍光体シートキャリア９６をサンプルステージ１３３上にセットするなど、他の方法によって、蓄積性蛍光体シートキャリア９６の位置合わせをすることもできる。
【０８５１】
また、前記実施態様においては、生化学解析用ユニットキャリア６に、２つの位置合わせ用貫通孔６ａ、６ａを形成するとともに、第２のスキャナ装置３８のサンプルステージ１８３に、２つの位置合わせ用ピン１８３ａ、１８３ａを立設し、生化学解析用ユニットキャリア６に形成された２つの位置合わせ用貫通孔６ａ、６ａに、第２のスキャナ装置３８のサンプルステージ１８３に立設された２つの位置合わせ用ピン１８３ａ、１８３ａが挿通されるように、生化学解析用ユニットキャリア６を、サンプルステージ１８３上にセットすることによって、生化学解析用ユニットキャリア６とサンプルステージ１８３の相対的位置関係が、つねに一定になるように、生化学解析用ユニットキャリア６が位置合わせされているが、生化学解析用ユニットキャリア６に、２つの位置合わせ用貫通孔６ａ、６ａを形成するとともに、第２のスキャナ装置３８のサンプルステージ１８３に、２つの位置合わせ用ピン１８３ａ、１８３ａを立設して、位置合わせをすることは必ずしも必要でなく、サンプルステージ１８３に、少なくとも２つの位置合わせ用ノッチを設け、生化学解析用ユニットキャリア６が、少なくとも２つの位置合わせ用ノッチに整列するように、生化学解析用ユニットキャリア６をサンプルステージ１８３上にセットするなど、他の方法によって、生化学解析用ユニットキャリア６の位置合わせをすることもできる。
【０８５２】
さらに、前記実施態様においては、生化学解析用ユニットキャリア６に、２つの位置合わせ用貫通孔６ａ、６ａを形成するとともに、データ読み取り装置３９の支持部材２５２に、２つの位置合わせ用ピン２５２ａ、２５２ａを立設し、生化学解析用ユニットキャリア６に形成された２つの位置合わせ用貫通孔６ａ、６ａに、データ読み取り装置３９の支持部材２５２に立設された２つの位置合わせ用ピン２５２ａ、２５２ａが挿通されるように、生化学解析用ユニットキャリア６を、データ読み取り装置３９の支持部材２５２上にセットすることによって、生化学解析用ユニットキャリア６と支持部材２５２の相対的位置関係が、つねに一定になるように、生化学解析用ユニットキャリア６が位置合わせされているが、生化学解析用ユニットキャリア６に、２つの位置合わせ用貫通孔６ａ、６ａを形成するとともに、データ読み取り装置３９の支持部材２５２に、２つの位置合わせ用ピン２５２ａ、２５２ａを立設して、位置合わせをすることは必ずしも必要でなく、支持部材２５２に、少なくとも２つの位置合わせ用ノッチを設け、生化学解析用ユニットキャリア６が、少なくとも２つの位置合わせ用ノッチに整列するように、生化学解析用ユニットキャリア６を支持部材２５２上にセットするなど、他の方法によって、生化学解析用ユニットキャリア６の位置合わせをすることもできる。
【０８５３】
また、前記実施態様においては、１９２００の約０．０７平方ミリメートルのサイズを有する略円形の吸着性領域４が、約５０００個／平方センチメートルの密度で、規則的なパターンにしたがって、マトリックス状に、生化学解析用ユニット１に形成されているが、吸着性領域４を略円形に形成することは必ずしも必要でなく、吸着性領域４を、任意の形状、たとえば、矩形状に形成することもできる。
【０８５４】
さらに、前記実施態様においては、１９２００の約０．０７平方ミリメートルのサイズを有する略円形の吸着性領域４が、約５０００個／平方センチメートルの密度で、規則的なパターンにしたがって、マトリックス状に、生化学解析用ユニット１に形成されているが、吸着性領域４の数およびサイズは、目的に応じて、任意に選択をすることができ、好ましくは、１０以上の５平方ミリメートル未満のサイズを有する吸着性領域４が、１０個／平方センチメートル以上の密度で、生化学解析用ユニット１に形成される。
【０８５５】
また、前記実施態様においては、１９２００の約０．０７平方ミリメートルのサイズを有する略円形の吸着性領域４が、約５０００個／平方センチメートルの密度で、規則的なパターンにしたがって、マトリックス状に、生化学解析用ユニット１に形成されているが、生化学解析用ユニット１の吸着性領域４を、規則的なパターンにしたがって、生化学解析用ユニット１に形成することは必ずしも必要でない。
【０８５６】
さらに、前記実施態様においては、生化学解析用ユニット１は、ステンレス鋼製の基板２に形成された多数の貫通孔３の内部に、ナイロン６が充填されて、形成された多数の吸着性領域４を備えているが、生化学解析用ユニット１の吸着性領域４が、ナイロン６によって形成されていることは必ずしも必要でなく、ナイロン６以外のメンブレンフィルタが形成可能な多孔質材料、たとえば、ナイロン６，６、ナイロン４，１０などのナイロン類；ニトロセルロース、酢酸セルロース、酪酸酢酸セルロースなどのセルロース誘導体；コラーゲン；アルギン酸、アルギン酸カルシウム、アルギン酸／ポリリシンポリイオンコンプレックスなどのアルギン酸類；ポリエチレン、ポリプロピレンなどのポリオレフィン類；ポリ塩化ビニル；ポリ塩化ビニリデン；ポリフッ化ビニリデン、ポリテトラフルオライドなどのポリフルオライドや、これらの共重合体または複合体、あるいは、活性炭などの多孔質炭素材料によって、生化学解析用ユニット１の吸着性領域４を形成することもでき、さらには、白金、金、鉄、銀、ニッケル、アルミニウムなどの金属；アルミナ、シリカ、チタニア、ゼオライトなどの金属酸化物；ヒドロキシアパタイト、硫酸カルシウムなどの金属塩やこれらの複合体などの無機多孔質材料あるいは複数の繊維の束によって、生化学解析用ユニット１の吸着性領域４を形成するようにしてもよい。
【０８５７】
また、前記実施態様においては、生化学解析用ユニット１は、ステンレス鋼製の基板２を備えているが、生化学解析用ユニット１の基板２を、ステンレス鋼によって形成することは必ずしも必要でなく、他の材料によって、基板２を形成することもできる。生化学解析用ユニット１の基板２は、放射線および／または光を減衰させる性質を有する材料によって形成されることが好ましいが、その材料はとくに限定されるものではなく、無機化合物材料、有機化合物材料のいずれによって、生化学解析用ユニット１の基板２を形成することもでき、金属材料、セラミック材料またはプラスチック材料が、とくに好ましく使用される。生化学解析用ユニット１の基板２を形成するために好ましく使用することができる無機化合物材料としては、たとえば、金、銀、銅、亜鉛、アルミニウム、チタン、タンタル、クロム、鉄、ニッケル、コバルト、鉛、錫、セレンなどの金属；真鍮、ステンレス、青銅などの合金；シリコン、アモルファスシリコン、ガラス、石英、炭化ケイ素、窒化ケイ素などの珪素材料；酸化アルミニウム、酸化マグネシウム、酸化ジルコニウムなどの金属酸化物；タングステンカーバイト、炭酸カルシウム、硫酸カルシウム、ヒドロキシアパタイト、砒化ガリウムなどの無機塩を挙げることができる。これらは、単結晶、アモルファス、セラミックのような多結晶焼結体にいずれの構造を有していてもよい。また、生化学解析用ユニット１の基板２を形成するために好ましく使用することができる有機化合物材料としては、高分子化合物が好ましく用いられ、好ましい高分子化合物としては、たとえば、ポリエチレンやポリプロピレンなどのポリオレフィン；ポリメチルメタクリレート、ブチルアクリレート／メチルメタクリレート共重合体などのアクリル樹脂；ポリアクリロニトリル；ポリ塩化ビニル；ポリ塩化ビニリデン；ポリフッ化ビニリデン；ポリテトラフルオロエチレン；ポリクロロトリフルオロエチレン；ポリカーボネート；ポリエチレンナフタレートやポリエチレンテレフタレートなどのポリエステル；ナイロン６、ナイロン６，６、ナイロン４，１０などのナイロン；ポリイミド；ポリスルホン；ポリフェニレンサルファイド；ポリジフェニルシロキサンなどのケイ素樹脂；ノボラックなどのフェノール樹脂；エポキシ樹脂；ポリウレタン；ポリスチレン；ブタジエン−スチレン共重合体；セルロース、酢酸セルロース、ニトロセルロース、でん粉、アルギン酸カルシウム、ヒドロキシプロピルメチルセルロースなどの多糖類；キチン；キトサン；ウルシ；ゼラチン、コラーゲン、ケラチンなどのポリアミドおよびこれら高分子化合物の共重合体などを挙げることができる。これらは、複合材料でもよく、必要に応じて、金属酸化物粒子やガラス繊維などを充填することもでき、また、有機化合物材料をブレンドして、使用することもできる。
【０８５８】
さらに、前記実施態様においては、生化学解析用ユニット１の多数の吸着性領域４は、ステンレス鋼製の基板２に形成された多数の貫通孔３の内部に、ナイロン６が埋め込まれて、形成されているが、貫通孔３に代えて、多数の凹部を、互いに離間させて、ステンレス鋼製の基板２に形成し、多数の凹部の内部に、ナイロン６を充填して、吸着性領域４を形成することもできる。
【０８５９】
また、前記実施態様においては、生化学解析用ユニット１の多数の吸着性領域４は、ステンレス鋼製の基板２に形成された多数の貫通孔３の内部に、ナイロン６が充填されて、形成されているが、ステンレス鋼製の基板２に形成された多数の貫通孔３に、ナイロン６などの吸着性材料によって形成された吸着性膜を圧入して、吸着性領域４を形成することもでき、ステンレス鋼製の基板２に形成された多数の凹部の内部に、ナイロン６を圧入して、吸着性領域４を形成することもできる。
【０８６０】
さらに、前記実施態様においては、生化学解析用ユニット１の多数の吸着性領域４は、ステンレス鋼製の基板２に形成された多数の貫通孔３の内部に、ナイロン６が充填されて、形成されているが、吸着性材料によって形成された吸着性基板の少なくとも一方の表面に、多数の貫通孔が形成された基板を密着させ、基板の多数の貫通孔内の吸着性基板に、特異的結合物質を含む溶液を滴下して、吸着性領域を形成するようにしてもよい。
【０８６１】
さらに、前記実施態様においては、蓄積性蛍光体シート９０の輝尽性蛍光体層領域９２は、ニッケル製の支持体９１に形成された多数の略円形の貫通孔９３内に、輝尽性蛍光体が埋め込まれて、形成されているが、ニッケル製の支持体９１を用いることは必ずしも必要でなく、他の材料で形成された支持体を用いることもできる。本発明において、蓄積性蛍光体シート９０の支持体９１は、放射線を減衰させる性質を有する材料によって形成されていることが好ましいが、とくに限定されるものではなく、無機化合物材料、有機化合物材料のいずれをも使用することができ、金属材料、セラミック材料またはプラスチック材料が、とくに好ましく使用される。蓄積性蛍光体シート９０の支持体９１を形成するために好ましく使用することのできる無機化合物材料としては、たとえば、金、銀、銅、亜鉛、アルミニウム、チタン、タンタル、クロム、鉄、ニッケル、コバルト、鉛、錫、セレンなどの金属；真鍮、ステンレス、青銅などの合金；シリコン、アモルファスシリコン、ガラス、石英、炭化ケイ素、窒化ケイ素などの珪素材料；酸化アルミニウム、酸化マグネシウム、酸化ジルコニウムなどの金属酸化物；タングステンカーバイト、炭酸カルシウム、硫酸カルシウム、ヒドロキシアパタイト、砒化ガリウムなどの無機塩を挙げることができる。これらは、単結晶、アモルファス、セラミックのような多結晶焼結体にいずれの構造を有していてもよい。また、蓄積性蛍光体シート９０の支持体９１を形成するために好ましく使用することのできる有機化合物材料としては、高分子化合物が好ましく用いられ、好ましい高分子化合物としては、たとえば、ポリエチレンやポリプロピレンなどのポリオレフィン；ポリメチルメタクリレート、ブチルアクリレート／メチルメタクリレート共重合体などのアクリル樹脂；ポリアクリロニトリル；ポリ塩化ビニル；ポリ塩化ビニリデン；ポリフッ化ビニリデン；ポリテトラフルオロエチレン；ポリクロロトリフルオロエチレン；ポリカーボネート；ポリエチレンナフタレートやポリエチレンテレフタレートなどのポリエステル；ナイロン６、ナイロン６，６、ナイロン４，１０などのナイロン；ポリイミド；ポリスルホン；ポリフェニレンサルファイド；ポリジフェニルシロキサンなどのケイ素樹脂；ノボラックなどのフェノール樹脂；エポキシ樹脂；ポリウレタン；ポリスチレン；ブタジエン−スチレン共重合体；セルロース、酢酸セルロース、ニトロセルロース、でん粉、アルギン酸カルシウム、ヒドロキシプロピルメチルセルロースなどの多糖類；キチン；キトサン；ウルシ；ゼラチン、コラーゲン、ケラチンなどのポリアミドおよびこれら高分子化合物の共重合体などを挙げることができる。これらは、複合材料でもよく、必要に応じて、金属酸化物粒子やガラス繊維などを充填することもでき、また、有機化合物材料をブレンドして、使用することもできる。
【０８６２】
また、前記実施態様においては、蓄積性蛍光体シート９０の輝尽性蛍光体層領域９２は、ニッケル製の支持体９１に形成された多数の略円形の貫通孔９３内に、輝尽性蛍光体が埋め込まれて、形成されているが、ニッケル製の支持体９１に形成された多数の略円形の貫通孔９３内に、輝尽性蛍光体を含む輝尽性蛍光体膜を圧入して、蓄積性蛍光体シート９０に、多数の輝尽性蛍光体層領域９２を形成することもできる。
【０８６３】
さらに、前記実施態様においては、蓄積性蛍光体シート９０の輝尽性蛍光体層領域９２は、ニッケル製の支持体９１に形成された多数の略円形の貫通孔９３内に、輝尽性蛍光体が埋め込まれて、形成されているが、貫通孔９３に代えて、支持体９１に、多数の凹部を形成して、多数の凹部内に、輝尽性蛍光体を埋め込んで、蓄積性蛍光体シート９０に、多数の輝尽性蛍光体層領域９２を形成することもできる。
【０８６４】
また、前記実施態様においては、蓄積性蛍光体シート９０の輝尽性蛍光体層領域９２は、ニッケル製の支持体９１に形成された多数の略円形の貫通孔９３内に、輝尽性蛍光体が埋め込まれて、形成されているが、支持体の表面に、一様に、輝尽性蛍光体層を形成し、生化学解析用ユニット１の多数の吸着性領域４に選択的に含まれた放射性標識物質によって、蓄積性蛍光体シート９０の輝尽性蛍光体層に含まれた輝尽性蛍光体を露光して、放射線データを記録することもできる。
【０８６５】
【発明の効果】
本発明によれば、きわめて効率的に、かつ、再現性よく、生化学解析用ユニットに、放射線データや、蛍光データあるいは化学発光データを記録し、生化学解析用ユニットに記録された放射線データを、蓄積性蛍光体シートの輝尽性蛍光体層に転写し、生化学解析用ユニットに記録された蛍光データあるいは化学発光データを読み取って、生化学解析用データを生成し、蓄積性蛍光体シートの輝尽性蛍光体層に記録された放射線データを読み取って、生化学解析用データを生成することができる生化学解析システムを提供することが可能になる。
【図面の簡単な説明】
【図１】図１は、本発明の好ましい実施態様にかかる生化学解析システムに用いられる生化学解析用ユニットの略斜視図である。
【図２】図２は、生化学解析用ユニットをセットする生化学解析用ユニットキャリアの略斜視図である。
【図３】図３は、１０枚の生化学解析用ユニットがセットされた生化学解析用ユニットキャリアの略斜視図である。
【図４】図４は、スポッティング装置の略平面図である。
【図５】図５は、スポッティング装置の制御系、入力系、駆動系および検出系を示すブロックダイアグラムである。
【図６】図６は、本発明の好ましい実施態様にかかる生化学解析システムの略平面図である。
【図７】図７は、生化学解析システムの制御系および表示系を示すブロックダイアグラムである。
【図８】図８は、本発明の好ましい実施態様にかかる生化学解析システムを構成するハイブリダイゼーション反応装置の略斜視図である。
【図９】図９は、下方ハウジング部の頂板に形成された貫通孔の近傍の詳細を示す略斜視図である。
【図１０】図１０は、生化学解析用ユニット収容部材の略斜視図である。
【図１１】図１１は、生化学解析用ユニット収容部材の係止部材ａが、下方ハウジング部の頂板に形成された係止部に係合した状態における生化学解析用ユニット収容部材と、下方ハウジング部の頂板内に形成された溶液の流路を示す一部切り欠き略断面図である。
【図１２】図１２は、第１の溶液注入チューブ、第２の溶液注入チューブ、第３の溶液注入チューブおよび第４の溶液注入チューブ、溶液排出チューブ、分岐チューブ、第１の溶液排出チューブおよび第２の溶液排出チューブ、第１のバルブ、第２のバルブ、第３のバルブおよび第４のバルブならびに第１の切り換えバルブ、第２の切り換えバルブ、第３の切り換えバルブおよび第４の切り換えバルブの接続関係を示す配管図である。
【図１３】図１３は、図８ないし図１２に示されたハイブリダイゼーション反応装置の制御系、入力系、駆動系および表示系のブロックダイアグラムである。
【図１４】図１４は、本発明の好ましい実施態様にかかる生化学解析システムに用いられる蓄積性蛍光体シートの略斜視図である。
【図１５】図１５は、１０枚の蓄積性蛍光体シート９０が固定された蓄積性蛍光体シートキャリアの略斜視図である。
【図１６】図１６は、生化学解析用ユニットの多数の吸着性領域に選択的に含まれている放射性標識物質によって、蓄積性蛍光体シートの支持体に形成された多数の輝尽性蛍光体層領域に含まれている輝尽性蛍光体を露光する露光装置の略斜視図である。
【図１７】図１７は、図１６に示された露光装置の制御系、入力系、駆動系、表示系および検出系のブロックダイアグラムである。
【図１８】図１８は、本発明の好ましい実施態様にかかる生化学解析システムを構成する第１のスキャナ装置の略斜視図である。
【図１９】図１９は、第１のスキャナ装置を構成する各スキャナの略側面図である。
【図２０】図２０は、本発明の好ましい実施態様にかかる生化学解析システムを構成する第１のスキャナ装置の制御系、駆動系および検出系を示すブロックダイアグラムである。
【図２１】図２１は、本発明の好ましい実施態様にかかる生化学解析システムを構成する第２のスキャナ装置の略斜視図である。
【図２２】図２２は、第２のスキャナ装置を構成する各スキャナの略側面図である。
【図２３】図２３は、本発明の好ましい実施態様にかかる生化学解析システムを構成する第２のスキャナ装置の制御系、駆動系および検出系を示すブロックダイアグラムである。
【図２４】図２４は、生化学解析用ユニットキャリアにセットされている１０枚の生化学解析用ユニットの多数の吸着性領域に記録されている蛍光データまたは化学発光データを読み取って、生化学解析用データを生成するデータ読み取り装置の略正面図である。
【図２５】図２５は、ＣＣＤカメラユニットの略底面図である。
【図２６】図２６は、冷却ＣＣＤカメラの略縦断面図である。
【図２７】図２７は、暗箱の略縦断面図である。
【図２８】図２８は、本発明の好ましい実施態様にかかる生化学解析システムを構成するデータ読み取り装置の制御系および駆動系を示すブロックダイアグラムである。
【図２９】図２９は、本発明の別の好ましい実施態様にかかる生化学解析システムを構成するハイブリダイゼーション反応装置の略斜視図である。
【図３０】図３０は、本発明の別の好ましい実施態様にかかる生化学解析システムを構成するハイブリダイゼーション反応装置の下方ハウジング部の頂板の略平面図である。
【図３１】図３１は、下方ハウジング部の頂板に形成された貫通孔対の近傍の詳細を示す略斜視図である。
【図３２】図３２は、生化学解析用ユニット収容部材の略斜視図である。
【図３３】図３３は、図２９のＡ−Ａ線に沿った略断面図である。
【図３４】図３４は、生化学解析用ユニット収容部材が反応位置に位置しているときの生化学解析用ユニットキャリアにセットされた生化学解析用ユニットの１つと、下方ハウジング部の頂板に形成された貫通孔対の位置関係の詳細を示す略断面図である。
【図３５】図３５は、第１の溶液注入チューブ、第２の溶液注入チューブ、第３の溶液注入チューブおよび第４の溶液注入チューブ、溶液注入チューブ、溶液排出チューブ、第１のバルブ、第２のバルブ、第３のバルブおよび第４のバルブならびに溶液注入チューブおよび溶液排出チューブに設けられた切り換えバルブの接続関係を示す配管図である。
【図３６】図３６は、図２９ないし図３５に示されたハイブリダイゼーション反応装置の制御系、駆動系および検出系のブロックダイアグラムである。
【図３７】図３７は、ハイブリダイゼーション反応装置の下方ハウジング部の頂板に形成された貫通孔対を通る溶液の流れを示す略断面図である。
【符号の説明】
１  生化学解析用ユニット
２  基板
３  貫通孔
４  吸着性領域
５  位置合わせ用貫通孔
５ａ  バーコード
６  生化学解析用ユニットキャリア
６ａ  位置合わせ用貫通孔
７  貫通孔
８  位置合わせ用ピン
９  スポッティングヘッド
１０  基板
１１  フレーム
１２  副走査パルスモータ
１３  レール
１４  移動可能な基板
１５  ロッド
１６  主走査パルスモータ
１７  エンドレスベルト
１８  リニアエンコーダ
１９  リニアエンコーダのスリット
２０ａ、２０ｂ  位置合わせ用ピン
３０  コントロールユニット
３１  キーボード
３５  ハイブリダイゼーション反応装置
３６  露光装置
３７  第１のスキャナ装置
３８  第２のスキャナ装置
３９  データ読み取り装置
４０  蓄積性蛍光体シートキャリア回収ボックス
４１  蓄積性蛍光体シートキャリア回収ボックス
４５  コントロールユニット
４６  メモリ
４７  データ記憶手段
４８  データ処理手段
４９  データ表示手段
５０  キーボード
５１  表示パネル
５２  ＣＲＴ
５５  ハウジング
５６  上方ハウジング部
５７ａ  第１の溶液ボトル
５７ｂ  第２の溶液ボトル
５７ｃ  第３の溶液ボトル
５７ｄ  第４の溶液ボトル
５８  下方ハウジング部
５９  アーム
６０  生化学解析用ユニット収容部材
６０ａ  係止部材
６１ａ  第１の溶液注入チューブ
６１ｂ  第２の溶液注入チューブ
６１ｃ  第３の溶液注入チューブ
６１ｄ  第４の溶液注入チューブ
６２ａ  第１の溶液注入部
６２ｂ  第２の溶液注入部
６２ｃ  第３の溶液注入部
６２ｄ  第４の溶液注入部
６３ａ  開口部
６３  搬送ベルト
６４ａ、６４ｂ、６４ｃ、６４ｄ、６４ｅ、６４ｆ、６４ｇ、６４ｈ、６４ｉ、６４ｊ  貫通孔
６５ａ、６５ｂ、６５ｃ、６５ｄ、６５ｅ、６５ｆ、６５ｇ、６５ｈ、６５ｉ、６５ｊ  枠部材
６６ａ、６６ｂ、６６ｃ、６６ｄ、６６ｅ、６６ｆ、６６ｇ、６６ｈ、６６ｉ、６６ｊ  シール部材
６８  生化学解析用ユニット収容部材の凹部
６９ａ、６９ｂ、６９ｃ、６９ｄ、６９ｅ、６９ｆ、６９ｇ、６９ｈ、６９ｉ、６９ｊ  生化学解析用ユニット収容部材の貫通孔
６７  溶液排出チューブ
７０ａ  第１の溶液排出チューブ
７０ｂ  第２の溶液排出チューブ
７１ａ  第１の溶液排出バルブ
７１ｂ  第２の溶液排出バルブ
７２ａ  第１の溶液回収タンク
７２ｂ  第２の溶液回収タンク
７０  溶液供給流路
７３ａ  第１の溶液供給流路
７４ａ  第１の溶液排出流路
７４ｂ  第２の溶液排出流路
７５ａ  第１のバルブ
７５ｂ  第２のバルブ
７５ｃ  第３のバルブ
７５ｄ  第４のバルブ
７６ａ  第１の切り換えバルブ
７６ｂ  第２の切り換えバルブ
７６ｃ  第３の切り換えバルブ
７６ｄ  第４の切り換えバルブ
７７ａ  第１の分岐チューブ
７７ｂ  第２の分岐チューブ
７７ｃ  第３の分岐チューブ
７７ｄ  第４の分岐チューブ
７５  ポンプ
８０  コントロールユニット
８２  搬送ベルトモータ
８３ａ  第１のバルブ駆動手段
８３ｂ  第２のバルブ駆動手段
８３ｃ  第３のバルブ駆動手段
８３ｄ  第４のバルブ駆動手段
８４ａ  第１の切り換えバルブ駆動手段
８４ｂ  第２の切り換えバルブ駆動手段
８４ｃ  第３の切り換えバルブ駆動手段
８４ｄ  第４の切り換えバルブ駆動手段
８５ａ  第１の溶液排出バルブ駆動手段
８５ｂ  第２の溶液排出バルブ駆動手段
８６  ソレノイド
８７  アームモータ
８８  表示パネル
８９ａ、８９ｂ、８９ｃ、８９ｄ、８９ｅ、８９ｆ、８９ｇ、８９ｈ、８９ｉ、８９ｊ  バーコードリーダー
９０  蓄積性蛍光体シート
９１  支持体
９２  輝尽性蛍光体層領域
９３  貫通孔
９５  バーコード
９６  蓄積性蛍光体シートキャリア
９６ａ  位置合わせ用ピン
１００  キャリア保持部
１００ａ  背板
１００ｂ  底板
１０１  白色光源
１０２  搬送ベルト
１０３  スタッカ
１０４  キャリア剥離部
１０５  シュート
１０６  昇降板
１０７  キャリア取り出し用開口部
１０８  キャリア排出部材
１０９  開口部
１１０  キャリア支持部材
１１１  キャリア搬送部材
１２０  コントロールユニット
１２１  光源制御手段
１２２  第１のキャリア把持モータ
１２３  キャリア把持部材モータ
１２４  搬送ベルトモータ
１２５  昇降板モータ
１２６  ソレノイド
１２７  第２のキャリア把持モータ
１２８  搬送部材モータ
１２９ａ、１２９ｂ、１２９ｃ、１２９ｄ、１２９ｅ、１２９ｆ、１２９ｇ、１２９ｈ、１２９ｉ、１２９ｊ  バーコードリーダー
１３０ａ、１３０ｂ、１３０ｃ、１３０ｄ、１３０ｅ、１３０ｆ、１３０ｇ、１３０ｈ、１３０ｉ、１３０ｊ  スキャナ
１３１  基板
１３２ａ、１３２ｂ、１３２ｃ、１３２ｄ、１３２ｅ、１３２ｆ、１３２ｇ、１３２ｈ、１３２ｉ、１３２ｊ  開口部
１３３  サンプルステージ
１３４  キャリア把持部材
１４０  レーザ光
１４１  レーザ励起光源
１４２  コリメータレンズ
１４３  ダイクロイックミラー
１４４  凸レンズ
１４５  凹面ミラー
１４８  フィルタ
１５０  フォトマルチプライア
１５１  Ａ／Ｄ変換器
１５２  データバッファ
１５５  輝尽光
１６３  データ転送手段
１７０  コントロールユニット
１７１  主走査ステッピングモータ
１７２  副走査パルスモータ
１７３  キャリア把持部材モータ
１７４  キャリア把持モータ
１７５  リニアエンコーダ
１８０ａ、１８０ｂ、１８０ｃ、１８０ｄ、１８０ｅ、１８０ｆ、１８０ｇ、１８０ｈ、１８０ｉ、１８０ｊ  スキャナ
１８１  基板
１８２  基板
１８３  サンプルステージ
１８４  キャリア把持部材
１９０  レーザ光
１９１  レーザ励起光源
１９２  コリメータレンズ
１９３  ダイクロイックミラー
１９４  凸レンズ
１９５  凹面ミラー
１９８  フィルタ
２００  フォトマルチプライア
２０１  Ａ／Ｄ変換器
２０２  データバッファ
２０５  蛍光
２１３  データ転送手段
２２０  コントロールユニット
２２１  主走査ステッピングモータ
２２２  副走査パルスモータ
２２３  キャリア把持部材モータ
２２４  キャリア把持モータ
２２５  リニアエンコーダ
２３０  ＣＣＤカメラユニット
２３１ａ、２３１ｂ、２３１ｃ、２３１ｄ、２３１ｅ、２３１ｆ、２３１ｇ、２３１ｈ、２３１ｉ、２３１ｊ  冷却ＣＣＤカメラ
２３２  暗箱
２３２ａ  暗箱の扉
２３６  ＣＣＤ
２３７  伝熱板
２３８  ペルチエ素子
２３９  シャッタ
２４０  Ａ／Ｄ変換器
２４１  データバッファ
２４２  カメラ制御回路
２４５  ガラス板
２４６  放熱フィン
２４７  カメラレンズ
２５０  化学発光基質を含む溶液
２５１  容器
２５２  支持部材
２５２ａ  位置合わせ用ピン
２５３  化学発光基質補給タンク
２５４  バルブ
２５５  ポンプ
２５６  キャリア把持部材
２６０  コントロールユニット
２６１  データ転送手段
２６２  バルブ制御手段
２６３  液面センサ
２６５  暗箱開閉モータ
２６６  キャリア把持モータ
２６７  キャリア把持部材モータ
２７０  ハイブリダイゼーション反応装置
２７５  ハウジング
２７６  上方ハウジング部
２７７ａ  第１の溶液ボトル
２７７ｂ  第２の溶液ボトル
２７７ｃ  第３の溶液ボトル
２７７ｄ  第４の溶液ボトル
２７８  下方ハウジング部
２７９  アーム
２８０  生化学解析用ユニット収容部材
２８０ａ  生化学解析用ユニット収容部材の凹部
２８０ｂ  生化学解析用ユニット収容部材の溶液循環用凹部
２８０ｃ  係止部材
２８１ａ  第１の溶液注入チューブ
２８１ｂ  第２の溶液注入チューブ
２８１ｃ  第３の溶液注入チューブ
２８１ｄ  第４の溶液注入チューブ
２８３  搬送ベルト
２８３ａ  開口部
２８４ａ、２８４ｂ、２８４ｃ、２８４ｄ、２８４ｅ、２８４ｆ、２８４ｇ、２８４ｈ、２８４ｉ、２８４ｊ  貫通孔対
２８４ａａ、２８４ａｂ、２８４ｂａ、２８４ｂｂ、２８４ｃａ、２８４ｃｂ、２８４ｄａ、２８４ｄｂ、２８４ｅａ、２８４ｅｂ、２８４ｆａ、２８４ｆｂ、２８４ｇａ、２８４ｇｂ、２８４ｈａ、２８４ｈｂ、２８４ｉａ、２８４ｉｂ、２８４ｊａ、２８４ｊｂ  貫通孔
２８５ａ、２８５ｂ、２８５ｃ、２８５ｄ、２８５ｅ、２８５ｆ、２８５ｇ、２８５ｈ、２８５ｉ、２８５ｊ  仕切壁
２８６ａ、２８６ｂ、２８６ｃ、２８６ｄ、２８６ｅ、２８６ｆ、２８６ｇ、２８６ｈ、２８６ｉ、２８６ｊ  枠部材
２８７ａ、２８７ｂ、２８７ｃ、２８７ｄ、２８７ｅ、２８７ｆ、２８７ｇ、２８７ｈ、２８７ｉ、２８７ｊ  シール部材
２９０  溶液注入チューブ
２９０ａ  第１の溶液供給流路
２９１ａ  第１の溶液排出流路
２９２  溶液排出チューブ
２９２ａ  第１の溶液排出チューブ
２９２ｂ  第２の溶液排出チューブ
２９３ａ  第１の溶液排出バルブ
２９３ｂ  第２の溶液排出バルブ
２９４ａ  第１の溶液回収タンク
２９４ｂ  第２の溶液回収タンク
２９５ａ  第１のバルブ
２９５ｂ  第２のバルブ
２９５ｃ  第３のバルブ
２９５ｄ  第４のバルブ
２９６  切り換えバルブ
２９８  ポンプ
３００  コントロールユニット
３０２  搬送ベルトモータ
３０３ａ  第１のバルブ駆動手段
３０３ｂ  第２のバルブ駆動手段
３０３ｃ  第３のバルブ駆動手段
３０３ｄ  第４のバルブ駆動手段
３０４  切り換えバルブ駆動手段
３０５ａ  第１の溶液排出バルブ駆動手段
３０５ｂ  第２の溶液排出バルブ駆動手段
３０６  ソレノイド
３０７  アームモータ
３０９ａ、３０９ｂ、３０９ｃ、３０９ｄ、３０９ｅ、３０９ｆ、３０９ｇ、３０９ｈ、３０９ｉ、３０９ｊ  バーコードリーダー
【図１】
0004038066.tif 000002
【図２】
0004038066.tif 000003
【図３】
0004038066.tif 000004
【図４】
0004038066.tif 000005
【図５】
0004038066.tif 000006
【図６】
0004038066.tif 000007
【図７】
0004038066.tif 000008
【図８】
0004038066.tif 000009
【図９】
0004038066.tif 000010
【図１０】
0004038066.tif 000011
【図１１】
0004038066.tif 000012
【図１２】
0004038066.tif 000013
【図１３】
0004038066.tif 000014
【図１４】
0004038066.tif 000015
【図１５】
0004038066.tif 000016
【図１６】
0004038066.tif 000017
【図１７】
0004038066.tif 000018
【図１８】
0004038066.tif 000019
【図１９】
0004038066.tif 000020
【図２０】
0004038066.tif 000021
【図２１】
0004038066.tif 000022
【図２２】
0004038066.tif 000023
【図２３】
0004038066.tif 000024
【図２４】
0004038066.tif 000025
【図２５】
0004038066.tif 000026
【図２６】
0004038066.tif 000027
【図２７】
0004038066.tif 000028
【図２８】
0004038066.tif 000029
【図２９】
0004038066.tif 000030
【図３０】
0004038066.tif 000031
【図３１】
0004038066.tif 000032
【図３２】
0004038066.tif 000033
【図３３】
0004038066.tif 000034
【図３４】
0004038066.tif 000035
【図３５】
0004038066.tif 000036
【図３６】
0004038066.tif 000037
【図３７】
0004038066.tif 000038